(57)【要約】  本明細書で論じられるシステム、装置、および方法には、無線ミッドフィールド送信機および植込み型受信機装置が含まれる。ミッドフィールド送信機は、組織の内側に伝播信号を生じさせる組織の外側に信号を提供するように構成することができる。本主題は、送信機装置、層状の送信機装置、植込み型受信機装置、植込みおよび抜去の方法、テストおよび組み立ての方法などのための保護回路を含む。例では、保護回路は、ＲＦ駆動信号を受信し、条件付きでアンテナに出力信号を提供するための第１の制御回路を含む。第２の制御回路は、アンテナ出力信号および／またはＲＦ駆動信号に関する情報に基づいて制御信号を生成することができる。利得回路は、ＲＦ駆動信号を第１の制御回路に提供することができる。利得回路は、第２の制御回路からの制御信号に基づいて、ＲＦ駆動信号の振幅を変更することができる。【選択図】図１
2021521761.tif 000002
【特許請求の範囲】
【請求項１】
無線送信機装置で使用するための信号プロセッサであって、
ＲＦ駆動信号を受信し、条件付きでアンテナまたは別の装置に出力信号を提供するように構成された第１の制御回路、
前記アンテナ出力信号に関する情報および／または前記ＲＦ駆動信号に関する情報に基づいて制御信号を生成するように構成された第２の制御回路、および
前記ＲＦ駆動信号を前記第１の制御回路に提供するように構成された利得回路であって、前記第２の制御回路からの前記制御信号に基づいて前記ＲＦ駆動信号の振幅を変更するように構成される利得回路を含む、信号プロセッサ。
【請求項２】
前記第１の制御回路が、
前記アンテナの負荷状態を示す反射電圧信号を受信し、
前記反射電圧信号に基づいて前記アンテナ出力信号の位相または振幅を変更するように構成される、請求項１に記載の信号プロセッサ。
【請求項３】
前記第１の制御回路は、前記反射電圧信号が指定された反射信号の大きさを超えると、前記アンテナ出力信号を減衰させるように構成される、請求項２に記載の信号プロセッサ。
【請求項４】
前記ＲＦ駆動信号を条件付きで増幅し、前記アンテナから受信した情報が前記アンテナが身体組織によって負荷をかけられているまたは負荷をかけられる可能性があることを示すときに、前記アンテナ出力信号を提供するように構成された増幅器回路をさらに備える、請求項１に記載の信号プロセッサ。
【請求項５】
前記第１の制御回路が、
前記利得回路に連結され、前記ＲＦ駆動信号を受信するように構成された入力ポート、
前記アンテナに連結され、前記アンテナ出力信号を提供するように構成された送信ポート、
前記第２の制御回路に連結された連結ポート、および
前記第２の制御回路に連結された分離ポート
を含む双方向カプラ回路を含む、請求項１〜４のいずれか一項に記載の信号プロセッサ。
【請求項６】
前記双方向カプラの前記分離ポートに連結されたＲＦダイオード検出器回路をさらに備える、請求項５に記載の信号プロセッサ。
【請求項７】
前記双方向カプラの前記分離ポートに連結された後方散乱受信機回路をさらに備え、前記後方散乱受信機回路が、植込まれた装置から後方散乱データ通信を受信するように構成される、請求項５に記載の信号プロセッサ。
【請求項８】
前記第１の制御回路は、アンテナから受信された反射電力信号に関する情報が、前記反射電力の指定された閾値量を超えると、障害信号を生成するように構成される、請求項１に記載の信号プロセッサ。
【請求項９】
前記第１の制御回路は、前記障害信号が生成されたときに前記出力信号を提供することを阻害するように構成される、請求項８に記載の信号プロセッサ。
【請求項１０】
前記第１の制御回路は、前記第１の制御回路がリセット信号を受信するまで障害状態で存続するように構成される、請求項９に記載の信号プロセッサ。
【請求項１１】
前記第１の制御回路は、前記出力信号の提供を阻害することによって、検出された障害状態に第１の応答速度で応答するように構成され、前記第２の制御回路は、前記制御信号を生成することにより、前記同じまたは異なる障害状態に対しより低速の第２の応答速度で応答するように構成される、請求項１に記載の信号プロセッサ。
【請求項１２】
前記第１の制御回路は、前記ＲＦ駆動信号の検出された包絡線特性に基づいて前記出力信号を条件付きで提供するように構成される、請求項１に記載の信号プロセッサ。
【請求項１３】
前記第２の制御回路は、前記ＲＦ駆動信号の検出された包絡線特性に基づいて前記制御信号を生成するように構成される、請求項１に記載の信号プロセッサ。
【請求項１４】
前記利得回路は、ＲＦ入力信号に基づいて前記ＲＦ駆動信号を提供するように構成され、前記第２の制御回路は、前記ＲＦ入力信号の振幅特性に基づいて前記制御信号を生成するように構成される、請求項１に記載の信号プロセッサ。
【請求項１５】
前記第２の制御回路は、（１）前記アンテナ出力信号に関する前記情報が前記アンテナの次善の負荷状態を示す場合、または（２）前記ＲＦ駆動信号に関する前記情報が、前記ＲＦ駆動信号の振幅が指定された駆動信号振幅閾値を超えていることを示す場合に、第１の制御信号の値を有する前記制御信号を生成するように構成され、また
前記利得回路が、前記制御信号が前記第１の制御信号の値を有するときに、前記ＲＦ駆動信号を減衰させる、
請求項１に記載の信号プロセッサ。
【請求項１６】
前記第２の制御回路は、（１）前記アンテナ出力信号に関する前記情報が前記アンテナの既知の良好な負荷状態を示す場合、または（２）前記ＲＦ駆動信号に関する前記情報が、前記ＲＦ駆動信号の振幅が指定された駆動信号振幅閾値を下回ることを示す場合に、第２の制御信号の値を有する前記制御信号を生成するように構成され、また
前記利得回路が、前記制御信号が前記第２の制御信号の値を有するときに、前記ＲＦ駆動信号を減衰させない、
請求項１に記載の信号プロセッサ。
【請求項１７】
前記第２の制御回路は、前記利得回路の前記制御信号を生成して、初期装置状態または装置リセット状態で前記第１の制御回路に提供されるＲＦ駆動信号をランプアップするように構成される、請求項１に記載の信号プロセッサ。
【請求項１８】
前記第２の制御回路は、前記利得回路の前記制御信号を生成して、アンテナ不整合状態下で前記第１の制御回路に提供されるＲＦ駆動信号を減衰するように構成される、請求項１に記載の信号プロセッサ。
【請求項１９】
前記第２の制御回路は、検出された障害状態に続いて、前記利得回路の前記制御信号を生成して、前記ＲＦ駆動信号の大きさを、前記検出された障害状態に先行する前記ＲＦ駆動信号の大きさに対応する大きさのレベルに戻すように構成されている、請求項１に記載の信号プロセッサ。
【請求項２０】
前記第２の制御回路は、フィードバック回路からの情報に基づいて前記利得回路の前記制御信号を生成するように構成され、
前記フィードバック回路は、アンテナの不整合状態に関する情報を提供し、
前記フィードバック回路は、指定された公称出力電力に対する前記装置の実際の出力電力に関する情報を提供する、
請求項１に記載の信号プロセッサ。
【請求項２１】
前記第２の制御回路は、前記制御信号を生成して、前記利得回路に、初期装置状態または装置リセット状態の下で前記第１の制御回路に提供される前記ＲＦ駆動信号をランプアップさせるように構成される、請求項２０に記載の信号プロセッサ。
【請求項２２】
前記第２の制御回路は、前記制御信号を生成して、前記利得回路に、アンテナ不整合状態下で前記第１の制御回路に提供される前記ＲＦ駆動信号を急速に減衰させるように構成される、請求項２０に記載の信号プロセッサ。
【請求項２３】
前記第１の制御回路は、アンテナ不整合ステータスに関する情報を前記第１の制御回路に提供するように構成され、前記アンテナ不整合ステータスに関する情報が、前記アンテナからの反射電力に基づく、請求項２２に記載の信号プロセッサ。
【請求項２４】
前記アンテナからの反射電力の変化に対して前記フィードバック回路の感度を調整するように構成されたスケーリング回路をさらに備える、請求項２０に記載の信号プロセッサ。
【請求項２５】
前記フィードバック回路は、指定された最大ＶＳＷＲに基づいて、前記出力信号の順方向電力の変化を正規化するように構成される、請求項２０に記載の信号プロセッサ。
【請求項２６】
前記フィードバック回路は、前記アンテナが受信機に十分に整合されている場合に、指定された基準電力レベルに対する前記アンテナへの順方向電力信号間の関係に関する情報を提供するように構成され、前記フィードバック回路は、前記アンテナが前記受信機と十分に整合していない場合に、前記指定された基準電力レベルに対する前記アンテナからの逆方向電力信号間の関係に関する情報を提供するように構成されている、請求項２０に記載の信号プロセッサ。
【請求項２７】
前記第１の制御回路は、約８５０ＭＨｚ〜９５０ＭＨｚの周波数を有する信号を使用して前記アンテナ出力信号を提供するように構成される、請求項１に記載の信号プロセッサ。
【請求項２８】
無線電力送信機であって、アンテナに連結された信号発生器を含む無線電力送信機、および前記アンテナの共振周波数に影響を与えるように構成されたチューナー回路を構成するための方法であって、
前記信号発生器によって提供される第１の駆動信号であって、第１の周波数を有する第１の駆動信号で前記アンテナにエネルギー供給することと、
前記チューナー回路のパラメータの値を掃引して、前記アンテナをそれぞれの複数の例で複数の異なる共振周波数に調整することと、
前記複数の異なる共振周波数のそれぞれについて、前記アンテナが前記第１の駆動信号によってエネルギー供給されたときに前記アンテナによって反射されたそれぞれの電力の量を検出することと、
前記アンテナに反射された検出された最小電力量に対応する前記チューナー回路の特定のパラメータの値を識別することと、および
前記チューナー回路の前記特定のパラメータの値を使用して、身体組織内部の無線伝搬波を使用して、電力および／またはデータを植込まれた装置に通信するように前記無線電力送信機をプログラミングすることと
を含む、方法。
【請求項２９】
前記チューナー回路に関する先験的情報に基づいて、前記チューナー回路の前記識別された特定のパラメータの値に基づいて、身体組織インターフェースの指定された距離範囲内に前記無線電力送信機が配置されている可能性を提供すること
をさらに含む、請求項２８に記載の方法。
【請求項３０】
前記可能性が、前記無線電力送信機が前記身体組織インターフェースの前記指定された距離範囲内にあることを示している場合、前記無線電力送信機と前記特定のパラメータの値に調整された前記チューナー回路を使用して、電力および／またはデータを植込み型装置と送受信することをさらに含む、請求項２９に記載の方法。
【請求項３１】
前記第１の駆動信号で前記アンテナに前記エネルギー供給することは、約８５０ＭＨｚ〜９５０ＭＨｚの周波数を有する信号を使用することを含む、請求項２８に記載の方法。
【請求項３２】
前記アンテナを複数の異なる共振周波数に調整するために前記チューナー回路の前記パラメータの値を掃引することは、コンデンサの静電容量の値を調整することを含む、請求項２８から３１のいずれかに記載の方法。
【請求項３３】
無線送信機であって、前記無線送信機のアンテナを複数の異なる共振周波数に調整するように構成された調整回路を含む、無線送信機を構成するための方法であって、
前記調整回路が前記アンテナを第１の共振周波数に調整するときに、第１の周波数掃引駆動信号で前記無線送信機の前記アンテナにエネルギー供給することと、
前記第１の周波数掃引駆動信号の複数の周波数のそれぞれについて、前記アンテナに反射されたそれぞれの電力の量を検出することと、および
前記アンテナに反射された前記検出されたそれぞれの電力の量に基づいて、前記無線送信機が身体組織の近くにある、または近くにある可能性があることかどうかを判定することと
を含む、方法。
【請求項３４】
前記アンテナに反射された前記検出されたそれぞれの電力の量に基づいて、前記無線送信機が身体組織の近くにある、またはその可能性が高いと判定された場合、
第２の駆動信号で前記無線送信機の前記アンテナにエネルギー供給することと、
前記チューナー回路のパラメータの値を掃引して、前記アンテナが前記第２の駆動信号によってエネルギー供給されている間に、前記アンテナをそれぞれの複数の例で複数の異なる共振周波数に調整することと、
前記複数の異なる共振周波数のそれぞれについて、前記アンテナに反射されたそれぞれの電力の量を検出することと、
前記アンテナに反射された検出された最小電力量に対応する前記チューナー回路の特定のパラメータの値を識別することと、および
前記識別された特定のパラメータの値に基づいて、前記無線送信機が身体組織の近くにあるかどうかを確認することと
をさらに含む、請求項３３に記載の方法。
【請求項３５】
前記無線送信機が身体組織の近くにあることが確認されたときに、電力および／またはデータを植込まれた装置に伝送することを試みることをさらに含み、前記伝送することを試みることは、前記特定のパラメータの値を使用して前記チューナー回路を調整することを含む、請求項３４に記載の方法。
【請求項３６】
前記アンテナに前記エネルギー供給することは、前記アンテナの表面の周りに分散された複数のアンテナポートのうちの第１のものにエネルギー供給することを含み、また
前記アンテナに反射された前記それぞれの電力の量を前記検出することは、前記複数のアンテナポートのうちの第２のものを使用して反射信号を受信することを含む、
請求項３３に記載の方法。
【請求項３７】
前記アンテナが、前記第１のアンテナポートおよび前記第２のアンテナポートを通って延びる軸に関して実質的に対称である、請求項３６に記載の方法。
【請求項３８】
ミッドフィールド送信機であって、１つまたは複数の励起可能な構造を備えたアンテナを含むミッドフィールド送信機、およびチューナーパラメータに基づいて前記アンテナの共振周波数特性を変更するように構成された送信機チューナー回路を調整する方法であって、
前記チューナー回路が基準静電容量の値を使用して調整されている場合、第１のテスト信号でアンテナにエネルギー供給すること、
前記第１のテスト信号で前記アンテナに前記エネルギー供給することに応答して前記アンテナによって反射される電力の大きさを測定すること、および
前記アンテナに反射される電力の前記大きさが指定された最小電力反射の大きさを超える場合、より小さな静電容量の値を使用するように前記チューナー回路を調整すること、および
前記アンテナに反射される電力の前記大きさが前記指定された最小電力反射の大きさを超えない場合は、より大きな静電容量の値を使用するように前記チューナー回路を調整することを含む、方法。
【請求項３９】
ミッドフィールド送信機であって、１つまたは複数の励起可能な構造を備えたアンテナを含むミッドフィールド送信機、およびチューナーパラメータに基づいて前記アンテナの共振周波数特性を変更するように構成された送信機チューナー回路を調整する方法であって、
前記チューナー回路が基準静電容量の値を使用して調整されている場合、第１のテスト信号でアンテナにエネルギー供給すること、
植込まれた装置で、前記第１のテスト信号で前記アンテナに前記エネルギー供給するのに応答して前記アンテナから受信した電力の大きさを測定すること、および
前記植込まれた装置から受信した前記電力の大きさに関する情報を前記ミッドフィールド送信機に通信することであって、
受信した前記電力の前記大きさが指定された最小電力の大きさよりも小さい場合は、より小さな静電容量の値を使用するように前記チューナー回路を調整すること、および
受信した電力の前記大きさが前記指定された最小電力の大きさよりも大きい場合は、より大きな静電容量の値を使用するように前記チューナー回路を調整する、通信すること
を含む、方法。
【請求項４０】
前記植込まれた装置から受信された前記電力の大きさに関する情報を前記ミッドフィールド送信機に通信することは、後方散乱通信信号を生成するために前記植込まれた装置内の駆動回路の調整を変調することを含む、請求項３９に記載の方法。
【請求項４１】
ミッドフィールド送信機であって、
少なくとも内側中央領域および外側領域を含むアンテナ表面、
前記アンテナ表面の近くまたは隣接して提供される複数の励起特徴、および
前記複数の励起特徴のそれぞれのものに異なる信号を提供するように構成された信号発生器であって、前記信号発生器からの前記異なる信号に応答して、前記アンテナ表面は、前記アンテナ表面のアンテナの内側中央領域を横切って実質的に第１の方向に第１の表面電流を伝導し、前記アンテナ表面は、前記アンテナ表面の前記外側領域を横切って反対の第２の方向に少なくとも部分的に第２の表面電流を伝導する、信号発生器を含み、
前記信号発生器が前記複数の励起特徴のそれぞれのものに前記異なる信号を提供する場合、前記ミッドフィールド送信機は、エバネセント場が複数の隣接する場のローブを含むように、前記アンテナ表面に隣接する前記エバネセント場に影響を与える、ミッドフィールド送信機。
【請求項４２】
前記アンテナ表面の前記内側中央領域および前記外側領域は、同一平面上にあり、同軸である、請求項４１に記載のミッドフィールド送信機。
【請求項４３】
前記アンテナ表面の前記内側中央領域および前記外側領域は、誘電体またはエアギャップによって分離されている、請求項４２に記載のミッドフィールド送信機。
【請求項４４】
前記信号発生器が前記複数の励起特徴のそれぞれのものに前記異なる信号を提供するとき、前記ミッドフィールド送信機は、前記アンテナ表面に隣接する前記エバネセント場に影響を及ぼし、前記エバネセント場が複数の反対方向の場のローブを含むようにする、請求項４１〜４３のいずれか一項に記載のミッドフィールド送信機。
【請求項４５】
前記ミッドフィールド送信機が身体組織に対して配置され、前記信号発生器が前記複数の励起特徴のそれぞれのものに前記異なる信号を提供するとき、前記ミッドフィールド送信機は、前記アンテナ表面に隣接する前記エバネセント場に影響を及ぼし、伝搬する場が前記身体組織に誘導される、請求項４１〜４３のいずれか一項に記載のミッドフィールド送信機。
【請求項４６】
ミッドフィールド送信機であって、
前記送信機の第１の層に設けられる第１の導電性部分、
前記送信機の第２の層に設けられる１つまたは複数のストリップラインを含む第２の導電性部分、
前記送信機の第３の層に設けられる第３の導電性部分であり、前記第２の層を延びる１つまたは複数のビアを用いて前記第１の導電性部分に電気的に連結される第３の導電性部分、
前記第１の層と第２の層との間に介在する第１の誘電部材、および前記第２の層と第３の層との間に介在する第２の誘電部材
を含む、ミッドフィールド送信機。
【請求項４７】
前記第１の導電性部分は、第１のスロットによって離間された内側ディスク領域および外側環状領域を含む、請求項４６に記載のミッドフィールド送信機。
【請求項４８】
前記第１の導電性部分の前記外側環状領域は、前記１つまたは複数のビアを使用して、前記第３の層の前記第３の導電性部分に電気的に連結される、請求項４７に記載のミッドフィールド送信機。
【請求項４９】
前記第１の導電性部分は、スロットによって離間された第１および第２の個別の領域を含み、前記ミッドフィールド送信機は、前記第１の導電性部分の前記第１の領域に連結された第１のコンデンサノード、および前記第１の導電性部分の前記第２の領域に連結された第２のコンデンサノードを有する可変コンデンサをさらに備える、請求項４６に記載のミッドフィールド送信機。
【請求項５０】
指定された目標共振周波数に基づいて前記可変コンデンサの静電容量を調整するように構成された制御回路をさらに備える、請求項４９に記載のミッドフィールド送信機。
【請求項５１】
前記制御回路は、前記送信機を使用して送信された電力信号の反射部分に関する情報を使用して前記可変コンデンサの前記静電容量を調整するように構成される、請求項５０に記載のミッドフィールド送信機。
【請求項５２】
前記制御回路は、前記送信機から受信機装置で受信された電力信号の部分に関する情報を使用して前記可変コンデンサの前記静電容量を調整するように構成される、請求項５０に記載のミッドフィールド送信機。
【請求項５３】
前記受信機装置から後方散乱信号を受信し、前記受信機装置で受信された前記電力信号の前記部分に関する情報を判定するように構成された後方散乱受信機回路をさらに備える、請求項５２に記載のミッドフィールド送信機。
【請求項５４】
前記受信機装置からデータ信号を受信し、前記受信機装置で受信された前記電力信号の前記部分に関する前記情報を判定するように構成されたデータ受信機回路をさらに備える、請求項５２に記載のミッドフィールド送信機。
【請求項５５】
プロセッサ回路をさらに備え、
前記制御回路は、前記可変コンデンサの複数の異なる静電容量の値のそれぞれで前記ミッドフィールド送信機の励起を制御し、前記異なる静電容量の値のそれぞれについてそれぞれの電力伝達特性を監視するように構成され、
前記プロセッサ回路は、前記電力伝達特性に基づいて、前記ミッドフィールド送信機が身体組織の近くにあるか、近くにある可能性があるかどうかを判定するように構成される、請求項５０に記載のミッドフィールド送信機。
【請求項５６】
プロセッサ回路をさらに備え、
前記制御回路は、前記可変コンデンサの複数の異なる静電容量の値のそれぞれで前記ミッドフィールド送信機の励起を制御し、前記異なる静電容量の値のそれぞれについてそれぞれのＶＳＷＲ特性を監視するように構成され、また
前記プロセッサ回路は、前記ＶＳＷＲ特性に基づいて、前記ミッドフィールド送信機が身体組織の近くにあるか、近くにある可能性があるかどうかを判定するように構成される、請求項５０に記載のミッドフィールド送信機。
【請求項５７】
前記ストリップラインの少なくとも１つが、波状または波打つ側縁プロファイルを有する、請求項４６に記載のミッドフィールド送信機。
【請求項５８】
第１のカプラポートで駆動信号を受信し、前記駆動信号の一部を送信ポートおよび終端ポートに提供するように構成された双方向カプラをさらに備え、前記送信ポートは、前記送信機の前記第２の層に提供される前記ストリップラインの少なくとも１つに連結され、前記終端ポートが負荷回路に連結されている、請求項４６に記載のミッドフィールド送信機。
【請求項５９】
フィードバック信号処理回路をさらに備え、前記双方向カプラは、前記フィードバック信号処理回路に連結された分離ポートを含み、前記フィードバック信号処理回路は、前記分離ポートで反射電力信号についての情報を受信するように構成され、前記フィードバック信号処理回路は、前記反射電力信号に関する前記情報を使用して、送信電力信号の効率を判定するように構成される、請求項５８に記載のミッドフィールド送信機。
【請求項６０】
前記負荷回路をさらに備え、前記負荷回路は、前記双方向カプラの前記終端ポートに調整可能なインピーダンス負荷を提供するように構成された１つまたは複数の可変コンデンサを備える、請求項５８に記載のミッドフィールド送信機。
【請求項６１】
前記第１および第２の誘電部材は、異なる誘電率特性を有する、請求項４６〜６０のいずれか一項に記載のミッドフィールド送信機。
【請求項６２】
前記第２の誘電部材の厚さは、前記第１の誘電部材の厚さより厚い、請求項６１に記載のミッドフィールド送信機。
【請求項６３】
前記第１の導電性部分は、前記第３の導電性部分に電気的に連結された環状の外側領域を含み、前記第１の導電性部分は、第１のスロットにより前記環状の外側領域から間隔を隔てた内側領域をさらに含む、請求項４６に記載のミッドフィールド送信機。
【請求項６４】
前記第１のスロットから前記第１の導電性部分の中心軸に向かって延びるスロット延長アームを備える、請求項６３に記載のミッドフィールド送信機。
【請求項６５】
約９０度の間隔で配置され、前記第１のスロットから前記第１の導電性部分の前記中心軸までの少なくとも半分の距離で延びる４つのスロット延長アームをさらに備える、請求項６４に記載のミッドフィールド送信機。
【請求項６６】
前記スロット延長アームは、各々前記第１のスロットの幅と実質的に同じであるスロットの幅を有する、請求項６４に記載のミッドフィールド送信機。
【請求項６７】
前記第１の導電性部分の前記内側領域に連結されたアノードと、前記第１の導電性部分の前記環状領域に連結されたカソードとを有するコンデンサをさらに備える、請求項６３〜６６のいずれか一項に記載のミッドフィールド送信機。
【請求項６８】
前記第１の導電性部分は、接地された第１の領域と、前記接地された第１の領域から電気的に絶縁された別個の第２の領域とを含むエッチング銅層を含む、請求項４６に記載のミッドフィールド送信機。
【請求項６９】
前記１つまたは複数のストリップラインが前記送信機の周辺部から前記送信機の中央部に向かって延び、前記１つまたは複数のストリップラインが前記第１の導電性部分の前記第２の領域の少なくとも一部の上に配置される、請求項６８に記載のミッドフィールド送信機。
【請求項７０】
前記別個の第２の領域が、前記第２の領域を四分円に分割するエッチングされた特徴またはビアをさらに含む、請求項６８に記載のミッドフィールド送信機。
【請求項７１】
前記１つまたは複数のストリップラインのそれぞれにそれぞれの励起信号を提供するように構成された信号発生器回路をさらに備え、前記信号発生器回路は、前記励起信号の少なくとも１つの位相または振幅特性を調整し、前記第１の導電性部分の周りの電流分布を調整するように構成された、請求項４６に記載のミッドフィールド送信機。
【請求項７２】
前記信号発生器は、前記第３の導電面の第１の側面に配置され、前記第３の導電面の反対の第２の側面は、前記第１の導電性部分に面する、請求項７１に記載のミッドフィールド送信機。
【請求項７３】
前記第３の導電性部分の表面積は、前記第１の導電面の表面積と同じかそれより大きい、請求項４６に記載のミッドフィールド送信機。
【請求項７４】
前記第１および第３の導電性部分は、実質的に円形で同軸の導電部材を含む、請求項４６に記載のミッドフィールド送信機。
【請求項７５】
前記第１の導電性部分および前記第３の導電性部分のうちの少なくとも１つが基準電圧または接地に連結されている、請求項４６に記載のミッドフィールド送信機。
【請求項７６】
前記第１または第２の誘電部材は、約３〜１３の誘電率Ｄｋを有する、請求項４６に記載のミッドフィールド送信機。
【請求項７７】
前記第１または第２の誘電部材は、約６〜１０の誘電率Ｄｋを有する、請求項４６に記載のミッドフィールド送信機。
【請求項７８】
前記第１の導電性部分と前記第３の導電性部分との間に延在し、前記第２の層から絶縁された複数のビアをさらに備え、前記複数のビアの配置は、前記第１の導電性部分を実質的に別個に励起可能な四分円に分割する、請求項４６に記載のミッドフィールド送信機。
【請求項７９】
前記別個に励起可能な四分円の各々が接地周辺領域と内側導電領域とを含み、前記第１の導電性部分が１つまたは複数の特徴でエッチングされて、前記周辺領域の少なくとも一部を前記内側導電領域から絶縁する、請求項７８に記載のミッドフィールド送信機。
【請求項８０】
調整可能なミッドフィールド送信機であって、
第１の基板と、
前記第１の基板の第１の表面に設けられた第１のエミッタと、および
前記第１のエミッタに連結された可変コンデンサであって、第１のエミッタの静電容量特性を調整して、受信機装置からの反射係数またはフィードバック情報の少なくとも１つに基づいて前記ミッドフィールド送信機の共振周波数を調整するように構成される可変コンデンサと
を備える、調整可能なミッドフィールド送信機。
【請求項８１】
前記反射係数に関する情報に基づいて、前記送信機が身体組織の近くにあるか、近くにある可能性があるかについての表示を提供するように構成された制御回路をさらに備える、請求項８０に記載の調整可能なミッドフィールド送信機。
【請求項８２】
前記第１の基板に隣接し、かつ平行な第２の表面上に提供されるストリップラインをさらに備え、前記ストリップラインは、前記第１のエミッタ上に少なくとも部分的に延びる、請求項８０に記載の調整可能なミッドフィールド送信機。
【請求項８３】
前記第１のエミッタが内側ディスク領域および外側環状領域を含み、前記ストリップラインが前記第１のエミッタの前記内側ディスク領域上に少なくとも部分的に延びる、請求項８２に記載の調整可能なミッドフィールド送信機。
【請求項８４】
前記内側ディスク領域は、非導電性スロットによって複数の別個の導電性領域に分割される、請求項８３に記載の調整可能なミッドフィールド送信機。
【請求項８５】
前記導電性領域のそれぞれが実質的に同じ表面積を有する、請求項８４に記載の調整可能なミッドフィールド送信機。
【請求項８６】
接地面と、および
前記接地面と前記ストリップラインとの間に提供される第２の基板と
をさらに含む、請求項８０に記載の調整可能なミッドフィールド送信機。
【請求項８７】
前記ミッドフィールド送信機は、組織内に適応操縦場を生成するように構成され、前記適応操縦場は、約３００ＭＨｚ〜３０００ＭＨｚの周波数を有する、請求項８０から８６のいずれかに記載の調整可能なミッドフィールド送信機。
【請求項８８】
前記ストリップラインに励起信号を提供するように構成された励起回路をさらに備え、前記励起信号は、約３００ＭＨｚ〜３０００ＭＨｚの間の周波数を有する、請求項８０から８６のいずれかに記載の調整可能なミッドフィールド送信機。
【請求項８９】
前記可変コンデンサの静電容量の値が、検出された反射係数に基づいて、または植込まれたミッドフィールド受信機装置からのフィードバックに基づいて更新されるように構成される、請求項８０から８６のいずれかに記載の調整可能なミッドフィールド送信機。
【請求項９０】
前記ミッドフィールド送信機を調整して、前記ミッドフィールド送信機と植込まれた受信機との間の電力伝達効率を調節する方法であって、ミッドフィールド送信機は、ストリップラインによって励起可能な導電板を含み、
前記ストリップラインにパイロット信号を提供すること、前記パイロット信号はパイロット周波数を有する、
前記植込まれた受信機で前記ミッドフィールド送信機から受信した電力信号を監視すること、および
前記監視された利得／受信電力信号に基づいて、前記導電板と基準ノード間の電気的連結特性を調節すること
を含む、方法。
【請求項９１】
前記電気的連結特性を調節することは、前記導電板および前記基準ノードに連結された可変コンデンサの静電容量を変更することを含む、請求項９０に記載の方法。
【請求項９２】
前記ミッドフィールド送信機を調整して、前記ミッドフィールド送信機と植込まれた受信機との間の電力伝達効率を調節する方法であって、前記ミッドフィールド送信機は、ストリップラインによって励起可能な導電板を含み、
ストリップラインにパイロット信号を提供すること、前記パイロット信号はパイロット周波数を有する、
前記ミッドフィールド送信機と前記植込み受信機の間の連結特性を監視すること、および
前記監視された利得／受信電力信号に基づいて、前記導電板と基準ノード間の電気的連結特性を調節すること
を含む、方法。
【請求項９３】
前記電気的連結特性を調節することは、前記導電板および前記基準ノードに連結された可変コンデンサの静電容量を変更することを含む、請求項９２に記載の方法。
【請求項９４】
ミッドフィールド送信機であって、
実質的に同軸で互いに平行で、第１の誘電部材によって間隔を置いて配置される、第１および第２の実質的に平面の円形の導電部材であり、前記第２の導電部分が前記送信機の電気基準面として機能する導電部材、および
前記導電部材間の中間層に介在する第１の対の励起部材、および
前記第１の導電部材と同一平面上にあるか、同軸方向にオフセットしている励起パッチ
を含む、ミッドフィールド送信機。
【請求項９５】
前記励起部材は前記第１および第２の導電部材から、また互いに電気的に絶縁され、前記第１の対の励起部材は前記送信機の両側に設けられる、請求項９４に記載のミッドフィールド送信機。
【請求項９６】
前記励起部材は、それぞれのビアを使用して前記励起パッチに電気的に連結されている、請求項９４に記載のミッドフィールド送信機。
【請求項９７】
前記励起パッチが前記第１の導電部材の一部を構成する、請求項９４〜９６のいずれか一項に記載のミッドフィールド送信機。
【請求項９８】
前記励起パッチは、前記第１および第２の導電部材から電気的に絶縁されている受動部材である、請求項９４〜９６のいずれか一項に記載のミッドフィールド送信機。
【請求項９９】
前記励起部材はストリップラインを含む、請求項９４〜９６のいずれか一項に記載のミッドフィールド送信機。
【請求項１００】
前記ストリップラインを前記受動励起パッチのそれぞれの部分に連結するそれぞれのビアをさらに備える、請求項９９に記載のミッドフィールド送信機。
【請求項１０１】
ミッドフィールド送信機であって、
前記送信機の第１の層に設けられる第１の導電面であり、内側ディスク領域から離間した外側環状領域を含む第１の導電面、
前記送信機の第２の層に設けられる第２の導電面であり、１つまたは複数のビアを使用して前記第１の導電面の前記外側環状領域に電気的に連結される第２の導電面、
前記第１の導電面と前記第２の導電面との間に介在する第１の誘電部材、および
前記第１の導電面の前記内側ディスク領域に連結され、前記第２の導電面および前記第１の誘電部材を貫通して電気的に絶縁されたビアに連結される複数の信号入力ポート
を含む、ミッドフィールド送信機。
【請求項１０２】
前記第１の層とは反対側の前記第２の層の第１の側面に配置される送信機励起回路であり、前記複数の信号入力ポートを使用して前記内側ディスク領域に駆動信号を供給するように構成される送信機励起回路をさらに含む、請求項１０１に記載のミッドフィールド送信機。
【請求項１０３】
前記送信機励起回路は、はんだバンプを使用して前記第２の導電面の前記第１の側面に連結されるように構成されている、請求項１０２に記載のミッドフィールド送信機。
【請求項１０４】
前記第１の導電面の前記環状領域に連結されたアノードと、前記第１の導電面の前記ディスク領域に連結されたカソードとを有するコンデンサをさらに備える、請求項１０１〜１０３のいずれか一項に記載のミッドフィールド送信機。
【請求項１０５】
前記第１の導電面は、前記ディスク領域の周囲から前記ディスク領域の中心まで少なくとも部分的に延在する複数の線形スロットをさらに含む、請求項１０１〜１０３のいずれか一項に記載のミッドフィールド送信機。
【請求項１０６】
選択された長さの前記複数の線形スロットが、前記送信機の共振を調整する、請求項１０５に記載のミッドフィールド送信機。
【請求項１０７】
前記複数の信号入力ポートに、各励起信号を供給するように構成された信号発生器回路をさらに備える、請求項１０１に記載のミッドフィールド送信機。
【請求項１０８】
前記信号発生器回路は、前記第１の導電面上の電流の分布を調整するために前記励起信号のうちの少なくとも１つの位相または振幅特性を調整するように構成される、請求項１０７に記載のミッドフィールド送信機。
【請求項１０９】
リモートミッドフィールド送信機から発信された伝搬無線電力信号を受信するように構成された第１のアンテナ、
前記第１のアンテナに連結され、それぞれの第１および第２の電圧レベルを有する少なくとも第１および第２の収集された電力信号を提供するように構成された整流回路、および
前記整流回路に連結され、前記第１および第２の収集された電力信号のうちの選択されたものを電気刺激出力回路にルーティングするように構成されたマルチプレクサ回路
を含む、ミッドフィールド受信機装置。
【請求項１１０】
前記第１および第２の収集された電力信号のいずれか一方を受信し、変換されたＤＣ信号を提供するように構成されたＤＣ−ＤＣコンバータ回路をさらに備える、請求項１０９に記載のミッドフィールド受信機装置。
【請求項１１１】
前記ＤＣ−ＤＣコンバータ回路は、前記変換されたＤＣ信号を前記電気刺激出力回路に提供する、前記電気刺激出力回路をさらに備える、請求項１１０に記載のミッドフィールド受信機装置。
【請求項１１２】
前記第１および第２の収集された電力信号のうちの少なくとも１つを受信し、前記受信された伝搬無線電力信号に関する情報を前記リモートミッドフィールド送信機に提供するように構成されたフィードバック回路をさらに備える、請求項１０９に記載のミッドフィールド受信機装置。
【請求項１１３】
前記整流回路は、約１ボルトから１．４ボルトの電圧レベルで前記第１の収集された電力信号を提供し、前記整流回路は、約１．６ボルト〜３．０ボルトの電圧レベルで前記第２の収集された電力信号を提供する、請求項１０９に記載のミッドフィールド受信機装置。
【請求項１１４】
前記整流回路は、３．０ボルトを超える電圧レベルで第３の収集電力信号を提供し、前記マルチプレクサ回路は、前記第１、第２、および第３の電力信号のうちの選択されたものを前記出力回路にルーティングするように構成される、請求項１１３に記載のミッドフィールド受信機装置。
【請求項１１５】
前記整流回路が、
前記第１のアンテナおよび第１の共通ノードに連結される第１の入力であって、前記第１の共通ノードは、（ａ）第１のダイオードのカソード、（ｂ）第２のダイオードのアノード、および（ｃ）第３のダイオードのアノードに連結され、前記第２のダイオードのカソードが、前記第１の電圧レベルで前記第１の収集された電力信号を提供する第１の整流器出力に連結されている第１の入力、および
前記第１のアンテナおよび第２の共通ノードに連結される第２の入力であって、前記第２の共通ノードは、（ａ）前記第３のダイオードのカソード、および（ｂ）第４のダイオードのアノードに連結され、前記第４のダイオードのカソードは、ダイオードは、前記第２の電圧レベルで前記第２の収集された電力信号を提供する第２の整流器出力に連結され、
前記第２の電圧レベルは、前記第１の電圧レベルよりも大きい
第２の入力
を含む、請求項１０９に記載のミッドフィールド受信機装置。
【請求項１１６】
前記第１および第２の入力は、それぞれのコンデンサを使用して前記第１のアンテナに容量連結される、請求項１１５に記載のミッドフィールド受信機装置。
【請求項１１７】
後方散乱変調深度調整回路をさらに備える、請求項１０９に記載のミッドフィールド受信機装置。
【請求項１１８】
前記後方散乱変調深度調整回路は、基準ノードと前記整流回路からの複数のタップのうちの１つとの間のシャント経路に設けられたスイッチを含む、請求項１１７に記載のミッドフィールド受信機装置。
【請求項１１９】
前記第１のアンテナに連結され、前記第１のアンテナの調整特性を変調するように構成された調節可能なコンデンサをさらに備える、請求項１０９に記載のミッドフィールド受信機装置。
【請求項１２０】
後方散乱変調深度調整回路および前記制御回路をさらに備え、前記制御回路は、前記調節可能なコンデンサの静電容量の値および基準ノードと前記整流器回路からの複数のタップの１つとの間のシャント経路とを実質的に同時に調節するように構成される、請求項１１９に記載のミッドフィールド受信機。
【請求項１２１】
前記第１のアンテナがその周りに巻かれる誘電体アンテナコアと、前記アンテナおよび前記誘電体アンテナコアとを実質的に取り囲むアンテナハウジングと、
整流回路およびマルチプレクサ回路を実質的に取り囲む回路ハウジングと
をさらに備え、
前記アンテナハウジングと前記回路ハウジングは機械的に一緒に連結されている、請求項１０９〜１２０のいずれか一項に記載のミッドフィールド受信機装置。
【請求項１２２】
多段整流回路であって、
第１の収集されたエネルギー信号を受信するように構成され、第１の共通ノードに連結される第１の入力であって、前記第１の共通ノードが、（ａ）第１のダイオードのカソード、（ｂ）第２のダイオードのアノード、および（ｃ）第３のダイオードのアノードに連結され、前記第２のダイオードのカソードが、第１の電圧レベルで第１の収集された電力信号を提供する第１の整流器出力に連結されている第１の入力、および
前記第１の収集されたエネルギー信号を受信するように構成され、第２の共通ノードに連結される第２の入力であって、第２の共通ノードが（ａ）前記第３のダイオードのカソード、および（ｂ）第４のダイオードのアノードに連結され、前記第４のダイオードのカソードは、第２の電圧レベルで第２の収集された電力信号を提供する第２の整流器出力に連結されている第２の入力
を含み、
前記第２の電圧レベルは、前記第１の電圧レベルよりも大きい、多段整流回路。
【請求項１２３】
植込み型ミッドフィールド装置用の電気刺激回路であって、
ミッドフィールド送信機から無線電力信号を受信するように構成された第１のアンテナ、
前記第１のアンテナに連結され、それぞれの第１および第２の電圧レベルを有する少なくとも第１および第２の収集された電力信号を提供するように構成された整流回路、および
前記整流回路に連結され、前記第１および第２の収集された電力信号のうちの選択されたものをマルチプレクサ出力ノードにルーティングするように構成されたマルチプレクサ回路
を含む電力収集回路、および
少なくとも２つの電気刺激電極、および
前記マルチプレクサ出力ノードからの信号を少なくとも前記２つの電気刺激電極にルーティングして、前記ミッドフィールド送信機から受信した前記無線電力信号の一部を使用して電気刺激療法を提供するように構成されたスイッチング回路
を含む、電気刺激回路。
【請求項１２４】
前記第１のアンテナは、患者の体の外部のミッドフィールド送信機から発信された伝搬無線電力信号を受信するように構成される、請求項１２３に記載の電気刺激回路。
【請求項１２５】
無線植込み型装置を植込む方法であって、
ガイドワイヤを含む孔針で組織を突き刺すこと、
前記ガイドワイヤを少なくとも部分的に前記組織内に残して、前記孔針を取り除くこと、
前記ガイドワイヤの露出部分上に拡張器およびカテーテルを配置して、前記ガイドワイヤを前記拡張器内に少なくとも部分的に配置すること、
前記拡張器と前記カテーテルを前記ガイドワイヤに沿って前記組織に押し込むこと、
前記ガイドワイヤと前記拡張器を前記組織から取り除くこと、
植込み型装置を前記カテーテルの管腔に挿入すること、
プッシュロッドを使用して、前記植込み型装置を前記カテーテルを通して前記組織に押し込むこと、および
前記カテーテルを取り外し、前記植込み型装置を前記組織に残すこと
を含む、方法。
【請求項１２６】
前記拡張器が第２の拡張器であり、前記方法が
前記ガイドワイヤ上に第１の拡張器を配置すること、
前記第１の拡張器を前記ガイドワイヤに沿って前記組織に押し込むこと、および
前記組織から前記第１の拡張器を取り除くこと
をさらに含む、請求項１２５に記載の方法。
【請求項１２７】
前記植込み型装置を前記組織に押し込む前に、前記植込み型装置の遠位端に取り付けられた縫合糸を、前記プッシュロッドの管腔内に少なくとも部分的に配置することをさらに含む、請求項１２５および１２６のいずれか一項に記載の方法。
【請求項１２８】
前記プッシュロッドを使用して、前記カテーテルを通して前記植込み型装置を前記組織に押し込むことは、前記プッシュロッドを押して、前記縫合糸の少なくとも一部を前記組織から残すことを含む、請求項１２７に記載の方法。
【請求項１２９】
前記植込み型装置を前記組織に押し込む前に、前記縫合糸の周りにあるシースを前記プッシュロッドの前記管腔に配置することをさらに含む、請求項１２８に記載の方法。
【請求項１３０】
前記縫合糸を引っ張ることによって前記組織から前記植込み型装置を抜去することをさらに含む、請求項１２９に記載の方法。
【請求項１３１】
前記拡張器が放射線不透過性マーカーを含み、前記拡張器を前記組織に押し込むことは、蛍光透視法を使用して判定された放射線不透過性マーカーの位置に関する情報を使用して、標的組織部位に拡張器を配置することを含む、請求項１２５に記載の方法。
【請求項１３２】
カテーテルが放射線不透過性マーカーを含み、前記カテーテルを前記組織に押し込むことは、蛍光透視法を使用して判定された前記放射線不透過性マーカーの位置に関する情報を使用して、標的組織部位に前記カテーテルを配置することを含む、請求項１２５に記載の方法。
【請求項１３３】
植込み型装置であって、
その上に露出された複数の電極を含む細長い本体部分、
前記電極に電気信号を提供するために電気的に連結された回路を含む回路ハウジング、
前記回路ハウジングと前記細長い本体部分との間のフルストコニカルコネクタであって、その遠位端で前記本体部分に、およびその近位端で回路ハウジングに取り付けられたフルストコニカルコネクタ、
その中にアンテナを含み、前記回路ハウジングの近位端で前記回路ハウジングに接続されたアンテナハウジング、および
前記アンテナハウジングの近位端で前記アンテナハウジングに接続されたプッシュロッドインターフェース
を含む、植込み型装置。
【請求項１３４】
前記プッシュロッドインターフェースが、前記アンテナハウジングとは反対側を向いた短いベースと前記アンテナハウジングに向いた長いベースとを備えた台形形状を含む、請求項１３３に記載の植込み型装置。
【請求項１３５】
前記アンテナハウジングの近位端に連結されたタインの第１のセットを含む第１のタインカラーをさらに含む、請求項１３３および１３４のいずれか一項に記載の植込み型装置。
【請求項１３６】
前記フルストコニカルコネクタによって前記本体部分に連結されたタインの第２のセットを含む第２のタインカラーをさらに含む、請求項１３５に記載の植込み型装置。
【請求項１３７】
前記タインの前記第２のセットは、前記第２のタインカラーから前記体部分の前記遠位端に向かって延びる、請求項１３６に記載の植込み型装置。
【請求項１３８】
タインの前記第１のセットが、前記第１のタインカラーから前記プッシュロッドインターフェースの近位端に向かって延びる、請求項１３７に記載の植込み型装置。
【請求項１３９】
前記第２のタインカラーは、前記本体部分の前記近位端から前記回路ハウジングに向かって延びるタインの第３のセットをさらに含む、請求項１３６に記載の植込み型装置。
【請求項１４０】
前記回路ハウジングは、遠位ハウジングプレートから前記本体部分に向かって延びる第１の翼付きフランジを含む、請求項１３３に記載の植込み型装置。
【請求項１４１】
前記フルストコニカルコネクタの前記近位端が、前記第１の翼付きフランジと係合するように構成される、請求項１４０に記載の植込み型装置。
【請求項１４２】
前記回路ハウジングは、近位ハウジングプレートから前記アンテナハウジングに向かって延びる第２の翼付きフランジを含む、請求項１４０および１４１のうちの一項に記載の植込み型装置。
【請求項１４３】
前記アンテナハウジングは、コアハウジング内に誘電体コアを含み、前記誘電体コアは、誘電体材料を含み、前記アンテナは、前記誘電体コアの周りに巻かれている、請求項１４２に記載の植込み型装置。
【請求項１４４】
前記コアハウジングは、それを通る穴を含む、請求項１４３に記載の植込み型装置。
【請求項１４５】
導電性フィードスルー上およびその周囲に配置された第２の誘電体材料および前記コアハウジング内の前記アンテナをさらに備える、請求項１４４に記載の植込み型装置。
【請求項１４６】
実質的に前記アンテナおよび前記フィードスルーの周囲に設けられた導電性スリーブをさらに備える、請求項１４５に記載の植込み型装置。
【請求項１４７】
前記誘電体ハウジングは、その遠位部分を通る穴を含み、さらにその反対側にディボットを含み、前記アンテナの前記フィードスルーおよび端部は、前記誘電体コアのディボットに配置される、請求項１４３に記載の植込み型装置。
【請求項１４８】
前記プッシュロッドインターフェースがその近位端に開口部を含み、前記植込み型装置が、前記縫合糸の遠位端に配置された保持装置を備えた縫合糸をさらに含み、前記縫合糸が前記開口部を通って延び、前記保持装置は、前記開口部の対応する寸法よりも大きい寸法を含む、請求項１３３に記載の植込み型装置。
【請求項１４９】
前記縫合糸の上に配置された可撓性シースをさらに含む、請求項１４８に記載の植込み型装置。
【請求項１５０】
前記回路ハウジング内の誘電体ライナーであって、前記回路ハウジングの容器と前記回路ハウジング内の前記回路との間に設けられる誘電体ライナーをさらに備える、請求項１３３に記載の植込み型装置。
【請求項１５１】
前記回路ハウジング内に乾燥剤をさらに含む、請求項１３３に記載の植込み型装置。
【請求項１５２】
前記回路ハウジングは、容器とそのフィードスルー板との間にインジウムまたはインジウム合金を含む、請求項１３３に記載の植込み型装置。
【請求項１５３】
中空針の一部を、前記針を冷却装置上またはその近くに配置することにより、誘電体材料の自由流動温度未満に冷却すること、
前記誘電体材料を前記針に流し込み、前記中空針の前記冷却部分に流すこと、
植込み型装置のコアハウジングの穴に前記中空針を配置すること、
前記中空針を前記誘電体材料の前記自由流動温度またはそれ以上の温度に温めること、および
前記中空針を前記穴に保持して、前記誘電体材料が前記針を自由に流れるようにすること
を含む、方法。
【請求項１５４】
前記中空針を温めることは、前記針を前記冷却装置から遠ざけることと、周囲空気が前記針を温めることを可能にすることとを含む、請求項１５３に記載の方法。
【請求項１５５】
前記誘電体材料がエポキシを含む、請求項１５４に記載の方法。
【請求項１５６】
前記冷却装置がペルチェ冷却装置を含む、請求項１５３および１５４の一項に記載の方法。
【請求項１５７】
前記自由流動温度が摂氏約−４０度から摂氏約０度の間である、請求項１５３に記載の方法。
【請求項１５８】
フィードスルー板と容器との間の接合部の近くの回路ハウジングの前記容器上にインジウムはんだを配置すること、および
前記インジウムはんだをリフローして、前記フィードスルー板を前記容器に結合すること
を含む方法。
【請求項１５９】
前記インジウムはんだをリフローすることにより、前記フィードスルー板と前記容器との間に気密シールが形成される、請求項１５８に記載の方法。
【請求項１６０】
アンテナアセンブリが取り付けられる導電性接触パッドの観点から、植込み型装置の回路基板のインピーダンスを判定すること、
前記インピーダンスがインピーダンス値の目標範囲内にないことを判定することに応答して、前記回路基板の他の回路から導電性材料を除去すること、
前記インピーダンスがインピーダンス値の前記目標範囲内にあると判定することに応答して、前記アンテナアセンブリを前記接触パッドに電気的に接続して回路基板アセンブリを作成し、前記回路基板を密閉エンクロージャに密封すること、
外部電力ユニットからの送信が材料を通って移動して前記アンテナアセンブリのアンテナに入射するように、前記材料の近くまたは少なくとも部分的に前記材料内に前記回路基板アセンブリを配置することであって、前記材料は、前記植込み型装置が植込まれる組織の誘電率を含む、配置すること、
前記外部電力ユニットからの前記送信を受信すること、および
前記受信した送信の電力を示す応答を生成すること
を含む、方法。
【請求項１６１】
前記回路基板アセンブリを前記材料の近くまたは少なくとも部分的に前記材料内に配置する前に、前記回路基板が回路ハウジング内に含まれるように前記回路基板を前記回路ハウジングに組み立てることをさらに含む、請求項１６０に記載の方法。
【請求項１６２】
前記アンテナを前記接触パッドに電気的に接続する前に前記回路ハウジングを密閉することをさらに含み、前記アンテナを前記接触パッドに電気的に接続することは、前記アンテナを、前記接触パッドに電気的に接続された前記回路ハウジングのフィードスルーに電気的に接続することを含む、請求項１６１に記載の方法。
【請求項１６３】
前記アンテナが前記回路ハウジングの近位端に電気的に接続され、
前記回路基板の他の回路が細長い植込み型アセンブリの１つまたは複数の電極に電気的に接続されるように、前記回路ハウジングの遠位端を前記細長い植込み型アセンブリに取り付けること
をさらに含む、請求項１６１に記載の方法。
【請求項１６４】
前記回路基板の他の回路から１つまたは複数の導電性タブを電気的に絶縁することは、導電性材料を除去し、前記１つまたは複数の導電性タブが、前記接触パッドのうちの接触パッドに電気的に接続されたトレースにもはや電気的に接続されていないようになることを含む、請求項１６０に記載の方法。
【請求項１６５】
前記接触パッドが前記回路基板の近位部分に配置され、前記回路基板が前記回路基板の遠位部分に配置された第２の接触パッドをさらに含む、請求項１６０〜１６４のいずれか一項に記載の方法。
【請求項１６６】
前記回路基板は、第１の可撓性部分、第２の可撓性部分、および前記第１の可撓性部分と前記第２の可撓性部分との間に位置する本体部分をさらに含み、前記第１の接触パッドは、前記第１の可撓性部分を介して前記回路部分に連結され、前記第２の接触パッドは、前記第２の可撓性部分を介して前記回路部分に連結されている、請求項１６５に記載の方法。
【請求項１６７】
前記第１の可撓性部分が、前記第２の可撓性部分の長さよりも短い長さを含む、請求項１６６に記載の方法。
【請求項１６８】
前記第１の可撓性部分は、前記回路基板の長手方向軸に概ね垂直であるカットをその中に含む、請求項１６６に記載の方法。
【請求項１６９】
前記回路基板の隣接する遠位電気接続部分上に前記回路基板と一体のカバーを折り畳むことをさらに含む、請求項１６８に記載の方法。
【請求項１７０】
前記回路基板アセンブリを材料の近くまたは少なくとも部分的に材料内に配置することは、前記回路基板アセンブリを前記材料内の空洞内に配置することを含む、請求項１６０に記載の方法。
【請求項１７１】
前記材料が、約５から約７０の間の誘電率を含む、請求項１６０に記載の方法。
【請求項１７２】
前記受信された送信の電力を示す応答を生成することは、光送信、音、振動、または電磁波を生成することを含む、請求項１６０に記載の方法。
【請求項１７３】
前記生成された応答に基づいて、前記回路基板の前記インピーダンスが目標値の前記指定された範囲内にないことを判定し、前記回路基板の他の回路にその構成要素のインピーダンスをデジタル調整させる通信を生成すること
をさらに含む、請求項１６０に記載の方法
【請求項１７４】
前記アンテナを前記接触パッドに電気的に接続する前に前記アンテナアセンブリのインピーダンスを判定すること、および前記回路基板の両方の前記インピーダンスがインピーダンス値の標的範囲内にあり、前記アンテナのインピーダンスは、インピーダンス値の異なる標的範囲にあると判定することに応答して前記アンテナを前記接触パッドに電気的に接続することをさらに含む、請求項１６０に記載の方法。
【請求項１７５】
植込み型装置のインピーダンスを調整するための方法であって、
植込み型装置の回路基板から導電性材料を除去して、前記回路基板のインピーダンスを調整すること、
前記回路基板のインピーダンスが指定された周波数範囲内にあることを確認した後、また前記導電性材料を除去した後、前記植込み型装置の回路ハウジング内の前記回路基板を密閉すること、および
前記回路基板を前記回路ハウジングに密閉した後、アンテナを前記回路ハウジングのフィードスルーに取り付けること
を含む、方法。
【請求項１７６】
前記アンテナを取り付けた後、場連結共振テストを使用して、前記植込み型装置の動作周波数が指定された周波数範囲内にあることを確認すること
をさらに含む、請求項１７５に記載の方法。
【発明の詳細な説明】
【技術分野】
【０００１】
（関連出願の相互参照）
この特許出願は、２０１８年４月１２日に出願された米国仮特許出願第６２／６５６，６３７号（弁護士整理番号４３７０．０２８ＰＶ２）に対する優先権の利益を主張し、これは参照によりその全体が本明細書に組み込まれ、また
この特許出願は、２０１８年１２月１４日に出願された米国特許出願第１６／２２０，８１５号（弁護士整理番号４３７０．０２８ＵＳ１）に対する優先権の利益を主張し、これは参照によりその全体が本明細書に組み込まれ、また
この特許出願は、２０１８年４月１２日に出願された米国仮特許出願第６２／６５６，６７５号（弁護士整理番号４３７０．０３０ＰＲＶ）に対する優先権の利益を主張し、これは参照によりその全体が本明細書に組み込まれ、また
この特許出願は、２０１８年７月２０日に出願された米国仮特許出願第６２／７０１，０６２号（弁護士整理番号４３７０．０３１ＰＲＶ）に対する優先権の利益を主張し、これは参照によりその全体が本明細書に組み込まれ、また
この特許出願は、２０１８年１１月７日に出願された米国仮特許出願第６２／７５６，６４８号（弁護士整理番号４３７０．０３３ＰＲＶ）に対する優先権の利益を主張し、これは参照によりその全体が本明細書に組み込まれる。
【背景技術】
【０００２】
植込み型電子機器のための様々な無線給電方法は、近接場またはファーフィールドのカップリングに基づいている。これらの方法および他の方法はいくつかの不利益を被っている。例えば、近視野または遠視野の技術を使用して、植込まれた装置の電力収集構造は、典型的には大きくなり得る（例えば、典型的にはセンチメートル以上のオーダー）。近接場での通信では、体外のコイルは同様に大きく、かさばり、多くの場合柔軟性がない可能性がある。そのような制約は、患者の日常生活への外部装置の組み込みにおいて困難を呈する。さらに、近接場の信号の固有の指数関数的な減衰は、見かけの深さを超えて（例えば、１センチメートルを超える深さ）、植込まれた装置の小型化を制限する。一方、ファーフィールドの信号の放射特性は、エネルギー伝達効率を制限する可能性がある。
【０００３】
無線ミッドフィールドテクノロジーを使用して、外部供給源から植込まれたセンサまたは治療送達装置に信号を提供できる。ミッドフィールドベースの装置には、従来の近接場またはファーフィールド装置に比べて様々な利点がある。例えば、ミッドフィールド装置は、比較的大きな植込まれたパルス発生器、およびパルス発生器を刺激電極に電気的に接続する、１つまたは複数のリードを必要としない場合がある。ミッドフィールド装置は、比較的小さな受信アンテナを有することができるため、より大きな装置に比べて簡単な植込み手順を提供できる。より単純なインプラント手順は、インプラントまたは外植片に関連する感染または他の合併症の低コストおよび低リスクに対応することができる。
【０００４】
ミッドフィールド給電技術を使用することの別の利点は、患者の体外に供給することができる電池または電源を含み、したがって電池駆動の植込み型装置の低電力の消費、および高効率の回路の要件を緩和することができる。ミッドフィールド給電技術を使用することの別の利点は、植込み型装置を電池駆動の装置よりも物理的に小さくすることができることを含むことができる。したがって、ミッドフィールド給電技術は、潜在的に低い製造コストおよび植込みコストと共に、より良好な患者の許容度および快適性を可能にするよう促すことができる。
【発明の概要】
【０００５】
医療機器の治療の分野はかなりの進歩を遂げているが、体内の標的位置に刺激または他の治療をもたらす治療装置に対する必要性は存在している。植込み型治療送達装置および／または植込み型診断（例えば、センサ）装置との効率的な無線での電力およびデータ通信がさらに必要とされている。本発明者らは、解決されるべき問題が、１つまたは複数の外部ミッドフィールド送信機、外部ミッドフィールド送信機の制御および保護回路、外部送信機からミッドフィールド信号を受信できる小型の植込み型装置、および植込み型装置を使用して電気刺激を提供するための駆動および制御回路を提供することを含み得ることを認識していた。解決されるべき問題は、植込み型装置に低侵襲の植込み手順を提供することを含み得る。例では、解決されるべき問題は、植込み型装置の製造、および植込み型装置の様々な回路および挙動特性の調整を含むことができる。本主題は、これらおよび他の問題に対する解決策を提供する。
【０００６】
例では、ミッドフィールド送信機は、層状構造を含み得、例えば送信機の第１の層に設けられた少なくとも第１の導電面と、送信機の第２の層に設けられた１つまたは複数のストリップラインと、送信機の第３の層に設けられた第３の導電面とを含み得、第３の導電面は、第２の層を通って延びる１つまたは複数のビアを使用して第１の導電面に電気的に連結される。例では、ミッドフィールド送信機は、第１の導電面と第２の導電面との間に介在する第１の誘電部材、および第２の導電面と第３の導電面との間に介在する異なる第２の誘電部材を含み得る。
【０００７】
例では、ミッドフィールド送信機は、送信機の第１の層に設けられた第１の導電性部分と、送信機の第２の層に設けられた１つまたは複数のストリップラインと、送信機の第３の層に設けられた第３の導電性部分とを含む第２の導電性部分と、第２の層を通って延びる１つまたは複数のビアを使用して第１の導電面に電気的に連結され得る第３の導電面とを含み得る。送信機の共振特性に影響を与えるために、それぞれの誘電部材を第１の層と第２の層の間、および第２の層と第３の層の間に挿入することができる。例では、第１の導電性部分は、誘電部材、エアギャップ、またはスロットによって離間された内側ディスク領域および外側環状領域を含む。第１の導電性部分の外側環状領域は、１つまたは複数のビアを使用して、第３の層上の第３の導電性部分に電気的に連結することができる。例では、送信機は、第１の導電性部分の第１の領域に連結された第１のコンデンサノードおよび第１の導電性部分の第２の領域に連結された第２のコンデンサノードを有する可変コンデンサなどの調整装置を任意選択で含むまたは使用することができる。
【０００８】
ドライバーおよび保護回路は、ミッドフィールド送信機に含める、または連結することができる。例では、無線送信機装置で使用するための信号プロセッサは、ＲＦ駆動信号を受信し、条件付きでアンテナまたは別の装置に出力信号を提供するように構成された第１の制御回路を含む。信号プロセッサは、アンテナ出力信号に関する情報および／またはＲＦ駆動信号に関する情報に基づいて制御信号を生成するように構成された第２の制御回路をさらに含むことができる。例では、信号プロセッサは、ＲＦ駆動信号を第１の制御回路に提供するように構成された利得回路をさらに含むことができ、利得回路は、第２の制御回路からの制御信号に基づいてＲＦ駆動信号の振幅を変更するように構成される。例では、第１の制御回路は、アンテナの負荷状態を示す反射電圧信号を受信し、次に、反射電圧信号に基づいてアンテナ出力信号の位相または振幅を変更するように構成される。例では、第１の制御回路は、反射電圧信号が指定された反射信号の大きさまたは閾値を超えたときにアンテナ出力信号を減衰させるように構成される。
【０００９】
例では、本主題は、無線電力送信機であって、アンテナに連結された信号発生器を含む無線電力送信機、およびアンテナの共振周波数に影響を与えるように構成されたチューナー回路を構成するための方法を含むことができる。この方法は、第１の周波数を有する第１の駆動信号であって、信号発生器によって提供される第１の駆動信号でアンテナにエネルギー供給すること、チューナー回路のパラメータの値を掃引して、アンテナをそれぞれの複数の例で複数の異なる共振周波数に調整すること、および複数の異なる共振周波数のそれぞれについて、アンテナが第１の駆動信号によってエネルギー供給されたときにアンテナによって反射されるそれぞれの電力の量を検出することを含むことができる。例では、この方法は、アンテナに反射される検出された最小電力量に対応するチューナー回路の特定のパラメータの値を識別すること、身体組織内で無線伝搬波を使用して電力／またはデータを植込まれた装置へ通信するためにチューナー回路の特定のパラメータの値を使用するように無線電力送信機をプログラミングすることを含むことができる。
【００１０】
例では、本主題は、リモートミッドフィールド送信機から発信された伝搬無線電力信号を受信するように構成された第１のアンテナ、第１のアンテナに連結され、それぞれの第１および第２の電圧レベルを有する少なくとも第１および第２の収集された電力信号を提供するように構成された整流回路、および整流回路に連結され、第１および第２の収集された電力信号のうちの選択されたものを電気刺激出力回路にルーティングするように構成されたマルチプレクサ回路を含むことができる、ミッドフィールド受信機装置を含むことができる。
【００１１】
例では、本主題は、無線植込み型装置を植込むための方法を含むことができる。植込む方法は、例えば、ガイドワイヤを含む孔針で組織を突き刺すこと、ガイドワイヤを少なくとも部分的に組織内に残して、孔針を取り除くこと、ガイドワイヤの露出部分上に拡張器およびカテーテルを配置して、ガイドワイヤを拡張器内に少なくとも部分的に配置すること、拡張器とカテーテルをガイドワイヤに沿って組織に押し込むこと、ガイドワイヤと拡張器を組織から取り除くこと、植込み型装置をカテーテルの管腔に挿入すること、プッシュロッドを使用して、植込み型装置をカテーテルを通して組織に押し込むこと、およびカテーテルを取り外し、植込み型装置を組織に残すことを含むことができる。
【００１２】
例では、本主題は、複数の電極が露出した細長い本体部分と、電極に電気信号を提供するように電気的に連結された回路を含む回路ハウジングとを含む植込み型装置を含むことができる。植込み型装置は、回路ハウジングと細長い本体部分との間のフルストコニカルコネクタであって、その遠位端で本体部分に、およびその近位端で回路ハウジングに取り付けられたフルストコニカルコネクタ、およびその中にアンテナを含み、回路ハウジングの近位端で回路ハウジングに接続されたアンテナハウジングを含むことができる。植込み型装置は、アンテナハウジングの近位端でアンテナハウジングに接続されたプッシュロッドインターフェースをさらに含むことができる。
【００１３】
例では、本主題は、誘電体材料を植込み型装置の一部に分配するための方法を含むことができる。分配するための方法は、針を冷却装置上またはその近くに配置することにより、中空針の一部を誘電体材料の自由流動温度未満に冷却すること、誘電体材料を針に流し込み、中空針の冷却部分に流すこと、植込み型装置のコアハウジングの穴に中空針を配置すること、中空針を誘電体材料の自由流動温度またはそれ以上の温度に温めること、および中空針を穴に保持して、誘電体材料が針を自由に流れるようにすることを含むことができる。
【００１４】
例では、本主題は、植込み型受信機装置のインピーダンス特性を調整するための第１の方法を含むことができる。調整のための第１の方法は、アンテナアセンブリが取り付けられる導電性接触パッドの観点から植込み型装置の回路基板のインピーダンスを判定することインピーダンスがインピーダンス値の目標範囲内にないことを判定することに応答して、回路基板の他の回路から導電性材料を除去することを含み得る。例では、調整方法は、インピーダンスがインピーダンス値の目標範囲内にあると判定することに応答して、アンテナアセンブリを接触パッドに電気的に接続して回路基板アセンブリを作成すること、および回路基板を密閉エンクロージャに密封することを含むことができる。この方法は、外部電力ユニットからの送信が材料を通って移動してアンテナアセンブリのアンテナに入射するように、材料の近くまたは少なくとも部分的に材料内に回路基板アセンブリを提供することまたは配置することであって、材料は、植込み型装置が植込まれる組織の誘電率を含む、配置すること、外部電力ユニットからの送信を受信すること、および受信した送信の電力を示す応答を生成することをさらに含むことができる。
【００１５】
例では、本主題は、植込み型装置のインピーダンスを調整するための第２の方法を含むことができる。調整のための第２の方法は、植込み型装置の回路基板から導電性材料を除去して、回路基板のインピーダンスを調整すること、回路基板のインピーダンスが指定された周波数範囲内にあることを確認した後、また導電性材料を除去した後、植込み型装置の回路ハウジング内の回路基板を密閉すること、および回路基板を回路ハウジングに密閉した後、アンテナを回路ハウジングのフィードスルーに取り付けることを含むことができる。
【００１６】
この概要は、本願の主題の概要を提供することを意図している。本明細書で論じられる本発明の排他的または網羅的な説明を提供することを意図するものではない。詳細な説明は、本特許出願に関するさらなる情報を提供するために含まれる。
【図面の簡単な説明】
【００１７】
図面は必ずしも一定の縮尺で描かれておらず、同様の数字は様々な図において同様の構成要素を説明していることがある。異なる文字の接尾辞を有する類似の数字は、類似の構成要素の異なる事例を表し得る。図面は、全体的に例として、しかし限定としてではなく、本文書で論じられている様々な実施形態を示している。
【図１】無線通信経路を使用するシステムの実施形態の概略図を全体的に示す。
【図２Ａ】ミッドフィールド供給源装置の実施形態のブロック図を全体的に示す。
【図２Ｂ】信号を受信するように構成されたシステムの一部の実施形態のブロック図を全体的に示す。
【図３】複数のサブ波長構造を有するミッドフィールドアンテナの実施形態の概略図を全体的に示す。
【図４】外部ミッドフィールド供給源装置の回路の実施形態の図を全体的に示す。
【図５】植込み型ミッドフィールド受信機装置の回路の実施形態の図を全体的に示す。
【図６】第１の植込み型装置の実施形態の図を全体的に示す。
【図７】回路ハウジングの実施形態の概略図を全体的に示す。
【図８】細長い植込み型装置の例を全体的に示す。
【図９】組織内に植込まれた図８由来の植込み型装置を含むシステムの例を全体的に示す。
【図１０】第１の送信機に関する第１の層の例の上面図を全体的に示す。
【図１１】層状をした第１の送信機の第１の層に重ねられた第２の層の上面図を全体的に示す。
【図１２】層状をした第１の送信機に関する例の斜視図を全体的に示す。
【図１３】図１２由来の層状をした第１の送信機の側面断面図を全体的に示す。
【図１４Ａ】全体的に、例示的な送信機が駆動信号によって励起されたときの例示的な送信機の表面電流のパターンを示す例を示している。
【図１４Ｂ】全体的に、送信機の最適な電流の分布の例を示している。
【図１５Ａ】概して異なる励起信号に応答するミッドフィールド送信機の異なる偏波の例を示している。
【図１５Ｂ】概して異なる励起信号に応答するミッドフィールド送信機の異なる偏波の例を示している。
【図１５Ｃ】概して異なる励起信号に応答するミッドフィールド送信機の異なる偏波の例を示している。
【図１６】組織内の信号または場の侵入を示す例を全体的に示す。
【図１７】植込まれた受信機の変化する角度または回転に関して、植込まれた受信機への第１の送信機の直交送信機ポートのカップリング効率間の関係を示すチャートの例を全体的に示す。
【図１８】層状をした送信機の異なる第１の層に重ねられた、図１１の例から得る第２の層の上面図を全体的に示す。
【図１９Ａ】励起された装置の異なる表面電流パターンを示す例を概して示している。
【図１９Ｂ】励起された装置の異なる表面電流パターンを示す例を概して示している。
【図２０】層状をした第２の送信機の例の上面図を全体的に示す。
【図２１】図２０由来の層状をした第２の送信機の斜視図を全体的に示す。
【図２２】層状をした第３の送信機の例の斜視図を全体的に示す。
【図２３】図２２由来の層状の第３の送信機の側面断面図を全体的に示す。
【図２４】スロットおよび容量性要素を備える第１の層を示す、層状ミッドフィールド送信機の一部の例を全体的に示す。
【図２５】層状をした送信機の断面概略図の例を全体的に示す。
【図２６Ａ】ミッドフィールド送信機の一部を含むことができる双方向カプラを含む図を示している。
【図２６Ｂ】調整可能な負荷を備えた双方向カプラの例を含む図を示している。
【図２７】ミッドフィールド送信機の調整コンデンサの値を更新するためのプロセスを示す第１のフローチャートを示している。
【図２８】ミッドフィールド送信機の調整コンデンサの値を更新するためのプロセスを示す第２のフローチャートを示している。
【図２９】調整コンデンサを備えた送信機の一部を示している。
【図３０】ある範囲の周波数、および送信機に連結された調整可能なコンデンサの異なる静電容量の値についての信号伝達効率情報を示す第１のチャートを示している。
【図３１】送信機に連結された調整可能なコンデンサのある範囲の周波数にわたる異なる静電容量の値についての反射情報を示す第２のチャートを示している。
【図３２】送信機に連結された調整可能なコンデンサのある範囲の周波数にわたる異なる静電容量の値についての信号伝達効率情報を示す第３のチャートを示している。
【図３３】周波数の範囲にわたって、送信機に連結された調整可能なコンデンサの異なる静電容量の値について、電圧定在波比（ＶＳＷＲ）情報を使用して判定されるような反射係数情報を示す第４のチャートを示す。
【図３４】全体的に、外部供給源が組織の近くにあるかどうかを識別し、それが組織の近くにある場合、次に植込み型装置を探索するかどうかを識別することを含む例を示す。
【図３５】全体的に、調整コンデンサ掃引からの情報を使用して、外部供給源が組織の近くまたは隣接している可能性を判定することを示すチャートの例を示している。
【図３６】全体的に、外部供給源の複数の異なる使用状態に対するクロスポート透過係数を示すチャートの例を示している。
【図３７】全体的に、外部供給源に使用または含めることができる送信機回路の第１の例を示している。
【図３８】全体的に、外部供給源に使用または含めることができる送信機回路の第２の例を示している。
【図３９】全体的に、障害イベントおよびリセット中の送信機保護回路の挙動の例を示している。
【図４０】全体的に、障害イベント中のリセットなしの送信機保護回路の挙動の例を示している。
【図４１】全体的に、保護回路がない場合の反射電力信号の例を示している。
【図４２】全体的に、高ＶＳＷＲイベント中の送信機保護回路の挙動の例を示している。
【図４３】全体的に、送信機保護回路の一部の立ち上がり時間の挙動の例を示している。
【図４４】全体的に、送信機保護回路の一部の立ち下がり時間の挙動の例を示している。
【図４５】全体的に、ＶＳＷＲイベント後の送信機保護回路の挙動の例を示している。
【図４６】全体的に、ＶＳＷＲ保護回路がない場合の送信機の挙動の例を示している。
【図４７】全体的に、植込み型ミッドフィールド受信機装置用の受信機回路の一部を含むことができる例を示している。
【図４８】全体的に、多段整流回路およびマルチプレクサ回路を含む例を示している。
【図４９】全体的に、多段整流回路の例を示す概略図を示している。
【図５０】全体的に、出力用に選択された第２の段を備えた図４８の例からの多段整流回路を含む例を示している。
【図５１】全体的に、出力用に選択された第３の段を備えた図４８の例からの多段整流回路を含む例を示している。
【図５２】全体的に、第１の整流回路の例を示している。
【図５３】全体的に、第２の整流回路の例を示している。
【図５４】全体的に、第３の整流回路の例を示している。
【図５５】植込み型装置の側面図の例を全体的に示す。
【図５６】装置を組織に植込むためのプロセスの部分の一般的な側面図を示している。
【図５７】装置を組織に植込むためのプロセスの部分の一般的な側面図を示している。
【図５８】装置を組織に植込むためのプロセスの部分の一般的な側面図を示している。
【図５９】装置を組織に植込むためのプロセスの部分の一般的な側面図を示している。
【図６０】装置を組織に植込むためのプロセスの部分の一般的な側面図を示している。
【図６１】装置を組織に植込むためのプロセスの部分の一般的な側面図を示している。
【図６２】装置を組織に植込むためのプロセスの部分の一般的な側面図を示している。
【図６３】装置を組織に植込むためのプロセスの部分の一般的な側面図を示している。
【図６４】装置を組織に植込むためのプロセスの部分の一般的な側面図を示している。
【図６５Ａ】装置を組織に植込むためのプロセスの部分の一般的な側面図を示している。
【図６５Ｂ】装置を組織に植込むためのプロセスの部分の一般的な側面図を示している。
【図６６】装置を組織に植込むためのプロセスの部分の一般的な側面図を示している。
【図６７】装置を組織に植込むためのプロセスの部分の一般的な側面図を示している。
【図６８】装置を組織に植込むためのプロセスの部分の一般的な側面図を示している。
【図６９】例として、カテーテルおよびプッシュロッドが完全に取り外された後に植込まれたままにされた植込み型装置の別の実施形態の図を示す。
【図７０】例として、縫合糸が引っ張られ、植込み型装置が組織の表面に向かって移動し始めた後の植込み型装置の実施形態の図を示す。
【図７１】例として、植込み型装置の一部の分解図を示している。
【図７２】例として、回路ハウジングの実施形態のそれぞれの図を示している。
【図７３】例として、回路ハウジングの実施形態のそれぞれの図を示している。
【図７４】例として、アンテナコアの実施形態のそれぞれの図を示している。
【図７５】例として、アンテナコアの実施形態のそれぞれの図を示している。
【図７６】例として、回路ハウジングと植込み型装置のアンテナコアとの間のカップリングの実施形態の図を示している。
【図７７】例として、コアハウジングおよびプッシュロッドインターフェースのそれぞれの図を示している。
【図７８】例として、コアハウジングおよびプッシュロッドインターフェースのそれぞれの図を示している。
【図７９】例として、コアハウジングおよびプッシュロッドインターフェースのそれぞれの図を示している。
【図８０】例として、プッシュロッドの実施形態の斜視図を示す。
【図８１】例として、プッシュロッドの植込み型装置インターフェースの実施形態の分解図を示している。
【図８２】例として、プッシュロッドの近位部分の実施形態の図を示している。
【図８３】例として、部分的に管腔内に配置された縫合糸を備えたプッシュロッドの実施形態の斜視図を示す。
【図８４】例として、植込み型装置インターフェースと係合するプッシュロッドインターフェースの実施形態の斜視図を示す。
【図８５】例として、誘電体コアの実施形態の側面図を示す。
【図８６】例として、図８５の誘電体コアの例の端面の図を示す。
【図８７】例として、フィードスルーがアンテナの近くのくぼみに配置された後の植込み型装置の一部の実施形態の側面図を示す。
【図８８】例として、スリーブを備えた植込み型装置の一部の実施形態の側面図を示している。
【図８９】例として、回路ハウジングの実施形態の断面図を示す。
【図９０】例として、回路ハウジングを密閉する実施形態のそれぞれの図を示している。
【図９１】例として、回路ハウジングを密閉する実施形態のそれぞれの図を示している。
【図９２】例として、誘電体材料をアンテナハウジング内に配置する実施形態のそれぞれの斜視図を示す。
【図９３】例として、誘電体材料をアンテナハウジング内に配置する実施形態のそれぞれの斜視図を示す。
【図９４】例として、誘電体コアの実施形態のそれぞれの斜視図を示す。
【図９５】例として、誘電体コアの実施形態のそれぞれの斜視図を示す。
【図９６】例として、誘電体コアの実施形態のそれぞれの斜視図を示す。
【図９７】例として、アンテナを備えた誘電体コアの例を示している。
【図９８】例として、アンテナを備えた誘電体コアの例を示している。
【図９９】例として、アンテナを備えた誘電体コアの例を示している。
【図１００】例として、回路基板の実施形態の側面図を示している。
【図１０１Ａ】植込み型装置用の回路基板の実施形態を示している。
【図１０１Ｂ】植込み型装置用の回路基板の実施形態を示している。
【図１０２】回路基板にはんだ付けされた、またはそうでなければ電気的に接続された電気および／または電子部品を含む装置の実施形態を示す。
【図１０３】第２の導電性材料がはんだ付けされるか、さもなければキャップのそれぞれのフィードスルーに電気的に接続された後の装置の実施形態を示す。
【図１０４】回路基板および電気および／または電子部品がエンクロージャ内に配置された後の図１０３の装置を含む装置の実施形態を示す。
【図１０５】第２の導電性材料がはんだ付けされるか、さもなければキャップのそれぞれのフィードスルーに電気的に接続された後の図７の装置を含む装置の実施形態を示す。
【図１０６】例として、植込み型装置用の回路基板の図を示している。
【図１０７】例として、インピーダンスを測定するためのシステムの実施形態の図を示している。
【図１０８】例として、回路基板のインピーダンスを測定するためのシステムの実施形態の図を示している。
【図１０９】例として、導電性静電容量調整タブが取り外された回路基板の実施形態の図を示している。
【図１１０】例として、導電性パッチを含む回路基板の実施形態の図を示している。
【図１１１】例として、導電性パッチの一部が除去された、図１００の回路基板の実施形態の図を示している。
【図１１２】例として、植込み型装置の場連結共振テストのためのシステムの実施形態の図を示している。
【図１１３】例として、アンテナの周波数応答を試験するためのそれぞれのシステムの図を示している。
【図１１４】例として、アンテナの周波数応答を試験するためのそれぞれのシステムの図を示している。
【図１１５】例として、回路基板の実施形態の図を示している。
【図１１６】例として、接続回路上に折り畳まれたカバー部分を備えた図１１５の回路基板の実施形態の図を示す。
【図１１７】本明細書に記載の１つまたは複数の方法を実行することができるか、本明細書に記載の１つまたは複数のシステムもしくは装置と共に使用することができる機械の実施形態のブロック図を示す。
【発明を実施するための形態】
【００１８】
異なる神経−電極界面の例を含む以下の説明では、詳細な説明の一部をなす添付の図面を参照する。図面は、例示として、本発明を実施することができる特定の実施形態を示す。また、これらの実施形態は、本明細書では「実施例」と呼ばれる。そのような例は、示されるまたは説明されるものに加えて要素を含むことができる。しかし、本発明者らはまた、図示または記載されている要素のみが提供されている例を企図している。本発明者らは、特定の例（または１つもしくは複数のその態様）に関して、または本明細書に示されまたは説明されている他の例（または１つもしくは複数のその態様）に関して、示されまたは説明されている要素（または１つもしくは複数のその態様）を任意に組み合わせまたは置換して使用する例を企図している。本明細書で一般的に説明されるのは、植込み型装置および植込み型装置を組み立てる方法である。
【００１９】
植込み型システムおよび装置
本明細書のセクションの見出しは、上記のもの（「植込み型システムおよび装置」）と同様に、見出しにより示されるトピックに対応する資料に読者を概して導くために設けられている。しかし、特定の見出しの下での議論は、単一のタイプの構成にのみ適用されると解釈されるべきではない。代わりに、本明細書の様々なセクションまたはサブセクションで論じられた様々な特徴は様々な方法および順序で組み合わせることができる。例えば、植込み型システムおよび装置の特徴および利点についてのいくつかの議論は、本セクションの「植込み型システムおよび装置」の見出しの本文および対応する図に見出すことができる。
【００２０】
ミッドフィールド給電技術は、使用者の皮膚の外面などの組織表面上またはその近傍に配置された外部供給源から、深く植込まれた電気刺激装置に電力を供給することができる。使用者は臨床的な患者または他の使用者であり得る。ミッドフィールド給電技術は、植込み型パルス発生器に対して１つまたは複数の利点を有することができる。例えば、パルス発生器は、１つまたは複数の比較的大型の植込み型バッテリおよび／または１つもしくは複数のリードシステムを有することができる。対照的に、ミッドフィールド装置は、比較的少量の電力を受け取って蓄積するように構成することができる比較的小型の電池を含むことができる。ミッドフィールド装置は、単一の植込み型パッケージに一体化された１つまたは複数の電極を含み得る。したがって、いくつかの例では、ミッドフィールド給電装置は、他の従来の装置よりも簡単な植込み処置を提供することができ、それはより低いコストおよびより低い感染または他のインプラント合併症の危険性につながり得る。１つまたは複数の利点は、植込み型装置に伝達される電力量から得ることができる。ミッドフィールド装置からのエネルギーを集束させる能力は、植込まれた装置に伝達される電力量の増加を可能にし得る。
【００２１】
ミッドフィールド給電技術を使用する利点は、患者の外部に設けられる主要な電池または電源を含むことができ、したがって、従来の電池式植込み型装置の低電力の消費および高効率の回路という要件を、緩和することができる。ミッドフィールド給電技術を使用することの別の利点は、植込み型装置を電池駆動の装置よりも物理的に小さくすることができることを含むことができる。したがって、ミッドフィールド給電技術は、製造および／または患者の組織への植込みのための潜在的に低いコストと共に、より優れた患者の許容度および快適さを可能にするよう促すことができる。
【００２２】
外部のミッドフィールドカプラまたは供給源装置から１つまたは複数の植込まれた神経刺激装置および／または１つもしくは複数の植込まれたセンサ装置へ電力および／またはデータを通信することなどの、ミッドフィールド送信機および受信機を使用して電力および／またはデータを通信することを含む、現在の満たされていない必要性がある。満たされていない必要性はさらに、１つまたは複数の植込まれた神経刺激装置および植込まれたセンサ装置から外部ミッドフィールドカプラまたは供給源装置へデータを通信することを含むことができる。
【００２３】
１つまたは複数の例では、複数の装置を患者の組織に植込むことができ、治療を送達するように、および／または患者および／または治療に関する生理学的情報を感知するように構成することができる。複数の植込み型装置は、１つまたは複数の外部装置と通信するように構成することができる。１つまたは複数の例では、１つまたは複数の外部装置は、同時にまたは時分割多重（例えば、「ラウンドロビン」）方式などで、複数の植込まれた装置に電力および／またはデータ信号を供給するように構成される。供給された電力および／またはデータ信号は、信号をインプラントに効率的に伝送するために、外部装置により操作または指示されることができる。本開示は特に電力信号またはデータ信号に言及することがあるが、そのような言及は一般に電力およびデータ信号の一方または両方を任意に含むものとして理解されるべきである。
【００２４】
本明細書に記載されるいくつかの実施形態は、以下の利点のうちの１つ、いくつか、またはすべてを含むので有利であり得る。（ｉ）（ａ）電力および／またはデータ信号をミッドフィールドカプラ装置から植込み型装置にミッドフィールド無線周波数（ＲＦ）信号によって通信し、（ｂ）植込み型装置に連結された１つまたは複数の電極を介して治療用信号を発生および供給し、治療用信号は情報成分を含み、治療用信号を供給することに付随する信号を発生し、（ｃ）治療用信号に基づいて、ミッドフィールドカプラ装置に連結された電極を使用して、信号を受信し、（ｄ）ミッドフィールドカプラ装置または他の装置において、受信した信号からの情報成分を復号してそれに反応するように構成されるシステム；（ｉｉ）電力および／またはデータ信号を植込まれた標的装置に送信するためなどのために、組織表面でエバネセント場を変調し、それによって組織内に伝播場を生じるＲＦ信号を供給するように構成される動的構成可能アクティブミッドフィールドトランシーバ（例えば、組織内への信号の侵入を示す図１６の例を参照）；（ｉｉｉ）ミッドフィールドトランシーバからミッドフィールド電力信号を受信するように構成されたアンテナを含み、受信したミッドフィールド電力信号の一部を使用して電気刺激電極に信号パルスを供給するように構成された治療送達回路を含む植込み型装置であって、信号パルスが治療用パルスおよびデータパルスを含み、データパルスは治療用パルスとインターリーブされるか、それに埋め込むことができる植込み型装置；（ｉｖ）装置の動作ステータスに関する情報、または装置によって提供される、以前に提供されたか同時か計画された将来の治療に関する情報を含む装置自体に関する治療用信号の情報を符号化するように構成される植込み型装置；（ｖ）組織表面で電気信号を感知するように構成された電極を含むミッドフィールドトランシーバ；（ｖｉ）通信ループまたはフィードバックループを可能にするように一緒に構成された調整可能な無線信号源および受信機；（ｖｉｉ）組織表面またはその近くの存在を検出または判定するように構成された外部ユニット；および／または（ｉｘ）外部ユニットが植込まれた装置と通信していないと判定した場合、または外部ユニットが組織および／または植込まれた装置に近接している可能性が低いと判定した場合に動作を阻害する保護回路を備えた外部ユニット。
【００２５】
１つまたは複数の例では、これらの利点および他の利点の１つまたは複数は、外部組織表面またはその近傍でエバネセント場を操作して、組織に植込まれた１つまたは複数の標的装置に電力および／またはデータを無線で伝送するシステムを使用して実現できる。１つまたは複数の例では、これらの利点のうちの１つまたは複数は、本明細書に記載されているように、体内に植込まれた、または体内に植込まれることが可能な装置を使用して実現できる。１つまたは複数の例では、これらの利点のうちの１つまたは複数は、ミッドフィールド給電および／または通信装置（例えば、送信装置および／または受信装置またはトランシーバ装置）を使用して実現することができる。
【００２６】
システムは、複数の異なる組の信号（例えば、ＲＦ信号）を提供するように構成された信号発生器システムを含むことができる。いくつかの実施形態では、各々の組は２つ以上の別々の信号を含むことができる。システムはまた、複数の励起ポートを含むミッドフィールド送信機を含み得、ミッドフィールド送信機はＲＦ信号発生器システムに連結され、ミッドフィールド送信機は励起ポートを介してそれぞれ異なる時間に複数の異なるセットのＲＦ信号を送信するように適合される。励起ポートは、各々の組のＲＦ信号から別々の信号を各々受信するように適合させることができる。送信されたＲＦ信号の組の各々は、外部組織表面に対して実質的に平行である無視できない磁場（Ｈ磁場）成分を含み得る。１つまたは複数の例では、送信ＲＦ信号の各セットは、組織表面またはその近傍でエバネセント場を異なるように操作して、誘導的な近接場でのカップリングまたは放射性のファーフィールド伝送の代わりに、ミッドフィールドの信号を介して、組織に植込まれた１つまたは複数の標的装置に電力および／またはデータ信号を送信するように適合または選択される。
【００２７】
１つまたは複数の例では、とりわけ、上記の利点のうちの１つまたは複数は、少なくとも部分的には、受信機回路が組織内に植込まれるときのように、外部供給源装置からミッドフィールド電力信号を受信するように構成されたアンテナ（例えば、電界または磁界ベースのアンテナ）を含む受信機回路を含む植込み型治療送達装置（例えば神経刺激を与えるように構成される装置）を使用して実現できる。植込み型治療送達装置は治療送達回路を含むことができる。治療送達回路は受信機回路に連結することができる。治療送達回路は、治療送達装置の本体に一体的に連結されてもよく、または治療送達装置の本体から離れて（例えば、その上に配置されずに）配置されてもよい１つまたは複数のエネルギー送達部材（例えば電気刺激電極）に信号パルスを供給するように構成でき、それは、外部供給源装置（例えば、本明細書では外部装置、外部供給源、外部ミッドフィールド装置、ミッドフィールド送信機装置、ミッドフィールドカプラ、ミッドフィールド給電装置、給電装置などと、装置の構成および／または使用状況に応じて呼ばれることもある）から、受信したミッドフィールド電力信号の一部を使用することなどによる。信号パルスは、１つまたは複数の電気刺激療法パルスおよび／またはデータパルスを含み得る。１つまたは複数の例では、とりわけ、上述の利点のうちの１つまたは複数は、少なくとも部分的に、外部の組織表面に配置されるように構成された電極対を含む外部送信機および／または受信機（例えば、トランシーバー）装置を使用して実現でき、電極対は、組織を介して電気信号を受信するように構成されている。電気信号は、治療送達装置によって組織に送達された電気刺激療法に対応し得る。復調器回路は、電極対に連結することができ、治療送達装置によって発生したデータ信号を回復するなどのために、受信した電気信号の一部を復調するように構成することができる。
【００２８】
ミッドフィールドワイヤレスカプラを使用することを含む１つまたは複数の例では、組織はエネルギーをトンネルする誘電体として作用することができる。伝搬モードのコヒーレント干渉は、例えば高屈折率材料において回折の限界にさらされるスポットサイズで、焦点面における場を、対応する真空波長未満に制限することができる。１つまたは複数の例では、そのような高エネルギー密度領域に配置された受信機（例えば組織内に植込まれたもの）は、従来の近接場植込み型受信機よりも１桁またはそれ以上の桁小さくても、組織のさらなる深部に植込んでもよい（例えば深さ１ｃｍ超）。１つまたは複数の例では、本明細書で説明される送信機供給源は、様々な標的位置に電磁エネルギーを供給するように構成でき、例えば１つまたは複数の深く植込まれた装置を含む。例では、約数ミリメートルを超える位置決めの精度で、エネルギーをある位置に供給することができる。すなわち、送信された電力またはエネルギー信号は、組織における信号の約１波長以内にある標的位置に向けられるか集束され得る。そのようなエネルギー集束は、従来の誘導手段を介して利用可能な集束よりも実質的に正確であり、受信機に適切な電力を供給するのに十分である。近接場でのカップリング（誘導連結およびその共振増強導関数）を使用する他のワイヤレス給電手法では、組織の外側（例えば、供給源の近く）のエバネセント成分が組織の内側でエバネセントのままであり、これでは有効な深さの貫通が可能にならない。近接場でのカップリングとは異なり、ミッドフィールド供給源からのエネルギーは主に伝搬モードで運ばれ、その結果、エネルギー輸送の深さは近接場の固有の減衰ではなく、環境による損失によって制限される。これらの特性を用いて実施されるエネルギー伝達は、近接場システムよりも少なくとも２〜３桁効率的であり得る。
【００２９】
本明細書で論じられるシステム、装置、および方法のうちの１つまたは複数を使用して、患者の障害を治療することを促すことができる。脛骨神経または脛骨神経の任意の分枝、例えば非限定的に後脛骨神経、仙骨神経叢に由来する１つまたは複数の神経または神経の分枝、例えば非限定的にＳ１〜Ｓ４、脛骨神経、および／または陰部神経を刺激することなどにより、便失禁または尿失禁（例えば過活動膀胱）の障害を治療できる。尿失禁は、骨盤底の筋肉、骨盤底の筋肉を神経支配する神経、内尿道括約筋、外尿道括約筋、および陰部神経または陰部神経の枝のうちの１つまたは複数を刺激することによって治療することができる。
【００３０】
本明細書で論じられるシステム、装置、および方法の１つまたは複数は、舌（筋肉）の基底部、横隔神経、肋間神経、副神経、および頸神経Ｃ３〜Ｃ６である舌下神経の神経または神経枝のうちの１つまたは複数を刺激することによって、睡眠時無呼吸および／またはいびきを治療する補助のため使用できる。睡眠時無呼吸および／またはいびきを治療することは、（酸素飽和度を測定することなどによって）呼吸の減少、障害、または停止を感知するためにインプラントにエネルギーを供給することを含むことができる。
【００３１】
本明細書で論じるシステム、装置、および方法の１つまたは複数は、バートリン腺、スケイン腺、および膣の内壁の１つまたは複数を刺激することなどによって、膣の乾燥を治療するのを補助するために使用することができる。本明細書で論じられるシステム、装置、および方法の１つまたは複数は、後頭神経、眼窩上神経、Ｃ２頸神経、またはそれらの分枝、および前頭神経、またはその枝の１つまたは複数を刺激することなどによって、片頭痛または他の頭痛を治療するのを補助するために使用することができる。本明細書で論じられるシステム、装置、および方法の１つまたは複数は、星状神経節および交感神経鎖のＣ４〜Ｃ７の１つまたは複数を刺激することなどによって、心的外傷後ストレス障害、ほてり、および／または複雑な局所疼痛症候群を治療するのを補助するために使用することができる。
【００３２】
本明細書で論じられるシステム、装置、および方法の１つまたは複数は、脊髄口蓋神経節神経ブロック、三叉神経、または三叉神経の枝の１つまたは複数を刺激することなどによって、神経痛（例えば三叉神経痛）を治療するのを補助するために使用することができる。本明細書で論じられるシステム、装置、および方法の１つまたは複数は、口渇（例えば、薬物療法、化学療法または放射線療法による癌の治療の副作用により引き起こされるもの、シェーグレン病、または他の口渇の原因によるもの）を、耳下腺、顎下腺、舌下腺、頬、口唇、および／または舌粘膜の組織内の口腔における口腔内粘膜下組織、軟口蓋、硬口蓋の外側部分、および／または口底、および／または舌の筋線維の間、フォンエブネル腺、舌咽神経（ＣＮ  ＩＸ）、例えばＣＮ  ＩＸの分枝、例えば耳咽頭神経節、顔面神経（ＣＮ  ＶＩＩ）、例えばＣＮ  ＶＩＩの分岐、例えば顎下神経節、およびＴ１〜Ｔ３の枝、例えば上頸神経節の１つまたは複数を刺激することなどにより、治療するのを補助するために使用することができる。
【００３３】
本明細書で論じられるシステム、装置、および方法の１つまたは複数は、切断された神経の近位部分からの電気出力を感知し、切断された神経の遠位部分に電気入力を送達すること、および／または切断された神経の遠位部分からの電気出力を感知すること、および切断された神経の近位部分に電気の入力を送達することなどによって、切断された神経を治療するのを補助するために使用することができる。本明細書で論じられるシステム、装置、および方法の１つまたは複数は、脳性麻痺の患者において罹患した１つもしくは複数の筋肉、または１つもしくは複数の神経支配、１つもしくは複数の筋肉を刺激することなどによって、脳性麻痺を治療するのを補助するために使用することができる。本明細書で論じられるシステム、装置、および方法の１つまたは複数は、骨盤内臓神経（Ｓ２〜Ｓ４）またはその任意の枝、陰部神経、海綿体神経、および下下腹神経叢の１つまたは複数を刺激することなどによって、勃起不全を治療するのを補助するために使用することができる。
【００３４】
本明細書で論じられるシステム、装置、および方法の１つまたは複数は、子宮および膣の１つまたは複数を刺激することなどによって月経痛を治療するのを補助するために使用することができる。本明細書で論じられるシステム、装置、および方法の１つまたは複数は、１つまたは複数のＰＨおよび血流を感知すること、あるいは避妊、受精、出血、または疼痛における補助のために電流または薬物を送達することなどによって、子宮内装置として使用できる。本明細書で論じられるシステム、装置、および方法の１つまたは複数は、女性生殖器、例えば外部および内部、例えばクリトリスまたは他の女性の感覚活性部分を刺激することによって、または男性生殖器を刺激することなどによって、人間の覚醒を刺激するために使用できる。
【００３５】
本明細書で論じられるシステム、装置、および方法の１つまたは複数は、頸動脈洞、左右の頸部迷走神経、または迷走神経の分岐の１つまたは複数を刺激することなどによって、高血圧を治療するのを補助するために使用することができる。本明細書で論じられるシステム、装置、および方法の１つまたは複数は、三叉神経またはその分岐、前部篩骨神経、および迷走神経の１つまたは複数を刺激することなどによって、発作性上室性頻拍を治療するのを補助するために使用することができる。本明細書で論じられるシステム、装置、および方法の１つまたは複数は、声帯、および反対側の声帯の活動を感知すること、または声帯、左および／または右の再発性喉頭神経、および迷走神経を神経支配している神経を刺激することによって、声帯の１つまたは複数を単に刺激することなどによって、声帯機能障害を治療するのを補助するために使用することができる。
【００３６】
本明細書で論じられるシステム、装置、および方法の１つまたは複数は、創傷を治癒するための微小循環およびタンパク質合成の強化、ならびに結合組織および／または真皮組織の完全性の回復の１つまたは複数を行うように組織を刺激することなどによって、組織の修復を促すために使用できる。本明細書で論じられるシステム、装置、および方法の１つまたは複数は、例えば迷走神経またはその分岐を刺激すること、ノルエピネフリンおよび／またはアセチルコリンの放出を阻止すること、および／またはノルエピネフリンおよび／またはアセチルコリンの受容体に干渉することの１つまたは複数などによって、喘息または慢性閉塞性肺疾患を治療するのを補助するために使用することができる。
【００３７】
本明細書で論じられるシステム、装置、および方法の１つまたは複数は、エピネフリン／ＮＥ放出、および／または副交感神経支配、交感神経支配を低下させるなど、腫瘍の近くまたは腫瘍内の１つまたは複数の神経を調節するべく刺激することなどによって、癌を治療するのを補助するために使用することができる。本明細書で論じられるシステム、装置、および方法の１つまたは複数は、グルコースレベルまたはケトンレベルなどの糖尿病のパラメータを検出する人体内部のセンサに給電すること、およびそのようなセンサのデータを使用してインスリンポンプからの外因性インスリンの送達を調整することなどによって、糖尿病を治療するのを補助するために使用することができる。本明細書で論じられるシステム、装置、および方法の１つまたは複数は、グルコースのレベルまたはケトンのレベルなどの糖尿病のパラメータを検出する人体内部のセンサに給電すること、およびミッドフィールドカプラを使用して膵島β細胞からのインスリン放出を刺激することなどによって、糖尿病を治療するのを補助するために使用することができる。
【００３８】
本明細書で論じられるシステム、装置、および方法の１つまたは複数は、神経学的状態、障害または疾患（例えば、パーキンソン病（例えば、脳の内部または核を刺激することによる）、アルツハイマー病、ハンチントン病、認知症、クロイツフェルト−ヤコブ病、てんかん（例えば、左頸部迷走神経または三叉神経の刺激による）、心的外傷後ストレス障害（ＰＴＳＤ）（例えば、左頸部迷走神経の刺激による）、または本態性振戦、例えば視床の刺激による）、神経痛、鬱病、ジストニア（例えば脳の内部または核の刺激による）、幻肢（例えば切断された神経の刺激、例えば切断神経の終末）、ドライアイ（例えば涙腺を刺激することによる）、不整脈（例えば心臓を刺激することによる）、胃腸障害、例えば肥満、胃食道逆流、および／または胃不全麻痺を、Ｃ１〜Ｃ２後頭神経または視床下部の深部脳刺激（ＤＢＳ）、食道、胃に至る括約筋近傍の筋肉、および／または胃の下部、および／または脳卒中（例えば、運動皮質の硬膜下刺激による）を刺激することなどにより、治療するのを補助するために使用することができる。本明細書で論じる１つまたは複数の例を使用して、刺激を継続的に、要求に応じて（例えば、医師、患者、または他の使用者によって要求されるときに）、または定期的に与えることができる。
【００３９】
刺激を与える際には、植込み型装置を組織界面、すなわち、皮膚の表面から５センチメートル以上下に配置することができる。１つまたは複数の例では、植込み型装置は、約２センチメートルから４センチメートル、約３センチメートル、約１センチメートルから５センチメートル、１センチメートル未満、約２センチメートル、または皮膚の表面より下の他の距離に配置することができる。植込みの深さは、植込まれた装置の使用に依存し得る。例えば、鬱病、高血圧、てんかん、および／またはＰＴＳＤを治療するために、植込み型装置は、皮膚の表面の下約２センチメートルから約４センチメートルの間に位置することができる。別の例では、睡眠時無呼吸、不整脈（例えば徐脈）、肥満、胃食道逆流、および／または胃不全麻痺を治療するために、植込み型装置を皮膚の表面の約３センチメートルより下に配置することができる。さらに別の例では、パーキンソン病、本態性振戦、および／またはジストニアを治療するために、植込み型装置を皮膚の表面の約１センチメートルから約５センチメートル下に配置することができる。さらに他の例は、線維筋痛症、卒中、および／または片頭痛を治療するなどのために、皮膚の表面の約１センチメートルから約２センチメートル下に、喘息を治療するために約２センチメートルで、またドライアイを治療するために約１センチメートル以下に、植込み型装置を配置することを含む。
【００４０】
本明細書に含まれる多くの実施形態は刺激（例えば、電気刺激）を与えるための装置または方法を説明しているが、実施形態は、刺激に加えてまたは代わりに、他の形態の変調（例えば除神経）をもたらすように適合され得る。さらに、本明細書に含まれる多くの実施形態は、治療を送達するための電極の使用に言及しているが、他のエネルギー送達部材（例えば、超音波トランスデューサまたは他の超音波エネルギー送達部材）、または他の治療部材または物質（例えば、化学物質、薬物、極低温流体、高温流体または蒸気、またはその他の流体を送達するための流体送達装置または部材）を他の実施形態で使用または送達することができる。
【００４１】
図１は、無線通信経路を使用するシステム１００の実施形態の概略図を全体的に示す。システム１００は、ミッドフィールドカプラまたは外部ユニットまたは外部電力ユニットと呼ばれることもあると呼ばれることもあるミッドフィールド送信機供給源などの外部供給源１０２の例を含み、外部供給源１０２は、空気１０４と身体組織のようなより高い屈折率の材料１０６との間の界面１０５またはその上方に配置することができる。外部供給源１０２は、電源の電流（例えば、面内供給源電流）を生成することができる。供給源の電流は、電界と磁界を生成できる。磁場は、供給源１０２の表面および／またはより高屈折率の材料１０６の表面（例えば、外部供給源１０２に面するより高屈折率の材料１０６の表面）に対して平行である無視できない成分を含むことができる。いくつかの実施形態によれば、外部供給源１０２は、２０１５年１１月２６日に公開された「ＭＩＤＦＩＥＬＤ  ＣＯＵＰＬＥＲ」と題された、その全体が参照により本明細書に組み込まれる、ＷＩＰＯ公開番号ＷＯ／２０１５／１７９２２５に含まれるミッドフィールドカプラおよび外部供給源に関連して説明されている構造的特徴および機能を含み得る。
【００４２】
例では、外部供給源１０２は、少なくとも一対の外向きの電極１２１および１２２を含み得る。電極１２１および１２２は、例えば界面１０５において組織表面に接触するように構成することができる。１つまたは複数の例では、外部供給源１０２は、外部供給源１０２を高屈折率材料１０６に隣接して維持し、任意選択で電極１２１および１２２を組織の表面と物理的に接触させて維持する、スリーブ、ポケット、または他の衣服または付属品と共に使用するように構成される。１つまたは複数の例では、スリーブ、ポケット、または他の衣服または付属品は、導電性繊維または布地を含むか使用することができ、電極１２１および１２２は、導電性繊維または布地を介して組織表面と物理的に接触することができる。
【００４３】
１つまたは複数の例では、２つよりも多い外向き電極を使用することができ、ファーフィールド信号情報（例えば、送達された治療用信号または近接場信号に対応する信号の情報）を感知するために使用する最適な電極対または電極群を選択するように、供給源１０２に搭載またはそれを補助するプロセッサ回路を構成できる。そのような実施形態では、電極はアンテナとして機能することができる。１つまたは複数の例では、供給源１０２は、三角形として配置された３つの外向き電極、または長方形として配置された４つの外向き電極を含み、電極の任意の２つ以上を感知用に選択でき、および／または感知または診断のために電気的に群化、または互いに連結できる。１つまたは複数の例では、プロセッサ回路は、ファーフィールド信号を感知するための最適な構成を特定するために複数の異なる電極の組み合わせの選択をテストするように構成することができる（プロセッサ回路の例は、とりわけ図２Ａに提示されている）。
【００４４】
図１は、高屈折率材料１０６内または血管内に植込まれるように構成された多極治療送達装置を含むことができるような、植込み型装置１１０の実施形態を示す。１つまたは複数の例では、植込み型装置１１０は、以下でさらに詳細に論じる、図５由来の回路５００の全部または一部を含む。１つまたは複数の例では、植込み型装置１１０は組織−空気界面１０５の下の組織に植込まれる。図１において、植込み型装置１１０は、細長い本体と、細長い本体の一部に沿って軸方向に間隔を置いて配置されている複数の電極Ｅ０、Ｅ１、Ｅ２、およびＥ３とを含む。植込み型装置１１０は、植込み型装置１１０と外部供給源１０２との間の通信を可能にすることができる受信機および／または送信機回路（図１には示さず。例えば、特に図２Ａ、図２Ｂ、および図４を参照）を含む。
【００４５】
様々な電極Ｅ０〜Ｅ３は、神経標的または筋肉標的、またはその近くなどで、患者の組織に電気刺激療法を送達するように構成することができる。１つまたは複数の例では、少なくとも１つの電極をアノードとして使用するために選択することができ、少なくとも１つの他の電極を、カソードとして使用するために選択して電気刺激ベクトルを定義することができる。１つまたは複数の例では、電極Ｅ１はアノードとしての使用のために選択され、電極Ｅ２はカソードとしての使用のために選択される。合わせると、Ｅ１とＥ２の組み合わせは、電気刺激ベクトルＶ１２を定義する。同時または異なる時点など、同じまたは異なる組織標的に神経電気刺激療法を提供するために、様々なベクトルを独立して構成することができる。
【００４６】
１つまたは複数の例では、供給源１０２はアンテナ（例えば図３参照）を含み、植込み型装置１１０はアンテナ１０８（例えば電界ベースまたは磁界ベースのアンテナ）を含む。アンテナは、実質的に同じ周波数で信号を送信および受信するように（例えば、長さ、幅、形状、材料などにおいて）構成することができる。植込み型装置１１０は、アンテナ１０８を介して外部供給源１０２に電力信号および／またはデータ信号を送信するように構成することができ、外部供給源１０２によって送信された電力および／またはデータ信号を受信することができる。外部供給源１０２および植込み型装置１１０は、ＲＦ信号の送信および／または受信に使用することができる。送信／受信（Ｔ／Ｒ）スイッチを使用して、外部供給源１０２の各ＲＦポートを送信（送信データまたは電力）モードから受信（受信データ）モードに切り替えることができる。Ｔ／Ｒスイッチを同様に使用して、植込み型装置１１０を送信モードと受信モードとの間で切り替えることができる。Ｔ／Ｒスイッチの例については、とりわけ図４を参照されたい。
【００４７】
１つまたは複数の例では、外部供給源１０２の受信端子は、植込み型装置１１０からの受信信号の位相および／または振幅を検出する、１つまたは複数の構成要素に接続することができる。位相および振幅の情報は、植込み型装置１１０から受信した信号と実質的に同じ相対的な位相になるように、送信信号の位相をプログラムするために、使用することができる。これを成し遂げるのを補助するために、外部供給源１０２は、図４の実施形態に示されるように、位相整合および／または振幅整合ネットワークを含むかまたは使用することができる。位相整合および／または振幅整合ネットワークは、図３の実施形態に示すように、複数のポートを含むミッドフィールドアンテナと共に使用するように構成することができる。
【００４８】
図１を再び参照すると、１つまたは複数の例では、植込み型装置１１０は、外部供給源１０２からミッドフィールド信号１３１を受信するように構成され得る。ミッドフィールド信号１３１は電力および／またはデータ信号成分を含むことができる。いくつかの実施形態では、電力信号構成要素は、その中に植込まれた１つまたは複数のデータ構成要素を含むことができる。１つまたは複数の例では、ミッドフィールド信号１３１は、植込み型装置１１０によって使用される構成データを含む。構成データは、とりわけ、治療用信号周波数、パルス幅、振幅、または他の信号波形パラメータなどの治療用信号パラメータを定義することができる。１つまたは複数の例では、植込み型装置１１０は、電気刺激療法を治療標的１９０に送達するように構成できる。例えば、神経標的（例えば、神経、または他の組織、例えば静脈、結合組織、または当該組織内またはその近くにある１つまたは複数のニューロンを含む他の組織）、筋肉標的、または他の組織標的を含むことができる。治療標的１９０に送達される電気刺激療法は、外部供給源１０２から受信した電力信号の一部を使用して提供することができる。治療標的１９０の例は、神経組織または神経標的、例えば、脊椎、脳組織、筋肉組織、異常な組織（例えば、腫瘍または癌性組織）の頸部、胸部、腰部、または仙骨領域またはその付近の神経組織または神経標的、交感神経系または副交感神経系に対応する標的、末梢神経束または末梢神経線維またはその近傍の標的、失禁、尿意切迫感、過活動膀胱、便失禁、便秘、疼痛、神経痛、骨盤の疼痛、運動障害または他の疾患もしくは障害、深部脳刺激（ＤＢＳ）治療の標的またはいずれかの他の状態、疾患もしくは障害（本明細書で同定された他の状態、疾患もしくは障害など）を治療すべく選択される他の標的またはその近傍を含み得る。
【００４９】
電気刺激療法を提供することは、ミッドフィールド信号１３１を介して受信された電力信号の一部を使用することと、植込み型装置１１０に連結された電極または電極対（例えば、２つ以上のＥ０〜Ｅ３）に電流信号を提供して、標的目標１９０を刺激することとを含み得る。電極に提供された電流信号の結果として、近接場信号１３２が発生され得る。近接場信号１３２から生じる電位差は、治療送達位置から遠隔で検出することができる。とりわけ治療用信号の特性、治療送達電極の種類または配置、および周囲の任意の生物学的組織の特性を含む、様々な要因が、電位差を検出できる場所、および検出できるかどうかに、影響を及ぼし得る。そのような遠隔的に検出された電位差は、ファーフィールド信号１３３とみなすことができる。ファーフィールド信号１３３は、近接場信号１３２の減衰部分を表すことができる。すなわち、近接場信号１３２およびファーフィールド信号１３３は、植込み型装置１１０および治療標的１９０またはその近傍の領域に関連するとみなされる近接場信号１３２、および植込み型装置１１０および治療標的１９０からより遠位の他の領域に関連するとみなされるファーフィールド信号１３３などと、同じ信号または場から発生することができる。１つまたは複数の例では、植込み型装置１１０に関する情報、または植込み型装置１１０によって提供される以前提供されたまたは将来の計画されている治療に関する情報は、ファーフィールド信号１３３を介して、治療用信号に符号化し、外部供給源１０２によって検出および復号することができる。
【００５０】
１つまたは複数の例では、装置１１０は、一連の電気刺激パルスを組織標的（例えば、神経標的）に提供するように構成することができる。例えば、装置１１０は、治療を施すために、同じまたは異なる電気刺激ベクトルを使用するなどのことをして、時間において隔てられた複数の電気刺激パルスを提供することができる。１つまたは複数の例では、複数の信号を含む治療を複数の異なるベクトルに並行して施すことができ、あるいは連続するまたは一連の電気刺激パルスを同じ神経標的に与えるような順序で提供することができる。したがって、たとえ１つのベクトルが患者の反応を引き出すために他のベクトルよりも至適であったとしても、（１）標的が非刺激期間中に休息期間を経る可能性がある、および／または（２）至適な標的の近くおよび／または隣接する領域を刺激することが、いくらかの患者の利益を引き出すことができることから、治療全体は既知の最適なベクトルのみを刺激するよりも効果的であり得る。
【００５１】
システム１００は、空気１０４と高屈折率材料１０６との間の界面１０５またはその近傍にセンサ１０７を含むことができる。センサ１０７は、とりわけ、１つまたは複数の電極、光学センサ、加速度計、温度センサ、力センサ、圧力センサ、または表面筋電図（ＥＭＧ）装置を含むことができる。センサ１０７は、複数のセンサ（例えば、２つ、３つ、４つ、または４つより多いセンサ）を含み得る。使用されるセンサの種類に応じて、センサ１０７は、装置１１０の近くおよび／または源１０２の近くで電気、筋肉、または他の活動をモニタするように構成することができる。例えば、センサ１０７は、組織表面における筋肉活動をモニタするように構成することができる。特定の閾値活動レベルを超える筋肉活動が検出された場合、電源１０２および／または装置１１０の電力レベルを調整することができる。１つまたは複数の例では、センサ１０７をソース１０２に連結または一体化することができ、他の例では、センサ１０７を（例えば、有線または無線の電気的連結または接続を使用して）分離して、供給源１０２および／または装置１１０と通信することができる。
【００５２】
システム１００は、供給源１０２およびセンサ１０７のうちの１つまたは複数から分離することができ、またはそれらと通信可能に連結することができるファーフィールドセンサ装置１３０を含むことができる。ファーフィールドセンサ装置１３０は、２つ以上の電極を含み得、装置１１０によって送達された治療に対応するファーフィールド信号１３３などのファーフィールド信号を感知するように構成され得る。ファーフィールドセンサ装置１３０は、例えば界面１０５において組織表面と接触するように構成された少なくとも一対の外向き電極１２３および１２４を含むことができる。１つまたは複数の例では、３つ以上の電極を使用することができ、ファーフィールドセンサ装置１３０に搭載された、またはファーフィールドセンサ装置１３０の補助のプロセッサ回路は、ファーフィールド信号１３３の感知に使用するための２つ以上の電極の様々な組み合わせを選択できる。１つまたは複数の例では、ファーフィールドセンサ装置１３０は、高屈折率材料１０６に隣接しているファーフィールドセンサ装置１３０を維持し、任意選択で電極１２３および１２４を組織の表面と物理的に接触させて維持する、スリーブ、ポケット、または他の衣服または付属品と共に使用するように構成され得る。１つまたは複数の例では、スリーブ、ポケット、または他の衣服または付属品は、導電性繊維または布地を含むか使用することができ、電極１２３および１２４は、導電性繊維または布地を介して組織表面と物理的に接触することができる。ファーフィールドセンサ装置１３０の少なくとも一部の例は、図２Ｂに関連して本明細書でさらに説明される。
【００５３】
１つまたは複数の例では、外部供給源１０２は、電力信号および／またはデータ信号を含むミッドフィールド信号１３１を植込み型装置１１０に供給する。ミッドフィールド信号１３１は、様々なまたは調整可能な振幅、周波数、位相、および／または他の信号特性を有する信号（例えば、ＲＦ信号）を含む。植込み型装置１１０は、ミッドフィールド信号１３１を受信することができ、植込み型装置１１０の受信機回路の特性に基づいて、アンテナで受信信号を変調し、それによって後方散乱信号または後方散乱通信を発生することができる、後述のものなどのアンテナを含むことができる。１つまたは複数の例では、植込み型装置１１０は、植込み型装置１１０自体の特性に関する情報、ミッドフィールド信号１３１の受信部分に関する植込み型装置によって提供される治療に関する情報、ミッドフィールド信号１３１の受信部分についての情報、植込み型装置１１０によって施される治療についての情報、および／または他の情報など、後方散乱信号１１２内の情報を符号化できる。後方散乱信号１１２は、外部供給源１０２および／またはファーフィールドセンサ装置１３０のアンテナによって受信することができ、あるいは別の装置によって受信することができる。１つまたは複数の例では、生物学的信号は、グルコースセンサ、電位（例えば筋電図センサ、心電図（ＥＣＧ）センサ、抵抗、または他の電気的センサ）、光センサ、温度センサ、圧力センサ、酸素センサ、モーションセンサなどの植込み型装置１１０のセンサによって感知することができる。検出された生物学的信号を表す信号は、後方散乱信号１１２上に変調することができる。他のセンサについては、とりわけ図４７に関してなど、本明細書の他の箇所で論じる。そのような実施形態では、センサ１０７は、グルコース、温度、ＥＣＧ、ＥＭＧ、酸素または他のモニタ、例えば後方散乱信号に変調されたデータを受信、復調、解釈、および／または格納する対応するためのもの、などの対応するモニタ装置を含むことができる。
【００５４】
１つまたは複数の例では、外部供給源１０２および／または植込み型装置１１０は、外部供給源１０２と植込み型装置１１０との間の通信を容易にするように構成された光トランシーバを含むことができる。外部供給源１０２は、フォトレーザーダイオードまたはＬＥＤなどの光源を含むことができ、または光検出器を含むことができ、あるいは光源と光検出器の両方を含むことができる。植込み型装置１１０は、フォトレーザーダイオードまたはＬＥＤなどの光源を含むことができ、または光検出器を含むことができ、あるいは光源と光検出器の両方を含むことができる。例では、外部供給源１０２および／または植込み型装置１１０は、その光源または光検出器に隣接して、石英、ガラス、または他の半透明材料で作られたものなどの窓を含むことができる。
【００５５】
例では、光通信は、外部供給源１０２と植込み型装置１１０との間の電磁カップリングとは別個であるか、それを補足することができる。光通信は、パルス位置変調（ＰＰＭ）を使用するなど、様々なプロトコルに従って変調された光パルスを使用して提供することができる。例では、植込み型装置１１０に搭載された光源および／または光検出器は、外部供給源１０２とのミッドフィールドカップリングを介して少なくとも部分的に受信された電力信号によって給電され得る。
【００５６】
例では、外部供給源１０２の光源は、皮膚を通して、皮下組織へ、植込み型装置１１０内の光用の窓（例えば、石英の窓）を通して通信信号を送ることができる。通信信号は、植込み型装置１１０に搭載された光検出器で受信することができる。植込み型装置１１０に設けられた光源を用いて、植込み型装置１１０からの、または植込み型装置１１０に関する様々な測定情報、治療の情報、または他の情報を符号化し、送信することができる。植込み型装置１１０から放出された光信号は、同じ光用の窓、皮下組織、および皮膚組織を通って進むことができ、外部供給源１０２に搭載された光検出器で受信することができる。例では、光源および／または光検出器は、それぞれ、波長約６７０〜９１０ｎｍ（例えば、６７０ｎｍ〜８００ｎｍ、７００ｎｍ〜７６０ｎｍ、６７０ｎｍ〜８７０ｎｍ、７４０ｎｍ〜８５０ｎｍ、８００ｎｍ〜９１０ｎｍ、それらの重複範囲、または列挙された範囲内の任意の値）の範囲内などの可視または赤外範囲の電磁波を放射および／または受信するように構成することができる。
【００５７】
例では、外部供給源１０２は、装置のリセット、記憶、使用者のアクセス、および他の機能を容易にするための様々な回路を含むことができる。例えば、外部供給源１０２は、外部供給源１０２に提供される駆動または感知回路から電力を除去するために使用できるような、装置レベルの電源スイッチを提供するためのラッチスイッチを含むことができる。例では、外部供給源１０２は、手動リセットを実行するために、または装置構成モードまたは学習モードに入るためにアクティブ化され得るリードスイッチ（例えば、磁気リードスイッチ）を含むことができる。例では、外部供給源１０２は、装置の状態を検出し、それに応じて装置の挙動を変更するための環境センサ（例えば、サーミスタ、湿度または水分センサなど）を含むことができる。例えば、サーミスタからの情報を使用して、装置の過熱を防ぐための障害状態を示すことができる。
【００５８】
図２Ａは、例として、外部供給源１０２などのミッドフィールド供給源装置のブロック図および実施形態を示す。外部供給源１０２は、互いにデータ通信している様々な構成要素、回路、または機能要素を含むことができる。図２Ａの例では、外部供給源１０２は、プロセッサ回路２１０、１つまたは複数の感知電極２２０（例えば、電極１２１および１２２を含む）、復調回路２３０、位相整合または振幅整合ネットワーク４００、ミッドフィールドアンテナ３００、および／または１つもしくは複数のフィードバック装置などの構成要素を含み、例えばオーディオスピーカー２５１、ディスプレイインターフェース２５２、および／または触覚フィードバック装置２５３を含むまたは使用することができる。ミッドフィールドアンテナ３００は、図３の実施形態において以下でさらに説明され、ネットワーク４００は、図４の実施形態において以下でさらに説明される。プロセッサ回路２１０は、外部供給源１０２の構成要素、回路、および／または機能要素の様々な機能および活動を調整するように構成することができる。
【００５９】
ミッドフィールドアンテナ３００は、外部組織表面に対して実質的に平行である無視できないＨフィールド成分を有するＲＦ信号を含むことができるなど、ミッドフィールド励起信号を提供するように構成することができる。１つまたは複数の例では、ＲＦ信号は、電力および／またはデータ信号をそれぞれの異なる標的装置（例えば、植込み型装置１１０、または本明細書で論じられている任意の１つまたは複数の他の植込み型装置）に送信するなど、組織表面またはその近傍のエバネセント場を操作するように適合または選択できる。ミッドフィールドアンテナ３００は、復調器回路２３０によって復調することができる後方散乱または他の無線信号情報を受信するようにさらに構成することができる。復調信号は、プロセッサ回路２１０によって解釈され得る。
【００６０】
ミッドフィールドアンテナ３００は、ダイポールアンテナ、ループアンテナ、コイルアンテナ、スロットまたはストリップアンテナ、または他のアンテナを含むことができる。アンテナ３００は、約４００ＭＨｚから約４ＧＨｚの間（例えば、４００ＭＨｚから１ＧＨｚの間、４００ＭＨｚから３ＧＨｚの間、５００ＭＨｚから２ＧＨｚの間、１ＧＨｚから３ＧＨｚの間、５００ＭＨｚから１．５ＧＨｚの間、１ＧＨｚから２ＧＨｚの間、２ＧＨｚから３ＧＨｚの間、それらの重複範囲、または列挙された範囲内の任意の値）の範囲の信号を受信するような形状およびサイズにすることができる。ダイポールアンテナを組み込んだ実施形態では、ミッドフィールドアンテナ３００は、２つのほぼ直線状の導体を備えたまっすぐなダイポール、折り返したダイポール、短いダイポール、ケージ形ダイポール、ボウネクタイ形ダイポールまたは蝙蝠の羽形ダイポールを含むことができる。
【００６１】
復調回路２３０は感知電極２２０に連結することができる。１つまたは複数の例では、感知電極２２０は、例えば治療標的１９０に送達することができるなど、植込み型装置１１０によって提供される治療に基づいて、ファーフィールド信号１３３を受信するように構成することができる。治療は、復調器回路２３０によってファーフィールド信号１３３から抽出することができる植込み型または間欠的データ信号成分を含むことができる。例えば、データ信号成分は、背景の雑音または他の信号から識別され、復調回路２３０によって処理されてプロセッサ回路２１０によって解釈され得る情報信号を発生することができる振幅変調または位相変調信号成分を含むことができる。情報信号の内容に基づいて、プロセッサ回路２１０は、患者、介護者、または他のシステムもしくは個人に警告するようにフィードバック装置のうちの１つに指令することができる。例えば、指定された治療の送達が成功したことを示す情報の信号に応答して、プロセッサ回路２１０は、可聴フィードバックを患者に提供するようにオーディオスピーカー２５１に指令でき、ディスプレイインターフェース２５２に患者に視覚またはグラフィック情報を提供するように指令でき、および／または触覚刺激を患者に提供するよう触覚フィードバック装置２５３に指示することができる。１つまたは複数の例では、触覚フィードバック装置２５３は、振動するか別の機械的信号を提供するように構成されたトランスデューサを含む。
【００６２】
図２Ｂは、ファーフィールド信号を受信するように構成されたシステムの一部のブロック図を全体的に示す。システムは、供給源１０２の電極１２１および１２２、あるいはファーフィールドセンサ装置１３０の電極１２３および１２４を含むことができるなど、感知電極２２０を含むことができる。図２Ｂの例では、感知電極２２０として集合的に表され、個々にＳＥ０、ＳＥ１、ＳＥ２、およびＳＥ３として表される４つの感知電極がある。しかし、他の数の感知電極２２０が使用され得る。感知電極は、マルチプレクサ回路２６１に通信可能に連結することができる。マルチプレクサ回路２６１は、ファーフィールド信号情報を感知する際に使用するために、電極対、または電極群を選択することができる。１つまたは複数の例では、マルチプレクサ回路２６１は、受信信号の検出された最高信号対雑音比に基づいて、あるいは振幅、周波数成分、および／またはその他の信号特性などの信号の質の別の相対指標に基づいて、電極対または群を選択する。
【００６３】
マルチプレクサ回路２６１からの感知された電気信号は、信号から情報を抽出するために様々な処理を受けることができる。例えば、マルチプレクサ回路２６１からのアナログ信号は、バンドパスフィルタ２６２によってフィルタリングすることができる。バンドパスフィルタ２６２は、対象の感知信号の既知のまたは予想される変調周波数を中心とすることができる。バンドパスフィルタ処理された信号はその後、低雑音増幅器２６３によって増幅することができる。増幅された信号は、アナログ−デジタル変換回路（ＡＤＣ）２６４によりデジタル信号に変換することができる。デジタル信号は、本明細書でさらに説明されるように、植込み型装置１１０によって通信された情報信号を検索または抽出するなどのために、様々なデジタル信号プロセッサ２６５によってさらに処理され得る。
【００６４】
図３は、サブ波長構造３０１０、３０２０、３０３０、および３０４０を含む複数の励起可能な構造を有するミッドフィールドアンテナ３００の実施形態の概略図を全体的に示す。ミッドフィールドアンテナ３００は、実質的に平面のあるミッドフィールド平面構造を含むことができる。１つまたは複数のサブ波長構造３０１０〜３０４０は平面の構造に形成することができる。図３の例では、アンテナ３００は、第１のサブ波長構造３０１０、第２のサブ波長構造３０２０、第３のサブ波長構造３０３０、および第４のサブ波長構造３０４０を含む。さらに少ない数または追加のサブ波長構造を使用することができる。サブ波長構造は、それぞれに連結された１つまたは複数のＲＦポート（例えば、第１から第４のＲＦポート３１１０、３１２０、３１３０、および３１４０）によって個々にまたは選択的に励起することができる。
【００６５】
「サブ波長構造」は、外部供給源１０２によってレンダリングおよび／または受信される場の波長に対して規定された寸法を有するハードウェア構造を含むことができる。例えば、空気中の信号波長に対応する所与のλ０に対して、λ０未満の１つまたは複数の次元を含む供給源の構造は、サブ波長構造とみなすことができる。サブ波長構造の様々な設計または構成を使用することができる。サブ波長構造のいくつかの例は、平面構造のスロット、または実質的に平面の材料の導電シートのストリップまたはパッチを含み得る。ミッドフィールドアンテナと励起可能な構造の様々な例については、本書の他の場所で説明している。いくつかの例では、励起可能な構造は、ストリップラインまたはマイクロストリップを含む、または使用する。
【００６６】
例では、ミッドフィールドアンテナ３００およびその関連する駆動回路（本明細書の他の場所で説明される）は、組織が比較的高い誘電率を有する媒体として機能する、組織または組織に隣接するエバネセント場を操作または影響する信号を提供するように構成され、組織は、誘電率が比較的高い媒体として機能する（例えば、組織は高κ媒体である）。すなわち、アンテナ３００からのエネルギーは、空気を通してではなく、組織または他の高κ媒体を通して向けることができる。ミッドフィールドアンテナ３００からの送信効率は、アンテナ３００が組織によって適切に負荷をかけられているときに最大になり得、組織によって負荷がかけられていないとき、効率は意図的に低くなり得る。
【００６７】
図４は、位相整合または振幅整合ネットワーク４００を全体的に示す。例では、ネットワーク４００はアンテナ３００を含むことができ、アンテナ３００は、例えば図３に示す第１から第４のＲＦポート３１１、３１２、３１３、および３１４を介して複数のスイッチ４０４Ａ、４０４Ｂ、４０４Ｃ、および４０４Ｄに電気的に連結することができる。スイッチ４０４Ａ〜Ｄはそれぞれ、それぞれの位相および／または振幅検出器４０６Ａ、４０６Ｂ、４０６Ｃ、および４０６Ｄ、ならびにそれぞれの可変利得増幅器４０８Ａ、４０８Ｂ、４０８Ｃ、および４０８Ｄに電気的に連結されている。各増幅器４０８Ａ〜Ｄはそれぞれの移相器４１０Ａ、４１０Ｂ、４１０Ｃ、および４１０Ｄに電気的に連結され、各移相器４１０Ａ〜４１０Ｄは、外部供給源１０２を使用して送信されるＲＦ入力信号４１４を受信する、共通の電力分割器４１２に電気的に連結されている。
【００６８】
１つまたは複数の例では、スイッチ４０４Ａ〜Ｄは、受信回線（「Ｒ」）または送信回線（「Ｔ」）のいずれかを選択するように構成することができる。ネットワーク４００のスイッチ４０４Ａ〜Ｄの数は、ミッドフィールド供給源４０２のポートの数と等しくてよい。ネットワーク４００の例では、ミッドフィールド供給源４０２は４つのポート（例えば、図３の例のアンテナ３００の４つのサブ波長構造に対応する）を含むが、１、２、３、４、５、６、７、８、またはそれより多い任意の数のポート（およびスイッチ）を使用できる。
【００６９】
位相および／または振幅検出器４０６Ａ〜Ｄは、ミッドフィールド供給源４０２のそれぞれの各ポートで受信された信号の位相（Φ１、Φ２、Φ３、Φ４）および／または電力（Ｐ１、Ｐ２、Ｐ３、Ｐ４）を検出するように構成される。１つまたは複数の例で、位相および／または振幅検出器４０６Ａ〜Ｄは１つまたは複数のモジュール（信号の位相または振幅の判定などの動作を実行するように構成された電気または電子部品を含むことができるハードウェアモジュール）に実装でき、例えば位相検出器モジュールおよび／または振幅検出器モジュールを含む。検出器４０６Ａ〜Ｄは、外部供給源１０２で受信された信号の位相および／または振幅を表す１つまたは複数の信号を発生するように構成されたアナログおよび／またはデジタル構成要素を含むことができる。
【００７０】
増幅器４０８Ａ〜Ｄは、移相器４１０Ａ〜Ｄからそれぞれの入力（例えば、Φｋ、Φ１＋Φｋ、Φ２＋Φｋ、Φ３＋Φｋ、またはΦ４＋Φｋだけ位相シフトされたＰｋ）を受信することができる。増幅器の出力Ｏは、一般に、ＲＦ入力信号４１４が（図４の実施形態では）４×Ｍの振幅を有するときの電力分割器の出力Ｍに、増幅器の利得を乗じたものＰｉ×Ｐｋである。Ｐ１、Ｐ２、Ｐ３、および／またはＰ４の値が変化するにつれて、Ｐｋを動的に設定することができる。Φｋは定数であり得る。１つまたは複数の例では、移相器４１０Ａ〜Ｄは、検出器４０６Ａ〜Ｄから受信した位相情報に基づいてポートの相対位相を動的にまたは反応的に構成することができる。
【００７１】
１つまたは複数の例では、ミッドフィールド供給源４０２からの送信電力要件はＰｔｔである。電力分割器４１２に供給されるＲＦ信号は４×Ｍの電力を有する。増幅器４０８Ａの出力は約Ｍ×Ｐ１×Ｐｋである。したがって、ミッドフィールドカプラから送信される電力は、Ｍ×（Ｐ１×Ｐｋ＋Ｐ２×Ｐｋ＋Ｐ３×Ｐｋ＋Ｐ４×Ｐｋ）＝Ｐｔｔとなる。Ｐｋについて解くと、Ｐｋ＝Ｐｔｔ／（Ｍ×（Ｐ１＋Ｐ２＋Ｐ３＋Ｐ４））が得られる。
【００７２】
各ＲＦポートにおける信号の振幅は、それに連結されたミッドフィールドカプラのそれぞれのポートにおいて受信された信号と同じ相対的な（スケーリングされた）振幅で送信することができる。増幅器４０８Ａ〜Ｄの利得は、ミッドフィールドカプラからの信号の送信と受信との間のあらゆる損失を考慮するようにさらに改良することができる。受信効率η＝Ｐｉｒ／Ｐｔｔを考えると、式中Ｐｉｒは植込まれた受信機で受信された電力である。特定の位相および振幅の同調が与えられた場合の効率（例えば最大効率）は、植込まれた供給源から外部ミッドフィールド供給源で受信された振幅から推定することができる。この推定は、η≒（Ｐ１＋Ｐ２＋Ｐ３＋Ｐ４）／Ｐｉｔとして得ることができる。式中、Ｐｉｔは植込まれた供給源からの信号の元の電力である。植込み型装置１１０から送信された電力の大きさについての情報は、データ信号として外部供給源１０２に通信することができる。１つまたは複数の例では、増幅器４０８Ａ〜Ｄで受信された信号の振幅は、１つまたは複数のプログラムされた動作を実行するために植込み型装置が確実に電力を受け取るように、判定した効率に従ってスケーリングされ得る。推定されたリンク効率η、およびＰｉｒ’の植込み電力（例えば、振幅）要件を考えると、Ｐｋは、Ｐｋ＝Ｐｉｒ’／［η（Ｐ１＋Ｐ２＋Ｐ３＋Ｐ４）］としてスケーリングすることができ、それは植込みがプログラムされた機能を実行するのに十分な電力を受け取ることを保証するのを促すためなどである。
【００７３】
それぞれ位相入力および利得入力などの、移相器４１０Ａ〜Ｄおよび増幅器４０８Ａ〜Ｄのための制御信号は、図４には示されていない処理回路によって提供され得る。回路は、図４に提供された図を過度に複雑にしたり曖昧にしたりしないように省略されている。同じまたは異なる処理回路を使用して、受信構成と送信構成との間でスイッチ４０４Ａ〜Ｄの１つまたは複数の状態を更新することができる。処理回路の例については、図２Ａのプロセッサ回路２１０およびその関連の説明を参照されたい。
【００７４】
様々な初期化回路および保護回路をネットワーク４００に追加するか、ネットワーク４００と共に使用することができる。例えば、送信機回路３７００を含む図３７の例は、不十分なアンテナの負荷またはアンテナの不整合な状態を識別および補償するために使用することができる第１の保護回路３７２０および第２の保護回路３７６０を含む。
【００７５】
図５は、本明細書で説明される実施形態の１つまたは複数に従って、植込み型装置１１０の回路５００の実施形態、または標的装置の図表を全体的に示しており、例えば細長い装置を含むことができ、例えば任意選択で血管の内側に配置することができる。回路５００は、アンテナ１０８に電気的に接続することができるような１つまたは複数のパッド５３６を含む。回路５００は、回路５００の入力インピーダンスに基づいてアンテナ１０８のインピーダンスを設定するための調整可能整合ネットワーク５３８を含むことができる。アンテナ１０８のインピーダンスは、例えば環境変化により変化する可能性がある。調整可能整合ネットワーク５３８は、アンテナ１０８のインピーダンスの変化に基づいて、回路５００の入力インピーダンスを調整することができる。１つまたは複数の例では、調整可能整合ネットワーク５３８のインピーダンスは、アンテナ１０８のインピーダンスに整合することができる。１つまたは複数の例では、調整可能整合ネットワーク５３８のインピーダンスは、アンテナ１０８に入射する信号の一部をアンテナ１０８から反射させてそれにより後方散乱信号を発生させるように設定することができる。
【００７６】
送受信（Ｔ／Ｒ）スイッチ５４１は、（例えば、電力および／またはデータ信号を受信することができる）受信モードから、（例えば、信号を他の装置、つまり植込まれるか外部のものに送信できる）送信モードに、回路５００を切り替えるために使用することができる。能動送信機は、２．４５ＧＨｚまたは９１５ＭＨｚの工業・科学・医療用の（ＩＳＭ）帯域、あるいはインプラントからデータを転送するための４０２ＭＨｚの医療用インプラント通信サービス（ＭＩＣＳ）帯域で動作することができる。あるいは、入射無線周波数（ＲＦ）エネルギーを外部装置に後方散乱させる弾性表面波（ＳＡＷ）装置を使用してデータを送信することができる。
【００７７】
回路５００は、植込まれた装置において受け取った電力の量を検出するための電力計５４２を含み得る。電力計５４２からの電力を示す信号は、受け取った電力が回路がある特定の機能を実行するのに適切である（例えば、特定の閾値を超える）かどうかを判断するために、デジタルコントローラ５４８によって使用され得る。電力計５４２によって発生された信号の相対的な値を使用して、回路５００に電力を供給するために使用される外部装置（例えば、供給源１０２）が、電力および／またはデータを標的装置へ伝送するのに適切な場所にあるかどうかを使用者または機械に示すことができる。
【００７８】
１つまたは複数の例では、回路５００は受信データ信号を復調するための復調器５４４を含むことができる。復調は、変調された搬送波信号からの信号が有する元の情報を抽出することを含むことができる。１つまたは複数の例では、回路５００は、受信したＡＣ電力信号を整流するための整流器５４６を含むことができる。
【００７９】
回路（例えば、状態論理、ブール論理など）をデジタルコントローラ５４８に統合することができる。デジタルコントローラ５４８は、電力計５４２、復調器５４４、および／またはクロック５５０のうちの１つまたは複数からの入力に基づいてなど、受信機装置の様々な機能を制御するように構成され得る。１つまたは複数の例では、デジタルコントローラ５４８は、どの電極（例えば、Ｅ０〜Ｅ３）を電流シンク（アノード）として構成し、どの電極を電流源（カソード）として構成するかを制御することができる。１つまたは複数の例では、デジタルコントローラ５４８は、電極を介して生成される刺激パルスの大きさを制御することができる。
【００８０】
チャージポンプ５５２を使用して、神経系の刺激に適し得るものなど、整流された電圧をより高い電圧レベルに上昇させることができる。チャージポンプ５５２は、整流した電圧を上昇させるために電荷を蓄積するために、１つまたは複数の個別の構成要素を使用することができる。１つまたは複数の例では、個別の構成要素は、パッド５５４に連結することができるものなど、１つまたは複数のコンデンサを含む。１つまたは複数の例では、これらのコンデンサは、組織の損傷を回避するのを補助するためなどに、刺激している間に電荷を平衡化するのに使用することができる。
【００８１】
刺激ドライバ回路５５６は、電極アレイなどへの様々な出力５３４を通じて、プログラム可能な刺激を与えることができる。刺激ドライバ回路５５６は、アレイの電極の正しい位置決めについて試験するために使用することができるものなどのインピーダンス測定回路を含むことができる。刺激ドライバ回路５５６は、電極を電流供給源、電流シンク、または短絡信号経路にするように、デジタル制御装置によってプログラムすることができる。刺激ドライバ回路５５６は、電圧ドライバまたは電流ドライバとすることができる。刺激ドライバ回路５５６は、外部供給源１０２から受信したミッドフィールド電力信号の少なくとも一部を使用するなどして、電気刺激信号パルスを１つまたは複数の電極に提供するように構成された治療送達回路を含むまたは使用することができる。１つまたは複数の例では、刺激ドライバ回路５５６は、最大約１００ｋＨｚまでの周波数でパルスを供給することができる。１００ｋＨｚ付近の周波数のパルスは神経遮断に有用であり得る。
【００８２】
回路５００は、不揮発性メモリ回路を含むことができるなどのメモリ回路５５８をさらに含むことができる。メモリ回路５５８は、他の植込み関連データの中でも、装置の同定、神経記録、および／またはプログラミングパラメータの記憶を含むことができる。
【００８３】
回路５００は、増幅器５５５、および電極から信号を受信するためのアナログデジタル変換器（ＡＤＣ）５５７を含むことができる。電極は、体内の神経信号から電気を感知することができる。神経信号は増幅器５５５によって増幅することができる。これらの増幅された信号は、ＡＤＣ５５７によってデジタル信号に変換することができる。これらのデジタル信号は外部装置に伝達することができる。増幅器５５５は、１つまたは複数の例では、トランスインピーダンス増幅器とすることができる。
【００８４】
デジタルコントローラ５４８は変調器／電力増幅器５６２にデータを提供することができる。変調器／電力増幅器５６２はデータを搬送波に変調する。電力増幅器５６２は、送信される変調波形の大きさを増大させる。
【００８５】
変調器／電力増幅器５６２は、発振器／位相同期ループ（ＰＬＬ）５６０によって駆動することができる。ＰＬＬは発振器を精密に保つように調整する。発振器は、クロック５５０とは異なるクロックを任意に使用することができる。発振器は、データを外部装置に送信するために使用されるＲＦ信号を発生するように構成することができる。発振器の典型的な周波数の範囲は、約１０ｋＨｚから約２６００ＭＨｚ（例えば、１０ｋＨｚから１０００ＭＨｚ、５００ｋＨｚから１５００ｋＨｚ、１０ｋＨｚから１００ｋＨｚ、５０ｋＨｚから２００ｋＨｚ、１００ｋＨｚから５００ｋＨｚ、１００ｋＨｚから１０００ｋＨｚ、５００ｋＨｚから２ＭＨｚ、１ＭＨｚから２ＭＨｚ、１ＭＨｚから１０ＭＨｚ、１００ＭＨｚから１０００ＭＨｚ、５００ＭＨｚから８００ＭＨｚ、それらの重複している範囲、または列挙された範囲内の任意の値）である。他の周波数を使用することができる。例えば、用途に応じさせることができる。クロック５５０はデジタルコントローラ５４８のタイミングのために使用される。クロック５５０の典型的な周波数は、約１キロヘルツから約１メガヘルツの間（例えば、１ｋＨｚから１００ｋＨｚの間、１０ｋＨｚから１５０ｋＨｚの間、１００ｋＨｚから５００ｋＨｚの間、４００ｋＨｚから８００ｋＨｚの間、５００ｋＨｚと１ＭＨｚの間、７５０ｋＨｚと１ＭＨｚの間、それらの重複している範囲、または列挙された範囲内の任意の値）である。用途に応じて他の周波数を使用することができる。速いクロックは一般に、遅いクロックよりも多くの電力を消費する。
【００８６】
神経から感知された信号の戻り経路は任意選択である。そのような経路は、増幅器５５５、ＡＤＣ５５７、発振器／ＰＬＬ５６０、および変調器／電力増幅器５６２を含むことができる。これらの各品目およびそれらへの接続は、任意選択で除去できる。
【００８７】
１つまたは複数の例では、回路５００の他の構成要素の中でも、デジタルコントローラ５４８、増幅器５５５、および／または刺激ドライバ回路５５６は、状態機械装置の一部を構成することができる。状態機械装置は、パッド５３６を介して電力およびデータ信号を無線で受信し、それに応じて、出力５３４の１つまたは複数を介して電気刺激信号を解放または提供するように構成することができる。１つまたは複数の例では、そのような状態機械装置は、利用可能な電気刺激設定またはベクトルに関する情報を保持する必要はなく、代わりに、状態機械装置は、供給源１０２からの指示の受信後および／またはそれに応答して、電気刺激イベントを実行または提供できる。
【００８８】
例えば、状態機械装置は、指定された時間に、または何らかの指定された信号特性（例えば、振幅、持続時間など）を有するときなどに、神経電気刺激療法の信号を送達するための指示を受信するように構成され得る。また、状態機械装置は、指定された時間におよび／または指定された信号特性を用いて、治療用信号を開始または送達することによって応答することができる。その後、装置は、治療を終了するため、信号特性を変更するため、または他の何らかのタスクを実行するための後続の指示を受信することができる。したがって、装置は、実質的に受動的であるように任意に構成してもよく、受信した指示（例えば、同時に受信した指示）に応答するように構成してもよい。
【００８９】
回路ハウジングアセンブリ
このセクションは、治療装置の実施形態および／または特徴、組織内に植込み型装置（例えば、治療装置）を配置するための誘導機構、および／または組織内に位置するときに植込み型装置が感知できるほどには確実に移動しないよう促すための固定機構を説明する。１つまたは複数の例は、様々な障害の治療のための治療装置に関する。
【００９０】
いくつかの実施形態によれば、システムは、遠位部分と近位部分とを有する細長い部材を備える植込み型装置を含む。装置は、複数の電極と、回路ハウジングと、複数の電極に電気エネルギーを供給するように構成された回路ハウジング内の回路と、アンテナハウジングと、アンテナハウジング内のアンテナ（例えば、ヘリカルアンテナ）とを含む。複数の電極は、細長い部材の遠位部分に沿って配置または位置決めされている。回路ハウジングは、細長い部材の近位部に取り付けられている。回路は、回路ハウジング内に気密に封止されるか、内部に収容される。アンテナハウジングは、細長い部材に取り付けられた回路ハウジングの端部とは反対側の回路ハウジングの近位端で、回路ハウジングに取り付けられている。
【００９１】
システムは、電力または電気信号またはエネルギーを植込み型装置に供給するように構成された外部ミッドフィールド電源を任意選択で含み得る。植込み型装置は、アンテナを介して外部供給源のアンテナに情報（例えばデータ信号）を通信するように適合されてもよい。１つ、２つ以上、またはすべての電極は、遠位部分ではなく細長い部材の近位部分または中央部分に任意に配置されてもよい。回路ハウジングは、任意選択で、細長い部材の遠位部分または中央部分に取り付けることができる。アンテナハウジングは、回路ハウジングに取り付けられていなくてもよく、回路ハウジングの近位端に取り付けられていなくてもよい。アンテナハウジングは、セラミック材料のような、人間の組織の誘電率と空気の誘電率との間の誘電率を有する誘電材料を任意に含み得る。セラミック材料は任意にアンテナを覆ってもよい。細長い部材は、任意選択で可撓性および／または円筒形であり得る。電極は、任意選択的に円筒形状であり、細長い部材の周囲に配置されてもよい。
【００９２】
細長い部材は、任意選択で、部材の近位端から細長い部材の遠位部分まで細長い部材を通って延びるチャネル、およびチャネルに位置する形状記憶金属ワイヤを含むことができ、形状記憶金属ワイヤは細長い部材に湾曲を付与すする向きに事前に成形されている。形状記憶金属は、必要に応じて、Ｓ３孔の形状に一致させ、概して仙骨神経の曲がりかたに一致するように成形され得る。アンテナは一次アンテナであってもよく、装置はさらに、アンテナハウジングに取り付けられたハウジングに二次アンテナを含んでもよく、二次アンテナは一次アンテナとの近接場カップリングを提供するように成形および配置される。装置は、任意選択で、以下の１つまたは複数に取り付けられた１つまたは複数の縫合糸を含み得る。（１）アンテナハウジングの近位部分、（２）回路ハウジングの近位部分、および（３）アンテナハウジングの近位端に取り付けられた取り付け構造。アンテナは、回路ハウジングの近位部分に配置された回路の導電ループに任意に連結されてもよい。アンテナと導電性ループとの間にセラミック材料があってもよい。
【００９３】
植込み型センサおよび／または刺激装置、例えば神経刺激装置の変位量を減らすことが、現在望まれている。さらなる小型化は、より容易に侵襲性のさらに低い植込み処置を可能にし、植込み型装置の表面積を減少させ、それによりひいては植込み後の感染の可能性を低下させ、慢性の外来患者の設定において患者に快適さを提供し得る。いくつかの例では、小型化した装置は、カテーテルまたはカニューレを使用して注入でき、さらに植込み処置の侵襲性を減少させ得る。
【００９４】
例では、植込み型神経刺激装置の構成は、パルス発生器を植込んだ従来のリードとは異なる。植込み型刺激装置は、リードのない設計を含むことができ、遠隔の供給源（例えば、植込み型装置の遠位に配置されたミッドフィールド供給源）から電力を供給することができる。
【００９５】
例では、植込み型刺激装置を製造する方法は、回路ハウジングの両端に電気的接続を形成することを含むことができ、例えば気密封止された回路ハウジングであり得る。方法は、フィードスルーアセンブリと回路基板のパッドとの間に電気的接続を形成することを含むことができる。例では、フィードスルーアセンブリはキャップ状構造を含み、その内部に電気的構成要素および／または電子的構成要素を設けることができる。回路基板のパッドの表面は、フィードスルーアセンブリのフィードスルーの端部の表面に対して略垂直であり得る。この方法は、例えば、植込み型刺激装置または液体にさらされる可能性がある、または電気および／または電子部品に悪影響を及ぼす可能性がある他の環境要素にさらされる可能性がある他の装置の一部となり得るなど、気密回路ハウジングを形成するのに有用であり得る。
【００９６】
図６は、第１の植込み型装置６００の実施形態の図を全体的に示す。例では、第１の植込み型装置６００は、図１の植込み型装置１１０の例のものと同じまたは類似することができる構成要素またはアセンブリ含むまたは備える。例えば、装置６００は、本体部分６０２と、複数の電極６０４と、回路ハウジング６０６と、アンテナハウジング６１０とを含むことができる。例では、本体部分６０２は、植込み型装置１１０の本体部分を含むまたは備える。アンテナハウジング６１０は、アンテナ１０８を封入またはカプセル化することができる。植込み型装置６００は、患者からの電気的（または他の）活動情報を感知するように、あるいは電極６０４の１つまたは複数を使用するなどして患者に電気刺激療法を送達するように構成することができる。
【００９７】
本体部分６０２は、可撓性または剛性の材料で作ることができる。１つまたは複数の例では、本体部分６０２は生体適合性材料を含み得る。本体部分６０２は、他の材料の中でも、白金、イリジウム、チタン、セラミック、ジルコニア、アルミナ、ガラス、ポリウレタン、シリコーン、エポキシ、および／またはそれらの組み合わせを含むことができる。本体部分６０２は、その上または少なくとも部分的にその中に１つまたは複数の電極６０４を含む。電極６０４は、図６の例に示されるように、リング状の電極である。図６の例では、電極６０４は本体部分に沿って実質的に均一に分布している、すなわち実質的に等しい空間が隣接する電極間に設けられている。他の電極構成を追加的または代替的に使用することができる。
【００９８】
本体部分６０２は、回路ハウジング６０６を含むか、それに連結することができる。例では、回路ハウジング６０６は、本体部分６０２の第１の端部６０１で本体部分６０２に連結されている。図６の例では、本体部分６０２の第１の端部６０１は、本体部分６０２の第２の端部６０３の反対側にある。
【００９９】
回路ハウジング６０６は、電気および／または電子部品７１２（例えば、図７参照）および／またはその中に収容される相互接続のための気密封止を設けることができる。電極６０４は、本明細書に図示および説明されるように、１つまたは複数のフィードスルーおよび１つまたは複数の導体を使用して、回路ハウジング６０６の回路にそれぞれ電気的に接続することができる。すなわち、回路ハウジング６０６は、電子部品７１２（例えば、回路ハウジング６０６の内部に設けられた、または回路ハウジング６０６によって封入された電気部品および／または電子部品）のための気密筐体を設けることができる。
【０１００】
例では、アンテナハウジング６１０は、回路ハウジング６０６の第１の側端部７１１（例えば、図７参照）で回路ハウジング６０６に取り付けられている。アンテナ１０８をアンテナハウジング６１０の内側に設けることができる。例では、アンテナ１０８は、電力および／またはデータ信号を装置６００で受信および／またはそれから送信するために使用される。第１の側端部７１１は回路ハウジング６０６の第２の側端部７１３の反対側にある。例では、第２の側端部７１３は、電極６０４を含むなどの電極アセンブリまたは他のアセンブリを電気的に接続することができる端部である。
【０１０１】
アンテナハウジング６１０は、様々な方法で、または様々な接続手段を使用して、回路ハウジング６０６に連結することができる。例えば、アンテナハウジング６１０を回路ハウジング６０６にろう付けすることができる（例えば、金または他の導電性もしくは非導電材料を使用して）。アンテナハウジング６１０は、エポキシ、テコタン、または他の実質的に無線周波数（ＲＦ）に透過性の材料（例えば、装置６００との通信に使用される周波数で）および保護材料を含むことができる。
【０１０２】
１つまたは複数の例では、アンテナハウジング６１０はジルコニアまたはアルミナなどのセラミック材料を含むことができる。ジルコニアの誘電率は、典型的な体の筋肉組織の誘電率に似ている。筋肉組織の誘電率と同様の誘電率を有する材料を使用することで、アンテナ１０８の回路インピーダンスが安定するのを促すことができ、アンテナ１０８が異なる種類の組織によって囲まれるときのインピーダンスの変化を減少させることができる。
【０１０３】
外部送信機から装置６００などへの電力伝送効率は、アンテナまたはハウジング材料の選択によって影響を受ける可能性がある。例えば、アンテナハウジング６１０がセラミック材料を含む場合のように、アンテナ１０８が低めの誘電率の組織によって包囲または封入されると、装置６００の電力伝送効率を高めることができる。例では、アンテナ１０８は、フィードスルーを有する単一のセラミック構造として構成することができる。
【０１０４】
図７は、回路ハウジング６０６の実施形態の概略図を全体的に示す。図示の回路ハウジング６０６は、様々な電気および／または電子部品７１２Ａ、７１２Ｂ、７１２Ｃ、７１２Ｄ、７１２Ｅ、７１２Ｆ、および７１２Ｇを含み、例えば回路基板７１４に電気的に接続することができる。部品７１２Ａ〜Ｇおよび回路基板７１４は、筐体７２２内に配置されている。例では、筐体７２２は回路ハウジング６０６の一部を構成する。
【０１０５】
部品７１２Ａ〜Ｇの１つまたは複数は、１つまたは複数のトランジスタ、抵抗器、コンデンサ、インダクタ、ダイオード、中央処理装置（ＣＰＵ）、フィールドプログラマブルゲートアレイ（ＦＰＧＡ）、ブール論理ゲート、マルチプレクサ、スイッチ、レギュレータ、増幅器、電源、チャージポンプ、発振器、位相同期ループ（ＰＬＬ）、変調器、復調器、無線機（受信および／または送信無線機）、および／またはアンテナ（例えば、とりわけ螺旋形アンテナ、コイルアンテナ、ループアンテナ、あるいはパッチアンテナ）などを含み得る。回路ハウジング６０６の部品７１２Ａ〜Ｇは、とりわけ、電極６０４を使用して身体に送達することができるような、刺激療法信号を提供するように構成された刺激療法生成回路、遠隔装置から電力および／またはデータを受信するよう構成される受信機回路、遠隔装置にデータを提供するように構成された送信機回路、および／または電極６０４のどれが１つまたは複数のアノードまたはカソードとして構成されるかを選択するように構成される電極選択回路を形成するように配置または構成することができる。
【０１０６】
筐体７２２は、白金およびイリジウム合金（例えば、９０／１０、８０／２０、９５／１５など）、純粋な白金、チタン（例えば、市販の純粋な、６Ａｌ／４Ｖまたは他の合金）、ステンレス鋼、あるいはセラミック材料（例えば、ジルコニアまたはアルミナなど）、あるいは他の気密性の生体適合性材料を含み得る。回路ハウジング６０６および／または筐体７２２は、その中の回路に気密の空間を備えることができる。筐体７２２の側壁の厚さは約数十マイクロメートルであり得、例えば約１０、２０、３０、４０、５０、６０、７０、８０、９０、１００、１１０マイクロメートルなど、またはその間の何らかの厚さであり得る。筐体７２２の外径は、１０ミリメートル未満のオーダーであり得、例えば約１、１．５と、２、２．５と、３、３．５ミリメートルなど、またはその間の何らかの外径であり得る。筐体の長さはミリメートルのオーダーであり得、例えば２、３、４、５、６、７、８、９、１０、１１、１２、１３ミリメートルなど、またはその間の何らかの長さを含むことができる。金属材料が筐体７２２に使用される場合、筐体７２２を電極アレイの一部として使用することができ、刺激のために選択可能な電極６０４の数を効果的に増やすことができる。
【０１０７】
気密性であるというよりむしろ、筐体７２２は、埋め戻して、その中への水分の侵入を防ぐことができる。埋め戻し材料は、エポキシ、パリレン、テコタン、または他の材料もしくは材料の組み合わせなどの非導電性の防水材料を含むことができる。
【０１０８】
図７の例では、回路ハウジング６０６は第１のエンドキャップ７１６Ａおよび第２のエンドキャップ７１６Ｂを含むことができる。例では、キャップ７１６Ａおよび７１６Ｂは、筐体７２２に、または少なくとも部分的にその中に配置される。キャップ７１６Ａおよび７１６Ｂは、筐体７２２の実質的に反対側などの開口部を覆うように設けることができる。キャップ７１６Ａは回路ハウジング６０６の第１の側端部７１１の一部を形成し、キャップ７１６Ｂは回路ハウジング６０６の第２の側端部７１３の一部を形成する。キャップ７１６Ａ〜Ｂのそれぞれは、１つまたは複数の導電性フィードスルーを含む。図７の例では、第１のエンドキャップ７１６Ａは第１のフィードスルー７１８Ａを含み、第２のエンドキャップ７１６Ｂは第２のフィードスルー７１８Ｂおよび第３のフィードスルー７１８Ｃを含む。導電性フィードスルー７１８Ａ〜Ｃは、それに接続された導体への電気経路を備える。
【０１０９】
細長い植込み型アセンブリ
本明細書の他の箇所で同様に論じられているように、植込み型装置に電力を供給するために外部ワイヤレス電力送信機を使用することは、特に植込み型装置が深く植込まれているときには困難であり得る。本明細書で論じる実施形態は、例えば、延長された長さの特性を有する植込み型装置を使用することで、そのような困難を克服するのを促すことができる。いくつかの実施形態では、無線電力送信機（例えば、患者の体外）と植込み型装置のアンテナとの間の距離は、植込み型装置の電極を植込んだ深さよりも短い。いくつかの実施形態は、回路ハウジング間などの、植込み型装置の長さを延ばすことができる細長い部分を含むことができる。
【０１１０】
本発明者らは、神経刺激パルスを組織に供給する装置の動作する深さを増加させる必要性を認識した。実施形態は、植込み型装置（例えば植込み型神経刺激装置）が、（ａ）治療パルスを深部神経（例えば胴体の中心または頭部内の深部、例えば１０センチメートルを超える深さの神経）に送達すること、および／または（ｂ）他の無線技術を使用して現在利用可能なものよりも深い位置から生じる刺激を必要とする血管構造内の深部に治療パルスを送達することを可能にし得る。例では、身体内部のいくつかの構造は、皮膚の表面から約１０ｃｍ以内にある場合もあるが、それにもかかわらず、以前の技術を使用して到達可能ではない場合がある。これは、植込みの経路が直線状ではない場合、または植込みの経路が曲がっている、または他の障害物があるために、装置の電極が構造に到達できない場合があるためである可能性がある。
【０１１１】
本発明者らは、他の問題の中でも特に、この植込みの深さの問題に対する解決策が、近位回路（例えば近位回路ハウジングに配置され一般に通信および／または電力トランシーバ回路を含む回路）を少なくとも２つの回路部分に分離すること、および２つの回路部分の間に細長い（例えば、可撓性、剛性、または半剛性）部分を設けることによって、様々な深さで機能するように構成された植込み型装置を含み得ることを認識してきた。回路のより近位の部分（例えば、他の回路部分に対する）は、電力受信および／または信号調整回路を含むことができる。回路のより遠位の部分（例えば、他の回路部分に対してより遠位）は、刺激波発生回路を含み得る。以下の論述では、より近位のハウジングを第１の回路ハウジングとして指定し、より遠位のハウジングを第２の回路ハウジングとして指定する。
【０１１２】
電気的に敏感な無線周波数（ＲＦ）受信および／または後方散乱送信回路の部品は、近位の第１の回路ハウジングに提供またはパッケージングすることができる。例では、受信されたＲＦ電力信号は、アセンブリの同じ部分または他の部分に配置された回路による使用などのために、第１の回路ハウジングで、直流（ＤＣ）に整流され得る。後方散乱送信回路を任意に設けることができる。例では、第１の回路ハウジングは、上述のミッドフィールド給電装置を含むなど、ミッドフィールド給電装置、近接場無線通信などの外部電力送信機によって給電されるのに十分な最小距離内に維持することができる。
【０１１３】
図８は、細長い植込み型装置８００の例を全体的に示す。例では、細長い植込み型装置８００は、図１の植込み型装置１１０または図６の第１の植込み型装置６００の例のものと同じまたは類似することができる構成要素またはアセンブリ含むまたは備える。植込み型装置８００は、細長い部分２５０２、第１の回路ハウジング６０６Ａ、第２の回路構成ハウジング６０６Ｂ、およびコネクタ２５０４を含み得る。図８の例では、コネクタ２５０４は円錐台形であるが、他の形状または構成も同様に使用することができる。第２の回路ハウジング６０６Ｂは任意選択であり、細長い部分２５０２は円錐台形コネクタ２５０４に直接接続することができる。例では、第１の回路ハウジング６０６Ａは、ワイヤレス電力信号を受信するため、および／または外部装置との間でデータをやり取りするためなどの通信回路を含む。第２の回路ハウジング６０６Ｂ内の様々な回路は、特定用途向け集積回路（ＡＳＩＣ）、設置面積の大きなコンデンサ、抵抗器、および／または治療用信号またはパルスを生成するように構成された他の構成要素を含むことができ、電極６０４に電気的に接続できる。
【０１１４】
細長い部分２５０２は、第１および第２の回路ハウジング６０６Ａおよび６０６Ｂを分離する。細長い部分２５０２は、それを通ってまたはその上を延びる導電材料２５１２Ａおよび２５１２Ｂ（例えば、１つまたは複数の導体）を任意選択で含むことができる。例では、導電材料２５１２Ａおよび２５１２Ｂは、第１の回路ハウジング６０６Ａの導電性フィードスルーを回路ハウジング６０６Ｂの導電性フィードスルーに電気的に接続することができる。例では、導電性材料２５１２Ａおよび２５１２Ｂは、様々な出力信号を伝送するように構成される。
【０１１５】
導電材料２５１２Ａおよび２５１２Ｂは、銅、金、白金、イリジウム、ニッケル、アルミニウム、銀、それらの組み合わせまたは合金などを含むことができる。細長い部分２５０２および／または導電材料２５１２Ａおよび２５１２Ｂのコーティングは、装置が患者の体に植込まれたときに身体組織を含むことができるなど、周囲環境から導電材料２５１２Ａおよび２５１２Ｂを電気的に絶縁することができる。コーティングは、誘電、例えばエポキシおよび／または他の誘電材料を含むことができる。細長い部分２５０２は、生体適合性材料などの誘電材料を含み得る。誘電材料は、Ｔｅｃｏｔｈａｎｅ、Ｍｅｄ  ４７１９などを含むことができる。
【０１１６】
例では、細長い部分２５０２は、装置が植込まれるように構成されていると予想される材料（例えば、身体組織）に対して摩擦を増強または増大させる材料から形成するか、それでコーティングすることができる。例では、材料はシリコーンを含む。追加的にまたは代替的に、粗面の仕上げを細長い部分２５０２の表面または表面の一部に施すことができる。摩擦を増大させる材料および／または表面の仕上げは、植込み型装置を植込むことができる生体組織に対するインプラントの摩擦を増大させ得る。摩擦が増大すると、植込み型装置が組織内でその位置を維持するのを促すことができる。１つまたは複数の例では、突出部（例えば、隆起部、フィン、棘部など）などの他の小規模な特徴を追加して、一方向の摩擦を増大させることができる。摩擦を増大させることは、植込み型装置が植込まれている間に（例えば、軸方向または他の方向に）動く可能性が低くなるように、長期的な固定を改善するのに役立ち得る。
【０１１７】
第１の回路ハウジング６０６Ａの寸法２５０６Ａ（例えば、幅、断面積、または直径）は、回路ハウジング６０６Ｂの対応する寸法２５０６Ｂ（例えば、幅）とほぼ同じであり得る。細長い部分２５０２は第１の寸法２５０８（例えば幅）を含むことができ、これは第１の回路ハウジング６０６Ａの寸法２５０６Ａおよび第２の回路ハウジング６０６Ｂの寸法２５０６Ｂ各々とほぼ同じである。植込み型装置８００の遠位部分の第２の寸法２５１０（例えば、幅）は、寸法２５０６Ａ、２５０６Ｂ、および２５０８よりも小さくすることができる。
【０１１８】
例では、植込み型装置８００の遠位部分は、本体部分６０２、１つまたは複数の電極６０４、および円錐台形コネクタ２５０４の遠位側に連結された他の構成要素を含む。植込み型装置８００の近位部分は、第１および第２の回路ハウジング６０６Ａおよび６０６Ｂ、細長い部分２５０２、アンテナ１０８、ならびに円錐台形コネクタ２５０４の近位側の他の構成要素を含む。図示の寸法２５０６Ａおよび２５０６Ｂ、２５０８、および２５１０は、装置８００の構成要素の長さ２５１４に対して略垂直である。
【０１１９】
円錐台形コネクタ２５０４は、植込み型装置８００の近位部分に連結された近位側面２５１６を含む。円錐台形コネクタ２５０４は、植込み型装置８００の遠位部分に連結された遠位側面２５１８を含む。遠位側面２５１８は近位側面２５１６の反対側にある。遠位側面２５１８の幅または直径の寸法は、本体部分６０２の対応する寸法２５１０とほぼ同じであり得る。近位側面２５１６の幅または直径の寸法は、対応する寸法２５０６Ａおよび／または２５０６Ｂとほぼ同じであり得る。
【０１２０】
１つまたは複数の例では、装置８００の長さ２５１４は、約５０ミリメートルから約数百ミリメートルの間であり得る。１つまたは複数の例では、細長い部分２５０２は、約１０ミリメートルから約数百ミリメートルの間であり得る。例えば、細長い部分２５０２は、約１０ミリメートルから約１００ミリメートルの間であり得る。１つまたは複数の例では、寸法２５１０は約１ミリメートル（ｍｍ）から約１と１／３ｍｍであり得る。１つまたは複数の例では、寸法２５０６Ａと２５０６Ｂは約１．５ミリメートルの間と約２．５ミリメートルの間にすることができる。１つまたは複数の例では、寸法２５０６Ａおよび２５０６Ｂは、約１から２／３ミリメートルおよび約２から１／３ミリメートルであり得る。１つまたは複数の例では、寸法２５０８は、約１ミリメートルから約２．５ミリメートルの間であり得る。１つまたは複数の例では、寸法２５０８は、約１ミリメートルから約２と１／３ミリメートルの間であり得る。
【０１２１】
図９は、組織２６０４内に植込まれた植込み型装置８００を含むシステム９００の例を全体的に示す。図示のシステム９００は、植込み型装置８００、組織２６０４、外部電力ユニット９０２、およびワイヤ２６０６（例えば、プッシュロッド、縫合糸、または植込み型装置８００を植込むまたは除去するための他の構成要素）を含む。例では、外部電力ユニット９０２は外部供給源１０２を含む。
【０１２２】
装置８００の細長い部分２５０２は、植込み型装置８００の電極６０４が組織２６０４の奥深くまで到達することを可能にし、アンテナが組織表面および外部電力ユニット９０２に十分に接近することを可能にする。装置８００は、細長い部分が伸びる（例えば、一部分が伸張可能である、および／または細長くなることができる）および／または撓む（例えば、装置の長さに沿って１つまたは複数の軸の周りで回転することができる）ことを示すように、細長い部分が曲がった状態で示されている。
【０１２３】
１つまたは複数の例では、外部電力ユニット９０２は、本明細書に記載の外部供給源１０２などのミッドフィールド電力装置を含むことができる。細長い植込み型装置の他の構成も同様に使用して、外部電力ユニット９０２に信号を受信または発することができる。例では、図８の例からの細長い部分２５０２は省くことができ、様々な植込み型装置回路を単一の回路ハウジングに含めることができる。
【０１２４】
層状のミッドフィールド送信機システムおよび装置
例では、図１の例の外部供給源１０２に対応するものなどのミッドフィールド送信機装置は、１つまたは複数の同調要素を有する層状構造を含むことができる。ミッドフィールド送信機は、電力および／またはデータ信号を植込み型標的装置に送信するなど、組織表面でエバネセント場を変調し、それによって組織内に伝播の場を生成するように、ＲＦ信号を提供するように構成される動的に構成可能な能動的トランシーバであり得る。
【０１２５】
例では、ミッドフィールド送信機装置は、送信機とアンテナの機能の組み合わせを含む。装置は、バックプレーンまたは接地面を備えたスロットまたはパッチアンテナを含むことができ、１つまたは複数のストリップラインまたはマイクロストリップまたは電気信号によって励起することができる他の機能を含むことができる。例では、装置は、励起することができ、それによって、例えば１つまたは複数の対応するストリップラインまたはマイクロストリップの励起に応答して、信号を発生させることができる１つまたは複数の導電板を含む。例では、外部供給源１０２は、アンテナ３００を構成する励起可能な特徴を備えた層状構造を含み、アンテナは、図４に示されるネットワーク４００に連結される。例では、本明細書で論じられる様々な送信機の１つまたは複数の層は、可撓性送信機装置を提供するために、１つまたは複数の可撓性基板または可撓性層を含むことができる。
【０１２６】
図１０は、第１の層１００１Ａを含む、層状をした第１の送信機１０００の例の上面図を全体的に示す。第１の送信機１０００の様々な特徴は円形として示されているが、送信機およびその様々な要素または層の他の形状またはプロファイルを同様に使用することができる。第１の層１００１Ａは、図面に示されるように、および／または本明細書に記載されるように、様々な層の特徴をもたらすためにエッチングまたは切断され得る導電板を含む。
【０１２７】
図１０の例では、第１の層１００１Ａは、導電性の外側領域１００５を導電性の内側領域１０１５から分離するために円形スロット１０１０でエッチングされた銅基板を含む。この例では、外側領域１００５は、円形スロット１０１０によって、内側領域１０１５を含む実質的にディスク形状の特徴から分離されたリング状または環状の特徴を含む。すなわち、図１０の例において、導電性内側領域１０１５は、外側領域１００５を構成する導電性環状部から電気的に絶縁されている。第１の送信機１０００を、図１０に示すものとは異なる装置の層に設けることができるといった、１つまたは複数のストリップライン特徴を使用して励起すると、導電性内側領域１０１５は同調電界を生成し、外側環状部はまたは外側領域１００５は基準電圧またはグラウンドに連結することができる。すなわち、導電性内側領域１０１５は、第１の層１００１Ａまたは基板の表面に設けられるエミッタの少なくとも一部を含む。
【０１２８】
図１０の例は、第１の送信機１０００によって送信される場に影響を与えるために、第１の層１００１Ａに対する様々な物理的な寸法および位置を有する調整機能を含む。エッチングされた円形スロット１０１０に加えて、この例は、円形スロット１０１０から第１の層１００１Ａの中心に向かって延びる４つの半径方向スロット、すなわちアーム１０２１Ａ、１０２１Ｂ、１０２１Ｃ、および１０２１Ｄを含む。図示されているのと同じ形状または別の形状を有するなど、より少ないまたは追加の調整機能を、装置の共振周波数に影響を与えるために同様に使用することができる。すなわち、直線状の放射状スロットが示されているが、１つまたは複数の異なる形状のスロットを使用することができる。
【０１２９】
第１の層１００１Ａの直径およびスロット１０１０の寸法は、装置の共振周波数を調整または選択するように調整することができる。図１０の例では、１つまたは複数のアーム１０２１Ａ〜１０２１Ｄの長さが増加すると、それに応じて共振または中心動作周波数が減少する。第１の層１００１Ａに隣接または近接する１つまたは複数の層の誘電特性はまた、共振特性または透過特性を調整する、またはそれに影響を及ぼすために、使用することができる。
【０１３０】
図１０の例では、アーム１０２１Ａ〜１０２１Ｄは実質的に同じ長さである。例では、アームは異なる長さを有することができる。直交する対のアームは、実質的に同じまたは異なる長さの特性を有することができる。例では、第１および第３のアーム１０２１Ａおよび１０２１Ｃは第１の長さの特性を有し、第２および第４のアーム１０２１Ｂおよび１０２１Ｄは異なる第２の長さの特性を有することができる。設計者は、アームの長さを調整して、装置の共振を調整できる。第１の層１００１Ａのアーム長さ、スロットの幅、または他の特性を変更することはまた、層が励起されるとき、層の周りの電流の分布のパターンの対応する変化をもたらす可能性がある。
【０１３１】
例では、例えば送信機の動作周波数をさらに調整するために、１つまたは複数の場所でスロット１０１０を橋渡しするために１つまたは複数の容量性要素を設けることができる。すなわち、第１の送信機１０００を調整するために、以下でさらに議論されるように、コンデンサのそれぞれの板を外側領域１００５および内側領域１０１５に電気的に連結することができる。
【０１３２】
第１の層１００１Ａの寸法は様々であり得る。例では、最適な半径は、所望の動作周波数、近くのまたは隣接する誘電材料の特性、および励起信号特性によって決まる。例では、第１の層１００１Ａの公称半径は約２５から４５ｍｍであり、スロット１０１０の公称半径は約２０から４０ｍｍである。例では、第１の層１００１Ａを備える送信機装置は、スロットの半径を減少させることおよび／またはアームの長さを増加させることなどによって、装置の効率を犠牲にして、より小さくすることができる。
【０１３３】
図１１は、層状をした第１の送信機１０００の第１の層１００１Ａに重ねられた第２の層１１０１の上面図を全体的に示す。第２の層１１０１は、例えばそれらの間に挿入された誘電材料を使用して、第１の層１００１Ａから離間している。例では、第２の層１１０１は第１の送信機１０００を励起するように構成された複数のストリップラインを含む。図１１の例は、第１の層１００１Ａの導電性内側領域１０１５の４つの領域にそれぞれ対応する、第１から第４のストリップライン１１３１Ａ、１１３１Ｂ、１１３１Ｃ、および１１３１Ｄを含む。図１１の例では、ストリップライン１１３１Ａ〜１１３１Ｄは、アーム１０２１Ａ〜１０２１Ｄのそれぞれに対して約４５度に向けられている。異なる向きまたはオフセット角を使用することができる。図１１の例は円形装置の周りに等間隔で離間したストリップライン１１３１Ａ〜１１３１Ｄを示しているが、他の不均等な間隔を使用することができる。例では、装置は、追加のストリップラインまたはわずか１つのストリップラインを含むことができる。
【０１３４】
第２の層１１０１に設けられる第１から第４のストリップライン１１３１Ａ〜１１３１Ｄは、第１の層１００１Ａから電気的に絶縁することができる。すなわち、ストリップラインは、導電性環状外側領域１００５およびディスク形状の導電性内側領域１０１５から物理的に離間することができ、誘電体材料を、第１の送信機１０００の第１および第２の層１００１Ａおよび１１０１の間に挿入することができる。
【０１３５】
図１１の例では、第１から第４のストリップライン１１３１Ａ〜１１３１Ｄは、それぞれの第１から第４のビア１１３２Ａ〜１１３２Ｄに連結されている。第１から第４のビア１１３２Ａ〜１１３２Ｄは、第１の層１００１Ａから電気的に絶縁することができるが、いくつかの例では、第１から第４のビア１１３２Ａ〜１１３２Ｄは、第１の層１００１Ａを貫通して延びることができる。例では、ビアは、図３の例に示されているＲＦポート３１１、３１２、３１３、および３１４のそれぞれのものを含むことができるか、それらに連結することができる。
【０１３６】
例では、第１から第４のストリップライン１１３１Ａ〜１１３１Ｄのうちの１つまたは複数は、例えば図１１の例には示されていないそれぞれの他のビアを使用して、第１の層１００１Ａの導電性内側領域１０１５に電気的に連結され得る。そのような電気的接続は、装置を使用してミッドフィールド信号を発生するのに不要であるが、接続は、装置の調整または性能の強化をするのに有用であり得る。
【０１３７】
第１の層１００１Ａの導電性内側領域１０１５に隣接し、それを覆って延びる層に、第１から第４のストリップライン１１３１Ａ〜１１３１Ｄなどの励起マイクロストリップおよび／またはストリップラインを設けることによって様々な利点が与えられる。例えば、第１の送信機１０００全体の大きさを減らすことができる。第１の送信機１０００の大きさまたは厚さをさらに小さくするために、第１の層１００１Ａと第２の層１１０１との間に様々な異なる誘電材料を使用することができる。
【０１３８】
図１２は、層状をした第１の送信機１０００に関する例の斜視図を全体的に示す。図１３は、層状の第１の送信機１０００の側面断面図を全体的に示す。例は、図１２および図１３のそれぞれの下側に、第１の送信機１０００の第１の層１００１Ａを含む。図の上部に、第１の送信機１０００は第３の層１２０１を含む。第３の層１２０１は、第１の送信機１０００のためのシールドまたはバックプレーンを提供する導電層であり得る。１つまたは複数のストリップラインを含むなど、第２の層１１０１は、第１の層１００１Ａと第３の層１２０１との間に介在させることができる。第１の層１００１Ａと第２の層１１０１との間に１つまたは複数の誘電層（図示せず）を介在させることができ、第２の層１１０１と第３の層１２０１との間に１つまたは複数の他の誘電層を介在させることができる。
【０１３９】
図１２および図１３の例は、第１の層１００１Ａの外側領域１００５を第３の層１２０１と電気的に連結するビアを含む。すなわち、グラウンドビア１２４１Ａ〜１２４１Ｈは、接地面（例えば、第３の層１２０１）を第１の層１００１Ａの１つまたは複数の特徴または領域と連結するように設けることができる。この例では、上述のように、第１〜第４のストリップライン１１３１Ａ〜１１３１Ｄのそれぞれは、各信号励起源ビア１１３２Ａ〜１１３２Ｄに連結されている。信号励起源ビア１１３２Ａ〜１１３２Ｄは、第１の層１００１Ａおよび第３の層１２０１から電気的に絶縁することができる。
【０１４０】
図１２および図１３の例では、図示の装置の送信側は下向きである。すなわち、第１の送信機１０００が使用され、組織表面に、または組織表面に隣接して配置されるとき、装置の組織に面する側は、図示されるように図面において下向きの方向である。
【０１４１】
接地面として第３の層１２０１を設けることは、様々な利益を与える。例えば、他の電子装置または回路を第３の層１２０１の上部に設けることができ、実質的に、送信機に過度に干渉することなく、動作させることができる。例では、植込み型または他の装置（例えば植込み型装置１１０、または本明細書に記載のその他の植込み型装置）との無線通信などのために、他の無線回路（例えばミッドフィールド送信機の範囲外で動作する）を、第３の層１２０１上に設けることができる。例では、第１の送信機１０００と背中合わせの関係などになるように第２の送信機を設けることができ、第３の層１２０１の接地面を使用して第１の送信機１０００から分離することができる。
【０１４２】
図１４Ａは、一般に、第１の送信機１０００が駆動信号によって、または第１から第４のストリップライン１１３１Ａ〜１１３１Ｄにそれぞれ提供される複数の駆動信号によって励起されるときに生じる表面電流パターン１４００Ａを示す例を示す。様々な駆動信号は、第１の送信機１０００で様々な表面電流を生成するために、互いに対して位相および／または振幅において調整することができる。図１４Ａの例では、表面電流パターンは、組織の界面の近くに配置された送信機を使用して提供される場合、組織内部の伝播または非定常な場を生じさせるエバネセント場に影響を与える、振動性の最適な分布を厳密に模倣する。
【０１４３】
送信機の最適な電流分布の例は、一般に、図１４Ｂのパターン１４００Ｂによって示されている。すなわち、第１の送信機１０００が、パターン１４００Ｂに対応する特定の電流のパターンを誘導または提供する信号で励起され、その１つの代表的な例が表面電流パターン１４００Ａに示されている場合、対応する最適なエバネセント場を、組織の界面またはその近くなどで生じさせることができる。
【０１４４】
例では、最適または目標の電流のパターンを提供する（例えば、第１から第４のストリップライン１１３１Ａ〜１１３１Ｄに提供される）励起信号は、反対方向のマイクロストリップ（例えば、図１１の例の第２および第４のストリップライン１１３１Ｂおよび１１３１Ｄを提供する振動性の信号を含む。例では、励起信号はストリップラインの１つまたは複数の他のペア（例えば、図１１の例では、第１および第３のストリップライン１１３１Ａおよび１１３１Ｃ）に提供される信号をさらに含む。このタイプまたはモードの励起は、最適な電流のパターンを生成し、深く植込まれた受信機に信号を効率的に送るために使用することができる。例では、植込み型装置１１０などの植込み型受信機は、電流信号方向１４０１と平行に配向されたループ受信機を含む。すなわち、ループ受信機は、信号方向１４０１を示す矢印によって示されるように、振動電流分布の突出した方向と平行に、組織に設置することができる。別の言い方をすれば、ループ受信機の法線は、現在の信号方向１４０１に対して直交するように向けることができる。
【０１４５】
図１５Ａ、図１５Ｂ、および図１５Ｃは、全体的に、異なる励起信号または励起信号パターンに応答する、第１の送信機１０００などのミッドフィールド送信機の異なる偏波の例を示している。例では、送信機の偏光方向は、ストリップラインの１つまたは複数または送信機の他の励起特徴に提供される励起信号の位相および／または大きさを調整することによって、変更することができる。励起信号を調整することは、送信機の導電性部分にわたる電流の分布を変化させ、例えば信号転送効率を最適化するために、送信機を受信機との整列に向かって偏らせるために使用することができる。
【０１４６】
例では、最適な励起信号の構成は、植込み型装置１１０からの情報を使用して判定することができる。例えば、外部供給源１０２は、第１の送信機１０００または他の送信機の励起可能な特徴に与えられる１つまたは複数の送信信号の信号位相および／または重み付けを変更することができる。例では、植込み型装置１１０は、内蔵の電力計を使用して、受信した信号の強度を測定し、信号位相変化の影響を判断するなどして、強度に関する情報を外部供給源１０２に通信することができる。例では、外部供給源１０２は、反射電力特性を監視して、カップリング効率に対する信号位相変化の影響を判定することができる。したがって、システムは、時間の経過とともに最大転送効率に向かって収束するように構成でき、直交ポートまたは他のポート間の位相およびポートの重み付けについて、正と負の両方向の調整を使用し得る。
【０１４７】
図１５Ａの例は、送信機の左右の象限における第１の電流分布１５０１の例を示している。この例では、上部および下部ストリップラインは第１の対の励起信号を受信し、左右の直交するストリップラインは使用されなくてもよい。
【０１４８】
図１５Ｂの例は、図１５Ａの第１の電流分布１５０１の例に対して約４５度回転する第２の電流分布１５０２の例を示している。図１５Ｂでは、第１から第４のストリップライン１１３１Ａ〜１１３１Ｄの４つすべてが、互いに対する位相オフセットなどで、異なる励起信号によって励起され得る。
【０１４９】
図１５Ｃの例は、図１５Ａの第１の電流分布１５０１の例に対して約９０度回転する第３の電流分布１５０３の例を示している。図１５Ｃでは、左右のストリップラインは、第２の対の励起信号を受信し、上下の直交するストリップラインは使用されずともよい。
【０１５０】
したがって、図１５Ａから図１５Ｃは、エバネセント場の方向または特性を変更するために使用することができる異なる電流分布のパターンを示し、これは次に、植込み型装置１１０の方向において、組織内部の伝播場の方向または大きさに影響を及ぼし得る。したがって、外部送信機の電流分布パターンの変化は、植込み型装置１１０、または外部供給源１０２からの信号を受信するように構成された他の装置とのカップリング効率の変化に対応することができる。
【０１５１】
図１６は、組織１６０６内の信号または場の侵入を示す例を全体的に示す。第１の送信機１０００または本明細書で論じられる他の送信機の例の１つまたは複数に対応するものなどの送信機は、この例では１６０２と示され、図の上部に提示される。送信機１６０２と組織１６０６との間の空隙１６０４でエバネセント場を操作するために送信機１６０２を作動させると、送信機１６０２から離れて組織１６０６内に図の下部に向かって延びる伝播の場（図の漸進的なローブによって示されるものして）が生成される。
【０１５２】
図１７は、植込まれた受信機の変化する角度または回転に関して、植込まれた受信機への第１の送信機の直交送信機ポートのカップリング効率間の関係を示すチャート１７００の例を全体的に示す。この例は、直交ポート（例えば、第１から第４のストリップライン１１３１Ａ〜１１３１Ｄ）に提供される入力信号または励起信号の重み付けすることが、植込まれた受信機の変化した位置および回転を補償するために使用され得ることを示す。送信機が標的装置の位置におけるそのような変動を補償することができるとき、標的装置が最初に構成された位置から離れた場合でも、一貫した電力が標的装置に供給され得る。
【０１５３】
図１７の例では、第１の曲線１７０１は、第１の対の反対向きの（例えば、上／下、または左／右）ストリップラインが、振動性の信号によって励起されるときの、Ｓパラメータ、または送信機および受信機における信号の電圧比を示す。第２の曲線１７０２は、反対向きストリップラインの第２の対が振動性の信号によって励起されたときのＳパラメータを示す。図１７の例では、ストリップラインの第１および第２の対は直交対である。この例は、直交する対に提供される信号が、建設的な干渉などを通じて、異なる注入角度で一貫した電力供給を達成するために最適に重み付けされ得ることを示す。
【０１５４】
図１７の例はさらに、本明細書で論じる送信機およびそれらの等価物を使用して、例えば送信機または外部供給源１０２自体を動かすことなく、伝搬の場を効果的に操縦または方向付けることができることを示す。例えば、植込み型装置１１０の位置の回転での変化は、例えば一貫した信号が確実に植込み型装置１１０に伝達されるように、様々なストリップラインに提供される信号を、異なる位相で重み付けすることによって、補償することができる。例では、重み付けは、植込み型装置１１０自体からのフィードバックを使用して得ることができるように、感知または測定された信号伝達効率に基づいて調整することができる。励起信号の重み付けを調整することは、送信機の電流の分布の方向を変えることができ、それは次に、身体組織の外側のエバネセント場の特性を変えることができ、これにより、組織内の電界の伝播方向または大きさに影響を与える可能性がある。
【０１５５】
図１８は、層状をした送信機の異なる第１の層１００１Ｂに重ねられた、図１１の例から得る第２の層１１０１の上面図を全体的に示す。すなわち、図１１と比較して、図１８の例は、アーム１０２１Ａ〜１０２１Ｄを含む第１の層１００１Ａの代わりに、異なる第１の層１００１Ｂを含む。異なる第１の層１００１Ｂは、導電性の外側領域を導電性の内側領域から分離するために円形スロット１８１０でエッチングされた基板を含む。エッチングされた円形スロット１８１０に加えて、この例は、「Ｘ」のパターンに配置され、装置の中心軸で交差するように構成された一対の線形スロット１８１１を含む。図１８の例では、一対の直線状スロット１８１１は、基板または層の両側縁部まで延びている。したがって、この例は、異なる第１の層１００１Ｂに、電気的に分離された８つの領域を含む。それは、４つの等しい大きさのセクタ、またはパイの一部の形状の領域、および４つの等しい大きさの環の領域を含む。線形スロット１８１１が互いに正確に直交して配置されていない場合など、同じサイズではなく異なるサイズの領域を同様に使用することができる。
【０１５６】
異なる第１の層１００１Ｂを有する装置が励起されると（例えば、第２の層１１０１のストリップラインを使用して）、異なる第１の層１００１Ｂを横切ってまたはその上に生じる電流密度は、層の内側セクタ部分よりも層の外側の環状部分に比較的集中させることができる。図１９Ａおよび図１９Ｂは、全体的に、異なる第１の層１００１Ｂを含むまたは使用する励起装置について、それぞれ異なる表面電流パターン１９００Ａおよび１９００Ｂを示す例を示す。装置の励起を提供する駆動信号は、異なる表面電流を生成するために、互いに対して位相および／または振幅で調整または調節することができる。
【０１５７】
図１９Ａの例では、表面の電流のパターンは、振動性の最適分布を厳密に模倣して、組織内の伝播の場を生じるエバネセント場を調節する。図示の矢印密度によって示されるように、電流密度は、異なる第１の層１００１Ｂの内側セクタ部分よりも外側環部分に集中することができる。図１９Ａの例の装置が第１の励起信号または信号パターンによって励起されるとき、装置は、破線セグメント１９０１および１９０２によって示され、隣接する垂直方向のローブの対に近似し、異なる第１の層１００１Ｂにおいて、太字の矢印１９０３および１９０４によって示される方向に対応する、振動電流分布を有することができる。植込み型装置１１０などの受信機は、植込み型装置１１０が、第１の受信機の向きの矢印１９０９によって示されるようなローブの方向に直交して配向された受信機アンテナ法線を含む場合、図１９Ａに示される方法で励起される異なる第１の層１００１Ｂを含む送信機と最も強く連結することができる。
【０１５８】
異なる第１の層１００１Ｂに誘導される電流経路の方向または向きは、励起信号の変化に対応して変化する可能性がある。図１９Ｂの例では、表面の電流の第２のパターンは、振動性の最適分布を厳密に模倣して、組織内の伝播の場を生じるエバネセント場を調節する。図示の矢印密度によって示されるように、電流密度は、異なる第１の層１００１Ｂの内側セクタ部分よりも外側環部分に集中することができる。図１９Ｂの例の装置が第２の励起信号または信号パターンによって励起されるとき、装置は、破線セグメント１９１１および１９１２によって示され、隣接する垂直方向のローブの対に近似し、異なる第１の層１００１Ｂにおいて、太字の矢印１９１３および１９１４によって示される方向に対応する、振動電流分布を有することができる。植込み型装置１１０などの受信機は、植込み型装置１１０が、第１の受信機の向きの矢印１９１９によって示されるようなローブの方向に直交して配向された受信機アンテナ法線を含む場合、図１９Ｂに示される方法で励起される異なる第１の層１００１Ｂを含む送信機と最も強く連結することができる。
【０１５９】
異なる第１の層１００１Ｂを含むまたは使用する装置は、その動作周波数または共振を、図１１の例からのアーム１０２１Ａ〜１０２１Ｄの長さに基づくのではなく、外側環の領域特性に部分的に基づいて判定することができる。図１８の実施形態を使用する送信機から、植込み型ミッドフィールド受信機への全信号転送効率は、図１１の実施形態を使用する送信機からの効率と同様であるが、図１８の実施形態の外側の環状部分における相対的に大きな電流密度は、相対的に大きい操縦性（すなわち、送信の場の操縦性）を可能にでき、したがって受信機が送信機に対して軸外にあるときなど、植込み型装置１１０との通信のための、潜在的により良好なアクセスおよび送信特性を可能にできる。さらに、図１８の実施形態を使用すると比吸収率（ＳＡＲ）を下げることができ、ポート間の望ましくない連結を減らすことができる。外部供給源１０２の他の送信機の構成および幾何学的配置を同様に使用して、図示の実施形態について本明細書で企図されているのと同じ電流分布および操縦可能の場を達成することができる。
【０１６０】
他の送信機の構成を追加的または代替的に使用することができる。図２０は、例えば、層状をした第２の送信機２０００の例の上面図を全体的に示す。第２の送信機２０００は、第１の送信機１０００と、外形およびその層状構造において類似している。第２の送信機２０００は、第１から第４のパッチ様特徴２０５１Ａ〜２０５１Ｄを含む第１の層２００１からオフセットされた第２の層に、ストリップライン励起要素２０３１Ａ〜２０３１Ｄを含む。図２１は、層状をした第２の送信機２０００の斜視図を全体的に示す。
【０１６１】
図２０の例では、第１の層２００１は、様々な層の特徴をもたらすためにエッチングまたは切断することができる導電板を含む。第１の層２００１は、エッチングされていくつかの個別の領域を形成する銅の基板を含む。図２０の例では、エッチングは層を四分円に部分的に分離する。本明細書で論じられる他のいくつかの例とは異なり、エッチングされた部分は、物理的に孤立した内側領域を作成しない。代わりに、図２０の例は、個別の領域を部分的に電気的に分離するために使用されるビア２０６０のパターンを含む。ビア２０６０は、接地面として機能する他の層に連結されている。図示の例では、ビア２０６０は、四分円に対応し、四分円を画定する「Ｘ」のパターンで配置されている。例では、ビア２０６０は、第１の層２００１と第２の層２００３との間に延在し、ビア２０６０は、１つまたは複数のストリップラインを含む別の層から電気的に絶縁することができる。ビア２０６０の配置は、第１の層２００１を、それぞれのストリップラインまたは他の励起手段などによって実質的に独立して励起可能であることができる象限に分割する。
【０１６２】
第１の層２００１のエッチングされた部分は、第１の層の外側部分から装置の中心に向かって延びる様々な線形スロットまたはアームを含む。例では、第２の送信機２０００の直径およびそのスロットまたはアームの寸法は、装置の共振周波数を調整または選択するように調整することができる。第１の層２００１に隣接または近接する１つまたは複数の層の誘電特性はまた、第２の送信機２０００の伝送特性を調整または影響を与えるために使用することができる。
【０１６３】
図２０の例では、「Ｘ」のパターンで提供されたビア２０６０およびビアの壁を使用して、異なる励起領域を分離することができ、例えば送信機と正確に位置合わせされていない植込み型装置を標的とするために、伝搬の場の操縦を容易にすることができる。第１から第４のストリップライン励起要素２０３１Ａ〜２０３１Ｄなどの、ストリップラインにそれぞれ提供される励起信号の様々な特性を調整することによって、信号の操作をもたらすことができる。例えば、励起信号の振幅および位相の特性は、特定の送信局在化を達成するために選択され得る。
【０１６４】
本発明者らは、ビア２０６０などのビアが他の利点をもたらすことを認識してきた。例えば、ビアの壁は、励起要素との間でいくらかの信号反射を引き起こす可能性があり、それがひいては、より多くの表面電流をもたらすことができ、それによって組織に伝達される信号の効率を高めることができる。
【０１６５】
図２２は、層状をした第３の送信機２２００の例の斜視図を全体的に示す。例は、図の下側に、第３の送信機２２００の第１の層２２０１を含む。図の上部において、第３の送信機２２００は第２の層２２０２を含む。第１の層２２０１と第２の層２２０２は誘電層を用いて分離することができる。第１の層２２０１は、第１の層２２０１の外側領域２２０５を第１の層２２０１の内側領域２２１５から分離または電気的に絶縁するスロット２２１０を含むことができる。スロット２２１０は、環状の外側領域２２０５（例えば、外側の環状領域）をディスク形状の内側の領域２２１５（例えば、内側のディスク領域）から分離する。例では、第２の層２２０２は、第３の送信機２２００のためのシールドまたはバックプレーンを提供する導電層とすることができる。例では、スロット２２１０および／またはディスク形状の内側領域２２１５の円周は、第３の送信機２２００を使用して送信される信号の波長よりも短い。
【０１６６】
図２２の例は、第２の層２２０２に配置することができるような、第１の層２２０１の内側領域２２１５を駆動回路と電気的に連結するビア２２３０Ａ〜２２３０Ｄを含む。グラウンドビア（図示せず）を使用して、外側領域２２０５を第２の層２２０２と電気的に連結することができる。すなわち、図２２の例は、追加の層およびストリップラインを使用せずに励起可能である第１の層２２０１の内側領域２２１５を有する送信機を含むことができる。例では、第１の層２２０１は、スロット２２１０から装置の中心に向かって延びる１つまたは複数のアームを追加することなどによって、調整または変更することができる。しかし、円形スロット２２１０は一般に、そのような追加の特徴を使用することなく適切な動作共鳴または周波数が達成され得るように十分に大きくされ得る。
【０１６７】
図２３は、層状の第３の送信機２２００の側面断面図を全体的に示す。図２３の例は、第３の送信機２２００の第１の層２２０１と第２の層２２０２との間に誘電層２２０３を設けることができることを一般的に示している。例では、回路アセンブリ２２５０を第３の送信機２２００に隣接して設けることができ、はんだバンプ２２４１、２２４２を使用するなどして、第３の送信機２２００と連結することができる。はんだバンプを使用することは、確立されたはんだリフロープロセスを使用することによって組み立てを容易にするのに便利であり得る。他の電気的接続も同様に使用することができる。例えば、最上層および最下層は、層の相互接続を容易にするために縁部のめっきおよび／またはパッドを含むことができる。そのような例では、最上層は任意に最下層よりも小さくすることができ（例えば最上層は最下層よりも小さい直径を有することができる）、アセンブリの光学的検証を促す。例では、第３の送信機２２００は、スロット２２１０のところでまたはそれに隣接して、第１の層２２０１と連結された１つまたは複数の容量性同調要素２３０１を含むことができる。例では、容量性調整要素２３０１は、スロット２２１０の反対側の導電性表面に連結することができる。容量性調整要素２３０１は、送信機の調整特性を調整するために固定または可変の静電容量を提供することができる。
【０１６８】
図２４は、スロット２４１０を有する第１の層を示す層状ミッドフィールド送信機２４００の一部の例を全体的に示す。例では、スロットは、送信機層の第２の導電領域２４１５（例えば、内部導電領域に対応する）から第１の導電領域２４０５（例えば、外部導電領域に対応する）を分離する。送信機２４００の動作周波数を調整するためにアームまたはラジアルスロットを追加することに加えて、またはその代わりに、第１および第２の導電領域２４０５および２４１５を橋渡しするように、容量性要素をスロット２４１０の対向する導電性の側面にわたって連結することができる。図２４の例では、第１および第２の容量要素２４０１および２４０２は、スロット２４１０に沿った異なる位置で、第１および第２の導電領域２４０５および２４１５を橋渡しする。
【０１６９】
このような橋渡しおよびチューニング用の容量性要素は、一般にピコファラッドの範囲にあるが、必要な動作周波数に応じて他の値を使用することもできる。例では、第１および第２の容量性要素２４０１および２４０２のうちの１つまたは複数は、制御信号によって設定することができる静電容量の値を有するなど、調整可能または可変のコンデンサを含む。制御信号は、ミッドフィールド送信機に必要なチューニング周波数に基づいて更新または調整できる。
【０１７０】
調整可能または可変コンデンサ要素、または他の固定コンデンサは、本明細書の図１０〜図２４に示されるいくつかの異なる実施形態のうちの１つまたは複数を含むなど、外部供給源１０２の様々な実施形態に適用または実装することができる。図１０を参照すると、例えば、可変コンデンサ要素は、送信機の周りの複数の場所、例えば、スロット１０１０の周りのいくつかの場所、または、円形スロット１０１０から第１の層１００１Ａの中心に向かって延びる４つの放射状スロットまたはアーム１０２１Ａ、１０２１Ｂ、１０２１Ｃ、および１０２１Ｄのうちの１つまたは複数に沿った１つまたは複数の場所に提供され得る。例では、可変コンデンサ要素は、アーム１０２１Ａ〜１０２１Ｄによって分割された４つの象限のそれぞれに１つの可変コンデンサ要素を含むなど、スロット１０１０の周りの異なる位置に設けられる。
【０１７１】
図２５は、層状をした送信機の断面概略図の例を全体的に示す。概略図は、概して、本明細書に示される例のうちの任意の１つまたは複数のうちの一部分に対応することができる。図２５の例では、底部層２５０１は銅のような導電性の第１の層であり、例えば図１０の例の第１の層１００１Ａに対応することができる。すなわち、図２５の底部層２５０１は、図１０の例におけるエッチングされた第１の層１００１Ａであり得る。
【０１７２】
底部層２５０１から上方に移動すると、図２５は第１の誘電層２５０２を含む。この第１の誘電層２５０２は、好ましくはＤｋが約３〜１３の低損失誘電材料を含むことができる。導電性の第１の層２５０２の上方に、第２の誘電層２５０３を設けることができる。導電性の第２の層２５０３は、本明細書で論じられるストリップラインまたは他の励起特徴のうちの１つまたは複数を含むことができる。
【０１７３】
導電性の第２の層２５０３の上方に、第２の誘電層２５０６を設けることができる。第１の誘電層２５０２および第２の誘電層２５０６は、同じまたは異なる材料を含むことができ、同じまたは異なる誘電特性または特性を有することができる。例では、第１および第２の誘電体層２５０２および２５０６は、異なる誘電特性を有することができ、そのような特性は、装置が信号発生器を使用して励起されるときに特定の装置共振特性を達成するように選択される。
【０１７４】
図２５の例では、第２の誘電層２５０６は誘電材料の多層を含むことができる。第２の誘電層が厚くなるにつれて、導電性の第２の層２５０３と導電性の第３の層２５０５との間の距離が増加する。導電性の第３の層２５０５はバックプレーンまたはグラウンドを含むことができる。導電性の第２の層２５０３と第３の層２５０５との間の距離が増加すると、それに応じて送信機の帯域幅が増加することができる。より大きな帯域幅は、より大きなデータスループット、周波数ホッピングのためのより広い動作周波数範囲を可能にし得、また許容公差を増大させることにより製造可能性を改善し得る。
【０１７５】
図２５に示すように、１つまたは複数のビアが層状アセンブリを通って垂直に延びることができる。例えば、第１のビア２５１１は装置の垂直方向の高さを完全に貫通して延びることができ、一方で第２のビア２５１２は装置を部分的に貫いて延びることができる。ビアは、異なる層と様々な駆動回路またはグラウンドとの間に電気通信をもたらすためなどで、様々な導電層にて終端することができる。
【０１７６】
導電性の第３の層２５０５の上方に、他の様々な層を設けることができる。例えば、様々な電子装置を送信機と一体化するために使用することができるなど、多層の銅および／または誘電体を設けることができる。そのような装置は、信号増幅器、センサ、トランシーバ、ラジオ、または他の装置、あるいはそのような装置、例えば抵抗器、コンデンサ、トランジスタなどを含む構成要素の１つまたは複数を含むことができる。外部供給源１０２のためのそのような他の構成要素または回路は、本明細書の他の場所で説明されている。
【０１７７】
送信機の調整
例えばミッドフィールド送信機を含む外部供給源１０２は、植込み型装置１１０または他のミッドフィールド受信機への信号転送効率を高めるように調整または調節することができる。双方向カプラまたはサーキュレータを使用するなど、信号転送特性を監視できる。また、送信機の電力または駆動信号特性を断続的または定期的に更新して、転送効率を高めることができる。例では、ミッドフィールド送信機の調整は、送信機と受信機のアンテナの間のカップリング効率を判定するために使用できるような、反射電力測定に基づいて容量性調整要素の値を調整することを含む。例では、ミッドフィールド送信機の調整は、植込まれたまたは他のミッドフィールド受信機から受信したデータ信号に基づいて容量性調整要素の値を調整することを含み、データ信号は、受信機で受信した信号の質または量に関する情報を含む。
【０１７８】
図２６Ａは、ミッドフィールド送信機の一部を含むことができる双方向カプラ２６０１を含む図を示している。双方向カプラ２６０１は、入力ポートＰ１、送信ポートＰ２、連結ポートＰ３、および分離ポートＰ４を含む複数のポートを含む。入力ポートＰ１は、信号発生器２６１１（例えば、ミッドフィールド送信機装置または外部供給源１０２の信号発生器構成要素）から、テスト信号または電力信号などの信号を受信する。例では、信号発生器２６１１は、約３００ＭＨｚから３ＧＨｚの間の周波数を有するＡＣ信号を提供するように構成される。
【０１７９】
連結ポートＰ３は、信号発生器２６１１から入力ポートＰ１によって受信される信号の一部を受信する。図２６Ａの例では、連結ポートＰ３は、負荷２６３１で終端されている。例では、負荷２６３１は、固定の値の抵抗器（例えば、５０オームの抵抗器）などの、指定された整合インピーダンスを有する基準の負荷を含む。送信ポートＰ２は、信号発生器２６１１から入力ポートＰ１によって受信された信号の別の部分を送信する。換言すれば、送信ポートＰ２は、入力ポートＰ１で受信された信号から連結ポートＰ３で提供されるいずれかの信号を差し引いたもの、および他のいずれかの損失を差し引いたものに対応する信号を送信する。例では、送信ポートＰ２は、アンテナポート２６２１、または図３の例の第１から第４のＲＦポート３１１、３１２、３１３、および３１４のうちの１つなどのミッドフィールド送信機の他の励起ポートと連結される。
【０１８０】
分離ポートＰ４は、受信機回路２６４１に連結することができる。受信回路２６４１は、監視または分析回路を含むことができる。例では、受信機回路２６４１は、分離ポートＰ４から受信された信号を監視し、送信ポートＰ２からの送信電力信号の効率を判定するために使用できるような反射電力に関する情報を提供するように構成される。例では、分離ポートＰ４は、ＲＦダイオード検出器回路またはスイッチに連結されている。スイッチは、植込み型装置１１０から後方散乱通信を受信するためなど、ＲＦダイオード検出器とミキサー回路との間で切り替えるように構成することができる。
【０１８１】
図２６Ａの例では、入力ポートＰ１は、信号発生器２６１１またはミッドフィールド送信機装置の他のトランシーバ回路部分から増幅されたテスト信号を受信する。送信機側の信号特性が受信機装置とよく整合している場合、テスト信号からのエネルギーの比較的大きな部分が双方向カプラ２６０１を介して送信ポートＰ２に供給され、テスト信号のエネルギーの比較的小さな部分が、分離ポートＰ４で供給される。ただし、送信機と受信機の装置が十分に一致していない場合は、テスト信号からのエネルギーの比較的大きな部分が分離ポートＰ４で提供される。したがって、分離ポートＰ４での信号特性を監視および使用して、伝送の質または電力伝送効率を評価したり、障害状態を検出したりすることができる。例では、信号周波数などの入力ポートＰ１に提供されるテスト信号の特性を変更して、信号伝送効率を高めることができる。
【０１８２】
図２６Ｂは、調整可能な負荷２６０２を備えた双方向カプラ２６０１の例を含む図を示している。図２６Ｂの例は、植込まれたミッドフィールド受信機装置との通信などのために後方散乱信号を受信または使用するように構成されたミッドフィールド送信機の一部を含むことができる。少なくとも部分的には、標的受信機に対する外部送信機の位置の変化により、外部送信機の供給源と受信機の間に干渉または干渉の変化が生じる可能性がある。このような干渉は、後方散乱通信の有効性を損なう可能性がある。例では、キャンセル信号を導入して、そのような干渉を軽減または処理するのを補助することができる。例えば、外部送信機は、調整された自己干渉キャンセル信号を生成するように構成されて、キャリア信号を、双方向カプラ２６０１の送信機側から受信機側への自己干渉または漏れ信号から分離するのを補助することができる。
【０１８３】
図２６Ｂの例では、双方向カプラ２６０１は、入力ポートＰ１で（例えば、信号発生器２６１１から）ＲＦ供給源信号を受信することができ、対応する信号を送信ポートＰ２に提供する（例えば、ミッドフィールド送信機の出力ポートまたはアンテナポート２６２１に提供する）および連結ポートＰ３へ提供することができる。連結ポートＰ３は、調整可能な負荷２６０２に給電することができ、調整可能な負荷２６０２は、指定された公称インピーダンスに調整することができる。
【０１８４】
図２６Ｂの例では、調整可能な負荷２６０２は、様々な異なる周波数で公称約５０オームに調整され、特定の動作周波数は、コンデンサＣ１、Ｃ２、およびＣ３のうちの１つまたは複数の静電容量を調整することによって選択することができる。他の公称インピーダンス設定値も同様に使用できる。例では、調整可能な負荷２６０２が連結ポートＰ３に不整合であるようにコンデンサを調整することができ、反射を生成して、送信ポートＰ２からの受信信号（例えば、後方散乱信号）に追加することができる。
【０１８５】
例では、漏れ信号は、分離ポートＰ４に存在することができる（例えば、入力ポートＰ１で提供される入力信号に基づく）。反復アルゴリズムを使用して、分離ポートＰ４を介して受信機回路２６４１（例えば、ＩＱ受信機回路）で受信される信号の電力を最小化して、漏れ信号を軽減し、後方散乱通信の効率を改善することができる。例えば、コンデンサＣ１、Ｃ２、および／またはＣ３によって提供される静電容量は、使用中に調整されて、位相が実質的に反対であり、漏れ信号と大きさが等しいキャンセル信号を提供することができる。したがって、調整可能な負荷２６０２および双方向カプラ２６０１は、外部供給源１０２によって使用されて、動的な制御された反射またはキャンセル信号を生成することができ、それはノイズを最小限に抑え、使用の変化または干渉状態などの下で、後方散乱信号から情報を抽出するのに用いることができる。
【０１８６】
図２６Ａおよび図２６Ｂの例は、双方向カプラ２６０１を含むが、他の例は、同様に、他の要素を含むか、他の要素を使用して、ミッドフィールド送信機とミッドフィールド受信機との間のカップリング効率に関する情報を判定することができる。例えば、サーキュレータを使用して、ミッドフィールド送信機のＲＦポートを励起源と受信機回路の両方に連結することができ、例えば、ミッドフィールド受信機での受信電力信号に関する情報を含むことができる後方散乱または他の信号を受信するように構成することができる。電力信号または信号転送効率に関する情報の符号化または復号化を後方散乱信号または他のデータ信号に含めるなどの循環装置および後方散乱処理は、２０１６年１０月２０日に出願されたＰＣＴ特許出願ＰＣＴ／ＵＳ２０１６／０５７９５２号（例えば、‘９５２出願の図１０５および対応する部分）、および２０１６年９月２１日に出願された米国仮出願第６２／３９７，６２０号（例えば、‘６２０出願の図９および対応する部分）で論じられており、それぞれ参照によりその全体が本明細書に組み込まれる。
【０１８７】
図２７は、例として、ミッドフィールド送信機の調整コンデンサの値を更新するためのプロセスを示す第１のフローチャートを示している。例では、プロセスはレベル検出アルゴリズムまたはレベル発見アルゴリズムに似ているが、発見される「レベル」は、ミッドフィールド送信機の可変または調整可能なコンデンサの静電容量の値である。本明細書で論じられる例では、調整可能なコンデンサは、本明細書の他の場所で論じられるような容量性調整要素、例えば、図２３の例からの１つまたは複数の容量性調整要素２３０１、および／または図２４の例の第１または第２の容量性要素２４０１および２４０２に対応する。容量性調整要素は、図示された送信機の他のものまたは他の図示されていない実施形態に同様に適用することができる。
【０１８８】
図２７の例は、反射電力信号に関する情報を使用して、調整コンデンサの静電容量の値を調整することを含む。例では、反射電力信号に関する情報は、双方向カプラ２６０１の例の分離ポートＰ４で監視される信号に含まれるか、反射電力信号に関する情報は、サーキュレータからのフィードバック信号を使用して判定される。
【０１８９】
図２７の静電容量の値発見の例は、ステップ２７０１で、外部供給源１０２の一部を含むようなミッドフィールド送信機内の第１の調整コンデンサ（本明細書では「調整可能なコンデンサ」、「容量性要素」、「容量性調整要素」または同様の装置と呼ばれることもある）の基準値を適用することから始めることができる。すなわち、ステップ２７０１で、制御信号を調整可能なコンデンサ回路に提供して、調整可能なコンデンサに基準値に対応する静電容量を提供させることができる。基準値は、保存された静電容量の値、指定された初期または開始静電容量の値、以前に使用された静電容量の値、または他の静電容量の値にすることができる。例では、静電容量の値は約０．１ｐＦから１０ｐＦの間である。ステップ２７０２において、この例は、調整可能なコンデンサの静電容量を増加させることを含む。増分の大きさは固定または可変であり得、特定のユースケースの状況に応じて異なる場合がある。例では、増分の大きさは約０．１ｐＦである。静電容量の増分（または減分）は、線形または非線形にすることができる。
【０１９０】
ステップ２７０２での静電容量の増加に続いて、ステップ２７０３は、調整可能なコンデンサを備えた更新された送信機の構成を使用してテスト信号を送信することを含む。ステップ２７０３でのテスト信号の送信は、例えば、双方向カプラ２６０１からの送信ポートＰ２を使用するなど、ミッドフィールド送信機のＲＦポートにテスト信号を提供することを含むことができる。
【０１９１】
ステップ２７０４において、この例は、反射電力特性の測定を含むことができる。反射電力特性の測定は、例えば、双方向カプラ２６０１の分離ポートＰ４での電力レベルの測定を含むことができる。ステップ２７０４での測定の結果に基づいて、調整可能なコンデンサの増加した静電容量を適用することができ、または静電容量を以前の（または他の）静電容量の値に戻すことができる。例えば、反射電力が以前に測定または指定された最小反射電力値よりも小さい場合、例はステップ２７０５に進むことができ、調整可能なコンデンサの増加した静電容量を適用して、送信機から受信機へのさらなる送信に使用することができる。言い換えれば、ステップ２７０４での測定または判定が、より少ない量の電力が反射されていることを示している場合、より多くの電力が受信機装置で受信されていると見なされる。ステップ２７０５に続いて、この例は、指定された期間の間、または静電容量の値のさらなる更新またはチェックをトリガーする割り込みまたは他の表示が受信されるまで、増加した静電容量の値を使用することができる。さらなる更新は、例えば、ステップ２７０２に戻り、静電容量の値を増加させることによって開始することができる。他の例では、さらなる更新はステップ２７１２に進み、静電容量の値の減少を引き起こすことができる。
【０１９２】
ステップ２７０４に戻ると、測定された反射電力が以前に測定または指定された最小反射電力値よりも大きい場合、例はステップ２７０６に進む。この場合、増加した静電容量は、反射されるより大きな量の電力に対応し、伝送効率は、ステップ２７０２で静電容量が変化する前の効率よりも低いと判定される。したがって、調整可能なコンデンサの値は、さらに調整するため、または他の信号転送で使用するために、以前の静電容量の値（または他のデフォルト値）に戻すことができる。
【０１９３】
ステップ２７１２で、調整可能なコンデンサの静電容量の値を減少させることができ、ステップ２７１３で、減少した静電容量の値で更新された送信機の構成を使用してテスト信号を送信することができる。ステップ２７１３でのテスト信号の送信は、例えば、双方向カプラ２６０１からの送信ポートＰ２を使用するなど、ミッドフィールド送信機のＲＦポートにテスト信号を提供することを含むことができる。
【０１９４】
ステップ２７１３から、この例は、反射電力特性を測定しながら、ステップ２７１４に続くことができる。反射電力特性の測定は、例えば、双方向カプラ２６０１の分離ポートＰ４での電力レベルの測定を含むことができる。ステップ２７１４での測定の結果に基づいて、調整可能なコンデンサの減少した静電容量を使用することができ、または静電容量を以前の静電容量の値（または他のデフォルト値）に戻すことができる。例えば、反射電力が以前に測定された値または最小反射電力値よりも小さい場合、例は、信号送信のために現在の減少した静電容量の値を使用することができ、および／または例はステップ２７１２に進むことができる。言い換えれば、ステップ２７１４での測定または判定が、より少ない量の電力が反射されていることを示す場合、より多くの電力が受信機装置で受け取られると想定され、減少した静電容量の値を指定された期間、または割り込みまたはその他の指示を受信してさらに更新をトリガーするまで、適用することができる。さらなる更新は、例えば、ステップ２７１２に戻り、静電容量の値をさらに減少させることによって開始することができる。他の例では、さらなる更新は、ステップ２７０２に進み、静電容量の値の増加をトリガーすることができる。
【０１９５】
ステップ２７１４に戻ると、測定された反射電力が以前に測定された、または指定された最小反射電力値よりも大きい場合、例はステップ２７１６に進む。この場合、静電容量の減少は反射される電力の量が多いことに対応し、伝送効率は静電容量が変化する前の効率よりも低いと判断される。したがって、調整可能なコンデンサの値は、さらに調整するため、または他の信号転送で使用するために、以前の静電容量の値（または他のデフォルト値）に戻すことができる。
【０１９６】
図２８は、例として、ミッドフィールド送信機の調整コンデンサの値を更新するためのプロセスを示す第２のフローチャートを示している。図２８の例は、植込まれたミッドフィールド受信機装置でまたはそれによって受信されるような電力信号に関する情報を使用して、調整コンデンサの静電容量の値を調整することを含む。例では、電力信号に関する情報は、ミッドフィールド送信機に連結された受信機回路を使用して受信できるような、植込まれたまたは他のミッドフィールド受信機装置から受信されたデータ信号の一部を含む。言い換えれば、図２８の例は、植込まれたミッドフィールド装置に搭載された回路を使用して、植込まれたミッドフィールド装置で受信された電力信号の値を測定し、次に、測定値に関する情報を送信機に送り返すことを含むことができ、例えば変調および符号化された後方散乱信号を使用するか、データ通信に別のチャネルを使用する。送信機によって受信された情報は、例えば、電力信号の送信および受信効率を向上させるなど、送信信号の特性を更新または調整するために使用することができる。
【０１９７】
図２８の例は、図２７で上で論じた例と同様の、調整コンデンサの可変静電容量のためのレベル検出または値発見アルゴリズムを含む。図２８の静電容量の値の発見例は、ステップ２８０１で、ミッドフィールド送信機の第１の調整コンデンサに基準値を適用することから始めることができる。すなわち、ステップ２８０１で、調整可能なコンデンサを更新して、基準値に対応する静電容量を提供することができる。基準値は、保存された静電容量の値、指定された初期または開始静電容量の値、以前に使用された静電容量の値、または他の静電容量の値にすることができる。例では、静電容量の値は約０．１ｐＦから１０ｐＦの間である。ステップ２８０２で、この例は、調整可能なコンデンサの静電容量を増加させることを含む。増分の大きさは固定または可変であり得、特定のユースケースの状況に応じて異なる場合がある。例では、増分の大きさは約０．１ｐＦである。
【０１９８】
ステップ２８０２での静電容量の増加に続いて、例は、調整可能なコンデンサを備えた更新された送信機の構成を使用してテスト信号を送信することを含むステップ２８０３に進むことができる。ステップ２８０３でのテスト信号の送信は、例えば、双方向カプラ２６０１からの送信ポートＰ２を使用するなど、ミッドフィールド送信機のＲＦポートにテスト信号を提供することを含むことができる。
【０１９９】
ステップ２８０４で、この例は、受信機装置での受信電力特性の測定を含むことができる。受信電力特性の測定には、例えば、植込まれた装置で受信された電力信号の大きさの測定が含まれ得る。ステップ２８０４での測定値に基づいて、調整可能なコンデンサの増加した静電容量を適用することができ、または静電容量を以前の静電容量の値（または他のデフォルト値）に戻すことができる。例えば、受信電力が以前に測定された値または最小受信電力値よりも小さい場合、例はステップ２８０６に進むことができる。この場合、増加した静電容量は、反射または失われるより多くの電力に対応し、伝送効率は、ステップ２８０２での静電容量の増加前の効率よりも低い。したがって、調整可能なコンデンサの値は、さらなる調整のために、または他の信号転送で使用するためなど、ステップ２８０６で以前の静電容量の値（または他のデフォルト値）に戻すことができる。この例は、以下で説明するステップ２８１２に進むことができる。
【０２００】
ステップ２８０４に戻ると、測定された受信電力が以前に測定されたまたは指定された最小受信電力値よりも大きい場合、例はステップ２８０５に進み、調整可能なコンデンサの増加した静電容量を適用して、送信機から受信機へのさらなる送信に使用することができる。ステップ２８０５に続いて、この例は、指定された期間の間、または割り込みまたは他の指示が受信されてさらなる更新をトリガーするまで、増加した静電容量の値を使用することができる。さらなる更新は、例えば、ステップ２８０２に戻り、静電容量の値をさらに増加させることによって開始することができる。他の例では、さらなる更新はステップ２８１２に進み、静電容量の値の減少を引き起こすことができる。
【０２０１】
ステップ２８１２で、調整可能なコンデンサの静電容量の値を減少させることができ、ステップ２８１３で、減少した静電容量の値で更新された送信機の構成を使用してテスト信号を送信することができる。ステップ２８１３でのテスト信号の送信は、例えば、双方向カプラ２６０１からの送信ポートＰ２を使用するなど、ミッドフィールド送信機のＲＦポートにテスト信号を提供することを含むことができる。
【０２０２】
ステップ２８１３から、例は、受信電力特性を測定することでステップ２８１４に続くことができる。ステップ２８１４での測定の結果に基づいて、調整可能なコンデンサの減少した静電容量を適用することができ、または静電容量を以前の静電容量の値（または他のデフォルト値）に戻すことができる。例えば、受信電力が以前に測定された値または最小反射電力値よりも小さい場合、例はステップ２８１６に進む。この場合、静電容量の減少は、伝達効率の低下などにより、インプラントで受信される電力量が少なくなることに対応する。したがって、調整可能なコンデンサの値は、さらなる調整のために、または他の信号転送で使用するために、以前の（または他の）静電容量の値に戻すことができる。
【０２０３】
ステップ２８１４に戻ると、測定された受信電力が以前に測定または指定された最小反射電力値よりも大きい場合、例は、ステップ２８１２の調整または調節前など、送信機から受信機へのさらなる送信のために調整可能なコンデンサの減少した静電容量を使用することを含むことができる。すなわち、ステップ２８１４に続いて、この例は、指定された期間の間、または割り込みまたは他の指示が受信されてさらなる更新をトリガーするまで、減少した静電容量の値を使用または適用することができる。さらなる更新は、例えば、ステップ２８１２に戻り、静電容量の値をさらに減少させることによって開始することができる。他の例では、さらなる更新はステップ２８０２に進み、静電容量の値の増加をトリガーすることができる。
【０２０４】
図２７および図２８に記載されている静電容量の値発見アルゴリズムまたはプロセスは、装置が最初に使用されるときに実行することができ、または定期的または断続的に実行することができる。既知の良好な静電容量の値は、送信機に搭載されたメモリ回路で指定、プログラム、および／または保存でき、特定の装置が最初電源を入れたまたは調整その他の不使用期間後に、開始点として（例えば、ステップ２７０１および／または２８０１で）使用できる。
【０２０５】
図２９は、例として、調整コンデンサまたは可変コンデンサ回路２９１５を備えた送信機２９００の一部を示している。図示された部分は、本明細書で論じられた、または本明細書で例示された送信機の例のいずれか１つまたは複数に同様に適用できる１つまたは複数の特徴を含むことができる。
【０２０６】
例示的な送信機２９００は、（図示の観点において）最上層２９０１、中間層２９０２、および最下層２９０３を含むいくつかの層を含むことができ、上部、中間、および下部の層２９０１、２９０２、および２９０３間に１つまたは複数の他の層（図示せず）が挿入される。この例では、様々な回路を最上層２９０１上に配置することができる。例えば、駆動回路、処理回路、および可変コンデンサ回路２９１５を最上層２９０１に設けることができる。
【０２０７】
最上層２９０１は、トレースまたは構成要素を最上層２９０１から送信機２９００内の他の１つまたは複数の層に電気的に接続するキャスタレーション特徴、ビア、スルーホール、または他の導電性部分を含むことができる。例では、最上層２９０１は、その周囲に提供され、他の層の１つまたは複数に連結されたビアまたは他の導体と一致するキャスタレーション特徴（図示せず）を含む。例えば、可変コンデンサ回路２９１５は、中間層２９０２を通って延びるビアと連結され、さらに、最下層２９０３の異なる導電性部分と連結する一対のキャスタレーション特徴に連結することができる。
【０２０８】
例では、最下層２９０３はスロット２９１０を含み、可変コンデンサ回路２９１５のそれぞれの端子は、ビアを使用してスロット２９１０のそれぞれの側の導電性部分に連結することができる。最上層２９０１上の他のキャスタレーション特徴は、中間層２９０２のストリップライン、接地面、または他の特徴、層、または装置に連結することができる。図２９の例では、中間層２９０２または別の介在層に設けられるようなストリップライン２９２１を、第１のビア２９２２を使用して最上層の駆動回路に連結することができる。
【０２０９】
例では、ミッドフィールド送信機から植込み受信機への電力信号転送の効率は、複数の異なる送信機調整設定のそれぞれなど、複数の周波数にわたって監視することができる。監視された情報は、特定の周波数で最大の信号転送効率を提供する送信機の調整を識別または判定するために使用できる。例では、送信機の一部を構成する調整可能なコンデンサの複数の異なる静電容量の値をテストするための回路を含むことができるなど、送信機に搭載されている回路を使用して、異なる送信機の調整をテストすることができる。
【０２１０】
図３０は、例として、ある範囲の周波数、および送信機に連結された調整可能なコンデンサの異なる静電容量の値についての信号伝達効率情報を示す第１のチャートを示している。この例では、ミッドフィールド送信機は組織から約１４．６ミリメートル離れているため、送信機は組織によって弱い負荷をかけられている。言い換えれば、組織は送信機の調整にほとんど影響を与えない。ｙ軸は、ミッドフィールド送信機から受信機への相対的なエネルギーまたは電圧伝達比を表し、ｘ軸は動作周波数または駆動周波数を表す。一般に、使用する送信周波数は指定または既知であり、送信機は静電容量の値発見アルゴリズムを実行して（例えば、図２７および図２８の例を参照、ただし他の手法を使用することもできる）、送信機と受信機の間の電力伝送効率を最大化するなど、送信機を受信機と最適に一致するように調整するのに使用する静電容量の値を特定する。
【０２１１】
図３０の例では、異なるトレースは、ミッドフィールド送信機で使用される可変または調整可能なコンデンサの異なる値に対応する。第１のトレース３００１は、調整可能なコンデンサの最大静電容量の値（例えば、５ｐＦ）に対応し、第２のトレース３００２は、調整可能なコンデンサの最小静電容量の値（例えば、０．５ｐＦ）に対応する。図３０の例では、目標または所望の動作周波数は８９０ＭＨｚであり得る。したがって、送信機または他の回路は、値発見プロセスを実行して、ミッドフィールド送信機システムの応答または効率を最大化する調整可能なコンデンサの値を識別することができる。この例では、８９０ＭＨｚでの最大効率は、第２のトレース３００２よりも第１のトレース３００１に近くなっている。例では、最大効率は、約４ｐＦの静電容量の値に対応するなど、図の第３の曲線に対応する。
【０２１２】
図３１は、例として、ある範囲の周波数、および送信機に連結された調整可能なコンデンサの異なる静電容量の値についての反射の情報を示す第２のチャートを示している。この例では、ミッドフィールド送信機は組織から約１４．６ミリメートル離れており、送信機は組織によって弱い負荷をかけられている。図３１の例は、送信機での反射比を分析または使用して、最大効率のために送信機を調整する値発見プロセスを表すか、使用することができる。この例では、図表の値が小さいほど、特定の周波数での送信機と受信機のマッチングが優れていることを示している。言い換えると、トレースの谷間は、複数の異なる容量性の調整の値各々など、エネルギーが送信機を最もよく離れることができる周波数を表す。
【０２１３】
図３１の例では、目標または所望の動作周波数は９００ＭＨｚであり得る。送信機または他の回路は、値発見プロセスを実行して、システムの反射特性を最小化する調整可能なコンデンサの値を識別できる。つまり、目的の周波数での応答曲線の最小値を識別する。この例では、最大効率は、約３ｐＦの静電容量の値に対応するなど、チャートの左から７番目付近の曲線に対応できる。
【０２１４】
例では、図３１の例からの送信機が組織に接近し、組織から１４．６ミリメートル未満離れている場合、図示の曲線は左にシフトし、より低い周波数でより高い効率を示す。したがって、送信機から組織までの距離が変化すると、それに応じて負荷状態が変化し、送信機を調整または調節して最大の効率を維持することができる。
【０２１５】
図３２は、例として、ある範囲の周波数、および送信機に連結された調整可能なコンデンサの異なる静電容量の値についての信号伝達効率情報を示す第３のチャートを示している。この例では、ミッドフィールド送信機は組織から約２ミリメートル離れており、送信機は組織によって比較的強く負荷をかけられる。この例では、９００ＭＨｚでの転送効率を最大化するために、調整可能なコンデンサの最小の静電容量の値が選択されている。
【０２１６】
図３０の例と比較したような図３２の例では、効率曲線は、組織の負荷効果などのために、比較的低い周波数へと、左にシフトする。この例では、送信機と受信機のシステムの無線信号転送効率を最大化するために、調整可能なコンデンサに最小量の静電容量（例えば、０．５ｐＦ）が使用される。
【０２１７】
図３３は、例として、周波数の範囲にわたって、送信機に連結された調整可能なコンデンサの異なる静電容量の値について、電圧定在波比（ＶＳＷＲ）の情報を使用して判定されるような、反射係数情報を示す第４のチャートを示す。この例では、ミッドフィールド送信機は組織から約２ミリメートル離れており、送信機は組織によって比較的強く負荷をかけられる。この例では、９００ＭＨｚでの転送効率を最大化するために、調整可能なコンデンサの最大の静電容量の値（例えば、５ｐＦ）が選択されている。
【０２１８】
図３３の例は、送信機での反射率を分析または使用する値発見プロセスを表す、または使用することができる。この例では、図表の値が小さいほど、特定の周波数での送信機と受信機のマッチングが優れていることを示している。言い換えると、トレースの谷間は、複数の異なる容量性の調整の値各々で、エネルギーが送信機を最もよく離れることができる周波数を表す。最大静電容量の値に対応する曲線には、９００ＭＨｚの目標動作周波数に最も近い谷間が含まれているため、その最大静電容量の値を選択して使用できる。
【０２１９】
しかし、図３３は、十分な量のデータが収集されない限り、反射係数情報を使用して転送効率についての判定を行うことは人を誤らせる可能性があることを示している。例えば、図３３の様々なトレースは、「ダブルディップ」挙動を示し、約８１０ＭＨｚ〜８８０ＭＨｚという周波数の範囲で最初の谷間を示し、約９０５ＭＨｚ〜９７０ＭＨｚという周波数の範囲で別の谷間を示す。近くの組織によって負荷をかけられる送信機を含む例では、値発見アルゴリズムを構成して、特定の谷間が真の最小値を表すかどうか、特定の使用状態でシステムに異なるさらに小さな最小値が存在するかどうかを確認するべきである。あるいは、値発見アルゴリズムは、利用可能な静電容量（または他の）調整値の全範囲にわたってより包括的な探索を実行するように構成できる。これは、時間がかかり、エネルギーを大量に消費する可能性がある。
【０２２０】
例では、容量性調整要素の値の対応する掃引の有無などの周波数の掃引からの情報を使用して、外部供給源１０２が組織の近くまたは隣接している可能性を判定することができる。例では、外部供給源１０２が組織の近くにある可能性を判定することは、植込み型装置１１０の探索に先行する。
【０２２１】
図３４は、一般に、外部供給源１０２が組織の近くにあるかどうかを識別し、それが組織の近くにある場合、植込み型装置１１０を探索するかどうかを識別することを含む例を示す。ステップ３４０１で、外部供給源１０２は、励起信号を使用して、励起信号を１つまたは複数の励起信号周波数で１つまたは複数のミッドフィールド送信機要素に提供することによって、または周波数掃引を使用することなどによって、ミッドフィールド送信機を励起することができる。例では、ステップ３４０１での励起は、外部供給源１０２のデフォルトまたは基準調整の構成を使用することを含む。ステップ３４０２で、外部供給源１０２は、ＶＷＳＲまたは反射係数を監視して、外部供給源１０２からの伝送効率を識別することができる。ステップ３４０３で、外部供給源１０２からの処理回路は、ステップ３４０２からの反射信号を分析して、反射信号が、外部供給源１０２付近の組織の存在などにより外部供給源１０２の負荷を示すことができる谷間または他の特性を含むかどうかを判定することができる。図３１および図３３の例に示されるような反射信号における谷間の存在または特性などの反射に関する情報に基づいて、外部供給源１０２は、組織の近くにあると判定することができる。反射信号に谷間または他の特性が存在しない場合、ステップ３４０４で、例は、外部供給源１０２の待機モードまたはスタンバイモードの開始を含むことができる。しかし、谷間または他の特性が反射信号で識別される場合、例はステップ３４０５に続くことができる。
【０２２２】
ステップ３４０５で、この例は、励起信号を使用して外部供給源１０２を励起し、外部供給源１０２に対して利用可能な調整パラメータを掃引することを含む。例では、調整パラメータを掃引することは、本明細書の他の場所で論じられるように、調整可能なコンデンサの掃引の値を含む。ステップ３４０６において、ＶＷＳＲまたは反射信号は、ステップ３４０５で使用される異なる調整パラメータのそれぞれについて監視され得る。ステップ３４０７で、外部供給源１０２のプロセッサは、最大の伝送効率または最小の反射に対応する調整パラメータを識別することができる。図３１および図３３の例では、最大の伝送効率に対応する調整パラメータは、特定の周波数の範囲での最も深い谷間に対応する。
【０２２３】
ステップ３４０８で、ステップ３４０７で識別された調整パラメータの値を分析して、それが指定された調整パラメータ範囲内にあるかどうかを判定することができる。例えば、使用可能な最大の静電容量の値が使用のため識別され、その最大値が指定された調整パラメータの範囲外にある場合、外部供給源１０２は組織に十分に近くない可能性があり、例は、組織が発見されなかったことを示すことによって、ステップ３４０９に続くことができる。同様に、ＶＷＳＲまたは反射係数のディップまたは谷間が、例えば８８０ＭＨｚから９４０ＭＨｚの周波数掃引で観察されない場合、外部供給源１０２は組織が発見されなかったと見なすことができ、外部供給源１０２はステップ３４０４で待機モードに入ることができる。しかし、ＶＷＳＲのディップまたは谷間に対応する静電容量の値が指定された調整パラメータ範囲内にある場合、外部供給源１０２は、組織が発見されたと見なせ、ステップ３４１０で植込み型装置１１０との通信を試みながら処理することができる。
【０２２４】
したがって、図３４の例を使用して、送信機または外部供給源１０２に反射して戻される最小量の電力に対応する調整パラメータを識別することができる。その結果、外部供給源１０２に搭載されたプロセッサを使用して、外部供給源１０２がさらなる処理供給源を消費し、植込み型装置１１０の探索モードに入る必要があるかどうかを判定することができる。このように動作することは、外部供給源１０２が電池の消耗を減らし、不必要な放出を減らすのを補助することができる。
【０２２５】
図３５は、一般に、外部供給源１０２が組織の近くにあるまたは隣接している可能性を判定するために、調整コンデンサ掃引からの情報を使用することを示すチャート３５００の例を示す。チャートには、ｘ軸に調整コンデンサの状態（様々な静電容量の値に対応）が含まれ、ｙ軸に反射係数が含まれている。図３５の例は、約９０２ＭＨｚの励起中心周波数に対応するが、他の周波数も同様に使用することができ、同様の結果が期待される。図３５の例は、異なる掃引の例に対応する複数のトレースまたは曲線を含み、外部供給源１０２は、シミュレートされた組織および金属板から異なる距離に配置されている。
【０２２６】
例では、チャート３５００は、オープンエアで、すなわち、組織から離れて、また金属板から離れて使用される外部供給源１０２の基準反射特性を示す第１の曲線３５０１を含む。第１の曲線３５０１は、２２のコンデンサの状態（例えば約５ｐＦなどの特定の静電容量の値に対応する）で最小値または谷間を示す。オープンエアのコンデンサ状態を基準として使用して、外部供給源１０２は、検査状態で使用するための調整コンデンサ状態の閾値を設定することができる。例えば、外部供給源１０２が組織のためにテストしていて、結果として生じるコンデンサの状態が閾値以上にまで下がる場合、外部供給源１０２は、組織の近くにない可能性が高く、したがって処理、バッテリ、または他の供給源を使用して、植込み型装置１１０を見つける、または通信することを試みるべきであるということを認識するよう構成し得る。他方、外部供給源１０２が組織のために検証し、結果として生じるコンデンサの状態が閾値を下回る場合、外部供給源１０２は、外部供給源１０２が組織に隣接している可能性がより高く、植込み型装置１１０との通信を試みるためにさらなる装置供給源を利用可能にすることができることを認識するように構成することができる。
【０２２７】
例では、第２の曲線３５０２Ａおよび３５０２Ｂは、それぞれ、金属板から第１の距離を備え、組織から同じ第１の距離を備える外部供給源１０２に対応することができる。第２の曲線３５０２Ａおよび３５０２Ｂに対応するそのような負荷構成の外部供給源１０２について、約１９の調整コンデンサの状態を識別することができる。すなわち、外部供給源１０２は、外部供給源の調整可能なコンデンサが状態１９に対応する静電容量の値（例えば、約３ｐＦの静電容量の値に対応する）に調整されるときに、最大の伝達効率を有することができる。
【０２２８】
図３５の例では、第３の曲線３５０３Ａおよび３５０３Ｂは、それぞれ、金属板および組織から２番目に短い距離を備える外部供給源１０２に対応することができる。第３の曲線３５０３Ａおよび３５０３Ｂに対応するそのような負荷構成の外部供給源１０２について、約１７の調整コンデンサ状態を識別することができる。すなわち、外部供給源１０２は、外部供給源の調整可能なコンデンサが状態１７に対応する静電容量の値（例えば、約２ｐＦの静電容量の値に対応する）に調整されるときに、最大の伝達効率を有することができる。同様に、第４の曲線３５０４Ａおよび３５０４Ｂは、それぞれ、金属板および組織から３番目および最小の距離を備える外部供給源１０２に対応することができる。第４の曲線３５０４Ａおよび３５０４Ｂに対応するそのような負荷構成の外部供給源１０２について、約１３の調整コンデンサの状態を識別することができる。すなわち、外部供給源１０２は、外部供給源の調整可能なコンデンサが状態１３に対応する静電容量の値（例えば、約１ｐＦの静電容量の値に対応する）に調整されるときに、最大の伝達効率を有することができる。
【０２２９】
チャート３５００は、一般に、最小反射係数および最小のコンデンサの状態（例えば、外部供給源１０２の調整可能なコンデンサの最小の静電容量の値に対応する）が最大転送効率を示すことを示している。さらに、特定の最小値でのより低いコンデンサの状態およびより低い静電容量の値は、外部供給源１０２が組織に対してより近く配置されていることに対応する。しかし、図３５の例に示されるように、外部供給源１０２が金属板などの他の導電性材料の近くでまたは隣接して使用される場合、組織の識別は混乱する、または損なわれる可能性がある。この問題に対処するために、様々な信号処理および装置構成手法を適用できる。例では、外部供給源１０２が使用または励起され、それが組織に隣接していない場合と比較して、外部供給源１０２が使用または励起され、それが組織に隣接している場合、異なる送信信号プロファイルを観察することができる。言い換えれば、送信機の反対方向のポートまたは放出構造の間の連結の表示を利用して、外部供給源１０２が組織の近くにあるか組織が近くにないかを判定することができる。
【０２３０】
例では、組織を探索する際金属板または他の混乱効果を補うことは、送信機の第１の位置にある１つのポートからの送信と、同じ送信機の同じ偏波を有する反対方向のポートからの受信を含む、または使用することができる。図１１の例からの第１の送信機１０００を含む例では、金属板または他の混乱効果を補うことは、第１の駆動信号を第１のストリップライン１１３１Ａに提供し、第３のストリップライン１１３１Ｃに連結されるセンサまたは受信機回路を使用して応答または反射信号を受信することを含み得る。そのような技術の例は、図３６を参照して説明される。
【０２３１】
図３６は、一般に、外部供給源１０２の複数の異なる使用状態に対するクロスポート透過係数を示すチャート３６００の例を示している。チャートには、ｘ軸に調整コンデンサの状態（様々な静電容量の値に対応）が含まれ、ｙ軸にクロスポート透過係数が含まれている。図３６の例は、約９０２ＭＨｚの励起中心周波数に対応するが、他の周波数も同様に使用することができ、同様の結果が期待される。図３６の例は、異なる掃引の例に対応する複数のトレースまたは曲線を含み、外部供給源１０２は、シミュレートされた組織および金属板から異なる間隔または距離に配置されている。外部供給源１０２が金属板に隣接して配置される場合、第２、第３、および第４の曲線３６０２Ａ、３６０３Ａ、および３６０４Ａの様々なピークによって示されるように、送信機の反対方向のポート間に比較的高度のカップリングがある。しかし、外部供給源１０２が金属板に隣接して配置される場合、第２、第３、および第４の曲線３６０２Ｂ、３６０３Ｂ、および３６０４Ｂのよりミュートまたはプラトーの外形によって示されるように、送信機の反対方向のポート間に比較的高度のカップリングがある。
【０２３２】
チャート３６００は、オープンエアで使用され、すなわち、組織から離れて、また金属板から離れて使用される外部供給源１０２の基準反射特性を示す第１の曲線３６０１を含む。第１の曲線３６０１は、２３のコンデンサの状態（例えば約５ｐＦなどの特定の静電容量の値に対応する）で最小値または谷間を示す。例では、オープンエアのコンデンサ状態を基準として使用して、検査状態で使用するための調整コンデンサ状態の閾値を設定することができる。例えば、外部供給源１０２が組織のために検証して、結果として生じるコンデンサの状態が閾値以上になる場合、外部供給源１０２は、それが組織の近くにない可能性が高く、したがって処理、バッテリ、または他の供給源を使用して、植込み型装置１１０を見つけたり、通信したりすることを試みる必要があるということを認識するよう構成し得る。他方、外部供給源１０２が組織のために検証し、結果として生じるコンデンサの状態が閾値を下回る場合、外部供給源１０２は、外部供給源１０２が組織に隣接している可能性がより高く、植込み型装置１１０との通信を試みるためにさらなる装置供給源を利用可能にし得ることを認識するように構成することができる。
【０２３３】
例では、第１の曲線３６０１に特徴的な波形の形状または形態を基準状態として使用することができる。例えば、勾配、ピーク、幅、大きさ、または他の特性のうちの１つまたは複数の特性を使用することができる。測定された応答からのデータは、基準状態または基準特性と比較でき、例えば、好ましいコンデンサの状態を選択するために調整できる。
【０２３４】
例では、第２の曲線３６０２Ａおよび３６０２Ｂは、それぞれ、金属板および組織から第１の距離を提供される外部供給源１０２に対応することができる。第２の曲線３６０２Ａおよび３６０２Ｂに対応するそのような負荷構成の外部供給源１０２について、約２２の調整コンデンサ状態を識別することができる。すなわち、外部供給源１０２は、外部供給源の調整可能なコンデンサが状態２２に対応する静電容量の値に調整されるときに、最大の転送効率を有することができる。図３５の例では、最小の谷間における第２の曲線３５０２Ａおよび３５０２Ｂの反射係数の差は、約０．０８単位である。しかし、図３６の例では、クロスポートカップリング係数の差は約０．１単位である。
【０２３５】
図３６の例では、第２の曲線３６０２Ａおよび３６０２Ｂのピーク挙動に特徴的な形態は、第１の曲線３６０１のピーク挙動に特徴的な形態とは異なる。すなわち、金属板に対応する第２の曲線３６０２Ａは、第１の曲線３６０１に比べて狭いピーク特性を有し、組織に対応する第２の曲線３６０２Ｂは、第１の曲線３６０１に比べて広いまたはあまり目立たないピーク特性を有する。これは、静電容量掃引曲線の形態特性を使用して、装置の配置を識別し、不適切または障害状態での使用から組織の近くで使用できることを示している。
【０２３６】
図３６の例では、第３の曲線３６０３Ａおよび３６０３Ｂは、それぞれ、金属板および組織から２番目に短い距離を提供する外部供給源１０２に対応することができる。第３の曲線３６０３Ａおよび３６０３Ｂに対応するそのような負荷構成の外部供給源１０２について、約１９の調整コンデンサ状態を識別することができる。図３５の例では、最小の谷間での第３の曲線３５０３Ａおよび３５０３Ｂの反射係数の差は、約０．０８単位である。しかし、図３６の例では、クロスポートカップリング係数の差は約０．１５単位である。
【０２３７】
図３６の例では、第３の曲線３６０３Ａおよび３６０３Ｂのピーク挙動に特徴的な形態は、第１の曲線３６０１のピーク挙動に特徴的な形態とは異なる。すなわち、金属板に対応する第３の曲線３６０３Ａは、第１の曲線３６０１と比較してより狭いピーク特性を有し、一方、組織に隣接する外部供給源１０２の使用に対応する第３の曲線３６０３Ｂは、第１の曲線３６０１と比較してより広いまたはより目立たないピーク特性を有する。
【０２３８】
同様に、第４の曲線３６０４Ａおよび３６０４Ｂは、それぞれ、金属板および組織から３番目および最小の距離を提供する外部供給源１０２に対応することができる。第４の曲線３６０４Ａおよび３６０４Ｂに対応するそのような負荷構成の外部供給源１０２について、約１６の調整コンデンサ状態を識別することができる。図３５の例では、最小の谷間における第４の曲線３５０４Ａおよび３５０４Ｂの反射係数の差は、約０．０８単位である。しかし、図３６の例では、クロスポートカップリング係数の差は約０．２単位である。
【０２３９】
図３６の例では、第４の曲線３６０４Ａおよび３６０４Ｂのピーク挙動に特徴的な形態は、第１の曲線３６０１のピーク挙動に特徴的な形態とは異なる。すなわち、金属板に対応する第４の曲線３６０４Ａは、第１の曲線３６０１と比較してより狭いピーク特性を有し、一方、組織に隣接する外部供給源１０２の使用に対応する第４の曲線３６０４Ｂは、第１の曲線３６０１と比較してより広いまたはより目立たないピーク特性を有する。
【０２４０】
例では、クロスポートカップリングの相対的な違いに関する情報を使用して、外部供給源１０２が組織の近くにあるかどうかを判断し、組織の存在を外部供給源１０２の近くの他の材料の存在から区別することができる。別の例では、信号の形態またはピーク特性に関する情報を使用して、外部供給源１０２が組織の近くにあるかどうかを判断し、組織の存在を外部供給源１０２の近くの他の材料の存在から区別するのに寄与することができる。
【０２４１】
例では、外部供給源１０２は、外部供給源１０２が組織の近くまたは隣接して適切に配置されたときに、学習モードを使用して１つまたは複数の既知の良好なコンデンサの状態の基準を確立するようにプログラムすることができる。例では、参照は、様々な励起信号の形態特性、反射係数、および／または１つまたは複数の励起周波数などのクロスポート透過係数に関する情報を含むことができる。次に、外部供給源１０２をテストモードで使用して、実際の負荷状態が基準と一致するか、または近似するかどうかを判定することができる。テスト中の状態が、指定された許容誤差で基準に適合してはいない場合、外部供給源１０２は、その装置供給源を使用して、植込み型装置１１０を探したり、通信を試みたりすることを阻害することができる。しかし、テスト中の状態が基準に適合している場合、外部供給源１０２は、電力および／またはデータを植込み型装置１１０に通信しようと試みることができる。
送信機保護回路
【０２４２】
図３７は、一般に、外部供給源１０２に使用または含まれ得る送信機回路３７００の例を示している。送信機回路３７００は、駆動および分割回路３７１０、第１の保護回路３７２０、および第２の保護回路３７６０を含むことができる。図３７の例では、第１の保護回路３７２０は、アンテナ３００と、駆動および分割回路３７１０との間に連結されている。本明細書のいくつかの例および説明では、第１および第２の保護回路３７２０および３７６０は、送信機または送信機によって処理される信号の１つまたは複数の態様を制御するために使用できるため、それぞれ第１および第２の制御回路と呼ばれる。
【０２４３】
送信機回路３７００およびその様々な保護回路は、増幅器の安全な動作範囲内の出力負荷に対して所望の設定点に出力電力を維持しながら、出力負荷の不整合による損傷などから回路の増幅器を保護するように構成された出力電力制御を含む。出力負荷の不整合は、意図された患者の公称の環境とは実質的に異なる環境（例えば、組織に隣接している、または組織のインターフェースから指定された距離にある）にアンテナがある場合、またはＲＦ出力パスのいずれかに障害が存在する場合に発生する可能性がある。図３７の例では、第１の保護回路３７２０は、４つの内部制御ループ（高速ループ）、すなわち第１、第２、第３、および第４のチャネルドライバ３７２１、３７３１、３７４１、および３７５１を含み、これらはそれぞれ、シャットダウンするか、高い不整合が検出された場合は、その中のいずれかの順方向パス増幅器を減衰させるように構成される。第２の保護回路３７６０は、自動レベル制御（ＡＬＣ）モードで実質的に連続的に動作し、変化する増幅器駆動、温度、および負荷状態の下で目標のＲＦ出力電力を供給するように構成され、指定された安全な動作状態外で発生する可能性のある負荷の不整合に対する電力出力電力を削減するように構成された外部ループ（メインループ）を含む。つまり、十分に整合している負荷の場合、メインループはＲＦ出力電力を目的のレベルに維持するのに役立ち得るが、負荷が整合していない場合は、メインループを使用してＲＦ出力電力を増幅器回路の安全なレベルに、逆方向電力特性に応じて低減できる。
【０２４４】
例では、送信機回路３７００は、チャネルドライバの１つ、２つ、または３つがシャットダウンされたとき（例えば、検出された不整合状態のために）、低減されたＲＦ出力電力で動作を維持するように構成され得る。この場合、残りのアクティブチャネルドライバはメインループを駆動し、負荷状態に見合った目標電力レベルでＲＦ出力を供給し続けることができる。
【０２４５】
外部供給源１０２は、一般に、アンテナ３００が組織の近くまたは隣接して配置されたときに最適な使用および効率のために構成される。外部供給源１０２が代わりに金属の表面またはオープンエアに配置されている場合、アンテナの不整合および装置の出力での強い反射が存在する可能性がある。このような使用例は、不整合の状態を特定して軽減できない限り、外部供給源１０２に損傷を与える可能性がある。したがって、送信機回路３７００は、例えば、外部供給源１０２が組織から離れて配置されている場合に、外部供給源１０２の増幅器回路を保護するように構成される。送信機回路３７００はまた、外部供給源１０２が組織から離れて配置され、したがって、植込まれた装置に関して使用されていないときに、偶発的な放射線（したがって、電池を消費）を低減するように構成される。例では、送信機回路３７００は、１つまたは複数の反射電力特性を検出し、検出された反射電力特性から不整合状態が存在するかどうかを識別し、回路で使用される１つまたは複数の増幅器の利得または減衰特性を変更することによって応答する。言い換えれば、送信機回路３７００は、出力負荷の不整合による損傷に対する保護を提供する。
【０２４６】
その損傷防止機能と実質的に同時に、送信機回路３７００は、公称動作状態下で一定の出力電力を維持するように構成される。送信機回路３７００によって駆動されるようなアンテナが、意図された患者の公称環境とは実質的に異なる環境で使用される場合、またはＲＦ出力またはアンテナ励起経路のいずれかに障害が存在する場合、出力負荷の不整合が発生する可能性がある。例では、送信機回路３７００は、重大なアンテナ不整合状態が検出されたときに１つまたは複数の順方向経路増幅器を減衰またはシャットダウンすることができる比較的高速または迅速応答の内部制御ループ（例えば、第１の保護回路３７２０を参照）を含む。送信機回路３７００は、自動レベル制御モードで実質的に連続的に動作して、変化する順方向信号駆動および負荷状態の下で目標ＲＦ出力電力を供給することができる外部ループ（例えば、第２の保護回路３７６０を参照）をさらに含み、負荷の不整合状態が検出されたときに出力電力を削減するために使用される。
【０２４７】
駆動および分割回路３７１０は、ＲＦ信号を生成し、ＲＦ信号を利得回路３７１５に提供するＲＦ信号発生器３７１４を含むことができる。利得回路３７１５は、以下でさらに説明するように、第２の保護回路３７６０から制御信号Ｖｃを受信する制御信号入力を有する。利得回路３７１５は、減衰または利得の有無にかかわらず、ＲＦ信号をスプリッタ３７１６にパスすることができる。スプリッタ３７１６は、ＲＦ信号を１つまたは複数の出力チャネルに配分することができる。図３７の例では、スプリッタ３７１６は、ＲＦ信号を４つの異なる出力チャネル、つまりＯＵＴ１、ＯＵＴ２、ＯＵＴ３、およびＯＵＴ４に提供する。例では、利得回路３７１５は、その減衰を、外部供給源１０２の起動中の最大減衰から、指定された動作減衰レベル、または減衰なしにランプするように構成される。ランプ時間または他のランプ特性は、第２の保護回路３７６０または他の場所のランプ回路によって指定することができる。
【０２４８】
例では、駆動および分割回路３７１０は、位相調整回路３７１７を含む。位相調整回路３７１７をスプリッタ３７１６に連結して、出力チャネルの１つまたは複数から情報を受信することができる。図３７の例では、位相調整回路３７１７は、スプリッタ３７１６からの４つの出力チャネルのうちの３つから情報を受信して処理する。例では、位相調整回路３７１７は、示されるような増幅器、移相器、電力分割器、および／またはスイッチ回路のうちの１つまたは複数を含む、図４のネットワーク４００由来の同じまたは類似の要素を含むまたは使用する。位相調整回路３７１７およびスプリッタ３７１６に続いて、駆動および分割回路３７１０は、それぞれの異なるチャネルＯＵＴ１、ＯＵＴ２、ＯＵＴ３、およびＯＵＴ４における異なるＲＦ駆動信号を第１の保護回路３７２０に提供する。
【０２４９】
第１の保護回路３７２０は、１つまたは複数の異なるチャネルでＲＦ駆動信号を受信するように構成され、エラー状態が識別されると、ＲＦ駆動信号が増幅および／またはアンテナ３００のポートに送信されるのを防止または阻害する。第１の保護回路３７２０は、それぞれ第１、第２、第３、および第４のチャネルドライバ３７２１、３７３１、３７４１、および３７５１を含み、これらはそれぞれ、駆動および分割回路３７１０からの出力チャネルＯＵＴ１、ＯＵＴ２、ＯＵＴ３、およびＯＵＴ４に連結される。チャネルドライバは、実質的に同一の回路の別個の例であり得る。図３７の例は、第１のチャネルドライバ３７２１の概略の詳細を含む。第２、第３、および第４のチャネルドライバ３７３１、３７４１、および３７５１は、第１のチャネルドライバ３７２１について説明したものと実質的に同じまたは類似の構成要素を含むと理解できるが、これらの他のドライバ例の詳細は、簡潔にするために図面から省略されている。第１、第２、第３、および第４のチャネルドライバ３７２１、３７３１、３７４１、および３７５１の出力は、それぞれの異なるポートに連結されて、アンテナ３００に信号を供給することができる。
【０２５０】
例では、第１、第２、第３、および第４のチャネルドライバ３７２１、３７３１、３７４１、および３７５１のそれぞれは、それぞれのイネーブルノードＥＮ１、ＥＮ２、ＥＮ３、およびＥＮ４それぞれで、同じまたは異なるチャネル固有のイネーブル信号を受信するように構成することができる。例では、第１、第２、第３、および第４のチャネルドライバ３７２１、３７３１、３７４１、および３７５１のそれぞれは、それぞれの障害ノードＦＬＴ１、ＦＬＴ２、ＦＬＴ３、およびＦＬＴ４で、それぞれのチャネル固有の障害信号を提供するように構成することができる。例では、チャネルのイネーブルノードからの情報を同じチャネルの障害ノードからの情報と一緒に使用して、同じまたは異なるチャネルドライバの動作特性を更新することができる。
【０２５１】
例では、第１、第２、第３、および第４のチャネルドライバ３７２１、３７３１、３７４１、および３７５１のそれぞれは、ノードＲＥＳ＿ＤＥＴでグローバル入力信号を受信するように構成することができる。グローバル入力信号は、双方向カプラ３７２２のＰ３およびＰ４ポートでＲＦ検出器コンデンサを放電するように構成することができ、それにより、検出器出力電圧をゼロ（または別の基準）に設定する。例では、グローバル入力が障害リセットとして使用される。
【０２５２】
図３７の例では、第１のチャネルドライバ３７２１は、第１のチャネルＯＵＴ１を介して第１のＲＦ駆動信号を受信する。第１のチャネルドライバ３７２１は、信号がアンテナ３００に提供される前など、第１のＲＦ駆動信号の特性を変更するために使用できる様々な増幅器、減衰器、または他の処理回路を含むことができる。例では、第１のチャネルドライバ３７２１は、第１のチャネルＯＵＴ１での入力からアンテナ３００のポートでの出力までの信号経路に沿って、第１の増幅器ＤＲＶ、第２の増幅器ＰＡ、および双方向カプラ３７２２を含む。例では、双方向カプラ３７２２は、図２６Ａおよび図２６Ｂの例からの双方向カプラ２６０１と同じであるか、類似している。他の例では、サーキュレータ回路など、双方向カプラ以外の構成要素を使用することができる。
【０２５３】
例では、双方向カプラ３７２２の入力ポート（Ｐ１）は、第２の増幅器ＰＡから第１のＲＦ駆動信号の増幅（または減衰）バージョンを受信でき、双方向カプラ３７２２の送信ポート（Ｐ２）は、アンテナ３００への駆動信号を提供できる。双方向カプラ３７２２の連結ポート（Ｐ３）を順方向ノードＶｆｗｄ１に連結でき、双方向カプラ３７２２の分離ポート（Ｐ４）を逆方向ノードＶｒｅｖ１に連結できる。第２、第３、および第４のチャネルドライバ３７３１、３７４１、および３７５１のそれぞれは、それぞれの他の順方向ノードＶｆｗｄ２、Ｖｆｗｄ３、およびＶｆｗｄ４に連結され、それぞれの他の逆方向ノードＶｒｅｖ２、Ｖｒｅｖ３、およびＶｒｅｖ４に連結されるそれぞれの双方向カプラを含むことができる。
【０２５４】
ノードＶｆｗｄ１は、第１のチャネルドライバ３７２１からアンテナ３００に提供される順方向信号に関する情報を含むことができる。順方向信号は、アンテナ３００に提供される信号の電力レベルに比例することができ、したがって、送信機回路３７００の１つまたは複数の他の部分または構成要素が動作していることの検証として使用することができる。ノードＶｒｅｖ１は、アンテナ３００から感知された逆方向信号に関する情報を含むことができる。逆方向信号は、アンテナ３００での反射電力に比例することができ、したがって、外部供給源１０２が組織に対して適切に配置されているかどうか（例えば、供給源と組織表面との間の指定された最適なスタンドオフまたは間隔距離）、および、アンテナ３００が適切に負荷をかけられていることを示すために使用できる。
【０２５５】
例では、Ｖｒｅｖ１の逆方向信号を第１のチャネルドライバ３７２１内で使用して、第２の増幅器ＰＡの利得特性を更新することができる。ノードＶｒｅｖ１での逆方向信号によって示されるような検出された反射電力レベルは、比較回路３７２３を使用するなど、指定された閾値反射電力レベルＲＥＦ１と比較することができる。反射電力が指定された閾値反射電力レベルＲＥＦ１よりも大きい場合、比較回路３７２３は、障害ノードＦＬＴ１で障害信号を提供することによって障害状態を示すことができる。障害信号は、例えば、第２の増幅器ＰＡを無効にすることによって、第２の増幅器ＰＡの動作を中断または阻害するために使用することができる。図３７の例では、第２の増幅器ＰＡは、障害状態が障害ノードＦＬＴ１に示されているかどうか、およびイネーブル信号が第１のチャネルイネーブルノードＥＮ１に存在するかどうかに応じて条件付きで動作するように構成される。換言すれば、第１のチャネルドライバ３７２１は、ノードＶｒｅｖ１での逆方向信号によって示されるように、検出された負荷不整合状態下でＲＦ駆動信号の増幅を停止するように構成することができる。
【０２５６】
例では、第１のチャネルドライバ３７２１において、双方向カプラ３７２２は、ダイオード検出器Ｄ１およびＤ２と組み合わせて、ＰＡの順方向および逆方向の出力電力に比例する出力電圧を提供する。ダイオード検出器は、高速アタック／低速減衰であり得、減衰時定数は、逆方向検出器と順方向検出器でそれぞれ、Ｒ１＊Ｃ１とＲ２＊Ｃ２によって設定される。より長い積分器時定数と併せてより長い検出器時定数を使用して、包絡線変調ＲＦをサポートすることができ、その場合、第２の保護回路３７６０は、ＲＦ包絡線のピーク値で動作するように構成することができる。スイッチＳ１およびＳ２は、論理信号ＲＥＳ＿ＤＥＴに従って検出器の出力電圧をゼロに設定して、最適なＰＡ出力電力のランプアップを保証できる。例では、ＰＡ負荷不整合障害が発生した場合、Ｕ１のＦＬＴ１出力がハイになり、Ｄ３およびＲ３を介して逆検出器Ｖｒｅｖ１をハイにラッチする。これは、障害リセット表示を受信するまでなど、障害が発生したときに論理ハイ状態を維持するのに寄与する。ＲＦ  ＯＵＴ１〜ＲＦ  ＯＵＴ４からの出力ＦＬＴ１〜ＦＬＴ４は、制御論理によって割り込みとして処理され、制御論理は、障害ステータスの偶発的な損失を防ぐために、特定の状態下でのみ障害をリセットできるのを確実にする。
【０２５７】
第１のチャネルドライバ３７２１は、急速に発生する負荷不整合状態からＰＡを保護するように構成された回路をさらに含む。そのような回路は、例えば、コンパレータＵ１、Ｄ３、Ｒ３、および論理ゲートＵ２を含むことができる。逆検出器ＶｒｅｖがＲＥＦ１で判定されたＰＡ安全動作閾値を超えると、Ｕ１の出力はハイ状態に移行し、論理ゲートＵ２を介してＰＡ  ＥＮラインをローにプルダウンすることで、ＰＡをシャットダウンするように構成できる。論理ゲートＵ２は、制御信号ＥＮ入力によって設定され、障害状態（ＦＬＴ）が存在しない場合にのみＰＡが確実に有効になるように構成されている。図３７の例では、障害が存在する場合、および／またはＥＮ入力がアクティブでない場合、ＰＡは無効になる。ダイオードＤ３およびＲ３は、Ｕ１の出力をハイ状態に維持し、そのため負荷障害状態の後にＰＡを無効にするラッチ機能を提供するように構成できる。例えば、この結果は、Ｖｒｅｖに接続されているＵ１の非反転入力をハイにプルすることで提供でき、ＲＥＳ＿ＤＥＴの入力を介してローにリセットされるまでそのままである。例では、Ｕ１の出力をＰＡ障害（ＦＬＴ）インジケータとして使用できる。
【０２５８】
例では、第２の保護回路３７６０は、順方向ノードＶｆｗｄ１〜Ｖｆｗｄ４および逆方向ノードＶｒｅｖ１〜Ｖｒｅｖ４に連結されている。すなわち、第２の保護回路３７６０は、第１から第４のチャネルドライバ３７２１、３７３１、３７４１、および３７５１からのそれぞれの順方向信号および逆方向信号に関する情報を受信するように構成される。第２の保護回路３７６０は、障害ノードＦＬＴ１〜ＦＬＴ４に連結されて、任意の１つまたは複数のチャネルドライバでの障害状態に関する情報を受信することができる。例では、第２の保護回路３７６０は、出力電力基準信号ＲＥＦ２およびＲＦ閾値基準ＲＥＦ３を含む様々な基準信号を受信するように構成される。例では、第２の保護回路３７６０は、信号がＲＦ信号発生器３７１４の出力に存在するかどうかについての情報を受信するように構成される。
【０２５９】
例では、第２の保護回路３７６０は、順方向ノードＶｆｗｄ１〜Ｖｆｗｄ４および逆方向ノードＶｒｅｖ１〜Ｖｒｅｖ４から受信した情報に基づいて制御信号Ｖｃを提供するように構成されたプロセッサ回路を含む。すなわち、第２の保護回路３７６０は、順方向ノードおよび／または逆方向ノードに関する第１の保護回路３７２０から情報を受信し、それに応答して、利得回路３７１５によって使用するための対応する制御信号Ｖｃを提供するよう構成される１つまたは複数のフィードバック回路を含むことができるか、その一部を含むことができる。
【０２６０】
フィードバックまたはプロセッサ回路は、様々なノードからの信号を監視でき（例えば、プロセッサ回路は、「アクティブまたは」構成を使用してノードを同時に監視するなど、信号を一緒に監視できる）、アンテナの不整合または負荷の問題が存在するかどうかを判断できる。例では、プロセッサ回路は、監視された信号を出力電力基準信号ＲＥＦ２と比較して、エラー状態を識別する。監視対象の信号は、任意選択でスケーリングして、順方向パスおよび逆方向パスの信号変化に対する感度を増減できる。例では、出力電力基準信号ＲＥＦ２は、通常または公称負荷状態で、すなわち、アンテナが十分に整合されているか、組織によって負荷がかかるときの状態で、外部供給源１０２の出力電力レベルを設定するために使用できるアナログ基準電圧信号を含む。不整合または不十分な負荷状態の下で、１つまたは複数の順方向ノードＶｆｗｄ１〜Ｖｆｗｄ４および逆方向ノードＶｒｅｖ１〜Ｖｒｅｖ４の信号は、出力電力基準信号ＲＥＦ２から逸脱する可能性があり、プロセッサ回路３７６０は制御信号Ｖｃを利得回路３７１５がＲＦ信号発生器３７１４からの入力信号を減衰させるべきであることを示す第１の値を調節し得る。エラー状態が存在しない場合、第２の保護回路３７６０は、利得回路３７１５によって適用されるより少ないまたはゼロの減衰を示す第２の値で制御信号Ｖｃを提供する。
【０２６１】
例では、第２の保護回路３７６０は、ＲＦ監視入力を含む。図３７の例では、ＲＦ監視入力は、ＲＦ信号発生器３７１４の出力に連結されて、ＲＦ信号ＴＸが存在するかどうかを監視する。第２の保護回路３７６０のプロセッサ回路は、例えば、制御信号Ｖｃを使用して利得回路３７１５を変調することによって、ＲＦモニタ入力からの情報をＲＦ閾値基準ＲＥＦ３と比較して、駆動および分割回路３７１０の順方向経路を有効にするか無効にするかを判定することができる。
【０２６２】
したがって、送信機回路３７００は、アンテナの不整合または不十分な負荷状態に複数の異なる方法で、異なる程度または重大度の応答で応答するように構成される。例えば、第２の保護回路３７６０は、アンテナの不整合または公称レベルからの逸脱に応じて、外部供給源１０２の出力電力をゆっくりまたは徐々にロールバックするように制御信号Ｖｃを調整するように構成される。システムが許容する不整合の相対量は、例えば、出力電力基準信号ＲＥＦ２に特定の値を選択するか、応答回路の感度を変更することによって指定できる。すなわち、第２の保護回路３７６０は、検出された負荷状態に応じてリアルタイムの連続的な出力電力調整を提供するように構成することができる。第１の保護回路３７２０は、チャネルドライバ回路の１つまたは複数の内側の増幅器回路をシャットダウンすることによってアンテナの不整合に迅速に応答するように構成される。システムによって許容される不整合の相対量は、閾値反射電力レベルＲＥＦ１に特定の値を選択することなどによって、第１の保護回路３７２０に対して同様に指定することができる。特定の使用状態下での不整合を許容することが望ましい場合があり、例えば、使用者が、外部供給源１０２の初期位置決めまたは起動中に、身体に対して外部供給源１０２を配置またはシフトしている場合がある。例において、不整合の許容値は動的であり得、異なる使用状態に応じて変化する可能性がある。
【０２６３】
例では、第２の保護回路３７６０は、ＲＦ入力検出および制御回路を含むまたは使用して、ＲＦ供給源からのＲＦ駆動信号が検出されるまで、送信機が高減衰、低ＲＦ出力電力状態に留まるのを確実にする。この構成は、ＲＦ供給源の出力が低いか存在しないときに送信機が出力電力を供給しようとするのを防ぐことにより、ＲＦ出力のオーバーシュートを最小限に抑えるのに寄与する。この機能がないと、ＡＬＣループは入力よりも「先に進み」、ＲＦ利得を上限まで上げ、ＲＦ入力を適用するとＲＦ出力のオーバーシュートが大きくなり、損傷を与えるに至る。
【０２６４】
図３８は、第２の送信機回路３８００の例を全体的に示す。図３８の例は、図３７の例と実質的に同じ駆動および分割回路３７１０および第１の保護回路３７２０を含む。しかし、第２の送信機回路３８００の例は、第２の保護回路３７６０の様々な部分の例示的な実装の詳細を含む。例えば、第２の保護回路３７６０は、ＲＦ検出器回路３７６１、制御論理回路３７６２、フィードバック回路３７６３、および積分器回路３７６４を含むことができる。
【０２６５】
ＲＦ検出器回路３７６１は、駆動および分割回路３７１０で生成されるか、駆動および分割回路３７１０によって伝送される駆動信号ＴＸに関する情報を受信するように構成することができる。例では、ＲＦ検出器回路３７６１は、駆動信号ＴＸと基準値ＲＥＦ３との間の関係についての情報を提供する比較回路を含む。駆動信号ＴＸが存在する場合、および任意選択で、駆動信号ＴＸが基準値ＲＥＦ３を少なくとも指定された閾値量だけ超える場合、比較器は、駆動信号ＴＸが存在することを示すバイナリ信号を制御論理回路３７６２に提供することができる。
【０２６６】
積分器回路３７６４は、第２の保護回路３７６０の応答特性を調整または調節するように構成することができ、出力電力レベルを目標レベルまたはその近くに維持するために使用することができる。例では、積分器回路３７６４は、様々な順方向および逆方向ノードＶｆｗｄ１〜Ｖｆｗｄ４およびＶｒｅｖ１〜Ｖｒｅｖ４からの順方向および逆方向の電圧信号特性間の関係についてのフィードバック回路３７６３からの指示を受信する。関係情報は、閾値（例えば、ＲＥＦ２）と比較することができ、比較の結果を使用して、利得回路３７１５に提供される制御信号Ｖｃの値を調整することができる。例では、応答時間特性を調整して、フィードバック回路３７６３からの情報に応答してＶｃの値がどれだけ速くまたはゆっくりと変化するかを判定することができる。例では、積分器回路３７６４は、制御論理回路３７６２などからの信号ＬＯＯＰ＿ＲＳＴを受信することができるリセットスイッチでさらに構成される。例えば、ＬＯＯＰ＿ＲＳＴ信号がハイの場合、積分器回路３７６４は、制御信号Ｖｃに、利得回路３７１５が送信機の出力を効果的に低減するために最大減衰を適用するべきであることを示す信号レベルを提供できる。
【０２６７】
例では、積分器回路３７６４は、初期ＲＦ出力ランプアップ特性および動的閉ループ応答特性の独立した制御を提供するように構成されたデュアル時定数積分器を備える。他の例では、ＲＦランプアップと閉ループの動的応答時間は単一の時定数で定義できる。しかし、デュアル時定数アプローチは、例えば、比較的遅いＲＦ出力ランプアップを提供して、オーバーシュートと帯域外放射を最小限に抑え、より高速な動的ループ応答を提供して、突然の負荷の不整合に対する増幅器の保護を強化する。
【０２６８】
図３８の例では、積分器回路３７６４は、動的応答の様々な特性を提供するように構成された構成要素を含み、出力負荷の不整合または他の変化を説明するための様々なチャネルドライバおよびＲＦ出力レベルのためのＰＡ  ＲＦ出力電力ランプを含み、それは例えば目標出力電力を維持または達成するための利得調整を示すことができるなど、供給電圧または温度変化による。この例では、積分器回路３７６４は、Ｕ６、Ｒ６、Ｃ３、Ｒ８、およびＣ５を含み、これらはまとめて２つの時定数を提供する。時定数の最初の１つは、主に初期状態下でのＲＦ出力のランプアップに関与し、２番目の時定数は、ランプアップ後の動的応答を定義する。つまり、最初の時定数Ｔ１はＲ８＊Ｃ５として定義され、２番目の時定数Ｔ２はＲ６＊Ｃ３として定義され、通常はＴ１＞Ｔ２である。２つの時定数アプローチにより、比較的遅いＴＲＡＭＰレートで制御されたＲＦ出力ランプアップが可能になり、損傷を与える可能性のあるＲＦ出力オーバーシュートを最小限に抑え、通信チャネル外の放射を最小限に抑えながら、さらに、突然の出力負荷の不整合イベントの存在下で、ＲＦ出力電力を迅速に調整して、ＰＡを保護できるようにする。
【０２６９】
図３８の例では、Ｕ６は、Ｒ８を介して入力ＲＥＦ２を受信し（例えば、ＰＡ  ＲＦ出力電力目標に対応する）、バッファＵ５およびＲ６を介してＶｆｗｄおよびＶｒｅｖアクティブＯＲ出力を受信する。Ｕ６の出力はＶｃであり、これにより、アクティブＯＲ出力によって示されるＲＥＦ２とＰＡ  ＲＦ出力レベルの間のエラーを最小限に抑えるように調整される。これは、ＶＶＡ（電圧可変減衰器または利得回路３７１５）の利得設定を変更することで実現できる。
【０２７０】
例では、積分器回路３７６４は、例えば、／ＲＦ＿ＩＮ論理ロー状態によって判定されるように、チャネルドライバでのＰＡへのＲＦ入力が存在するときにアクティブである。この場合、Ｓ３はオープンであり、Ｓ４は基準ＲＥＦ２をＵ６に接続する。ＰＡへのＲＦ入力が存在しない場合（例えば、／ＲＦ＿ＩＮが論理ハイ状態の場合）、Ｓ３は閉じられ、Ｓ４はグラウンドに切り替えられる。これにより、Ｕ６の出力がゼロに近くなり、利得回路３７１５の減衰が最大になり、それによってチャネルＯＵＴ１〜ＯＵＴ４の駆動信号の振幅が最小になる。この構成は、ＲＦ入力の開始時に最適なＲＦ出力ランプアップ状態を提供するのに寄与する。
【０２７１】
制御論理回路３７６２は、送信機の他の場所から様々な入力信号を受信し、そのような信号を処理し、次に送信機に何らかの応答動作をとるように指示することができる。例では、制御論理回路３７６２は、送信機がその保護機構の１つまたは複数を不注意に無効にすることを防止するように構成された送信機用のフェイルセーフ論理を含む。例えば、論理は、増幅器の障害が存在し、ＲＦ入力信号が存在しない場合にのみ、リセット状態のアサートを許可できる。
【０２７２】
制御論理回路３７６２は、例えば、Ｓ１およびＳ２を介して検出器コンデンサを接地に放電することによって、ＲＦ検出器をリセットするための、または送信機におけるＰＡ負荷障害を管理するための状態を確立するように構成することができる。例では、検出器は、論理ハイ／ＲＦ＿ＩＮ状態によって示されるようにＲＦ入力がない場合、または検出された負荷不整合障害（ＦＬＴ）イベントに続いて制御論理回路３７６２を介してリセットされる。制御論理回路３７６２は、１つまたは複数のＰＡ障害が存在する場合、またはＲＦ入力が存在し、障害が存在しない場合に、ＰＡ障害が／ＲＦ＿ＩＮによってリセットされ得ないことを保証するように構成することができる。これは、／ＲＦ＿ＩＮがコントローラによって処理される前に障害をクリアするのを妨げ、障害がクリアされた後にコントローラが検出器をリセット状態（ＲＥＳ＿ＤＥＴ＝論理ハイ）に保持するのを妨げるのに寄与し得る。第２の保護回路３７６０の制御下での低減されたＲＦ出力は、最大（３）のＰＡ障害の発生後の送信間隔の間継続することができ、ＦＬＴ１〜ＦＬＴ４状態ラインは、障害が見逃されていないこと、または不注意でクリアされることを確実にするための割り込み信号を提供する。
【０２７３】
図示されていない例では、制御論理回路３７６２は、検出されたＲＦ入力信号状態に基づいて、および／または第１、第２、第３、および第４のチャネルドライバ３７２１、３７３１、３７４１、および３７５１のいずれか１つ以上での障害状態に基づいて、リセット信号、ＬＯＯＰ＿ＲＳＴを積分器回路３７６４に提供することができる。つまり、チャネルドライバのいずれか１つまたは複数で検出された障害は、出力ポートまたはアンテナポートへのＲＦ信号の提供を終了する障害状態を提供する可能性がある。送信機回路は、例えば、制御論理回路３７６２のパラメータを調整することによって、１つまたは複数のチャネル障害を許容するように異なるように構成することができる。例えば、ステートメントＬＯＯＰ＿ＲＳＴ＝／ＲＦ＿ＩＮ＋ＦＬＴは、残りの回路を実質的に変更せずにＬＯＯＰ＿ＲＳＴ＝／ＲＦ＿ＩＮに変更できる。すなわち、積分器回路３７６４は、ＲＦ入力の検出された存在または不在を直接受信し、それに応答することができる。例では、制御論理回路３７６２は、チャネルドライバをシャットダウンまたは阻害する障害状態を示すために制御信号ＲＥＳ＿ＤＥＴを判定するようにさらに構成される。すなわち、ＲＥＳ＿ＤＥＴ信号は、制御論理回路３７６２によって生成され、アンテナポートへの順方向信号経路を阻害するためにチャネルドライバ回路によって使用され得る。
【０２７４】
フィードバック回路３７６３は、チャネルドライバの順方向および逆方向ノードＶｆｗｄ１〜Ｖｆｗｄ４およびＶｒｅｖ１〜Ｖｒｅｖ４から信号を受信し、それに応答して、積分器回路３７６４にフィードバック信号を提供するための様々な処理回路を含む。例では、フィードバック回路３７６３は、様々なノードからの信号を監視するように構成され（例えば、プロセッサ回路は、「アクティブまたは」構成を使用してノードを同時に監視するなど、信号を一緒に監視できる）、アンテナの不整合または負荷の問題が存在するかどうかを判断できる。監視された信号は、任意選択で、フィードバック回路３７６３によってスケーリングされて、様々なチャネルドライバにおける順方向経路および逆方向経路信号の変化に対する感度を増減することができる。例では、出力電力基準信号ＲＥＦ２は、通常または公称負荷状態で、すなわち、アンテナが十分に整合されているか、組織によって負荷がかかるときの状態で、外部供給源１０２の出力電力レベルを設定するために使用できるアナログ基準電圧信号を含む。不整合または不十分な負荷状態の下で、順方向ノードＶｆｗｄ１〜Ｖｆｗｄ４および逆方向ノードＶｒｅｖ１〜Ｖｒｅｖ４の１つまたは複数の信号は、出力電力基準信号ＲＥＦ２から逸脱する可能性があり、フィードバック回路３７６３はそれに応じて出力またはフィードバック信号を調整できる。
【０２７５】
例では、フィードバック回路３７６３は、順方向ノードおよび逆方向ノードＶｆｗｄ１〜Ｖｆｗｄ４およびＶｒｅｖ１〜Ｖｒｅｖ４での信号における指定された量の変調を処理または受け入れるようにさらに構成される。すなわち、フィードバック回路３７６３は、指定された持続時間内など、指定された閾値の大きさの変化を超える順方向または逆方向のノード信号の大きさの変化にのみ応答するように構成することができる。
【０２７６】
図３８の例では、フィードバック回路３７６３は、Ｕ３、Ｕ４、Ｄ４、Ｄ５、Ｒ４、およびＲ５を含む。フィードバック回路３７６３は、ＲＦ  ＯＵＴ１〜ＲＦ  ＯＵＴ４から順方向および逆方向の検出器出力を受信し、それらを単一のアナログ入力に統合し、Ｖｆｗｄ１〜Ｖｆｗｄ４およびＶｒｅｖ１〜Ｖｒｅｖ４の中から最も高い電圧信号が応答を駆動できる。図３８の例では、Ｖｒｅｖ入力はＲ４とＲ５を介してスケールアップされ、Ｕ４〜Ｄ５でのＯＲ  Ｖｒｅｖ出力が、最大許容ＰＡ順方向および逆方向電力レベルでのＶｆｗｄ  ＯＲ出力Ｕ３〜Ｄ４と等しくなる。つまり、Ｖｒｅｖ＝Ｖｆｗｄ／（Ｕ４利得）＝Ｖｆｗｄ／（１＋Ｒ４／Ｒ５）である。その場合、比率Ｒ４／Ｒ５は次のようになる。Ｒ４／Ｒ５＝（Ｖｆｗｄ／Ｖｒｅｖ）−１。
【０２７７】
例では、Ｕ４利得（したがってＲ４とＲ５）は、ＰＡ  ＲＦｏｕｔ＿ｍａｘ＝（１＋Ｖｒｅｖ＿ｍａｘ／Ｖｆｗｄ＿ｍａｘ）／（１−Ｖｒｅｖ＿ｍａｘ／Ｖｆｗｄ＿ｍａｘ）でのＶＳＷＲとなるように、最大許容ＰＡ  ＲＦ出力での最大負荷ＶＳＷＲを制限するように選択される。代入により、Ｒ４／Ｒ５＝［（ＰＡ  ＲＦｏｕｔ＿ｍａｘでのＶＳＷＲ＋１）／（ＰＡ  ＲＦｏｕｔ＿ｍａｘでのＶＳＷＲ−１）］−１。例えば、最大出力電力での最大ＰＡ安全負荷ＶＳＷＲが３の場合、Ｕ４利得２に対して、Ｒ４／Ｒ５＝［（３＋１）／（３−１）］−１＝１である。
【０２７８】
送信機回路３８００の例によれば、他の様々な利点および特徴が提供される。例えば、送信機回路は、より長い順方向および逆方向の検出器と積分器の時定数を使用して、包絡線変調されたＲＦ信号をサポートする。包絡線周波数に比べて時定数が長いと、制御回路がピークＲＦ出力電力を制限しながら、ピークより下の包絡線の値を無視し、そのため変調されたＲＦ出力の適合性を確保できる。
【０２７９】
次に、様々な送信機と保護回路の動作例について説明する。図３９は、一般に、高ＶＳＷＲまたは負荷不整合イベントに続くＰＡの保護（例えば、第１、第２、第３、および第４のチャネルドライバ３７２１、３７３１、３７４１、および３７５１のうちの１つまたは複数内部のＰＡ保護）を含む第１の例を示す。この例には、障害状態のリセットと、リセット後のＰＡの継続的な動作が含まれる。Ｖ（ｒｆｏｕｔ＿ｒｅｖ）は、Ｄ１へのＤＣ出力に対応するＰＡ方向性カプラ出力での反射電力であり（例えば、図３８を参照）、１０ｄＢのカップリング係数で３０ｄＢｍのＲＦ出力電力で３：１ＶＳＷＲに相当する。最初の例では、時間０〜１０ｕＳで、ＰＡは３：１のＶＳＷＲ負荷の不整合にＲＦ出力を提供し、Ｖ（ｒｆｏｕｔ＿ｒｅｖ）はＲＥＦ１によって判定された障害閾値を下回る。Ｔ１＝１０．２ｕＳで、高ＶＳＷＲ／反射ＲＦ出力電力イベントが発生し、ＦＬＴラインが高に遷移するため、ＰＡがシャットダウンされ、対応するＲＦ出力が最小化される。ＰＡへのＲＦ入力は、ＲＦ＿ＩＮのハイ状態（明確にするためにここで使用される、／ＲＦ＿ＩＮを補完する正の論理）によって示されるように持続する。最初の例では、ＲＦ入力がまだ存在しているため、Ｔ２＝２０ｕＳでＲＥＳ＿ＦＬＴを介して制御論理によって障害リセットが試行されると、ＦＬＴ出力はラッチされたハイ状態のままになる。Ｔ３＝２２ｕＳで、制御論理はＲＦ入力をオフにし、ＲＦ＿ＩＮはローに遷移し、障害は、制御論理によって生成されたＲＥＳ＿ＤＥＴパルスと、ＦＬＴのハイからローへの遷移によって示されるようにリセットされる。障害がクリアされると、制御論理が論理信号を強制的にローにするため、ＲＥＳ＿ＤＥＴは一時的にハイのままになる。これにより、制御論理によって制御ループが誤ってリセット状態または非アクティブ状態に保持され、保護回路が無効になるのを防ぐことができる。最初の例では、時間Ｔ４＝２３ｕＳで、ＲＦ入力が再開され（ＲＦ＿ＩＮがハイになる）、ＰＡ  ＲＦ出力が、例の最初の０〜１０ｕＳの間隔の間に存在したのと同じレベルで同じ負荷不整合状態（例えば、高ＶＳＷＲイベントが存在しない）で、復元される。制御論理によって生成されたＲＥＳ＿ＦＬＴラインは、Ｔ５でロー状態に戻ることができるが、障害がクリアされるとコントローラがこの入力を非アクティブにするため、動作に影響はない。例では、ＲＥＳ＿ＦＬＴがＴ５の後もハイのままである場合、動作に悪影響はない。
【０２８０】
図４０は、一般に、図３９に関して上で論じたのと実質的に同じ一連の事象を伴う第２の例を示している。しかし、図４０では、ＲＦ入力は一定のままである。したがって、制御回路は、ＲＥＳ＿ＦＬＴを介した障害リセットの試行に応答してＲＥＳ＿ＤＥＴがアサートされるのを防ぐ。この２番目の例では、Ｕ１は論理ハイ障害状態でラッチされたままであり、ＰＡはシャットダウンされたままである。図４１は、図４０の第２の例とほぼ同じ高さのＶＳＷＲ／反射電力イベントを示しているが、ＰＡに損傷を与える可能性があるなど、保護回路がない。
【０２８１】
ここで図４２〜図４６の例を参照すると、ＰＡ順方向出力電力は、指定された目標出力電力によって支配され得、安全な反射電力レベルを維持するために低減され得る。例では、図４２および図４６は、多くのＲＦサイクルで発生するようなイベントのタイミングをキャプチャするために必要な正弦波形ではなく、包絡線としての順方向および逆方向のＲＦ出力Ｖ（ｒｆｏｕｔ＿ｆｗｄ）およびＶ（ｒｆｏｕｔ＿ｒｅｖ）を全体的に示している。図４３〜図４５は、図４２のイベントの詳細を示す拡大プロットを表す。例では、第２の保護回路３７６０は、第１の保護回路３７２０よりも低速で動作するが、安全な動作を維持し、ＰＡの全出力電力能力内に負荷ＶＳＷＲ内の目標ＲＦ出力電力を維持するために、低速で高いＶＳＷＲイベントのＰＡ出力電力を動的に低減することができる。送信機アンテナが突然切断または短絡された場合に発生する可能性があるような非常に急速な高ＶＳＷＲイベントの場合、第１の保護回路３７２０が制御を行ってＰＡを保護する。
【０２８２】
図４２の例は、最初のＲＦランプアップとそれに続くＲＦ入力の停止、続いてＲＦ入力が再導入された後の第２のランプアップを示している。この例には、高ＶＳＷＲイベント後のＲＦ出力電力の削減がさらに含まれ、最後に、高ＶＳＷＲイベントが終了した後の完全なＲＦ出力電力の再開が示されている。この例では、ＲＥＦ２を介したＲＦ出力電力設定は３０ｄＢｍであり、５０オームのシステムインピーダンスへの１０Ｖｐ−ｐ  ＲＦ出力電圧に対応する。ＰＡが３：１のＶＳＷＲで動作しているため、実際の順方向ＲＦ出力電力Ｖ（ｒｆｏｕｔ＿ｆｗｄ）はこれをわずかに下回り、２番目の保護回路３７６０は、ＶＳＷＲ≧３：１のＰＡ  ＲＦ出力電力の制限を開始するように設定される。３０ｄＢｍの順方向電力設定での逆方向電力Ｖ（ｒｆｏｕｔ＿ｒｅｖ）は、順方向電力の１／２であり、３：１ＶＳＷＲに対応する。Ｖ（ｒｆｏｕｔ＿ｒｅｖ）が増加すると、ループはＶ（ｒｆｏｕｔ＿ｆｗｄ）を減らして一定のＶ（ｒｆｏｕｔ＿ｒｅｖ）を維持し、ＰＡの安全な動作範囲内で動作を維持する。時間０から２０ｕＳまで、／ＲＦ＿ＩＮ状態ラインで示されるＲＦ入力は存在せず、ループは高減衰状態のままである。２０ｕＳで、ＲＦ入力が開始され、ＰＡ  ＲＦ出力はＲＦ出力ランプアップ時定数Ｔ１＝Ｒ８＊Ｃ５に従ってランプアップする。ＲＦ入力は４００ｕＳで停止し、その時点でループがリセットされ、スイッチＳ３およびＳ４を介して最大減衰状態になる。ＲＦ検出器はまたＲＥＳ＿ＤＥＴを介してリセットされる。これらのアクションにより、６００ｕＳでのＲＦ入力の再開など、後続のＲＦランプアップが、オーバーシュートなしで時定数Ｔ１に従って発生することが保証される。フルのＲＦ出力は６００ｕＳ＋Ｔ１で再開され、１ｍＳでの高ＶＳＷＲイベントまで続く。１ｍＳの時間で、積分器回路３７６４は、利得回路３７１５への制御電圧を低減することによってＲＦ減衰を急速に増加させ、それにより、ＰＡ順方向出力電力を低減して、一定の逆方向電力を維持する。Ｔ２降下出力電力削減率は、全体的なループダイナミクスによって判定され、時定数Ｔ２＝Ｒ６＊Ｃ３によって支配される。例えば、ランプアップ時定数Ｔ１よりも小さくなる場合がある。図４２の例では、時間１．３ｍＳで、高ＶＳＷＲイベントはおさまり、ＲＦ出力電力は、Ｔ２上昇間隔にわたって急速に増加して、目標値に戻る。例では、ＲＦ検出器の高速アタック／低速減衰特性からの自然な非対称性を含むループダイナミクスにより、Ｔ２の上昇はＴ２の下降よりもわずかに長くなる可能性がある。これは、例えば、ＰＡを保護するために高ＶＳＷＲイベントに迅速に応答する場合に望ましい場合がある。高ＶＳＷＲイベント後の全出力電力の再開は遅くなる可能性があり、それによってＲＦ出力のオーバーシュートを最小限に抑える。図４３〜図４５は、それぞれ、ＲＦランプアップＴ１、高ＶＳＷＲイベント中のＴ２下降、および高ＶＳＷＲイベント後のＴ２上昇の一般的な詳細または拡大図を示している。
【０２８３】
図４６は、一般に、高ＶＳＷＲ出力電力低減およびＲＦ入力状態制御が排除された第２の保護回路３７６０の動作の例を示している。図４６の例のイベントのタイミングは、図４２の例のイベントのタイミングと同じである。図４６では、第２の保護回路３７６０は、逆方向電力を監視することなく、初期ＲＦ出力ランプアップおよび順方向出力電力のみを制御する。時間６００ｕＳに先行するイベントおよび特徴は、完全に機能するループ（図４２に関して上で説明した）の場合と同じであるが、ＲＦ入力が再開されるとき、６００ｕＳ後の第２のＲＦランプアップは、大きく、潜在的に破壊的なオーバーシュートをもたらす。オーバーシュートは、積分器回路３７６４からの利得回路３７１５制御信号に起因する可能性があり、これは、時間４００ｕＳから６００ｕＳまでのＲＦ入力オフ間隔の間にその最大値に飽和する。ＲＦ入力状態がない場合、ループは目標ＲＦ出力電力を供給しようとしてＲＦ利得を増加させ続ける。その結果、ＲＦ入力が再開されると、ＲＦ出力はＰＡから可能な最大レベルにジャンプし、ＰＡを損傷する可能性がある。この破壊的な可能性のあるＲＦ出力オーバーシュートイベントに続いて、ループによる過補正のために出力がすぐにゼロに戻り、／ＲＦ＿ＩＮ駆動ループのリセットがないため、Ｔ１レートではなくＴ２レートで３回目のランプアップが続く。最後に、１ｍＳで始まる高ＶＳＷＲイベントは抑制されていないため、ＰＡに損傷を与える可能性もある。例では、順方向電力が制御されているが逆方向電力が制御されていない場合、同様のＶＳＷＲイベントが悪影響を与える可能性がある。
植込み型除装置で使用するための受信機および整流器回路
【０２８４】
図４７は、概して植込み型装置１１０、標的装置、または別のミッドフィールド受信機装置用の受信機回路４７００の一部を含むことができる例を示している。例では、受信機回路４７００は、本開示と一致する細長い装置に含まれるまたは使用され得、任意選択で、血管の内部を含むなど、患者の組織の内部に展開され得る。受信機回路４７００は、例では、整流器５４６、チャージポンプ５５２、または刺激駆動回路５５６を含む、図５で本明細書に記載されているものに対応する構成要素を含むことができる。
【０２８５】
例では、受信機回路４７００は、ミッドフィールド電力信号またはデータ信号を受信するように構成されたアンテナ４７０１を含む。例では、アンテナ４７０１はアンテナ１０８を含む。受信信号は、組織内部の伝搬信号の一部を含むことができ、組織界面でエバネセント場を操作して組織内の伝搬信号を生成するように構成できるような、外部ミッドフィールド送信機から発信することができる。受信機回路４７００は、アンテナ４７０１から受信したＡＣ電力信号を整流するように構成された整流回路４７４６をさらに含むことができる。整流回路４７４６に続く信号経路内の他の回路は、とりわけ、電力貯蔵、レベル変換、および刺激制御回路を含むことができる。例えば、図４７にＣｈｒｖｓｔとして示されている第１のコンデンサ４７５０は、アンテナ４７０１を使用して受信される収集されたエネルギーを記憶するように構成されたコンデンサを含むことができる。
【０２８６】
例では、受信機回路４７００は、ＤＣ−ＤＣコンバータ回路４７５２を含む。変換器回路４７５２は、整流回路４７４６、または第１のコンデンサ４７５０からの受信信号の電圧を増加させて、電気刺激または植込み型装置１１０内の他の回路の動作のために構成された別の信号を提供するように構成することができる。変換器回路４７５２は、第１および第２の電力ドメインに供給するなど、複数の出力を有することができる。例では、第１の電力ドメインは、低電圧コンデンサ４７５３、またはＣＶＤＤＬによって供給され、第２の電力ドメインは、高電圧コンデンサ４７５４、またはＣＶＤＤＨによって供給される。
【０２８７】
例では、高電圧コンデンサ４７５４は、図５の例からの刺激ドライバ回路５５６などの刺激回路を駆動する。刺激ドライバ回路は、電極アレイへの１つまたは複数の出力を介してプログラム可能な刺激を提供することができる。
【０２８８】
例示的な受信回路４７００は、電力損失が発生する潜在的な機会を含む、様々な欠点を有する可能性がある。例えば、電力損失は、整流回路４７４６または変換回路４７５２などでの電力信号の変換または調整のために発生する可能性がある。漏れ関連の損失は、第１のコンデンサ４７５０、低電圧コンデンサ４７５３、および／または高電圧コンデンサ４７５４のうちの１つまたは複数が原因で発生する可能性がある。例では、低電圧コンデンサ４７５３に蓄積されたエネルギーは、電気刺激を調節するために様々な回路または他のコントローラ構成要素によって使用され得、電気刺激は、高電圧コンデンサ４７５４によって蓄積されたエネルギーを使用し得る。低電圧コンデンサ４７５３および高電圧コンデンサ４７５４は個別のコンデンサとして表されるが、これらのコンデンサには、複数のそれぞれのコンデンサ、バンク、またはコンデンサのアレイを含めることができる。
【０２８９】
本発明者らは、解決されるべき問題が、無線電力信号の受信、変換、および電気刺激における使用の効率を高めることを含むことを認識した。本発明者らはさらに、問題の解決策が、整流回路４７４６に続いて生じる損失を回避するために第１のコンデンサ４７５０をバイパスすることを含み得ることを認識した。本発明者らはさらに、問題の解決策が多段整流回路の使用を含むことができることを認識した。例では、多段整流器は、各段のそれぞれの出力を含むことができ、出力は、マルチプレクサに連結され、電気刺激に使用されるか、ミッドフィールド装置などの他の構成要素または装置に電力信号を供給するために使用され得る。マルチプレクサの様々な出力または分岐は、必要な電気刺激レベルに応じて選択できる。
【０２９０】
図４８は、概して多段整流回路４８４６およびマルチプレクサ回路４８１０を含む例を示している。多段整流回路４８４６は、収集された第１の電力ドメイン（例えば、図４８の例ではＶＨＲＶＳＴ１と称される）、収集された第２の電力ドメイン（例えば、ＶＨＲＶＳＴ２と称される）、および収集された第３の電力ドメイン（例えば、ＶＨＲＶＳＴ３と称される）に対応するような異なるレベルまたは電力ドメインでの複数のタップまたは出力を含む。多段整流回路４８４６からのタップは、マルチプレクサ回路４８１０の入力に連結することができ、マルチプレクサ回路４８１０からの出力は、刺激電力ドメインに供給することができる（例えば、ＶＤＤＨと称される電力または信号レベルで）。
【０２９１】
図４８の例では、収集された第３の電力ドメインは、低電圧電力ドメイン（ＶＤＤＬで）を提供するために使用できるような、ＤＣ−ＤＣコンバータ回路４８５２に連結することができる。ＤＣ−ＤＣコンバータ回路４８５２からの信号、またはＤＣ−ＤＣコンバータ回路４８５２に連結された制御回路からの信号を使用して、刺激電力領域の信号を使用して電気刺激を変調することができる。これは、図４８の例では、ＤＣ−ＤＣコンバータ回路４８５２を刺激電力ドメインＶＤＤＨに連結する破線によって概略的に表されている。植込まれた装置の１つまたは複数の電極などへの電気刺激信号の送達を変調または制御するために、１つまたは複数のスイッチまたは他の制御回路を刺激電力ドメインに設けることができる。
【０２９２】
図４９は、概して多段整流回路４８４６の例を示す概略図を示している。この例では、アンテナ４７０２（例えば、アンテナ１０８を含む）から収集されたエネルギーまたは電力信号は、整流器内の１つまたはいくつかの異なる脚または段に連結され、処理されて、ＶＨＲＶＳＴ１（例えば、最大約１．４ボルト）などの第１段コンデンサＣｈｒｖｓｔ１、ＶＨＲＶＳＴ２（例えば、最大約３．０ボルト）などの第２段コンデンサＣｈｒｖｓｔ２、およびＶＨＲＶＳＴ３（例えば、最大約５．０ボルト）などの第３段コンデンサＣｈｒｖｓｔ３それぞれの異なる電力ドメインの電圧信号を生成することができる。
【０２９３】
図４９の例では、多段整流回路４８４６は、個別の段を含み、各段は、アンテナ４７０２に容量連結されている。例えば、コンデンサＣ１、Ｃ２、およびＣ３は、アンテナ４７０２と電力ドメインのそれぞれのものとの間で連結することができる。各コンデンサは、ＤＣ信号構成要素の送信をブロックし、ＲＦまたはＡＣ信号を渡すように構成できる。図４９の例では、異なる電力ドメインへの入力は、アンテナ４７０２に容量連結されている。入力に続いて、各段は、直列に連結されたダイオードのペア間の少なくとも１つの共通ノードに連結される。ダイオードの第１のものは共通ノードと基準ノードの間に連結され、ダイオードの第２のものは共通ノードと整流器出力の間に連結される。例では、第１または最も低い整流器段の基準ノードは、地上の高さであり得る。例えば、第２の整流器段の基準ノードは、第１の段に対応する電圧レベルであり得る。第３の整流器段の基準ノードは、複数の段のそれぞれについて、第２の段に対応する電圧レベルであり得、以下同様である。
【０２９４】
再び図４８を参照すると、整流回路４８４６の第１の段は、マルチプレクサ回路４８１０によって選択されて、ＶＨＲＶＳＴ１の第１の電力ドメインを出力に連結する。したがって、出力で利用可能な最大電圧信号は、ＶＤＤＨでＶＨＲＶＳＴ１にすることができる。
【０２９５】
図５０は、概して、図４８の例からの多段整流回路４８４６を含み、その第２の段がＶＤＤＨでの出力用に選択された例を示している。図示の構成では、出力で利用可能な最大電圧信号は、ＶＤＤＨでＶＨＲＶＳＴ２にすることができる。図５１は、概してＶＤＤＨでの出力用に選択された第３の段を備えた図４８の例からの多段整流回路４８４６を含む例を示している。図示の構成では、出力で利用可能な最大電圧信号は、ＶＤＤＨでＶＨＲＶＳＴ３にすることができる。
【０２９６】
例では、収集された第３の電力ドメインからの電力信号（例えば、約３．２から５．０ＶＤＣの間などの信号レベルＶＨＲＶＳＴ３）を使用して、植込み型装置１１０に搭載された起動回路に電力を供給することができる。すなわち、例えば植込み型装置１１０が最初に、遠隔（例えば、外部）ミッドフィールド送信機から電力信号を受信する、または植込み型装置１１０がスリープ状態または他の低電力状態からウェイクアップするように構成されているときに、第３の電力領域からの信号を使用して、１つまたは複数の他のプロセッサ回路、メモリ回路、発振器回路、スイッチング回路、または植込み型装置１１０の１つまたは複数の機能を提供する他の回路を開始または電力供給することができる。
【０２９７】
例では、整流器段の数を増やすと（例えば、例に示されている３つの段または電力ドメインを超えて）、アンテナが受信する特定のＲＦ電力に利用できる最大電圧を対応して増やすことができる。しかし、動作電圧または段数の増加はまた、整流器の様々な段でのオーミック損失またはその他の損失の増加などによる、整流器での電力変換効率の低下に対応する。
【０２９８】
図４８〜図５１の例では、多段整流回路４８４６から第３の電力領域信号レベルＶＨＲＶＳＴ３への出力を使用して、低電力状態下で植込み型装置１１０の他の回路を「ウェイクアップ」または初期化することができる。そのような低電力消費状態では、植込み型装置１１０は、より良いまたはより効率的な連結を確立し、それによって植込み型装置１１０への電力伝送を強化するなど、リモートのミッドフィールド送信機との通信を確立し、任意選択でフィードバックを提供するように構成することができる。強化された連結およびより良い電力変換効率が達成された後、多段整流回路４８４６からのより低いレベルの信号（例えば、第１または第２の電力領域信号レベルＶＨＲＶＳＴ１またはＶＨＲＶＳＴ２で）を植込み型装置１１０が使用して、１つまたは複数の他の装置の機能を実行することができ、または電気刺激に使用することができる。
【０２９９】
例えば、刺激信号は、利用可能な異なる電力領域のいずれか１つまたは複数からの信号を使用して準備することができる。すなわち、刺激のための多段整流回路４８４６からの出力の選択は、所望の刺激電圧レベルまたは電流レベルに基づくことができる。例では、多段整流回路４８４６の段は、デジタル−アナログ変換器（ＤＡＣ）回路として使用することができる。この例では、整流回路４８４６からの出力または段のうちの選択されたものを、粗い出力電圧として使用することができる。使用する特定の段の選択は、外部送信機装置からのフィードバックおよび／またはＲＦ送信電力レベルに基づくことができる。例では、指定された目標刺激電圧レベル、外部送信機装置の指定されたＲＦ送信レベル、外部送信機装置の指定されたデューティサイクル、および多段整流回路４８４６からの選択された段または出力などのパラメータは、送信されたＲＦ電力から刺激信号への変換効率を最大化するために、一緒に調整するか、閉ループ方式などで最適化し得る。刺激電圧の大きさまたは波形のより細かい調整は、レギュレータ回路を使用して制御または提供することができる。
【０３００】
例では、刺激信号は、電流信号を含むまたは使用することができる。この例では、電流制限器をフィードバック回路と一緒に使用して、整流回路４８４６からの利用可能な電圧が、刺激電極を含むことができる出力インピーダンスを通してプログラムされた電流を駆動するのに十分に高いことを保証することができる。
【０３０１】
例では、植込み型装置１１０は、後方散乱信号１１２を使用するなど、後方散乱通信を使用して外部供給源１０２と通信するように構成することができる。例では、植込み型装置１１０は、特定の時間に電力を受け取って負荷をかけるように構成することができ、異なる時間に電力を反射するように構成することができる。デジタル信号は、電力負荷および反射時間から導出することができ、例では、植込み型装置１１０は、外部供給源１０２または別の受信機と通信するための様々な情報をデジタル信号に符号化することができる。例では、後方散乱信号１１２の変調深度を変更または増強することができる。変調深度は、専用回路を使用して、または供給源１０２から受信したミッドフィールド信号に基づいて刺激または電力を提供するように構成された多段整流回路の一部を使用して強化することができる。
【０３０２】
図５２は、概して第１の整流回路５２００の例を示している。第１の整流回路５２００は、図４９の例に示される多段整流回路４８４６のものと同様のトポロジーまたは構成要素を含むことができる。図５２の例では、アンテナ１０８から収集されたエネルギーまたは電力信号は、整流器内の１つまたはいくつかの異なる脚または段に連結することができ、複数の異なる脚または段のそれぞれで異なる電力ドメインに電圧信号を提供するように処理することができる。例えば、第１の整流回路５２００は、Ｖ０（例えば、最大約１．４ボルト）まで充電できるような第１段コンデンサＣ４を備えた第１段を含むことができ、Ｖｒｅｇ（例えば、最大約３．０ボルト）に充電できるような第２段コンデンサＣ３を備えた第２段を含むことができる。第１の整流回路５２００は、調整可能な出力コンデンサＣ６をさらに含むことができる。
【０３０３】
例では、第１の整流回路５２００は、アンテナ１０８への負荷によるなどの寄生損失を最小限に抑えながら、回路の高電力モードと低電力モードの両方の後方散乱変調深度を増加させるように構成することができる。例えばＶｒｅｇが達成される前に、アンテナ１０８からの受信または収集された電力の低レベルでは、回路のＱファクタは、高周波選択性で比較的高くなり得る。
【０３０４】
例では、出力コンデンサＣ６の静電容量の値を変更して、それに応じて回路の調整または動作周波数を変更することができる。回路の調整の変更は、負荷と反射電力の対応する変更につながり得る。回路が離調するようにＣ６の静電容量の値が変更されると、比較的多くの電力が反射され（例えば、外部供給源１０２に）、後方散乱信号１１２として使用され得る。したがって、比較的高度の変調深度は、Ｃ６の値を変調または変更することによって達成することができ、これにより、ひいては第１の整流回路５２００の共振周波数が変更またはシフトされる。
【０３０５】
例では、第１の整流回路５２００は実質的に非線形の回路であり、Ｖｒｅｇの電圧の大きさは、定常または固定に保持されることが望ましい。したがって、第１の整流回路５２００の共振周波数が変化した場合、ＤＣ−ＤＣコンバータ入力ノードの電流は、それに応じて変化して、Ｖｒｅｇを安定に保つことができる。例では、後方散乱通信で使用するためなど、変調を達成するためにＣ６の静電容量の値が変更される場合、変調信号の深さは浅くなり得る。例えば、Ｖｒｅｇが達成されると、ＲＦ電圧振幅はダイオードＤ１のほぼ中央のピーク電圧に制限できる。例えば、Ｖｄｉｏｄｅ＋（Ｖｒｅｇ／４）程度に制限でき、式中Ｖｄｉｏｄｅはダイオードの順方向電圧閾値である。より高い電力または信号レベルでは、電流が増加してＶｒｅｇを安定した値に維持する。したがって、受信機のＱファクタが減少するか、等価直列抵抗Ｒｓの複素インピーダンスが増加する。概して対応する寄生損失と、容量の調整可能な範囲に比例する固定されたゼロ以外のベースラインの容量のために、出力コンデンサＣ６で利用可能な容量の値の変動のサイズを単純に大きくすることはできない。
【０３０６】
本発明者らは、第１の電力ドメインにスイッチＳ１を追加することが、変調深度を増加させるのに役立つ可能性があることを認識した。Ｓ１は、整流器の第１の電力領域または第１の段を短絡するように構成されている。設置や基準ノードなどの整流器の第１段を短絡することにより、回路のＲＦスイングをＶｄｉｏｄｅのほぼＶｃ−ｐに減らすことができる。ＲＦスイングのＶｃ−ｐはすでにＶｄｉｏｄｅに近い可能性があるため、スイッチＳ１は低電力では同様に効果的ではない可能性がある。例では、植込み型装置１１０は、Ｃ６を実質的に同時に変更し、スイッチＳ１を切り替えて変調深度を増加させるように構成された論理またはプロセッサ回路を含むことができる。例では、実装を容易にするために、第１の整流回路５２００は、その容量の更新を出力コンデンサＣ６に適用することができ、高電力モードで変調深度の向上がより顕著になっても低電力モードと高電力モードを区別せずに、スイッチＳ１を常時切り替えることができる。
【０３０７】
図５３は、概して第２の整流回路５３００の例を示している。第２の整流回路５３００は、図４９の例に示されているが４段を備えた多段整流回路４８４６のものと同様のトポロジーまたは構成要素を含むことができる。図５３の例では、アンテナ１０８から収集されたエネルギーまたは電力信号は、整流器内の１つまたはいくつかの異なる脚または段に連結することができ、Ｖ０などの第１段、コンデンサＣ４、Ｖ１などの第２段コンデンサＣ３、Ｖ２などの第３段コンデンサＣ９、およびＶ３などの第４段コンデンサＣ１０のそれぞれで、それぞれの異なる電力領域に電圧信号を提供するように処理することができる。第２の整流回路５３００は、調整可能な出力コンデンサＣ６を含むことができる。
【０３０８】
図５３の例は、Ｖｒｅｇ脚を含まない。代わりに、電圧源Ｖ１、Ｖ２、またはＶ３のいずれかが刺激に使用され、その脚または供給源から電流が沈むと、回路のＱファクタを下げることができる。スイッチＳ１は、整流器のＶ０脚に連結して、後方散乱通信で使用する場合など、電力をシャントし、変調深度を高めるために使用できる。
【０３０９】
図５４は、概して第３の整流回路５４００の例を示している。第３の整流回路５４００は、図５２の例からの第１の整流回路５２００の例に概ね対応することができる。図５４の例では、第３の整流器回路５４００は、スイッチＳ１と並列に設けられた抵抗器Ｒ１を含み、整流器のＶ０脚は、スライサー回路５４１０に連結されている。
【０３１０】
例では、並列の抵抗器Ｒ１の追加により、Ｓ１のＡＳＩＣ入力を、植込み型装置１１０に送信される変調データ（例えば、ＯＯＫデータ）を復号するためなどのスライサー回路入力として使用することが可能になる。図５４の例では、アンテナ１０８から調整可能なコンデンサＣ６への接続は、ＡＳＩＣへのＲＦ入力を提供し、後方散乱変調およびデータ復号化がアナログＲＦ入力で実行され得るので、任意選択であり得る。この機能がないと、包絡線検波器をオンチップで実装する必要がある。これにより、損失が増大し、容量バジェットが低下して、目的の共振周波数が達成される可能性がある。
【０３１１】
図５４の例では、抵抗器Ｒ１およびコンデンサＣ４は、データの復号化を可能にするために特定の時定数に調整することができる。例えば、変調レートが５００ＫＨｚの場合、Ｃ４値が５ｐＦ、Ｒ１値が２００Ｋオームの時定数が１ｕｓであることが望ましい場合がある。例では、抵抗器Ｒ１の抵抗を増加させ、コンデンサＣ４の静電容量を減少させることは、回路の損失を減らすのに役立つ可能性がある。しかし、電気機械構造およびスライサー回路５４１０の入力インピーダンスに固有の浮遊容量の減少の制限は、抵抗器Ｒ１およびコンデンサＣ４の値を調整することができる量を制限する可能性がある。
ミッドフィールド受信機の植込みシステムおよび方法
【０３１２】
植込み型装置の挿入、固定、および取り外しのための、様々なシステム、装置、および方法を提供することができる。図５５は、植込み型装置５５００の側面図の例を全体的に示す。植込み型装置５５００は、植込み型装置１１０の全部または一部、あるいは本明細書で論じられる１つまたは複数の他の装置を含むことができる。図示のように、植込み型装置５５００は、細長い遠位本体部分５５０２を含む。例では、本体部分５５０２は、植込み型装置１１０の本体部分を含むまたは備える。本体部分５５０２は、少なくとも部分的にその中に植込まれた、またはそれに取り付けられた複数の電極５５０４を含む。本体部分５５０２は、遠位端５５０６および近位端５５０８を含む。近位端５５０８は、回路ハウジング５５１０に取り付けられている。回路ハウジング５５１０は、アンテナハウジング５５１２に取り付けられている。図示のように、アンテナハウジング５５１２は、それに取り付けられた第１のタイン５５１４を含む。例では、アンテナハウジング５５１２は、本明細書で論じられるアンテナハウジング６１０を含み、回路ハウジング５５１０は、本明細書で論じられる回路ハウジング６０６を含む。例では、植込み型装置５５００は、近位端５５０８の近くなど、それに取り付けられた他のタインを含むことができる。
【０３１３】
本体部分５５０２、電極５５０４、回路ハウジング５５１０、およびアンテナハウジング５５１２は、ほんの例として、略円筒形であるとして示されている。植込み型装置５５００は、無線で電力を供給されるように構成される（例えば、植込み型装置５５００が植込まれる組織の外部から植込み型装置５５００に入射する電磁波を介して）。植込み型装置５５００は、患者（例えば、ヒトまたは他の動物の患者）の体内の治療部位に電気刺激を提供するように構成される。植込み型装置５５００は、図５６〜図６８に関して論じられた方法を使用して、患者の内部に配置することができる。
【０３１４】
本体部分５５０２は、可撓性材料を含むことができる。可撓性材料は、ポリウレタン、シリコーン、またはエポキシを含み得る。可撓性材料は、本体部分が患者の内部にあるときなど、本体部分５５０２を成形する能力を提供することができる。
【０３１５】
図示された電極５５０４は、本体部分５５０２に沿った４つの刺激電極５５０４の電極アレイを含む。電極５５０４は、１つまたは複数の実施形態では、白金、イリジウム、ステンレス鋼、チタン、窒化チタン、または他の生体適合性の導電性材料を含む。１つまたは複数の実施形態では、電極は、９０％白金および１０％イリジウムである組み合わせなどの白金およびイリジウム合金を含む。１つまたは複数の実施形態では、電極５５０４は、１つまたは複数の電気スイッチなどによって、互いに電気的に分離されている。電極５５０４は、それぞれ、回路ハウジング５５１０に密閉された回路に電気的に接続されている。
【０３１６】
回路ハウジング５５１０は、その中の回路のための気密エンクロージャを提供することができる。回路ハウジング５５１０は、チタン（例えば、商業的に純粋な６Ａｌ／４Ｖまたは他の合金）、ステンレス鋼、またはセラミック材料（例えば、ジルコニアまたはアルミナなど）、または他の気密性の生体適合性材料を含むことができる。回路ハウジング５５１０は、回路に気密空間を提供する。金属材料が回路ハウジング５５１０に使用される場合、回路ハウジング５５１０を電極アレイの一部として使用することができ、刺激のために選択可能な電極５５０４の数を効果的に増やすことができる。図８９および図９０は、気密性の回路ハウジング５５１０を形成する方法を示している。
【０３１７】
アンテナハウジング５５１２は、回路ハウジング５５１０の近位端５５１１に取り付けることができる。アンテナハウジング５５１２内のアンテナは、植込み型装置５５００が配置されている媒体の外部の装置からなど、植込み型装置５５００への、および／または植込み型装置５５００からの電力供給および通信に使用することができる。アンテナハウジング５５１２の実施形態の部分は、とりわけ、図２０〜図２５、図８５〜図８７、および図９３にさらに詳細に示されている。
【０３１８】
タイン５５１４は、アンテナハウジング５５１２の近位部分（例えば、植込み後に組織５７２８（図５７を参照）の表面に面するアンテナハウジング５５１２の部分）に取り付けることができる。第１のタイン５５１４は、組織内の特定の位置に植込み型装置５５００を取り付ける能力を提供することができる。第１のタイン５５１４は、植込み型装置５５００を特定の解剖学的構造またはその近くに固定するように構成することができる。第１のタイン５５１４は、ポリマーまたは他の可撓性または半可撓性材料で作ることができ、例えば、シリコーン、ポリウレタン、エポキシ、または同様の材料を含み得る。第１のタイン５５１４は、アンテナハウジング５５１２の中心軸または長手方向軸から離れてフレアすることができ、その結果、他の図の中でもとりわけ、図５５に示されるように、第１のタイン５５１４の所与の１つの遠位部分は、同じタインのより近位の部分よりも中心軸に近くなり得る。アンテナハウジング５５１２に取り付けられていない第１のタイン５５１４の端部（例えば、タインの自由端）は、アンテナハウジング５５１２に取り付けられた第１のタイン５５１４の端部よりも（例えば、植込み後）組織の表面に近くなり得る。そのような構成は、患者が移動または様々な通常の活動を進行するときなど、植込み型装置５５００が組織の表面に向かって移動またはそれることがないことを確実にするのに寄与することができる。
【０３１９】
第２のタイン５５１８および第３のタイン５５２０は、本体部分５５０２の近位端の近くに取り付けることができる。第２および第３のタイン５５１８および５５２０は、第１のタイン５５１４と同様であり得るが、装置の縦軸に沿った異なる位置で植込み型装置５５００に取り付けることができる。第２および第３のタイン５５１８および５５２０は、近位端５５０８の近くで装置５５００に取り付けることができる。本体部分５５０２に取り付けられていない第２のタイン５５１８の端部（例えば、第２のタイン５５１８の自由端）は、本体部分５５０２に取り付けられている第２のタイン５５１８の端部よりも組織の表面に近くすることができる。そのような構成は、植込み型装置５５００が植込み後にそれたり移動したりしないことを確実にするのを補助することができる。本体部分５５０２に取り付けられていない第３のタイン５５２０の端部（例えば、第３のタイン５５２０の自由端）は、本体部分５５０２に取り付けられた第３のタイン５５２０の端部よりも組織の表面から遠く離れていてもよい。そのような構成は、植込み型装置５５００が植込み後にそれたり移動したりしないことを確実にするのを補助することができる。
【０３２０】
プッシュロッドインターフェース５５１６は、植込み型装置５５００の近位端に配置することができる。プッシュロッドインターフェース５５１６は、プッシュロッドと嵌合するようなサイズおよび形状にすることができる（とりわけ、図２６〜図３０を参照のこと）。植込み型装置５５００のいくつかの構成要素の実施形態に関する詳細は、他の図および本明細書の他の場所に関して提供される。
【０３２１】
図５６〜図６８は、装置を組織に植込むためのプロセスの部分の全体的な側面図を示している。図５６は、例として、針５６２２およびスタイレット５６２３の実施形態の側面図を示す。針５６２２は、組織を貫通し、ガイドワイヤ５６２４がそれを通ってスライドすることを可能にする中空点５６２６を含む。針５６２２は、白金、チタン、イリジウム、ニチノールなどの生体適合性金属を含むことができるような金属で作ることができる。針５６２２は、ガイドワイヤ５６２４を配置することができる管腔（例えば、管状構造）を含む。
【０３２２】
スタイレット５６２３は、針５６２２の管腔を満たす構造である。スタイレット５６２３は、針５６２２に挿入されると、針５６２２が組織を通って前進するときに、材料が針５６２２の管腔に入るのを防ぐのに寄与し得る。
【０３２３】
図５７は、例として、スタイレット５６２３が取り外された後、組織５７２８に部分的に配置された針５６２２およびガイドワイヤ５６２４の側面図を示す。針５６２２は、組織５７２８およびその表面の下の組織５７２８の表面を貫通することができる。針５６２２は、点５６２６が植込み型装置５５００の植込み部位の近くに来るまで、一般にハンドル５７３０によって押すことができる。針５６２２は、組織５７２８内の所望の位置および向きに配置することができる。ガイドワイヤ５６２４は、それが点５６２６またはその近くに来るまで、針５６２２を通して押すことができる。
【０３２４】
ガイドワイヤ５６２４は、他のツールをインプラント部位に挿入することができる上または周囲の構造を提供する。ガイドワイヤ５６２４は、針５６２２を使用して、植込み型装置５５００が植込まれる場所の近くに挿入することができる。ガイドワイヤ５６２４は、白金、チタン、イリジウム、ニチノールなどを含むことができる生体適合性金属材料で作ることができる。
【０３２５】
図５８は、例として、組織５７２８から部分的に除去された針５６２２の実施形態の側面図を示す。図５９に示されるように、ガイドワイヤ５６２４は、針５６２２の除去後に組織５７２８に残され得る。ガイドワイヤ５６２４は、他の植込み器具または植込み型装置５５００のための植込み部位への経路を提供することができる。
【０３２６】
図６０は、例として、ガイドワイヤ５６２４の一部の上に配置された拡張器６０３０の実施形態の側面図を示す。拡張器６０３０は、ガイドワイヤ５６２４が通過することができる管腔６０４１を含む。管腔６０４１は、ガイドワイヤ５６２４を収容するのに十分な直径（矢印６０３２で示される）を含む。拡張器６０３０は、遠位端６０３６でテーパーにすることができる。テーパーは、テーパーのない拡張器と比較して、組織５７２８の穴６０３８に拡張器６０３０を挿入することをより容易にすることができる。テーパーは、テーパーのない拡張器と比較して、穴６０３８を広げるのを容易にすることができる。拡張器６０３０は、針５６２２によって形成された組織５７２８の穴６０３８に押し込むことができる。拡張器６０３０は、穴６０３８を外径（矢印６０３４によって示される）まで広げることができる。拡張器６０３０は、金属または他の剛性構造を含むことができる。剛性材料は、筋膜または骨からの力による拡張器６０３０のねじれ、押しつぶし、および座屈を防ぐことができる。
【０３２７】
図６１は、例として、組織５７２８の表面を通って穴６０３８に押し込まれた拡張器６０３０の実施形態の側面図を示す。端部６０３６はインプラント部位の近くに配置できる。拡張器６０３０は、放射線不透過性マーカー６１４３を含むことができる。蛍光透視法下などの放射線不透過性マーカー６１４３は、拡張器６０３０をインプラント部位に誘導するのに寄与する。放射線不透過性マーカー６１４３は、拡張器６０３０のテーパー部分の近くに配置されるように、拡張器６０３０の端部６０３６の近くに配置することができる。
【０３２８】
図６２は、例として、組織から除去された拡張器６０３０、およびカテーテル６２５０に配置され、組織５７２８の表面に向けられた別の拡張器６２４０の実施形態の側面図を示す。拡張器６２４０は、ガイドワイヤ５６２４が通過することができる管腔６２５１を含む。管腔６２５１は、ガイドワイヤ５６２４を収容するのに十分な直径（矢印６２４２で示される）を含む。拡張器６２４０は、遠位端６２４６でテーパーにすることができる。テーパーは、テーパーのない拡張器と比較して、拡張器６０３０によって生成された広げられた穴６２４８に拡張器６２４０を挿入することをより容易にすることができる。拡張器６２４０は、拡張器６０３０によって形成された組織５７２８の穴６２４８に押し込むことができる。拡張器６２４０は、穴６２４８を外径（矢印６２４４で示される）まで広げることができる。拡張器６２４０は、金属または他の剛性材料を含むことができる。剛性材料は、筋膜または骨からの力による拡張器６２４０のねじれ、押しつぶし、および座屈を防ぐことができる。
【０３２９】
拡張器６２４０は、拡張器６０３０を組織５７２８を通して押すことによって生成された穴６２４８を広げることができる。例えば、拡張器６０３０は、穴を約５フレンチ（例えば、約１．６６６７ｍｍ）に広げることができ、拡張器６２４０は、穴をさらに約７フレンチ（例えば、約２．３３３３ｍｍ）に広げることができる。これらの寸法は単なる例であり、適用例に応じて変更できる。
【０３３０】
カテーテル６２５０は、拡張器６２４０が通過することができる管腔を含むことができる。カテーテル６２５０の内径は、植込み型装置５５００の最大幅を収容するのに十分であり得る。植込み型装置５５００の最大幅は、植込み型装置５５００の長さ（最長寸法）に垂直な最大の長さである。図５５の植込み型装置５５００の例では、最大幅は、回路ハウジング５５１０またはアンテナハウジング５５１２の幅である。タイン５５１４、５５１８、および５５２０は可撓性があるため、幅の判定で考慮する必要はない。カテーテル６２５０は、内径（矢印６２５２で示される）および外径（矢印６２５４で示される）を含むことができる。拡張器６２４０が挿入されたカテーテル６２５０は、穴６２４８に向かって（例えば、手動で）押し込むことができる。カテーテル６２５０は、金属または他の剛性材料を含むことができる。剛性材料は、筋膜または骨からの力によるカテーテル６２５０のねじれ、押しつぶし、および座屈を防ぐことができる。
【０３３１】
カテーテル６２５０は、その遠位端の近くに配置された放射線不透過性マーカー６２５７を含むことができる。蛍光透視法の放射線不透過性マーカー６２５７は、エンティティが場所または放射線不透過性マーカー６２５７を視覚化するのを補助することができる。植込み型装置５５００が仙骨神経の近くに配置される実施形態では、放射線不透過性マーカー６２５７は、Ｓ３孔として知られる骨の開口部に配置することができる。
【０３３２】
図６３は、例として、組織内の所定の位置に挿入された拡張器６２４０およびカテーテル６２５０の実施形態の側面図を示す。図６４は、例として、拡張器６２４０およびガイドワイヤ５６２４が除去され、カテーテル６２５０を組織内に残した実施形態の側面図を示す。いくつかの実施形態では、ガイドワイヤ５６２４は、拡張器６２４０の前または後に除去され得るか、ガイドワイヤ５６２４は、拡張器６２４０と同時に除去され得る。
【０３３３】
図６５Ａは、例として、プッシュロッド６８５０と嵌合した植込み型装置５５００の例の図を示している。図６５Ａの例では、植込み型装置５５００は、装置が組織に植込まれたときに植込み型装置５５００の移動を防止するのを補助するように構成できるような、タイン構造を含むまたは使用することができる近位部分を含む。図６５Ａの例では、植込み型装置５５００は、第１のタイン５５１４および第２のタイン１１８を含む。第１または第２のタイン１１４および１１８は、植込み型装置５５００の長手方向軸から半径方向に離れて延びるように構成することができ、第１および第２のタイン１１４および１１８は、同様または異なる寸法にすることができる。例では、第１または第２のタイン１１４または１１８は、植込み型装置５５００から半径方向に離れて長手方向に延びるように角度を付けることができる。図６５Ａの例では、第１のタイン５５１４および第２のタイン１１８は、実質的に同じ方向に、すなわち、長手方向軸から半径方向に離れて近位部分に向かって延びるか、角度が付けられている。
【０３３４】
図６５Ｂは、例として、プッシュロッド６８５０と嵌合し、他のタイン構造を含む植込み型装置５５００の例の図を示している。図６５Ｂの例は、第１のタイン５５１４を含み、第４のタイン５５１９を含む。第４のタイン５５１９は、植込み型装置５５００の長手方向軸から半径方向に離れて延びるように構成することができ、第１のタイン５５１４と反対の方向に延びるように構成することができる。すなわち、第４のタイン５５１９は、植込み型装置５５００の遠位部分に向かって延びるか、角度を付けられるように構成することができる。例では、植込み型装置５５００および／またはそれに連結された送達装置は、植込み中に第４のタイン５５１９を展開されていない構成に保持するように構成でき、第４のタイン５５１９は、植込み型装置５５００が標的組織部位に位置付けられるとき、放出および拡張され得る。反対方向の第１のタイン５５１４および第４のタイン５５１９は、標的組織部位から離れる植込み型装置５５００の移動を防ぐのに寄与することができる。
【０３３５】
植込み型装置５５００は、その近位端から延びる縫合糸６８５２を含むことができる。縫合糸６８５２は、（植込み後）組織５７２８の表面を超えて延在し、植込み後に植込み型装置５５００が配置されているエンティティの外部にあることができる。縫合糸６８５２は、組織から植込み型装置５５００を抜去するなど、引っ張ることができる構造を提供することができる。
【０３３６】
プッシュロッド６８５０は、植込み型装置５５００のプッシュロッドインターフェース５５１６と嵌合するように構成された遠位インターフェース６８５４を含むことができる。プッシュロッド６８５０は、とりわけ、例えば、図２６〜図３０に、より詳細に記載されている。
【０３３７】
図６６は、例として、プッシュロッド６８５０によってカテーテル６２５０に押し込まれている植込み型装置５５００の実施形態の図を示している。タイン５５１４および５５１８（または他のタイン）は、カテーテル６２５０に挿入されるときに、カテーテル６２５０の内壁に対して折りたたむことができる。タイン５５２０などの他のタインは図示されていないが、植込み型装置５５００に含めることができることに留意されたい。
【０３３８】
図６７は、例として、組織５７２８内の所定の位置に押し込まれ、カテーテル６２５０を通り抜け、カテーテル６２５０が引き出されてタイン５５１４および５５１８を展開する植込み型装置５５００の実施形態の図を示す。植込み型装置５５００は、縫合糸６８５２が部分的に組織５７２８の内部にあり、部分的に植込み型装置５５００が配置されている組織５７２８の外部にあるように配置することができる。
【０３３９】
プッシュロッド６８５０は、プッシュロッド６８５０を組織５７２８にどれだけ押し込むかを示すマーカー６７６０を含むことができる。植込みを実施するエンティティは、マーカー６７６０がカテーテル６２５０の近位端６７７０または組織５７２８の表面またはその近くにあるとき、植込み型装置５５００が適切な位置にあることを知ることができる。
【０３４０】
プッシュロッド６８５０のマーカー６７６０は、マーカー６７６０がカテーテル６２５０の近位端と位置合わせされたときに電極５５０４が正しい位置にあるように配置することができる。マーカー６７６０は肉眼で見ることができる。この時点で、タイン５５１４および５５１８（または他のタイン）はまだカテーテル６２５０内にあり、まだ展開されていない。植込みを行うエンティティが電極の配置を確認した後（例えば、Ｘ線（蛍光透視法）を通して）、エンティティは、カテーテル６２５０を組織５７２８の表面に向かって引っ張り、タイン５５１４および５５１８を解放することができる。蛍光透視法による確認は、植込み型装置５５００が適切に配置されたままであることを確認するために行うことができる。
【０３４１】
図６８は、例として、組織から除去されたプッシュロッド６８５０およびカテーテル６２５０を含み、植込み型装置５５００を組織に植込まれたままにする実施形態の図を示す。
【０３４２】
図５６〜図６８と一致する例示的な植込み手順が、Ｓ３孔を通して仙骨神経の近くに植込み型装置５５００を植込むことに関して本明細書で提供される。エンティティまたは操作者は、ランドマークＳ３およびＳ４への坐骨ノッチを触診できる。滅菌外科用マーカーを使用して、骨の多い目印を特定できる。蛍光透視装置を所定の位置に操作して、仙骨の正中線、仙腸関節（ＳＩ）関節、坐骨ノッチ、内側孔境界、または仙骨孔の位置を特定できるように、Ｓ３仙骨領域の蛍光透視イメージングまたはマッピングを提供できる。例では、Ｃ−アーム蛍光透視法は、装置の挿入中に使用することができる。
【０３４３】
孔針５６２２は、仙腸関節の頭側約２ｃｍ、仙骨正中線の外側２ｃｍに位置し、Ｓ３孔が特定されて貫通するまで孔の縁を感じ取る。必要に応じて、操作者は針５６２２を取り外して再度挿入することにより、位置を調整できる。蛍光透視法を使用して、操作者は、絶縁された孔針５６２２が、皮膚（例えば、組織５７２８の表面）に対しておおよその角度（例えば、６０度の挿入角度）で孔に挿入されることを確実にすることができる。針５６２２は、骨の表面に垂直な孔管に入ることができる。これにより、針５６２２を仙骨神経と実質的に平行に配置できる。操作者は、針５６２２の位置、向き、深さを蛍光透視法で確認し、必要に応じて、針を取り外して再度挿入することで位置を調整できる。画像は、後で参照または比較するために、植込みプロセス全体で保存できる。
【０３４４】
スタイレット５６２３は、針５６２２から取り外して、廃棄することができる。ガイドワイヤ５６２４は、ガイドワイヤ５６２４のマーク（図示せず）が針５６２２の上部に到達するまで、針を通して提供することができる。孔針５６２２は、ガイドワイヤ５６２４を安定に保持しながら、ガイドワイヤ５６２４上で引き抜くことができる。針５６２２は廃棄できる。
【０３４５】
拡張器６０３０を挿入する前に、ガイドワイヤ５６２４に沿って刺し傷を作ることができる。拡張器６０３０は、ガイドワイヤ５６２４を介して提供され、拡張器６０３０の遠位先端６０３６が仙骨の前面に提供されるまでなど、組織５７２８内に前進させることができる。必要に応じて、操作者は拡張器６０３０を回転させて、拡張器を組織内に前進させることができる。拡張器６０３０は、ガイドワイヤ５６２４を安定に保ちながら引き抜くことができる。拡張器６０３０は廃棄できる。
【０３４６】
組み合わされた拡張器６２４０およびカテーテル６２５０は、放射線不透過性マーカー６２５７が仙骨の前面と後面との間の中間になるまでなど、ガイドワイヤ５６２４を介して組織５７２８内に前進させることができる。必要に応じて、操作者は、拡張器６２４０およびカテーテル６２５０を回転させて、それを組織５７２８内に前進させるのを補助することができる。操作者は、拡張器６２４０およびカテーテル６２５０を所定の位置に残したまま、ガイドワイヤ５６２４を取り外すことができる。その後、ガイドワイヤ５６２４を廃棄することができる。
【０３４７】
例では、拡張器６２４０は、カテーテル６２５０を所定の位置に残したまま除去することができ、拡張器６２４０は廃棄することができる。植込み型装置５５００およびプッシュロッド６８５０は、例えば、プッシュロッドインターフェース５５１６を植込み型装置インターフェース８０２２と嵌合することによって接続して、プッシュロッドアセンブリを作成することができる。プッシュロッドアセンブリは、最初に植込み型装置５５００の遠位先端であるカテーテル６２５０内に前進させることができる。アセンブリは、プッシュロッド６８５０のマーカー６７６０がカテーテル６２５０の上部に到達するまで前進させることができる。プッシュロッド６８５０を回転させて、植込み型装置５５００を配置することができる。
【０３４８】
蛍光透視法を使用して、操作者は、植込み型装置５５００が適切な位置にあることを確認できる。遠位先端５５０６からの最も近位の電極５５０４は、シース上の放射線不透過性マーカー６２５７と整列させることができる。蛍光透視法下の植込み型装置５５００の画像を保存することができる。植込み型装置５５００の位置は、必要に応じて調整することができる（また、蛍光透視法で確認する）。
【０３４９】
片手でプッシュロッド６８５０を所定の位置にしっかりと保持し、操作者は、別の手を使用して、カテーテル６２５０がプッシュロッド６８５０のハンドルに接触し、それ以上引き抜くことができなくなるまで、カテーテル６２５０を部分的に引き抜くことができる。これにより、植込み型装置５５００のタインが露出する可能性がある。プッシュロッド６８５０の長さは、概して植込み型装置５５００をカテーテル６２５０に挿入し、カテーテル６２５０を引き抜いてタインを露出させるのに十分であり得る。
【０３５０】
蛍光透視法を使用して、操作者は、装置が移動したかどうかを判定するなど、植込み型装置５５００の位置を確認することができる。次に、必要に応じて、操作者が植込み型装置５５００の位置を調整することができる。ルアーキャップ（例えば、図８２を参照）は、プッシュロッド６８５０から取り外すことができる。プッシュロッド６８５０は、カテーテル６２５０から約４分の１から約半分まで取り外すことができる。蛍光透視法を使用して、植込み型装置５５００が同じ位置または目標位置に留まっているかどうかを操作者が再度確認することができる。植込み型装置５５００が動かなかった場合、プッシュロッド６８５０は、植込み型装置５５００の近位端に取り付けられた縫合糸６８５２上で取り外すことができる。植込み型装置５５００のラジアルタイン（例えば、タイン５５１４、５５１８、５５１９、または５５２０）は、概して植込み型装置５５００をその所望の軸方向位置に維持することができる。プッシュロッド６８５０は廃棄可能である。植込み型装置５５００が移動した場合、縫合糸６８５２をぴんと張った状態に保持しながら、操作者は、プッシュロッド６８５０を再挿入して、植込み型装置を適切に配置することができる。プッシュロッド６８５０の取り外しステップは、植込み型装置５５００が目標または正しい位置に置かれた後に繰り返すことができる。操作者は、蛍光透視法を使用して、植込み型装置５５００が移動したかを判断できる。次に、カテーテル６２５０を少なくとも部分的に取り外すことができる。蛍光透視法を使用して、操作者は、植込み型装置５５００がまだ移動していないことを確認できる。植込み型装置５５００が動かなかった場合、操作者は、カテーテル６２５０を取り外し続け、カテーテル６２５０を廃棄することができる。次に、操作者は、蛍光透視法を使用して、標的組織部位に対するものなど、植込み型装置５５００の位置を視覚化することができる。必要に応じて、操作者は、例えば、縫合糸６８５２を引っ張ることによって、植込み型装置５５００の位置を調整することができる。
【０３５１】
図６９は、例として、カテーテル６２５０およびプッシュロッド６８５０が完全に取り外された後に植込まれたままにされた植込み型装置５５００の別の実施形態の図を示す。植込み型装置５５００を抜去するために、縫合糸６８５２を組織５７２８の表面から引き離すことができる。プッシュロッドインターフェース５５１６は、植込み型装置５５００の抜去を容易にする（より少ない力を必要とする）か、植込み型装置５５００が植込まれた組織への損傷を少なくするのを補助するなど、先細にすることができる。
【０３５２】
縫合糸６８５２を引っ張って抜去するのは難しい場合がある。抜去を補助するために、シース６９６０を、縫合糸６８５２の遠位部分（植込み型装置５５００に取り付けられた縫合糸６８５２の部分）の周りに配置することができる。シース６９６０は、ペバックス、ポリウレタン、ナイロン、ポリエチレン、ポリプロピレンなどを含むことができるような可撓性ポリマー材料を含むことができる。シース６９６０は、縫合糸６８５２の近位部分が組織に付着するのを防ぐのを補助することができる。組織は、縫合糸６８５２およびその周辺で治癒する可能性があり、例えば植込み型装置５５００の抜去をより困難にする。シース６９６０は、そのような治癒から縫合糸６８５２を保護し、シース６９６０なしで実現されるよりも、縫合糸６８５２と周囲の組織との間に大きな空間を提供し得る。
【０３５３】
図７０は、例として、縫合糸６８５２が引っ張られ、植込み型装置５５００が組織５７２８の表面に向かって移動し始めた後の植込み型装置５５００の実施形態の図を示す。シース６９６０は、組織５７２８を通る動きに応答して崩壊し得る。シース６９６０の崩壊は、植込み型装置５５００の抜去のための経路を形成するのを補助することができる。
【０３５４】
ミッドフィールド受信機の構成要素、アセンブリ、および調整
図７１は、例として、植込み型装置５５００などの植込み型装置の部分７１００の分解図を示す。図示された部分７１００は、縫合糸６８５２、シース６９６０、リテーナ７１６４上のタイン５５１４、プッシュロッドインターフェース５５１６、アンテナハウジング５５１２、および回路ハウジング５５１０を含む。
【０３５５】
植込み型装置を組み立てる際に、縫合糸６８５２をプッシュロッドインターフェース５５１６に取り付けることができる。シース６９６０は、縫合糸６８５２がプッシュロッドインターフェース５５１６に取り付けられる前または後など、縫合糸６８５２の周囲に配置され得る。リテーナ７１６４は、プッシュロッドインターフェース５５１６の周りに取り付けることができる。リテーナ７１６４、リテーナ７１６４は、アンテナハウジング５５１２の近位端に隣接するように配置することができる。アンテナハウジング５５１２は、アンテナコア７１６２およびコアハウジング７１６６を含むことができる。例では、アンテナコア７１６２は、本明細書で論じられる第１の誘電体コア７４８８などの誘電部材を含む。コアハウジング７１６６は、アンテナコア７１６２がコアハウジング７１６６によって囲まれるように、アンテナコア７１６２の周りに配置することができる。アンテナコア７１６２の遠位端は、回路ハウジング５５１０に取り付けることができる。コアハウジング７１６６は、回路ハウジング５５１０の近位部分を取り囲むことができる（例えば、近位翼付きフランジ７２７０Ａおよび７２７０Ｂ、とりわけ、図１８および図１９を参照のこと）。アンテナコア７１６２は、回路ハウジング５５１０に取り付けることができる。図７１の構成要素のいくつかの実施形態は、図７２〜図８３、および本明細書の他の場所に関してより詳細に説明されている。例では、コアハウジング７１６６は、ポリエーテルエーテルケトン（ＰＥＥＫ）、液晶ポリマー（ＬＣＰ）、または他の材料を含むことができるような誘電体材料を含む。例では、コアハウジング７１６６は、アンテナコア７１６２と、例えば、回路ハウジング５５１０との間に堅固で堅牢な機械的接合を提供するように構成される。
【０３５６】
図７２および図７３は、例として、回路ハウジング５５１０の実施形態のそれぞれの図を示す。図示の回路ハウジング５５１０は、近位翼付きフランジ７２７０Ａ、７２７０Ｂ、第１のハウジング板７２７２、近位導電性フィードスルー７２７４、中空容器７２７６、第２のハウジング板７２７８、遠位翼付きフランジ７２８０Ａ、７２８０Ｂ、および遠位導電性フィードスルー７２８２を含む。翼付きフランジ７２７０Ａ〜７２７０Ｂおよび７２８０Ａ〜７２８０Ｂは、容器７２７６のフットプリント内に配置できる。
【０３５７】
翼付きフランジ７２７０Ａ〜７２７０Ｂは、アンテナコア７１６２の対応する特徴と係合するように構成することができる（とりわけ、図７６を参照のこと）。翼付きフランジ７２８０Ａ〜７２８０Ｂは、本体部分５５０２の近位端５５０８またはその近くで対応する特徴と係合するように構成することができる。翼付きフランジ７２７０Ａ〜７２７０Ｂおよび７２８０Ａ〜７２８０Ｂは、弧状または湾曲した壁と、湾曲した壁の両端の間を走るトラックとを含むことができる。トラックの各側で、翼付きフランジ７２７０Ａ〜７２７０Ｂおよび７２８０Ａ〜７２８０Ｂは、回路ハウジング５５１０の長手方向軸（破線７２８４によって示される）から外向きに延びるリップまたは突起を含むことができる。
【０３５８】
導電性フィードスルー７２７４は、アンテナコア７１６２の嵌合導体と係合するように構成することができる（とりわけ、図７４〜図７６を参照のこと）。導電性フィードスルー７２７４は、電気信号がアンテナ７４８６に伝わることができる経路を提供することができる。例では、アンテナ７４８６は、植込み型装置１１０に提供され得るようなアンテナ１０８の例を含む。アンテナ７４８６は、第１の誘電体コア７４８８の周りに提供または巻くことができる（とりわけ、図７４〜図７６を参照のこと）。アンテナ７４８６は、回路ハウジング５５１０の回路に連結することができる。導電性フィードスルー７２７４は、第１のハウジング板７２７２を通って延びることができる。
【０３５９】
第１のハウジングプレート７２７２および第２のハウジングプレート７２７８は、ろう付け、溶接、または他の方法で容器７２７６の両端に取り付けることができる。第１のハウジングプレート７２７２および第２のハウジングプレート７２７８の容器７２７６への取り付けは、回路ハウジング５５１０内の回路を保護するためなどに、回路ハウジング５５１０を密閉することができる。回路ハウジング５５１０の実施形態は、図９０および図９１に関して説明される。
【０３６０】
導電性フィードスルー７２８２は、それぞれの電極５５０４に電気的に連結または接続されている本体部分５５０２の嵌合導体と係合するように構成することができる。導電性フィードスルー７２８２は、回路ハウジング５５１０内の回路からの電気信号が電極５５０４に提供される経路を提供することができる。導電性フィードスルー７２８２は、第２のハウジング板７２７８を通って延びることができる。
【０３６１】
図７４および図７５は、例として、アンテナコア７１６２の実施形態の図を示している。アンテナコア７１６２は、第１の誘電体コア７４８８およびアンテナ７４８６を含み得る。第１の誘電体コア７４８８は、誘電体材料などの非導電性材料でできていてもよい。誘電体材料には、ポリエーテルエーテルケトン（ＰＥＥＫ）、液晶ポリマー（ＬＣＰ）（ＰＥＥＫのようなプラスチックは水分を保持し、誘電率をシフトできるが、ＬＣＰは水分飽和により誘電シフトが少ない）、エポキシモールドなどが含まれ得る。アンテナ７４８６は、銅、銀、金、白金、スズ、アルミニウム、真ちゅう、ニッケル、チタン、それらの組み合わせなどの導電性材料を含むことができる。アンテナ７４８６は、第１の誘電体コア７４８８の周りに巻くことができる。第１の誘電体コア７４８８は、アンテナ７４８６が第１の誘電体コア７４８８の周りに配置された後に崩壊するのを防ぐのを補助するなど、アンテナ７４８６の機械的支持を提供することができる。
【０３６２】
第１の誘電体コア７４８８は、翼付きフランジ７２７０Ａ〜７２７０Ｂの弧状または湾曲した壁と嵌合するように湾曲した弧状または湾曲した壁７４９０Ａおよび７４９０Ｂを含むことができる。翼付きフランジ７２７０Ａ〜７２７０Ｂは、回路ハウジング５５１０がアンテナコア７１６２と嵌合されている場合、湾曲した壁７４９０Ａ〜７４９０Ｂの外側に配置することができる。
【０３６３】
図７６は、例として、回路ハウジング５５１０とアンテナコア７１６２との間のカップリングの実施形態の図を示している。フィードスルー７２７４は、アンテナ７４８６に電気的に接続することができる。フィードスルー７２７４は、はんだ付け、溶接、ろう付け、またはその他の方法でそれぞれのアンテナ７４８６導体に電気的に接続することができる。導電性フィードスルー７２７４をアンテナ７４８６に接続することに関するさらなる詳細は、図８６および図８７に関して記載されている。
【０３６４】
図７７〜図７９は、例として、コアハウジング７１６６およびプッシュロッドインターフェース５５１６のそれぞれの図を示している。コアハウジング７１６６は、それを通る係合穴７７０２を含むことができる。係合穴７７０２は、植込まれると周囲の組織と係合することができる。係合穴７７０２は、植込み型装置５５００を植込まれた位置に保持するのを補助することができる。コアハウジング７１６６は、その遠位端に開口部７７０４を含むことができる。アンテナコア７１６２は、開口部７７０４に配置することができる。コアハウジング７１６６は、アンテナコア７１６２を取り囲むことができる。
【０３６５】
図示のプッシュロッドインターフェース５５１６は、露出した丸いエッジを有する台形プリズムなどの台形形状を含む。台形の短いベースは、台形の長いベースよりも近位にある。プッシュロッドインターフェース５５１６の側部は、長いベースから短いベースに向かって先細にすることができる。そのような構成は、プッシュロッド６８５０の遠位端と係合するためのインターフェースを提供しながら、植込み型装置５５００を外植することをより容易にするのを補助することができる。
【０３６６】
プッシュロッドインターフェース５５１６は、縫合糸６８５２の遠位端にある縫合糸リテーナ６８５３（例えば、ボールまたはノットなど）と係合するためのソケット開口部７８１０を含むことができる（図７１を参照）。縫合糸６８５２は、縫合糸６８５２の近位端から開始して、ソケット開口部７８１０を通して押し込むことができる。リテーナ６８５３がソケット開口部７８１０に配置されるまで、縫合糸をソケット開口部７８１０を通して引っ張ることができる。リテーナ６８５３は、縫合糸６８５２がプッシュロッドインターフェース５５１６に連結されたままであり、植込み型装置５５００を引っ張られて抜去することができることを保証するためなど、ソケット開口部７８１０の露出部分の半径よりも大きい境界または半径を有する構造を含むことができる。
【０３６７】
プッシュロッドインターフェース５５１６は、コアハウジング７１６６をキャップするベース７８１２をさらに含むことができる。ベース７８１２は、接着剤、コアハウジング７１６６の弾性収縮によって生成される力などによって、コアハウジング７１６６に取り付けることができる。ベース７８１２は、リテーナ７１６４を超えて延びるリップを含むことができ、リテーナ７１６４がソケット開口部７８１０に向かって移動しないことを確実にするのに役立つ。
【０３６８】
アンテナコア７１６２は、コアハウジング７１６６内に配置することができる。アンテナコア７１６２は、エポキシまたは他の誘電性接着剤を使用することなどによって、コアハウジング７１６６に固定することができる。誘電体接着剤は、アンテナコア７１６２がコアハウジング７１６６内にある間、およびアンテナ７４８６がフィードスルー７２７４に電気的に接続された後など、穴７７０２の１つまたは複数を通して導入することができる。
【０３６９】
接続材料７８１１は、プッシュロッドインターフェース５５１６に配置することができる。接続材料７８１１は、リテーナ６８５３または縫合糸６８５２の端部の結び目を保持するのを補助することができる。結合材料７８１１は、リテーナ６８５３が結合材料７８１１と接触している間に硬化させることができる。接続材料７８１１は、リテーナ６８５３が開口部７８１０を通って、またはコアハウジング７１６６に向かって滑らないことを確実にするのを補助することができる。
【０３７０】
図８０は、例として、プッシュロッド６８５０の実施形態の斜視図を示す。プッシュロッド６８５０は、細長い本体部分８０２４を含むことができる。細長い本体部分８０２４は、縫合糸６８５２またはシース６９６０がそこを通過できるようにするために、その遠位部分が中空であり得る。細長い本体部分８０２４は、金属、プラスチック、ステンレス鋼、ポリ塩化ビニル（ＰＶＣ）、ポリテトラフルオロエチレン（ＰＴＦＥ）などを含むことができる。
【０３７１】
プッシュロッド６８５０は、カテーテル６２５０に対するマーカー６７６０の位置を示すマーカー６７６０を含むことができる。使用中、インプラントの手順を実行するエンティティは、マーカー６７６０がカテーテル６２５０の最も近位の端部またはその近くに来るまで、プッシュロッド６８５０を押すことができる。プッシュロッド６８５０は、植込み型装置インターフェース８０２２を含むことができる。植込み型装置インターフェース８０２２は、プッシュロッドインターフェース５５１６と嵌合するように構成される。
【０３７２】
図８１は、例として、プッシュロッド６８５０の植込み型装置インターフェース８０２２の実施形態の分解図を示す。植込み型装置インターフェース８０２２は、細長い本体部分８０２４から延びる対向する脚８１３０Ａ、８１３０Ｂを含む。対向する脚部８１３０Ａ、８１３０Ｂは、部分的な円柱、部分的な楕円体、部分的な超立方体、他の多角形などであり得る。脚８１３０Ａ、８１３０Ｂは、互いに向き合うそれぞれの対向する面８１３６Ａ、８１３６Ｂを含むことができる。対向する面８１３６Ａ、８１３６Ｂは、略平坦であり得るか、さもなければ、プッシュロッドインターフェース５５１６の形状を補完することができる。対向する面８１３６Ａ、８１３６Ｂは、縫合糸６８５２またはシース６９６０の形状に対応するためなど、その中にディボット８１３２を含むことができる。ディボット８１３２は弧状にすることができる。細長い本体部分８０２４は、それを通って延びる管腔８１３４（例えば、管状構造）を含むように中空にすることができる。管腔８１３４は、縫合糸６８５２またはシース６９６０がそこを通過することを可能にする形状を含むことができる。そのような構成は、植込み型装置インターフェース８０２２が、プッシュロッドインターフェース５５１６を、少なくとも部分的に管腔８１３４内で縫合糸６８５２またはシース６９６０と係合させることを可能にすることができる。
【０３７３】
図８２は、例として、プッシュロッド６８５０の近位部分の実施形態の図を示している。図示のプッシュロッド６８５０は、中空ロッドの細長い本体部分８０２４、ハンドル８２８０、戻り止め８２８２、ルアーキャップ８２８４、および縫合糸６８５２を含む。プッシュロッド６８５０は、本明細書の他の場所で説明されているように使用することができる。ルアーキャップ８２８４キャブは、嵌合するルアースレッドによってハンドル８２８０に取り外し可能に取り付けられる（ルアーキャップ８２８４によって閉塞されているため、示されていない）。ルアーキャップ８２８４がルアースレッドにねじ込まれると、ルアースレッドの先細の開口部が縫合糸６８５２に圧力をかけ、それを所定の位置に保持する。プッシュロッド６８５０を縫合糸６８５２から取り外すために、ルアーキャップ８２８４をルアースレッドから外して、縫合糸６８５２に沿って前進させることができる。縫合糸６８５２がルアーキャップ８２８４内にもはや入っていない後、プッシュロッド６８５０を縫合糸６８５２上に前進させ、植込み型装置５５００から取り外すことができる。
【０３７４】
図８３は、例として、縫合糸６８５２が管腔８１３４内に部分的に配置されたプッシュロッド６８５０の実施形態の斜視図を示す。図８４は、例として、植込み型装置インターフェース８０２２と係合するプッシュロッドインターフェース５５１６の実施形態の斜視図を示す。シース６９６０および縫合糸６８５２は、プッシュロッド６８５０の管腔８１３４に配置されている。面８１３６Ａ、８１３６Ｂは、プッシュロッドインターフェース５５１６の対応する面と係合している。
【０３７５】
フィードスルー７２７４とアンテナ７４８６との間の電気的接続が、植込みプロセスなどによって損なわれないことを確実にするのを補助するために、エポキシ、樹脂、ポリマー、成形材料、または他の誘電体材料を第１の誘電体コア７４８８の周りに注入することができる。破線９２１３で示される誘電体材料は、１つまたは複数の穴７７０２を通して注入することができる。誘電体材料は、コアハウジング７１６６を第１の誘電体コア７４８８および翼付きフランジ７２７０Ａ〜７２７０Ｂまたは回路ハウジング５５１０の板７２７２から突出する他の品目にさらに連結することができる。
【０３７６】
図８５は、例として、第２の誘電体コア８５９０の実施形態の図を示している。アンテナ７４８６をフィードスルー７２７４に電気的に接続するために、アンテナコア７１６２は、翼付きフランジ７２７０Ａ〜７２７０Ｂが湾曲した壁７４９０Ａ〜７４９０Ｂに隣接するように、回路ハウジング５５１０の近くに配置することができる。アンテナコア７１６２および回路ハウジング５５１０は、フィードスルー７２７４およびアンテナ７４８６がレーザー溶接されるか、さもなければ互いに電気的に接続されている間、この位置に保持することができる。
【０３７７】
このようなレーザー溶接を行うことは困難である。この困難は、部分的には、フィードスルー７２７４とアンテナ７４８６の導電性表面を接合する化学的性質に起因し、部分的には、溶接を形成するためにアンテナ７４８６に十分に近接してフィードスルー７２７４を保持することの困難に起因し得る。第２の誘電体コア８５９０は、アンテナ７４８６をフィードスルー７２７４に十分に近づけて保持するのを補助することができ、例えば、それらを互いに電気的に接続するプロセスを補助することができる。
【０３７８】
図示の第２の誘電体コア８５９０は、近位端３１９６および遠位端８５９８を備えた第２の誘電体コア８５９０を含む。本明細書で使用される遠位および近位は、互いに対して相対的である。遠位部分は、遠位部分および近位部分が完全に植込まれたときに、近位部分よりも植込み部位に近い部分である。図示の第２の誘電体コア８５９０は、その側面に２つのくぼみ８５９４Ａ、８５９４Ｂを含む。くぼみ８５９４Ａ、８５９４Ｂは、第２の誘電体コア８５９０の遠位端８５９８の近くにあってもよい。第２の誘電体コア８５９０は、第１の誘電体コア７４８８と同じ材料を含み得る。
【０３７９】
図８６は、例として、「８６」とラベル付けされた矢印の方向から見た、図８５の誘電体コアの実施形態の図を示している。第２の誘電体コア８５９０の遠位端８５９８は、各フィードスルー７２７４のためにその中に穴８５９９Ａ、８５９９Ｂを含むことができる。穴８５９９Ａ〜８５９９Ｂは、フィードスルー７２７４に対応するサイズと形状にすることができる。フィードスルー７２７４は、フィードスルー７２７４の端部がそれぞれくぼみ８５９４Ａ−８５９４Ｂに位置するように、穴８５９９Ａ〜８５９９Ｂを通して押し込むことができる。穴８５９９Ａ〜８５９９Ｂは、フィードスルー７２７４がその中に挿入されたときに所定の位置に保持されるように構成することができる。いくつかの実施形態では、エポキシ、樹脂、または他の接着剤は、フィードスルー７２７４が穴８５９９Ａ〜８５９９Ｂに挿入される前または後に、穴８５９９Ａ〜８５９９Ｂに配置され得る。そのような実施形態では、フィードスルー７２７４は、接着剤によって所定の位置に保持することができる。図８７は、例として、フィードスルー７２７４がアンテナ７４８６の近くのくぼみ８５９４Ａ−８５９４Ｂに配置され、レーザー溶接の準備ができた後の植込み型装置の一部の実施形態の側面図を示す。
【０３８０】
前述のように、２つの金属のレーザー溶接は難しい場合がある。例えば、導電性（例えば、金、白金、イリジウム、ニチノールなどの金属）アンテナ７４８６および導電性（例えば、金、白金、イリジウム、ニチノールなどの金属）フィードスルー７２７４を検討する。フィードスルー７２７４は、アンテナ７４８６が溶融して別の導体との導電性接続を形成するのに十分なエネルギーを吸収しない可能性があるように、またはその逆のように、レーザーエネルギーを反射する可能性がある。
【０３８１】
図８８は、例として、植込み型装置用のアンテナアセンブリの一部の実施形態８８００の図を示し、アンテナアセンブリは、フィードスルー７２７４とアンテナ７４８６との間の導電性接続を形成するのを補助するためのスリーブ８８０２を含む。スリーブ８８０２は、本明細書で論じられる異なるアンテナ例のアセンブリのいずれかで使用または適用することができる。スリーブ８８０２は、アンテナリードを１つまたは複数の他の導電性リード、トレース、パッド、または他の材料に接続するために使用されるエネルギー源の周波数で高い吸収率を有することができるような、プラチナなどの材料で作ることができる。スリーブ８８０２は、くぼみ８５９４Ａまたは８５９４Ｂに配置することができる。スリーブ８８０２は、アンテナ７４８６の一部の周りに配置することができる。フィードスルー７２７４は、スリーブ８８０２内に配置することができる。エネルギー吸収、および最終的にはフィードスルー７２７４とアンテナ７４８６との間の導電性接続を補助するために、スリーブ８８０２は、フィードスルー７２７４とアンテナ７４８６との間のインターフェースの周りに配置され得る。スリーブ８８０２は、レーザーまたは他のエネルギー源からエネルギーを吸収し、そのエネルギーをフィードスルー７２７４およびアンテナ７４８６に伝達することができる。伝達されたエネルギーは、フィードスルー７２７４および／またはアンテナ７４８６を溶融するのを補助することができ、例えば、それらの間に導電性接続を形成することができる。
【０３８２】
スリーブ８８０２は、照準穴８８０３を含むことができる。照準穴８８０３を通して、フィードスルー７２７４およびアンテナ７４８６をレーザー溶接するエンティティは、フィードスルー７２７４およびアンテナ７４８６がスリーブ８８０２内に適切に配置されているかどうかを視覚的に確認することができる。
【０３８３】
図８９は、例として、図７３の「８９」とラベル付けされた矢印によって示される方向からの回路ハウジング５５１０の実施形態の断面図を示す。図示の回路ハウジング５５１０は、容器７２７６、誘電体ライナー８９０６、回路８９０８、および乾燥剤８９１０を含む。容器７２７６は、回路８９０８を保護するためなどに、気密封止することができるセラミック、金属、または他の生体適合性材料で作ることができる。
【０３８４】
誘電体ライナー８９０６は、カプトンまたは他の誘電体材料を含むことができる。誘電体ライナー８９０６は、容器７２７６の内面を覆うことができる。誘電体ライナー８９０６は、容器７２７６が導電性材料を含む実施形態のように、回路８９０８と容器７２７６との間に電気的接続が形成されるのを防ぐのを補助することができる。
【０３８５】
回路８９０８は、電極５５０４に電気刺激信号を提供し、それに入射する信号からエネルギーを収集する、例えば、電気または電子部品、エネルギー貯蔵部品（例えば、コンデンサまたは電池）、アンテナに入射する信号をデータに変換する受信機回路（例えば、復調器、増幅器、発振器など）、送信するデータを波に変換するための送信機回路（例えば、変調器、増幅器、位相ロックループ、発振器など）などに電力を供給するように構成された電気または電子部品を含めることができる。電気または電子部品は、１つまたは複数のトランジスタ、抵抗器、コンデンサ、インダクタ、ダイオード、スイッチ、表面音響波装置、変調器、脱変調器、増幅器、電圧、電流、または電力レギュレータ、電源、論理ゲート（例えば、ＡＮＤ、ＯＲ、ＸＯＲ、ネゲートなど）、マルチプレクサ、メモリ装置、アナログ−デジタルまたはデジタル−アナログコンバータ、デジタルコントローラ（例えば、中央処理ユニット（ＣＰＵ）、アプリケーション固有の集積回路（ＡＳＩＣ）、など）、整流器などを含み得る。回路８９０８は、剛性、可撓性、またはそれらの組み合わせであり得るプリント回路基板（ＰＣＢ）などのルーティングボードを含むことができる。
【０３８６】
乾燥剤８９１０は、回路８９０８、誘電体ライナー８９０６、または容器７２７６上に配置することができる。乾燥剤８９１０は、植込み型装置５５００の植込みの前または後など、回路ハウジング５５１０のいずれかの水分を吸収することができる。一般的な乾燥剤には、シリカ、活性炭、硫酸カルシウム、塩化カルシウム、ゼオライトなどが含まれる。
【０３８７】
図９０および図９１は、例として、回路ハウジング５５１０を密閉する実施形態の図を示している。インジウムまたはインジウム合金はんだ９０４０は、容器７２７６とフィードスルー板７２７２との間、および容器７２７６とフィードスルー板７２７８との接合部の近くに配置することができる。インジウム合金はんだ９０４０はリフロー（加熱して液化）することができる。インジウム合金はんだ９０４０をリフローすると、はんだ９０４０が移動し、容器７２７６とフィードスルー板７２７２および７２８２との間のギャップを埋めることができる。冷却後、信頼性が高く、気密性のある導電性の接続が、容器７２７６とフィードスルー板７２７２および７２８２との間に形成され得る。
【０３８８】
図９２および図９３は、例として、誘電体材料（破線９２１３によって示される）をアンテナハウジング５５１２内に配置する実施形態の斜視図を示す。第１に、針９２２２の一部を冷却してその温度を下げることができる。温度は、誘電体が針９２２２を通って流れるのを止めるのに十分であり得る。冷却は、冷却装置９２２０によって実行することができる。冷却装置の例は、対流、伝導、熱放射、蒸発冷却などの様々な熱伝達メカニズムを使用して動作する。１つまたは複数の実施形態では、ペルチェ冷却器（ペルチェ効果に基づいて動作する装置）を冷却装置９２２０として使用することができる。
【０３８９】
針９２２２は、冷却装置９２２０上またはその近くに配置することができ、その結果、針９２２２の一部は、誘電体材料が自由に流れることができる温度未満に冷却される。次に、誘電体材料を針９２２２に挿入することができる。誘電体材料は、その温度が自由流動温度を下回るまで流動し、その時点で、誘電体材料は流動を停止し、針９２２２に溜まり始める。十分な誘電体材料が針９２２２内に配置された後、針９２２２を冷却装置９２２０から取り外すことができる。針９２２２の周りの周囲温度（冷却装置９２２０から取り外した後）は、誘電体材料の自由流動温度よりも高くなり得る。したがって、誘電体材料は温度が上昇する可能性がある。針９２２２は、その端部が、穴７７０２などを通ってコアハウジング７１６６にあるように配置することができる。誘電体材料が（周囲加熱によって）加熱されると、自由に流れる温度に達する。次に、誘電体材料は、針９２２２の端部を通ってコアハウジング７１６６に流れ込み、翼付きフランジ７２７０Ａ〜７２７０Ｂ、第１の誘電体コア７４８８、フィードスルー７２７４、アンテナ７４８６、およびスリーブ８８０２に流れる。図９１および図９２の方法により、誘電体材料の量および位置を制御することができる。
【０３９０】
図９４〜図９６は、例として、第１の誘電体コア７４８８の実施形態のそれぞれの斜視図を示す。第１の誘電体コア７４８８は、第２の誘電体コア８５９０の代わりに使用することができ、同じまたは異なる材料を含むことができる。図示の第２の誘電体コア８５９０は、その中に連続溝９４０２を含む。溝９４０２は、アンテナ７４８６が溝９４０２に配置されるとき、アンテナが指定された周波数応答を有するように、形状およびサイズが決められている。溝９４０２に配置される場合（図９６〜図９８を参照）、アンテナ７４８６は、ほぼ２つの全巻線（例えば、約１．５から約１．７５の全巻線の間）を有する。溝９４０２は、アンテナ７４８６の周波数応答に影響を与えるアンテナ７４８６の所望の形状を規定する。溝９４０２は、アンテナ７４８６の機械的支持を提供する。溝９４０２は、アンテナ７４８６がその中に配置された後、アンテナ７４８６が移動したり、さもなければ形状を変えたりしないことを確実にするのに役立つ。溝９４０２は、延長された側壁を備えた略半円形であり得、その結果、円形断面を有するアンテナ７４８６は、その中に配置され得る。第１の誘電体コア７４８８の長手方向軸を一般に横切る第１の誘電体コア７４８８の穴９４０６は、アンテナ７４８６および溝９４０２のために第１の誘電体コア７４８８の反対側への経路を提供することができる。穴９４０６を取り囲む第１の誘電体コア７４８８の材料は、アンテナ７４８６の位置を保持するのを補助することができる。
【０３９１】
アンテナ７４８６の端部は、溝９４０２に隣接する凹部９４１０内に延びることができる（図９７および図９８を参照）。第１の誘電体コア７４８８の側面には、図９４〜図９６において、見えない別のくぼみがあることに留意されたい。アンテナ７４８６のそれぞれの各々の端部は、第１の誘電体コア７４８８のそれぞれの凹部９４１０内に延びることができる。凹部９４１０は、アンテナ７４８６が回路ハウジング５５１０のフィードスルー７２７４に導電的に接続され得る空間を提供することができる。フィードスルー７２７４は、第１の誘電体コア７４８８の遠位端の穴９４０８を通してフィードスルー７２７４を押すことなどによって、凹部９４１０に配置することができる。スリーブ８８０２は、アンテナ７４８６またはフィードスルー７２７４が照準穴８８０３を通して見えるように、アンテナ７４８６またはフィードスルー７２７４の端部の周りに配置することができる。次に、フィードスルー７２７４またはアンテナ７４８６の端部は、アンテナ７４８６またはフィードスルー７２７４の端部とともにスリーブ８８０２に滑り込ませることができる。次に、スリーブ８８０２の２つの端部は、両端を溶融することによって（例えば、スリーブに入射するレーザー励起によって）、周囲冷却または他の冷却などによってスリーブ８８０２を冷却することによって、互いに接続することができる。
【０３９２】
図示の第１の誘電体コア７４８８は、回路ハウジング５５１０の翼付きフランジ７２７０Ａ〜７２７０Ｂの壁に一致するサイズおよび形状の湾曲した壁７４９０を含む遠位部分を含む。第１の誘電体コア７４８８が回路ハウジング５５１０に押し付けられると、湾曲した壁７４９０は、フィードスルー７２７４に面する翼付きフランジ７２７０Ａ〜７２７０Ｂの壁を押すことができる。第１の誘電体コア７４８８は、湾曲した壁７４９０から半径方向外向きに延びるリップ９４０５をさらに含むことができる。リップ９４０５は、第１の誘電体コア７４８８が回路ハウジング５５１０に位置するとき、上側リップ（翼付きフランジ７２７０Ａ〜７２７０Ｂの最も近位の部分）と（物理的に接触して）静置することができる。
【０３９３】
図９７〜図９９は、アンテナ７４８６が溝９４０２内に配置され、スリーブ８８０２が凹部９４１０内のアンテナ７４８６上に配置された第１の誘電体コア７４８８を示している。図９８および図９９は、穴９４０８および凹部９４１０内のフィードスルー７２７４を示している。フィードスルー７２７４はまた、照準穴８８０３を調べることによって確認することができるように、スリーブ８８０２に配置され得る。
【０３９４】
植込み型装置５５００は、本明細書、例えば、図４８〜図５４に記載されているような階段状シミュレーション回路を含むことができる。回路ハウジング５５１０は、本明細書に記載されるような回路を含むことができる。植込み型装置５５００は、供給源１０２または別の装置など、それが植込まれる組織の外部の装置に無線で連結することができる。例では、外部装置は、外部トランシーバ、外部給電ユニット（ＥＰＵ）、ミッドフィールド送信機、送信機などと呼ばれることがある。植込み型装置と送信機のそのような組み合わせは、電気刺激、生物学的モニタリングなどに使用できる植込み型装置システムを形成することができる。
【０３９５】
例では、植込み型装置で使用するための１つまたは複数の回路のインピーダンスは、植込み型装置が重複しない周波数帯域を使用して通信できるように調整することができる。植込み型装置アンテナのインピーダンスを調整する方法には、プリント回路パターンの変更を介してアンテナ端子間の静電容量を調整することが含まれ得る。回路パターンまたはトレースを含む回路のインピーダンスは、例えば、回路を駆動するアンテナの接続前などのプリント回路基板アセンブリの測定に基づいて、１つまたは複数のパターンまたはトレースの一部を除去することによって変更することができる。次に、アンテナは、基板が回路ハウジングに密封された後など、植込み型装置に取り付けることができる。次に、植込み型装置は、組織のインピーダンスをシミュレートする材料の中または近くに配置できる。次に、植込み型装置に、ミッドフィールド送信機などからの電気エネルギーを供給することができる。
【０３９６】
植込み型アセンブリのアンテナ調整の検証は、フィールド連結測定技術またはその他の機能テストを使用して遂行または実行できる。電界連結測定の場合、励起源を植込み型装置アンテナに近接場連結し、励起源の入射電圧または電流の変化を測定して、植込み型装置のアンテナインピーダンスを判定できる。機能テストは、意図された動作周波数での植込み型装置との信頼できる通信の検証など、様々な方法で実行できる。
【０３９７】
植込み型刺激装置を製造する方法は、回路ハウジングの対向する端部の各々に電気的接続を形成することを含むことができ、例えば気密封止された回路ハウジングであり得る。この方法は、フィードスルーアセンブリ（例えば、電気および／または電子部品を配置することができる構造のキャップ）と回路基板のパッドとの間に電気的接続を形成することを含むことができる。回路基板のパッドの表面は、フィードスルーアセンブリのフィードスルーの端部の表面に対して略垂直であり得る。
【０３９８】
この方法は、例えば、植込み型刺激装置または液体にさらされる可能性がある、または電気および／または電子部品に悪影響を及ぼす可能性がある他の環境要素にさらされる可能性がある他の装置の一部となり得るなど、気密回路ハウジングを形成するのに有用であり得る。基板の接続には、フィードスルーに略垂直な表面が含まれる場合があるため、ワイヤボンディングなどの手法を使用することは困難である。ワイヤボンドは通常、回路ハウジングを封止する際に圧縮される。電子基板の間を接続するために圧を加えることができる細いワイヤを使用することは、ＲＦフィードスルーの寄生容量および／またはインダクタンスを増大させる可能性があり、ＲＦ受信構造を離調させる可能性がある。さらに、製造産出量が、そのような圧縮および／または細いワイヤによって制限される可能性がある。加圧は、ワイヤとパッドとの間の結合を破壊することがあり、またはワイヤ自体を破壊する。ワイヤの太さは、ワイヤが破損する可能性に影響を与える可能性がある。細いワイヤは、太いワイヤよりも圧縮すると破損する可能性が高くなる。
【０３９９】
植込み型神経刺激装置の変位量をさらに減らすことが継続的に望まれている。さらなる小型化は、より容易に侵襲性のさらに低い植込み処置を可能にし、植込み型装置の表面積を減少させ、それによりひいては植込み後の感染の可能性を低下させ、長期的な通院の設定において患者に快適さを提供し得る。
【０４００】
植込み型刺激装置の構成は、パルス発生器を植込んだ従来のリードとは異なり得る。植込み型刺激装置は、電源（例えば、ミッドフィールド電源）から電力を供給できるような、リードのない設計を含むことができる。送信機、トランシーバ、植込み型装置、回路、および他の詳細を含むミッドフィールド給電技術は、本明細書において論じられている。例では、植込み型刺激装置は、図６の例からの第１の植込み型装置６００を含むことができる。
【０４０１】
動作中、第１の植込み型装置６００は、組織内に配置することができる。１つまたは複数のコンデンサまたはインダクタをアンテナ１０８の電気経路にデジタルで切り替えることによって、またはデジタル制御可能なコンデンサまたはその他のインピーダンス変調装置のデジタル値を変更することによってなど、インプラント環境においてアンテナ１０８に影響を与えるインピーダンスを調整する際に幾ばくかの可撓性があり得る。この可撓性により、アンテナのインピーダンスを最適化して、動作周波数範囲にわたるインプラント環境の変動に対応できるため、植込み型装置アンテナへのエネルギー伝達を最適化したり、植込み型装置と外部電力ユニット（ＥＰＵ）または供給源１０２などの外部装置との間の通信の完全性を最適化したりできる。
【０４０２】
しかし、切り替え可能な構成要素を使用したインピーダンスの調整には制限がある場合がある。回路ハウジング６０６は、限られた物理的サイズを有することができ、コンデンサ、インダクタなどを含む受動部品は、比較的大きくすることができ、したがって、回路ハウジング６０６内の貴重なリアルエステートまたは体積を占めることができる。したがって、アンテナ１０８が所望のまたは適切な周波数範囲で動作することを提供するのを補助するために、アンテナ１０８は、植込み前に調整または調節することができる。そのような調整は、例えば、調整活動、測定、または調節が植込み前に実行され得、装置６００が植込まれるときにアンテナの調整が変化またはシフトする可能性があるため、新しい一連の課題を提示する可能性がある。植込みによる調整の変化またはシフトの特性は、組織のタイプ、植込み深度、他の組織タイプまたは体の構造への近接性、および他の変数などの植込み環境の変動のために、一般に正確には知られていない。例では、アンテナインピーダンスの予測不可能性は、少なくとも部分的には、装置６００が組織に植込まれたときの装置６００内またはその周辺の組織の誘電率の変動に起因する可能性がある。アンテナ調整プロセスの様々な例が、例えば、図１０６〜図１１６を参照して本明細書に記載されている。
【０４０３】
様々な回路および回路ハウジング６０６の組み立ては、様々な方法で実行することができる。そのようなアセンブリのいくつかの例は、本明細書の図７および図１００〜１０５に記載されているが、他の技術を使用することができる。
【０４０４】
再び図７を参照すると、例えば、回路ハウジング６０６の例の断面図は、様々な構成要素（例えば、構成要素ブロック７１２Ａ、７１２Ｂ、７１２Ｃ、７１２Ｄ、７１２Ｅ、７１２Ｆ、および７１２Ｇとして示される）を含むことができ、回路基板７１４に電気的に接続することができるようにする。構成要素７１２Ａ〜Ｇおよび回路基板７１４は、エンクロージャ７２２の内部に提供することができる。上記のように、密閉されていることに加えて、またはその代わりに、エンクロージャ７２２は、その中の水分の侵入を防ぐために埋め戻され得る。埋め戻し材料は、エポキシ、パリレン、テコタン、または別の材料などの非導電性の防水材料を含むことができる。
【０４０５】
図１００は、例として、回路基板７１４の実施形態の側面図を示している。図１０１Ａおよび図１０１Ｂは、例として、回路基板７１４の実施形態の上面図を示す。図示の回路基板７１４は、組み合わせまたは積み重ねて、可撓性である１つまたは複数の部分を備えた回路基板を提供することができる材料を含む。図１００において、例えば、破線ボックス３０１および３０３内に示される回路基板７１４の部分は、変形可能または可撓性部分を含むことができる。回路基板７１４の他の部分は、同様に、可撓性または変形可能または剛性になるように構成することができる。
【０４０６】
例では、回路基板７１４は、第１の誘電体材料３０２Ａまたは３０２Ｂ、第１の導電性材料３０４Ａ、３０４Ｂ、３０４Ｃ、３０４Ｄ、３０４Ｅ、または３０４Ｆ、第２の導電性材料３０６Ａ、３０６Ｂ、３０６Ｃ、３０６Ｄ、３０６Ｅ、３０６Ｆ、３０６Ｇ、または３０６Ｈ、または第２の誘電体材料３１２Ａおよび３１２Ｂを含むことができる。第１の誘電体材料３０２Ａ〜Ｂは、ポリイミド、ナイロン、ポリエーテルエーテルケトン（ＰＥＥＫ）、それらの組み合わせ、または他の可撓性誘電体材料を含むことができる。１つまたは複数の実施形態では、第１の導電性材料３０４Ａ〜Ｆは、圧延および／または焼きなましすることができる。第１の導電材料３０４Ａ〜Ｆは、銅、銀、ニッケル、金、チタン、白金、アルミニウム、鋼、それらの組み合わせ、または他の導電材料を含むことができる。第２の導電材料３０６Ａ〜Ｈは、はんだ付け可能な材料（例えば、溶融されたはんだとの結合を形成できる材料）を含むことができ、例えば第１の導電材料３０６Ａ〜Ｈに関して論じた材料を含むことができる。第２の導電材料３０６Ａ〜Ｈは、銀、金、ニッケル、および／または錫を含むことができるなど、比較的低い酸化速度を有する材料を含むめっきを含むことができる。第２の誘電体材料３１２Ａ〜Ｂは、はんだマスクおよび／または補強材を含むことができる。第２の誘電体材料３１２Ａ〜Ｃは、ポリマー、エポキシ、または他の誘電体はんだマスクおよび／または補強材を含むことができる。
【０４０７】
第１の誘電体材料３０２Ａは、回路基板７１４を形成するために１つまたは複数の他の材料を積み重ねることができるベース層を形成することができる。いくつかの材料は、第１の誘電体材料３０２Ａの第１の表面３０９に積み重ねることができ、いくつかの材料は、第１の誘電体材料３０２Ａの第２の表面３１１に積み重ねることができ、第１の表面３０９は、第２の表面３１１の反対側にあり得る。
【０４０８】
第１の導電性材料３０４Ａは、第１の誘電体材料３０２Ａの第１の表面３０９と接続することができる。例では、別の材料、構成要素、または要素と接続する材料、構成要素、または要素は、連結することができるか、そうでなければ機械的に接触して提供することができる。例では、第１の導電性材料３０４Ａは、第２の導電性材料３０６Ａ、３０６Ｃ、および３０６Ｄ、ならびに第１の誘電体材料３０２Ｂと接続することができる。第１の導電性材料３０４Ａは、第１の誘電体材料３０２Ａと第１の誘電体材料３０２Ｂと第２の導電性材料３０６Ａ、３０６Ｃ、および３０６Ｄとの間に配置することができる。第１の導電性材料３０４Ａは、可撓性部分（例えば、図１００において破線のボックス３０３および３０１によって示される領域）内に、それを通って延びることができる。
【０４０９】
第２の導電性材料３０６Ａ、３０６Ｃ、３０６Ｄ、３０６Ｉ、３０６Ｊ、または３０６Ｋは、第１の導電性材料３０４Ａと接続することができる。第２の導電性材料３０６Ａ、３０６Ｃ、３０６Ｄ、３０６Ｉ、３０６Ｊ、または３０６Ｋは、それぞれの開口部４２０Ａ、４２０Ｂ、４２０Ｃ、４２０Ｄ、４２０Ｅ、および４２０Ｆの周りに配置することができる。開口部４２０Ａ〜Ｆは、第２の導電性材料３０６Ａ、３０６Ｃ、３０６Ｄ、３０６Ｉ、３０６Ｊ、または３０６Ｋの表面から、それぞれ、第２の導電性材料３０６Ｈ、３０６Ｆ、または３０５６Ｅのそれぞれの反対側の表面まで延びることができる（これらのいくつかは、表示されている図では不明瞭になっている）。開口部４２０Ａ〜Ｆは、第２の導電性材料３０６Ａ、３０６Ｃ、３０６Ｄ、３０６Ｉ、３０６Ｊ、または３０６Ｋ、第１の導電性材料３０４Ａ、３０４Ｃ、３０４Ｄ、または３０４Ｆ、および／または第１の誘電体材料３０２Ａを通って延びることができる。
【０４１０】
例では、第１の誘電材料３０２Ｂは、第１の導電材料３０４Ａおよび第１の導電材料３０４Ｂと接続することができる。第１の誘電材料３０２Ｂは、第１の導電材料３０４Ａに設けることができる。第１の誘電材料３０２Ｂは、３０４Ａの第１の導電材料と３０４Ｂの第１の導電材料との間に設けることができる。第１の誘電体材料３０２Ｂは、第２の導電性材料３０６Ａと第２の導電性材料３０６Ｃとの間、例えばそれぞれ第２の導電性材料３０６Ａと第２の導電性材料３０６Ｃとの間にある可撓性部分に対応するオープンスペース（例えば、図１００において破線ボックス３０３および３０１によって示される領域）に、配置することができる。
【０４１１】
第１の導電材料３０４Ｂは、第１の誘電材料３０２Ｂおよび第２の導電材料３０６Ｂと接続することができる。第１の導電性材料３０４Ｂは、第１の誘電体材料３０２Ｂ上にあることができる。第１の導電材料３０４Ｂは、第１の誘電材料３０２Ｂおよび第２の導電材料３０６Ｂとの間に設けることができる。第１の導電性材料３０４Ｂは、第２の導電性材料３０６Ａと第２の導電性材料３０６Ｃとの間、例えばそれぞれ第２の導電性材料３０６Ａと第２の導電性材料３０６Ｃとの間などにある可撓性部分に対応するオープンスペース（例えば、図１００において破線ボックス３０３および３０１によって示される領域）に、配置することができる。
【０４１２】
第２の導電性材料３０６Ｂは、第１の導電性材料３０４Ｂおよび第２の誘電体材料３１２Ａと接続することができる。第２の導電性材料３０６Ｂは、第１の導電性材料３０４Ｂ上にあり得る。第２の導電性材料３０６Ｂは、第１の導電性材料３０４Ｂと第２の誘電体材料３１２Ａとの間に配置することができる。第２の導電性材料３０６Ｂは、第２の導電性材料３０６Ａと第２の導電性材料３０６Ｃとの間、例えばそれぞれ第２の導電性材料３０６Ａと第２の導電性材料３０６Ｃとの間にある可撓性部分に対応するオープンスペース（例えば、図１００において破線ボックス３０３および３０１によって示される領域）に、配置することができる。
【０４１３】
第２の誘電体材料３１２Ａは、第２の導電性材料３０６Ｂと接続することができる。第２の誘電体材料３１２Ａは、第２の導電性材料３０６Ｂ上にある。第２の誘電体材料３１２Ａは、第２の導電性材料３０６Ｂとは反対側を向いた表面３１３でさらすことができる。第２の誘電体材料３１２Ａは、第２の導電性材料３０６Ａと第２の導電性材料３０６Ｃとの間、例えばそれぞれ第２の導電性材料３０６Ａと第２の導電性材料３０６Ｃとの間にある可撓性部分に対応するオープンスペース（例えば、図１００において破線ボックス３０３および３０１によって示される領域）に、配置することができる。
【０４１４】
第１の導電性材料３０４Ｅは、第１の誘電体材料３０２Ａの第２の表面３１１と接続することができる。第１の導電性材料３０４Ｅは、第２の導電性材料３０６Ｇおよび第１の誘電体材料３０２Ａと接続することができる。第１の導電性材料３０４Ｅは、第１の誘電体材料３０２Ｂ上にあり得る。第１の導電材料３０４Ｅは、第１の誘電材料３０２Ｂと第２の導電材料３０６Ｇとの間に設けることができる。第１の導電性材料３０４Ｅは、第１の導電性材料３０４Ｄと３０４Ｆとの間に位置し、例えば、それぞれ第１の導電性材料３０４Ｄと３０４Ｆとの間の可撓性部分（例えば、図１００において破線ボックス３０３および３０１によって示される領域）に対応するオープンスペースに位置する。
【０４１５】
第２の導電性材料３０６Ｇは、第１の導電性材料３０４Ｅおよび第２の誘電体材料３１２Ｂと接続することができる。第２の導電性材料３０６Ｇは、第１の導電性材料３０４Ｅ上にあり得る。第２の導電性材料３０６Ｇは、第１の導電性材料３０４Ｅと第２の誘電体材料３１２Ｂとの間に配置する。第２の導電性材料３０６Ｇは、第１の導電性材料３０４Ｄと第１の導電性材料３０４Ｆとの間、例えばそれぞれ第１の導電性材料３０４Ｄと第１の導電性材料３０４Ｆとの間などにある可撓性部分に対応するオープンスペース（例えば、図１００において破線ボックス３０３および３０１によって示される領域）に、配置することができる。
【０４１６】
第２の誘電体材料３１２Ｂは、第２の導電性材料３０６Ｇと接続することができる。第２の誘電体材料３１２Ｂは、第２の導電性材料３０６Ｇ上にあることができる。第２の誘電体材料３１２Ｂは、第２の導電性材料３０６Ｇとは反対側を向いた表面３１５でさらすことができる。第２の誘電体材料３１２Ｂは、第１の導電性材料３０４Ｄと第１の導電性材料３０４Ｆとの間、例えばそれぞれ第１の導電性材料３０４Ｄと第１の導電性材料３０４Ｆとの間にある可撓性部分に対応するオープンスペース（例えば、図１００において破線ボックス３０３および３０１によって示される領域）に、配置することができる。
【０４１７】
可撓性部分は、異なるそれぞれの長さ３０７および３０５を有することができる。長さ３０７は、長さ３０５よりも短くても長くてもよい。第２の導電性材料３０６Ａ、３０６Ｈ、または３０６Ｋは、アンテナ１０８またはアンテナ１０８に接続することができる。回路基板７１４の第１の端部３１７の近くの可撓性部分の長さは、アンテナ１０８またはアンテナ１０８に影響を及ぼし得る寄生インダクタンスおよび／または寄生容量に影響を及ぼし得る。したがって、長さ３０７は、そのような寄生容量を低減するように構成または選択することができる。例では、長さ３０５は、長さ７２３より長くすることができる（図７を参照）。長さ７２３は、第２の誘電体材料３１２Ａ、３１２Ｂの端部６２５からエンクロージャ７２２の端部までを測定することができる。長さ３０５は、開口部４２０Ａ〜Ｂがそれぞれのフィードスルー７１８Ａ（図７の図で隠されている他のフィードスルー）上にあり、キャップ７１６Ａがエンクロージャ７２２上、または少なくとも部分的にその中に配置され得るときに、開口部４２０Ｃ〜Ｆがエンクロージャ７２２の外側に提供され得るように構成され得る。
【０４１８】
破線ボックス３０１によって示される端部３１７から可撓性部分の端部までの回路基板の長さ（矢印３３３によって示される）は、エンクロージャ７２２の長さ（図２の矢印２２７によって示される）より長くなり得、例えば、開口部４２０Ｃ〜Ｆまたはパッド１１０２が存在する回路基板の部分を可能にする。第１の可撓性部分と第２の可撓性部分との間の部分（破線ボックス３３５によって示される）は、可撓性または剛性であり得る。回路基板７１４の一部の剛性は、はんだ、電気および／または電子部品、第１および第２の導電性材料３０４および３０６の１つまたは複数、および／または第１および第２の誘電体材料３０２および３１２の１つまたは複数によって提供することができる。
【０４１９】
図１０１Ａおよび１０１Ｂは、全体的に、回路基板７１４の異なる例を含むことができるような、第１の回路基板７１４Ａおよび第２の回路基板７１４Ｂを含むそれぞれの回路基板の例を示す。第１の回路基板７１４Ａは、第２の回路基板７１４Ｂと同様であり得、第２の回路基板７１４Ｂは、ビアの代わりにパッド１１０２を含む。例では、第２の回路基板７１４Ｂは、ピン１１１０上にリフローすることができる（例えば、以下で説明する図１０６〜図１０８を参照のこと）。例では、第１の回路基板７１４Ａは、フィードスルー７１８Ａ〜Ｃ（ピンと呼ばれることもある）の端部に挿入され、フィードスルー７１８Ａ〜Ｃにはんだ付けされ得る。第１の回路基板７１４Ａはビアを含み、パッドを含まず、第２の回路基板７１４Ｂはパッドを含み、ビアを含まないが、回路基板は、パッドおよびビアの組み合わせを含むことができ、キャップ７１６Ａ〜Ｂは、パッドおよび／またはビアを収容するよう構成できる。例えば、第１のキャップ７１６Ａは１つまたは複数のフィードスルー７１８Ａを含むことができるが、キャップ７１６Ｂはパッドを含むことができ、あるいは１つのキャップはフィードスルー７１８Ａおよびパッド１１０２を含むことができる。
【０４２０】
図７および図１０２〜１０５は、概して例として、回路基板７１４を回路ハウジング６０６に電気的に接続して囲む方法の実施形態の異なる動作を示す図を示している。図１０２は、回路基板７１４にはんだ付けされた、またはそうでなければ電気的に接続された電気および／または電子部品７１２Ａ〜Ｇを含むことができる装置１０２０の例を示す。
【０４２１】
図１０３は、第２の導電性材料３０６Ａ、３０６Ｋ、および／または３０６Ｈが、フィードスルー３１６Ａを含むことができるような、キャップ７１６Ａのそれぞれのフィードスルーにはんだ付けされるか、さもなければ電気的に接続された後、装置１０２０を含むことができる装置１０２２の実施形態を示す。図１０４は、回路基板７１４および電気および／または電子部品７１２Ａ〜Ｇがエンクロージャ７２２内に配置された後に装置１０２２を含むことができる装置１０２４の実施形態を示す。キャップ７１６Ａは、エンクロージャ７２２の開口部と位置合わせすることができる。キャップ７１６Ａは、少なくとも部分的にエンクロージャ７２２内に配置することができる。図１０４に示されるような例では、回路基板７１４は、エンクロージャ７２２の端部７３１を超えて延びることができる。この延長部は、回路基板７１４の、例えば、キャップ７１６Ｂへの接続またははんだ付けを容易にする（図１０５を参照）。
【０４２２】
図１０５は、第２の導電性材料３０６Ｃ〜Ｄおよび／または３０６Ｉ−Ｊが、フィードスルー７１８Ｂ〜Ｃを含むことができるような、キャップ７１６Ｂのそれぞれのフィードスルーにはんだ付けされるか、そうでなければ電気的に接続された後の装置１０２４を含む装置１０２６の実施形態を示す。再び図７を参照すると、回路ハウジング６０６の図示の例は、キャップ７１６Ｂがエンクロージャ７２２の端部７３１に配置された後などの装置１０２６を示している。キャップ７１６Ａは、端部７３１の反対側のエンクロージャ７２２の端部に配置することができる。例では、キャップ７１６Ｂは、少なくとも部分的にエンクロージャ７２２内に配置することができる。図７の例では、回路ハウジング６０６は、ろう付け、溶接、または１つまたは複数の他の取り付けプロセスまたは技術によって取り付けることができるような、エンクロージャ７２２に取り付けられたキャップ７１６Ａ〜Ｂを備えた装置を含む。溶接／ろう付けマーク７２０Ａ、７２０Ｂ、７２０Ｃ、および７２０Ｄは、キャップ７１６Ａ〜Ｂがエンクロージャ７２２に取り付けられていることを示している。このサンプルメソッドのバリエーションは、同様にアセンブリに使用できる。例えば、回路基板７１４が第２のキャップ７１６Ｂにはんだ付けされる前に、キャップ７１６Ａを筐体７２２に溶接、ろう付け、接着、または他の方法で取り付けることができる。
【０４２３】
図１０６は、例として、第３の回路基板７１４Ｃの例の図を示している。第３の回路基板７１４Ｃは、第１および第２の回路基板７１４Ａおよび７１４Ｂと同様であり得る。第３の回路基板７１４Ｃは、トレース３０４から延びるように構成された１つまたは複数の導電性タブ１０５０を含むことができる。トレース３０４Ｂは、アンテナ端子パッド１１０２を介してアンテナ１０８またはアンテナ１０８に電気的に接続することができる。１つまたは複数の導電性タブ１０５０は、トリミングされた場合、トレース３０４Ｂを含むまたは使用する回路の電気的特性を変更することができる導電性部分を提供する。例えば、そのような回路のインピーダンスは、導電性タブ１０５０の体積または表面積を対応して変更することによって変更することができる。例では、トレース３０４Ｂを含む回路の静電容量は、導電性タブ１０５０の体積または表面積を変更することによって修正または変更することができる。例では、導電性タブ１０５０からの材料の除去は、アンテナ端子パッド１１０２で見られるかまたは測定される静電容量を減少させる。
【０４２４】
例では、１つまたは複数の導電性タブ１０５０は、トレース３０４Ｂから延びるバストレース１０５２から延びることができる。１つまたは複数の導電性タブ１０５０は、トレース３０４Ｂと同じまたは異なる導電性材料を含むことができる。例では、バストレース１０５２および導電性タブ１０５０は電気的に開いており、電源からアースまでの完全な回路の一部を形成していない。したがって、電荷は、１つまたは複数の導電性タブ１０５０上に蓄積し、第３の回路基板７１４Ｃのインピーダンスに影響を与える可能性がある。図１０６は３つの導電性タブを示し、各タブはパッド１１０２の１つに電気的に接続されているが、第３の回路基板７１４Ｃは追加のまたはより少ないタブを含むことができる。図１０６は、バストレース１０５２を１つまたは複数の導電性タブ１０５０のすべてを含むものとして示しているが、電気的に並列に連結できる導電性タブを提供するためなど、それぞれの導電性タブごとに別個のトレースを使用することができる。
【０４２５】
１つまたは複数の導電性タブ１０５０は、単一の個別の導電性タブとして提供することができ、第３の回路基板７１４Ｃを使用して実装される回路のインピーダンスは、タブの端部の材料を選択的に除去することによって調整することができる。第３の回路基板７１４Ｃ上または第３の回路基板７１４Ｃに連結された１つまたは複数の構成要素のレイアウトは、構成要素に連結された構成要素またはトレースが、導電性タブを含まない１つまたは複数の層に存在し、したがってタブ材料の除去が、他の構成要素やトレースを損傷するリスクを回避または制限しながら実行できるよう、提供され得る。
【０４２６】
図１０７は、例として、アンテナ１０８のインピーダンスを測定するように構成することができるシステム１０７０の実施形態の図を示す。図示のシステム１１００は、ＬＣＲメータ１１５４、アンテナアセンブリ２１６２、およびアンテナアセンブリ２１６２の誘電体コア（例えば、第１の誘電体コア７４８８）の周りに部分的に巻き付けることができるアンテナ１０８を含む。導電性プローブ１１５８は、ＬＲＣメータ１１５４とアンテナ１０８の端子との間に低インピーダンスの電気経路を提供することができる。測定精度に対するプローブ１１５８の影響は、植込み解除手順によって最小限に抑えることができ、それにより、短絡および開回路測定を実行して、測定に対するプローブ１１５８の影響を取り除くことができる。ＬＣＲメータ１１５４は、インピーダンスと呼ばれることもある、インダクタンス（Ｌ）、抵抗（Ｒ）、静電容量（Ｃ）、またはそれらの組み合わせを測定することができる。実験、推測およびチェック、電気理論、それらの組み合わせなどを通じて、アンテナ１０８の目標インピーダンスを判定または識別することができる。
【０４２７】
ＬＣＲメータ１１５４を使用して測定されるインピーダンス１１５６は、実数、虚数、正味インピーダンス、それらの組み合わせなどの形態であり得る。虚数インピーダンスには、実数インピーダンスの位相角を含めることができる。正味インピーダンスは、虚数インピーダンスによって調整された後の実数インピーダンスの尺度になり得る。目標インピーダンスには、指定された実数、虚数、または正味のインピーダンス、あるいはそれらの組み合わせを含めることができる。測定されたインピーダンス１１５６は、目標インピーダンスと比較することができる。測定されたインピーダンス１１５６が標的に十分に近くない場合（例えば、少なくとも指定された閾値量だけ標的インピーダンスよりも大きいかまたは小さい場合）、アンテナ１０８の形状は、操作者により手動などによって、または機械的なトリミングまたは調整機を使用して自動的に調整することができる。
【０４２８】
図１０８は、例として、パッド１１０２の観点から測定されるような、第３の回路基板７１４Ｃ上または第３の回路基板７１４Ｃに連結された１つまたは複数の回路のインピーダンスを測定するように構成できるシステム１０８０の実施形態の図を示す。システム１０８０は、ＬＣＲメータ１１５４、導電性プローブ１１５８、および第３の回路基板７１４Ｃを含むことができる。導電性プローブ１１５８は、ＬＣＲメータ１１５４と回路基板７１４Ｃのパッド１１０２との間に低インピーダンス電気経路を提供することができる。ＬＣＲメータ１１５４は、インピーダンスと呼ばれることもある、インダクタンス（Ｌ）、抵抗（Ｒ）、静電容量（Ｃ）、またはそれらの組み合わせを測定することができる。実験、推測およびチェック、電気理論、それらの組み合わせなどを通じて、目標インピーダンスを判定または特定することができる。ＬＣＲメータ１１５４は、プローブ１１５８を使用するなどして、パッド１１０２に電気的に接続することができ、ＬＣＲメータ１１５４は、パッド１１０２の観点からインピーダンス１１６２の測定値を提供することができる。測定されたインピーダンス１１６２は、第３の回路基板７１４Ｃの目標インピーダンスと比較することができる。測定されたインピーダンス１１６２が十分に大きい場合（例えば、測定されたインピーダンス１１６２が、少なくとも指定された閾値量など、指定された目標インピーダンスよりも大きい場合）、１つまたは複数の導電性タブ１０５０をトリミングすることができ、電気的にバストレース１０５２から１つまたは複数のタブを分離する。
【０４２９】
導電性タブ１０５０の１つまたは複数を電気的に絶縁することは、導電性タブ１０５０のそれぞれのものをバストレース１０５２と電気的に結合することができる導電性材料１１６０を除去することを含むことができる。例では、導電性材料１１６０は、バストレース１０５２よりも狭くすることができる。導電性タブ１０５０を電気的に絶縁することは、導電性タブ１０５０の直接隣接するもの間に電気的に配置することができる、または導電性タブ１０５０とトレース３０４Ｂとの間に電気的に配置することができるようなバストレース１０５２の一部を除去することを含み得る。バストレース１０５２または導電性材料１１６０の少なくとも一部の除去を含むなどの導電性材料の除去は、ミリング、エッチング、切断、サンディングなどを含むことができる。
【０４３０】
導電性タブ１０５０のうちの１つまたは複数を除去することにより、パッド１１０２から測定されるように、回路基板７１４Ｃの静電容量を低減することができる。導電性タブ１０５０は、インピーダンス１１６２、またはそこから導出されるインピーダンスが目標インピーダンス値に十分に近づくまで取り外すことができる。導電性タブ１０５０は、導電性タブを除去することによりインピーダンスを（約）所定の量だけ調整するように、サイズ設定、成形、または材料を含むことができる。概してタブが小さな領域または体積を占める場合、バストレース１０５２からのタブの除去またはデカップリングは、インピーダンスの比較的小さな変化に対応する。例では、実験から、導電性タブ１０５０のうちの１つを除去することは、パッド１１０２で測定される約１０ピコファラッドの変化に対応するインピーダンスの低下に対応することが知られ得る。したがって、第３の回路基板７１４Ｃのインピーダンスが目標インピーダンスよりも約３０ピコファラッド大きいと判定された場合、３つの導電性タブ１０５０をバストレース１０５２から取り外すか、切り離すことができる。
【０４３１】
図１０９は、例として、１つまたは複数の導電性タブ１０５０のうちの２つが取り外された後の第３の回路基板７１４Ｃの実施形態の図を示している。タブを取り外し、第３の回路基板７１４Ｃのインピーダンスが目標インピーダンスに十分に近いと測定された後、第３の回路基板７１４Ｃは、本明細書で論じられる組み立て技術の１つを使用するなどして、植込み型装置１１０に組み立てることができる。
【０４３２】
例では、植込み型装置１１０は、回路ハウジング６０６内に第３の回路基板７１４Ｃを含み、装置の本体部分に電気的に接続され得、アンテナ１０８およびアンテナハウジングは、図１または図６の例で図示しているように、回路ハウジング６０６に接続され得る。アンテナ１０８は、例えば、第３の回路基板７１４Ｃのインピーダンスが目標インピーダンス値にあるか、それに十分に近いと判定された後、回路ハウジング６０６に電気的に接続することができる。すなわち、アンテナ１０８は、例えば、第３の回路基板７１４Ｃが回路ハウジング６０６に配置された後、１つまたは複数の導電性タブ１０５０にアクセスできない可能性があるため、回路基板インピーダンスが検証された後に接続することができる。
【０４３３】
図１１０は、例として、導電性材料１４０２のパッチを含み、導電性タブ１０５０を省略した、第３の回路基板７１４Ｃの別の実施形態の図を示している。導電性材料１４０２のフットプリントの下または上にある回路基板７１４Ｃの任意の層は、導電性材料または電気的または電子的構成要素を欠くことができる。例では、導電性材料１４０２は、第３の回路基板７１４Ｃの一部をトリミングまたは切断することなどによって除去することができる。
【０４３４】
図１１１は、例として、導電性材料１４０２の一部が除去された後の第３の回路基板７１４Ｃの実施形態の図を示している。例では、導電性材料１４０２の除去は、導電性材料１４０２のフットプリントの上または下にある層上に提供され得るような、第３の回路基板７１４Ｃの他の任意の１つまたは複数の材料の除去を含む。除去される第３の回路基板７１４Ｃの部分は、矢印１５０４によって示されている。
【０４３５】
図１１２は、例として、植込み型装置６００の場連結共振テストのためのシステム１１２０の実施形態の図を示す。植込み型装置６００の正しいインピーダンス、したがって動作周波数は、連結共振技術を使用してテストすることができる。そのような技術の実施形態は、ＲＦ供給源と同じ周波数に調整された共振回路にエネルギー供給するように構成された調整可能なＲＦ供給源を含むまたは使用することができる測定装置１１２２を含むことができる。測定装置１１２２の共振回路は、植込み型装置６００の近くに配置することができる。例えば、測定装置１１２２は、植込み型装置６００の電磁場が測定装置１１２２に入射するように、植込み型装置６００の十分に近くに設けることができる。測定装置１１２２の共振回路は、植込み型装置６００のアンテナ１０８に電磁的に連結することができる。測定装置１１２２と植込み型装置６００との間の分離は、例では、測定装置１１２２で正確な測定値を取得するために必要な距離よりも近くなく、したがって、測定装置１１２２および植込み型装置６００間の連結レベル（例えば、１％以下）を保証することができる。そのような分離は、測定装置１１２２が植込み型装置６００のインピーダンスに著しく影響を与えることを防ぐことができる。このように配置されると、測定装置の共振回路への電流またはその両端の電圧の変化を使用して、植込み型装置６００のインピーダンス、したがって共振周波数を検出することができる。測定装置の共振回路への電流の増加、または測定装置の両端の電圧の減少は、植込み型装置６００が測定装置１１２２と同じ周波数に調整されていることを示し得る。測定装置１１２２が調整される周波数は、内部測定回路（例えば、周波数カウンタ）、または場連結測定装置１１２２に接続された外部周波数測定装置を介して知ることができる。したがって、システム１１２０は、測定装置１１２２と植込み型装置６００との間に物理的な電気的接続がない場合など、インピーダンス、したがって植込み型装置６００の動作周波数を測定するために使用することができる。例えば、植込み型装置６００が完全に組み立てられて密封されている場合、物理的な電気的接続が不可能な場合がある。
【０４３６】
図１１３および図１１４は、例として、植込み型装置１１０が植込まれた後など、アンテナ１０８の周波数応答を試験するためのそれぞれのシステム１１３０および１１４０の図を示している。植込み型装置１１０が植込まれる組織の誘電率を推定することができる。前に説明したように、組織の誘電率は変化する可能性がある。ただし、一部の組織は、誘電率が多かれ少なかれあることが知られている。例えば、筋肉は脂肪組織（約５．６）よりも大きな誘電率（約５５）を有する。別の例では、血液は、結合組織（例えば、腱（約４５．８）、軟骨（約４２．７）など）の誘電率よりも大きい誘電率（約６１．４）を有する。
【０４３７】
組織の推定誘電率を使用して、同じまたは類似の誘電率（例えば、１％未満、１％、２％、３％、４％、５％、１０％、１５％、２０％、２５％など、またはそれらの間の何らかのパーセンテージなどの推定誘電率の指定されたパーセンテージ内）を有する材料１３０４を設計することができる。材料１３０４は、とりわけ、セラミック植込み炭化水素材料またはセラミック含浸樹脂を含むことができる。
【０４３８】
図１１３および図１１４の例では、外部電力ユニット１３０２は、電源１０２などのミッドフィールド電力装置または送信機を含むことができる。外部電力ユニット１３０２の回路は、ミッドフィールド電力供給の実施形態について一般的に説明されているが、２つの部分からなる近位アセンブリパッケージング戦略（例えば、回路ハウジング６０６およびアンテナハウジング６１０を含む装置）はまた、誘導近接場、ファーフィールド、容量連結、および／または超音波駆動の植込み型装置にも同様に適用可能であり得る。
【０４３９】
例では、外部電力ユニット１３０２は、アンテナ１０８に入射する電磁波を提供することができる。アンテナ１０８は、電磁波を電気信号に変換して、植込み型装置１１０に電力を供給することができる。回路基板７１４は、追加的または代替的に、植込み型装置１１０の回路に電力を提供するために充電することができるエネルギー貯蔵構成要素を含むことができる。外部電力ユニット１３０２からの送信を効率的に受信するなど、植込み型装置１１０の回路が適切なインピーダンスに調整されることを確実にするために、植込み型装置１１０は、外部電力ユニットから１３０２指定された距離（例えば、植込み距離）に配置することができる。材料１３０４は、外部電力ユニット１３０２と植込み型装置１１０との間に配置することができる。材料１３０４は、外部電力ユニット１３０２からの送信が、植込み型装置１１０に入射するか、植込まれる装置１１０によって受信される前に、材料１３０４を通って移動するように配置することができる。
【０４４０】
図１１３は、材料１３０４の第１の側１３０８に配置された植込み型装置１１０と、第１の側１３０８に対向する第２の側１３１０にある外部電力ユニット１３０２とを示している。図１１４は、例として、植込み型装置１１０が材料１３０４の空洞１４１２内に配置されている実施形態の図を示している。
【０４４１】
植込み型装置１１０が外部電力ユニット１３０２からの送信を受信することを検証するために、検出回路１３０６を提供して、植込み型装置１１０からの送信を検出することができる。送信の振幅、外部電力ユニット１３０２からの送信と検出回路１３０６での送信の受信との間の時間などを使用して、回路基板７１４などの回路の調整（例えば、トレース、電気または電子部品、導電性タブなど）が正確または十分であるか判定する。
【０４４２】
いくつかの実施形態では、回路基板７１４の回路は、外部電力ユニット１３０２から植込み型装置１１０への通信に応答するなど、デジタルでプログラム可能である。いくつかの実施形態では、外部電力ユニット１３０２は、検出回路１３０６に電気的に連結することができ、または検出回路１３０６は、外部電力ユニット１３０２の一部であることができる。検出回路１３０６は、外部電力ユニット１３０２に電磁波を送信させて、植込み型装置１１０にその静電容量、抵抗、またはインダクタンスを調整させることができ、それは例えば、植込み型装置１１０の回路のインピーダンス特性を変更するために使用される電気または電子部品に、デジタルまたはアナログのコマンドを発行することによる。
【０４４３】
例では、植込み型装置が動作する周波数を調整することは、２つの所望の周波数スペクトルまたは帯域から選択することを含む。例えば、米国での植込み型装置操作専用の周波数スペクトルは９１５ＭＨｚ（９０２ＭＨｚ〜９２８ＭＨｚという周波数の範囲）を中心とし、ヨーロッパでの植込み型装置操作専用の周波数スペクトルは８６８〜８７０ＭＨｚである。植込み型装置１１０は、回路基板７１４を目標インピーダンス程度に調整することによってなど、２つのスペクトル間の周波数で電磁波を使用して動作するときに最も効率的になるように調整することができる（例えば、米国およびＥＵの医療機器の動作の間であれば約８８８ＭＨｚ）。したがって、植込み型装置１１０は、展開後、回路基板７１４の回路のインピーダンスを調整またはプログラミングすることなどによって、２つのスペクトルのうちの選択された１つで最も効率的に動作するように調整することができる。
【０４４４】
例では、外部電力ユニット１３０２は、外部装置、外部電力ユニット１３０２の測位システム（例えば、全地球測位システム、ガリレオ測位システム、または別の位置判定技術など）から場所を要求することなどによって、使用している場所を判定することができる。外部電力ユニット１３０２は、効率目標に到達するまでそのインピーダンスを変更するために、植込み型装置１１０に通信を発行することができる。
【０４４５】
例では、植込み型装置１１０は、外部電力ユニット１３０２からの送信の効率が受信されることを示すように構成することができる回路（例えば、スピーカー、発光装置、モーターなど）を含むことができる。例えば、植込み型装置１１０は、回路基板７１４の回路のインピーダンスが十分に整合していることを示す音（例えば、スピーカーによる）、光（例えば、発光ダイオードなどによる）、または振動（例えば、モーターによる）を生成することができる。放射（例えば、光、音、物理的振動など）は、送信受信の相対的な効率を示すように調整することができる。例えば、光が明るくなっても、音が大きくなってもり、振動が強くなり、効率が向上してもよい。
【０４４６】
再び図９９を参照すると、アンテナアセンブリは、第１の誘電体コア７４８８の周りに配置または提供されるアンテナ１０８を含むことができる。アンテナアセンブリは、図１０７の例からのアンテナアセンブリ２１６２と同様であり得る。例では、第１の誘電体コア７４８８は、実質的に非導電性の誘電体材料を含むことができる。誘電体材料には、ポリエーテルエーテルケトン（ＰＥＥＫ）、液晶ポリマー（ＬＣＰ）（ＰＥＥＫのようなプラスチックは水分を保持し、誘電率をシフトできるが、ＬＣＰは水分飽和により誘電シフトが少ない）、エポキシモールドなどが含まれる。第１の誘電体コア７４８８は、その中に連続溝９４０２を含むことができる（例えば、図９６の例を参照されたい）。溝９４０２は、アンテナ１０８が溝９４０２内に配置されるとき、アンテナ１０８が指定された周波数応答（例えば、２つの周波数スペクトル間、または指定された周波数のスペクトルの中心周波数、またはその近くなど、指定された周波数の中心となる周波数応答）を有するように成形およびサイズ決定することができる。溝９４０２内に配置される場合、アンテナ１０８は、ほぼ２つの全巻線（例えば、約１．５から約１．７５の全巻線の間）を有することができる。他の数の巻線も同様に使用できる。
【０４４７】
溝９４０２は、アンテナ１０８の所望のまたは目標の形状を画定することができ、その形状は、アンテナ１０８の周波数の応答に影響を与え得る。溝９４０２は、アンテナ１０８の機械的支持を提供することができる。溝９４０２は、アンテナ１０８がその中に配置された後、アンテナ１０８が移動しないか、さもなければ意図せずに形状を変化させないように、アンテナ１０８を保持または補強するように構成することができる。溝９４０２は、延長された側壁を備えた略半円形であり得、その結果、円形断面を有するアンテナ１０８は、その中に配置され得る。他の形状も同様に使用できる。
【０４４８】
例では、アンテナ１０８の端部または端子部分は、溝９４０２と隣接することができるような凹部９４０８内に延びることができる。アンテナ１０８のそれぞれの各々の端部または端子は、第１の誘電体コア７４８８のそれぞれの凹部９４０８内に延びることができる。凹部９４０８は、アンテナ１０８が回路ハウジング６０６のフィードスルー７２７４に導電的に接続され得る空間を提供することができる。フィードスルー７２７４は、第１の誘電体コア７４８８の遠位端の穴を通してフィードスルー７２７４を押すことなどによって、凹部９４０８内に配置することができる。
【０４４９】
導電性スリーブ８８０２は、アンテナ１０８またはフィードスルー７２７４がサイトホール（図９９には示されていない）を通して見えるように、アンテナ１０８またはフィードスルー７２７４の一部の周りに提供され得る。次に、フィードスルー７２７４またはアンテナ１０８の端部をスリーブ８８０２に滑り込ませることができる。次に、スリーブ８８０２の２つの端部は、両端を溶融することによって（例えば、スリーブに入射するレーザー励起によって）、周囲冷却または他の冷却を使用するなどしてスリーブ３３０２を冷却することによって、互いに接続することができる。
【０４５０】
第１の誘電体コア７４８８は、例えば、回路ハウジング６０６の翼付きフランジの壁に適合するようなサイズおよび形状の湾曲した壁７４９０を含む遠位部分を含むことができる。例では、第１の誘電体コア７４８８が回路ハウジング６０６に押し付けられると、湾曲した壁７４９０は、フィードスルー７２７４に面する翼付きフランジの壁を押すことができる。第１の誘電体コア７４８８は、湾曲した壁７４９０から半径方向外向きに延びるリップ９４０５をさらに含むことができる。例では、リップ９４０５は、第１の誘電体コア７４８８が回路ハウジング上に配置されている場合、翼付きフランジ７２７０Ａ〜７２７０Ｂの最も近位の部分で上側リップ上に位置するのであっても、上側リップと物理的に接触するのであってもよい。
【０４５１】
例では、アンテナ１０８の周波数応答を調整するためなどに、アンテナ１０８の形状を変更することができる。アンテナ１０８は、例えばアンテナ１０８を溝９４０２から引き離すことによって、またはアンテナ１０８をへこませるか、さもなければ再成形または再構成することによって、変形させることができる。周波数応答に対する形状の変化の影響を予測することは困難である可能性があるが、アンテナの形状の変化は、アンテナ１０８の周波数応答を変化させて、目標周波数の応答に十分に近づけることができる。アンテナ１０８の形状は、例えば、アンテナハウジング６１０をアンテナ１０８の周りに配置する前に変更することができる。
【０４５２】
図１１５は、概して第４の回路基板７１４Ｄの例を示している。例では、回路基板７１４は、図１１５に示される特徴のうちの１つまたは複数を含むことができる。第４の回路基板７１４Ｄは、近位電気接続部分１１５０１、近位ネック領域１７０９のスリット１１５０２、近位電気接続部分１１５０１より遠位の本体部分１７０３、本体部分１７０３を遠位電気接続部分１７１３に接続する遠位ネック領域１７１１、遠位ネック領域１７１１のスリット１７０５および１７０６、および遠位接続部分カバー１７１２を含むことができる。
【０４５３】
近位電気接続部分１１５０１は、回路ハウジング６０６の近位端上のフィードスルー７１８などを介してアンテナ１０８のそれぞれの端部に電気的に接続される導電性材料３０６Ａ、３０６Ｋを含むことができる。近位電気接続部分１１５０１の形状は、端が丸い長方形を含むことができる。この形状は、例えば、とりわけ、図１０６に示される円形よりも少ないスペースを消費することができる。スペースの節約は、第４の回路基板７１４Ｄを回路ハウジング６０６に組み立てるのに寄与することができる。
【０４５４】
例では、ネック領域１７０９は、本体部分１７０３および近位電気接続部分１１５０１を接続することができる。ネック領域１７０９は、本体部分１７０３の切り込み１７０７によって本体部分１７０３から分離することができる。カット１７０７は、ネック領域１７０９を本体部分１７０３に引っ込めることができる。カット１７０７を含めることにより、ネック領域１７０９は、本体部分１７０３を曲げることなく曲げることができ、したがって、ネック領域１７０９の柔軟性を高める。さらに、カット１７０７を含めることにより、第４の回路基板７１４Ｄ（矢印１７０４によって示される）の全長を、本明細書で論じられる他の回路基板７１４（例えば、７１４Ａ〜７１４Ｃ）と比較して短縮することができる。長さの減少の量は、矢印１７１６によって示されている。矢印１７０４は、第４の回路基板７１４Ｄの縦軸を示している。
【０４５５】
ネック領域１７０９は、その中にカットされたスリット１１５０２を含むことができる。スリット１１５０２は、回路基板７１４Ｄの材料の柔軟性を高めることができる。スリット１１５０２は、第４の回路基板７１４Ｄを回路ハウジング６０６に組み立てるのを補助でき、導電性材料３０６Ａ、３０６Ｋが向く方向の操作をし易くする。
【０４５６】
本体部分１７０３は、近位ネック領域１７０９と遠位ネック領域１７１１とを接続する。本体部分１７０３は、植込み型装置１１０のインピーダンスを調整する際に使用される調整コンデンサおよびタブなどの、植込み型装置１１０の電気的および電子的構成要素を含む。
【０４５７】
遠位ネック領域１７１１は、本体部分１７０３を遠位電気接続部分１７１３に接続する。遠位ネック領域１７１１は、その中に切り込まれたスリット１７０５、１７０６を含むことができる。スリット１７０５、１７０６は、スリット１１５０２と同様に、ネック領域１７１１の材料の柔軟性を高めることができる。スリット１７０５、１７０６は、第４の回路基板７１４Ｄを回路ハウジング６０６に組み立てるのを補助することができ、導電性材料３０６Ｃ、３０６Ｄ、３０６Ｉ、および３０６Ｊが向く方向を変更することをさらに容易にする。例では、スリット１７０６は、スリット１７０５よりも広くまたは狭くすることがある。例では、スリット１７０６は、カバー１７１２上のタブ１７１４が挿入される場所を備えることができる。スリット１７０６に挿入されると、タブ１７１４は、遠位電気接続部分１７１３上のその位置にカバー１７１２を保持することができる。
【０４５８】
遠位ネック領域１７１１は、曲がりくねった痕跡１７０８をさらに含むことができる。曲がりくねった痕跡１７０８は、直線トレースに対するトレースの弾性を変化させることができ、曲げられたときにトレースがスナップする感受性を低減し、トレースを壊さずにトレースを曲げて広げる回数を増やすことができる。
【０４５９】
スリット１７１０は、遠位電気接続部分１７１３とカバー１７１２との間の領域の一部を形成することができる。スリット１７１０は、スリット１７１０を含まない実施形態と比較して、カバー１７１２を遠位電気接続部分１７１３上でより容易に折り畳むことを可能にすることができる。
【０４６０】
カバー１７１２は、（矢印１７１９によって示されるように）遠位電気接続部分１７１３を折り返すことができる。カバー１７１２は、それが遠位電気接続部分１７１３上に折りたたまれたときに、遠位電気接続部分１７１３に電気的または機械的なシールドを提供することができる。図１１６は、概してカバー１７１２が遠位電気接続部分１７１３上にフォルダされ、タブ１７１４がスリット１７０６に挿入された後の第４の回路基板７１４Ｄの例を示している。
関連するコンピュータハードウェアおよび／またはアーキテクチャの実施例
【０４６１】
図１１７は、例として、本明細書に記載の１つまたは複数の方法を実行できるか、本明細書に記載の１つまたは複数のシステムまたは装置と共に使用することができる機械１１７００の実施形態のブロック図を示す。図１１７は、上記のいくつかの実施形態および図に関連して論じられ説明されている構造の構成要素への言及を含む。１つまたは複数の例では、植込み型装置１１０、供給源１０２、センサ１０７、プロセッサ回路２１０、デジタルコントローラ５４８、回路ハウジング６０６〜６０６Ｃの回路、システム制御回路、電力管理回路、コントローラ、刺激回路、エネルギー獲得回路、同期回路、外部装置、制御回路、フィードバック制御回路、植込み型装置１１０、位置決め回路、制御回路、植込み型装置１１０の他の回路、および／または外部供給源１０２の一部であるかそれに接続される回路は、機械１１７００の品目の１つまたは複数を含み得る。機械１１７００は、いくつかの例示的実施形態によれば、機械可読媒体（例えば機械可読記憶媒体）から指示を読み取り、方法論のうちの任意の１つまたは複数、方法論の１つまたは複数の操作、または本明細書に記載の１つまたは複数の回路の機能、例えば本明細書に記載の方法を実行することができる。例えば、図１１７は、コンピュータシステムの例示的な形態における機械１１７００の図表での表現を示しており、そのシステム内で、本明細書で論じられる方法論のうちの任意の１つまたは複数を実行するための機械１１７００を実行させる指示１１７１６（例えば、ソフトウェア、プログラム、アプリケーション、アプレット、アプリ、または他の実行可能コード）を実行することができる。指示は、一般的なプログラムされていない機械を、説明された方法で、説明され図示された機能を実行するようにプログラムされた特定の機械に変換する。代替の実施形態では、機械１１７００は独立型装置として動作する、または他の機械に連結（例えばネットワーク化）することができる。ネットワークの配置では、機械１１７００は、サーバとクライアントのネットワーク環境でサーバマシンまたはクライアントマシンの能力で、またはピアツーピア（または分散型）ネットワーク環境でピアマシンとして動作することができる。機械１１７００の様々な部分は、外部供給源１０２および植込み型装置１１０のうちの１つまたは複数に含まれるか、それらと共に使用され得る。１つまたは複数の例では、機械１１７００の異なるインスタンス化または異なる物理的ハードウェア部分は、外部供給源１０２と植込み型装置１１０にて、別々に植込まれ得る。
【０４６２】
１つまたは複数の例では、機械１１７００は、サーバコンピュータ、クライアントコンピュータ、パーソナルコンピュータ（ＰＣ）、タブレットコンピュータ、ラップトップコンピュータ、携帯電話、スマートフォン、モバイル機器、ウェアラブル機器（例えばスマートウォッチ）、植込み型装置、スマートホーム機器（例えばスマート機器）、他のスマート機器、ウェブ機器、ネットワークルータ、ネットワークスイッチ、ネットワークブリッジ、または機械１１７００によってなされるべき動作を指定する指示１１７１６を順次または別の様式で実行することが可能な任意の機械を含むことができるが、これらに限定されない。さらに、単一の機械１１７００のみが示されているが、用語「機械」は、本明細書で論じられる方法論のうちの任意の１つまたは複数を実行するために個別にまたは共同で指示１１７１６を実行する機械１１７００の集まりも含むと解するものとする。
【０４６３】
機械１１７００は、プロセッサ１１７１０、メモリ１１７３０、またはＩ／Ｏ構成要素１１７５０を含むことができ、それは、バス１１７０２を介するなどして互いに通信するように構成することができる。１つまたは複数の例示的な実施形態では、プロセッサ１１７１０（例えば、中央処理装置（ＣＰＵ）、縮小指示セット計算（ＲＩＳＣ）プロセッサ、複合指示セット計算（ＣＩＳＣ）プロセッサ、グラフィック処理装置（ＧＰＵ）、デジタルシグナルプロセッサ（ＤＳＰ）、特定用途向け集積回路（ＡＳＩＣ）、無線周波数集積回路（ＲＦＩＣ）、他のプロセッサ、またはそれらの任意の適切な組み合わせ）は、例えば、指示１１７１６を実行することができるプロセッサ１１７１２およびプロセッサ１１７１４を含むことができる。「プロセッサ」という用語は、同時に指示を実行することができる２つ以上の独立したプロセッサを含むことができるマルチコアプロセッサ（時に「コア」と呼ばれる）を含むことを意図している。図１１７はマルチプロセッサを示すが、機械１１７００は、シングルコアを有するシングルプロセッサ、マルチコアを有するシングルプロセッサ（例えばマルチコアプロセス）、シングルコアを有するマルチプロセッサ、マルチプルコアを有するマルチプロセッサ、またはそれらの任意の組み合わせを含むことができる。
【０４６４】
メモリ／ストレージ１１７３０は、メインメモリなどのメモリ１１７３２、または他のメモリストレージ、および記憶装置１１７３６を含むことができ、両方とも、例えばバス１１７０２を介して、プロセッサ１１７１０にアクセス可能である。記憶装置１１７３６およびメモリ１１７３２は、本明細書に記載の方法または機能のうちの任意の１つまたは複数を具体化する指示１１７１６を記憶する。指示１１７１６はまた、完全にまたは部分的に、メモリ１１７３２内、記憶装置１１７３６内、プロセッサ１１７１０の少なくとも１つ内（例えば、プロセッサのキャッシュメモリ内）、またはそれらの任意の適切な組み合わせ内に、機械１１７００によるその実行の間、存在することができる。したがって、メモリ１１７３２、記憶装置１１７３６、およびプロセッサ１１７１０のメモリは、機械可読媒体の例である。
【０４６５】
本明細書で使用されるとき、「機械可読媒体」は、指示およびデータを一時的または恒久的に記憶することができる装置を意味し、ランダムアクセスメモリ（ＲＡＭ）、読み取り専用メモリ（ＲＯＭ）、バッファメモリ、フラッシュメモリ、光媒体、磁気媒体、キャッシュメモリ、他の種類の記憶装置（例えば、消去可能プログラマブル読み出し専用メモリ（ＥＥＰＲＯＭ））および／またはそれらの任意の適切な組み合わせを含むことができるが、それらに限定されない。「機械可読媒体」という用語は、指示１１７１６を格納することができる単一の媒体または複数の媒体（例えば、集中型または分散型データベース、または関連するキャッシュおよびサーバ）を含むと解釈されるべきである。「機械可読媒体」という用語はまた、機械（例えば機械１１７００）による実行のための指示（例えば指示１１７１６）を記憶することができる任意の媒体、または複数の媒体の組み合わせを含むと解釈されるものとし、指示が、機械１１７００の１つまたは複数のプロセッサ（例えば、プロセッサ１１７１０）によって実行されると、機械１１７００に、本明細書に記載の方法論のうちの任意の１つまたは複数を実行させる。したがって、「機械可読媒体」は、単一の記憶装置または機器、ならびに複数の記憶装置または機器を含む「クラウドベースの」記憶システムまたは記憶ネットワークを指す。「機械可読媒体」という用語はそれ自体信号を除外する。
【０４６６】
Ｉ／Ｏ構成要素１１７５０は、入力を受信し、出力を提供し、出力を生成し、情報を送信し、情報を交換し、測定値をキャプチャするなどのための多種多様な構成要素を含み得る。特定の機械に含まれる特定のＩ／Ｏ構成要素１１７５０は、機械の種類に依存する。例えば、携帯電話や他の外部装置などの携帯式機器は、タッチ入力装置または他のそのような入力機構を含む可能性があり、一方でヘッドレスサーバ機器は、そのようなタッチ入力装置を含まない可能性が高い。当然のことながら、Ｉ／Ｏ構成要素１１７５０は、図１１７には示されていない他の多くの構成要素を含み得る。Ｉ／Ｏ構成要素１１７５０は、単に以下の説明を単純化するために機能に従ってグループ化されており、グループ化は決して限定的なものではない。様々な例示的実施形態では、Ｉ／Ｏ構成要素１１７５０は出力構成要素１１７５２および入力構成要素１１７５４を含むことができる。出力構成要素１１７５２は、視覚的構成要素（例えば、プラズマディスプレイパネル（ＰＤＰ）、発光ダイオード（ＬＥＤ）ディスプレイ、液晶ディスプレイ（ＬＣＤ）、プロジェクタ、または陰極線管（ＣＲＴ）などのディスプレイ）、聴覚的構成要素（例えばスピーカ）、触覚的構成要素（例えば振動モータ、抵抗機構）、その他の信号発生器などを含むことができる。入力構成要素１１７５４は、英数字入力構成要素（例えば、キーボード、英数字の入力を受け取るように構成されたタッチスクリーン、フォトオプティカルキーボード、または他の英数字入力構成要素）、ポイントベースの入力構成要素（例えば、マウス、タッチパッド、トラックボール、ジョイスティック、モーションセンサ、またはその他のポインティング機器）、触覚入力構成要素（物理的ボタン、タッチまたはタッチのジェスチャの位置および／または力を提供するタッチスクリーン、またはその他の触覚入力用構成要素など）、音声入力構成要素（例えば、マイクロフォン）などを含み得る。
【０４６７】
さらなる例示的実施形態では、Ｉ／Ｏ構成要素１１７５０は、バイオメトリック構成要素１１７５６、運動構成要素１１７５８、環境構成要素１１７６０、または配置構成要素１１７６２を、他の広範な構成要素の中に含むことができる。例えば、バイオメトリック構成要素１１７５６は、表現（例えば、手の表現、顔の表現、声の表現、体のジェスチャ、または眼のトラッキング）を検出し、生理学的信号（例えば、血圧、心拍数、体温、発汗、または脳波、神経活動、または筋肉活動）、人の識別（例えば音声識別、網膜識別、顔識別、指紋識別、または脳波に基づく識別）などを測定する構成要素を含み得る。
【０４６８】
運動構成要素１１７５８は、加速度センサ構成要素（例えば加速度計）、重力センサ構成要素、回転センサ構成要素（例えばジャイロスコープ）などを含むことができる。１つまたは複数の例では、運動構成要素１１７５８の１つまたは複数を外部供給源１０２または植込み型装置１１０と組み込むことができ、患者の運動または身体活動レベルを検出するように構成することができる。患者の運動に関する情報は、例えば、外部供給源１０２と植込み型装置１１０との間の物理的関係が変化またはシフトしたときに信号伝送特性（例えば、振幅、周波数など）を調整するために様々な方法で使用できる。
【０４６９】
環境構成要素１１７６０は、例えば、照度センサ構成要素（例えば、光度計）、温度センサ構成要素（例えば、周囲温度を検出する１つまたは複数の温度計）、湿度センサ構成要素、圧力センサ構成要素（例えば、気圧計）、音響センサ構成要素（例えばバックグラウンドノイズを検出する１つまたは複数のマイクロフォン）、近接センサ構成要素（例えば近くの物体を検出する赤外線センサ）、ガスセンサ（例えば安全のために有害ガスの濃度を検出する、または大気中の汚染物質を測定するガス感知センサ）、または周囲の物理的環境に対応する指示、測定値、または信号を提供することができる他の構成要素を含み得る。配置構成要素１１７６２は、位置センサ構成要素（例えば、全地球測位システム（ＧＰＳ）受信機構成要素）、高度センサ構成要素（例えば、高度を導出することができる気圧を検出する高度計または気圧計）、方位センサ構成要素（例えば、磁力計）などを含み得る。１つまたは複数の例では、Ｉ／Ｏ構成要素１１７５０は、植込み型装置１１０および／または外部供給源１０２の一部であり得る。
【０４７０】
通信は多種多様な技術を使用して実施することができる。Ｉ／Ｏ構成要素１１７５０は、連結部１１７８２および連結部１１７７２を介して機械１１７００をネットワーク１１７８０または装置１１７７０にそれぞれ連結するように動作可能な通信構成要素１１７６４を含むことができる。例えば、通信構成要素１１７６４は、ネットワークインターフェース構成要素またはネットワーク１１７８０とインターフェースをとるための他の適切な装置を含み得る。さらなる例では、通信構成要素１１７６４は、有線通信構成要素、無線通信構成要素、セルラー通信構成要素、近接場（近接場）通信（ＮＦＣ）構成要素、ミッドフィールド通信構成要素、ファーフィールド通信構成要素、および他のモダリティを介して通信を提供する他の通信構成要素を含み得る。装置１１７７０は、他の機械または多種多様な周辺装置のうちのいずれかであり得る。
【０４７１】
さらに、通信構成要素１１７６４は、識別子を検出する、または識別子を検出するように動作可能な構成要素を含み得る。例えば、通信構成要素１１７６４は、無線周波数識別（ＲＦＩＤ）タグリーダー構成要素、ＮＦＣスマートタグ検出構成要素、光学式リーダー構成要素（例えば、ユニバーサルプロダクトコード（ＵＰＣ）バーコード、多次元バーコード、例えばＱｕｉｃｋ  Ｒｅｓｐｏｎｓｅ（ＱＲ）コード、Ａｚｔｅｃコード、Ｄａｔａ  Ｍａｔｒｉｘ、Ｄａｔａｇｌｙｐｈ、ＭａｘｉＣｏｄｅ、ＰＤＦ４１７、Ｕｌｔｒａ  Ｃｏｄｅ、ＵＣＣ  ＲＳＳ−２Ｄバーコード、およびその他の光学的コードなどの一次元バーコードを検出するための光学センサ）、または音響検出構成要素（例えばタグ付き音声信号を識別するためのマイクロフォン）を含み得る。さらに、インターネットプロトコル（ＩＰ）ジオロケーションによるロケーション、Ｗｉ−Ｆｉ信号三角測量によるロケーション、特定の場所を表示できるＮＦＣビーコン信号などを検出することによるロケーションなど、様々な情報を通信構成要素１１７６４を介して導出することができる。
【０４７２】
いくつかの実施形態では、システムは（複数の特徴とは対照的に）単一の特徴として存在する様々な特徴を含む。例えば、一実施形態では、システムは、単一の外部供給源と、単一の植込み型装置または単一のアンテナを有する刺激装置とを含む。代替の実施形態では、複数の特徴または構成要素が提供される。
【０４７３】
いくつかの実施形態において、システムは、以下の組織刺激用の手段（例えば植込み型刺激装置）、電力供給のための手段（例えばミッドフィールド電力供給装置またはミッドフィールドカプラ）、受信のための手段（例えば受信機）、送信するための手段（例えば、送信機）、制御するための手段（例えば、プロセッサまたは制御ユニット）などのうちの１つまたは複数を含む。
【０４７４】
本明細書に開示される方法、システム、機器、および装置をよりよく説明するために、実施例の非限定的な列挙をここに提示する。
【０４７５】
実施例１は、主題（例えば、装置、システム、機器、方法、行為を実行するための手段、または装置によって実行されるときに装置に実行させることができる命令を含む装置読み取り可能媒体、または製造品）を含むまたは使用することができ、例えば、ミッドフィールド送信機であって、送信機の第１の層に設けられる第１の導電性部分、送信機の第２の層に設けられる１つまたは複数のストリップラインを含む第２の導電性部分、送信機の第３の層に設けられる第３の導電性部分であり、第２の層を延びる１つまたは複数のビアを用いて第１の導電性部分に電気的に連結される第３の導電性部分、第１の層と第２の層との間に介在する第１の誘電部材、および第２の層と第３の層との間に介在する第２の誘電部材を含むミッドフィールド送信機を含むまたは使用することができる。
【０４７６】
実施例２は、第１のスロットによって離間された内側ディスク領域および外側環状領域を含む第１の導電性部分を含むように、実施例１の主題を含むまたは使用することができ、あるいは任意選択で組み合わせることができる。
【０４７７】
実施例３は、実施例２の主題を含む、または使用することができ、あるいは任意選択に組み合わせることができ、１つまたは複数のビアを使用して、第３の層の第３の導電性部分に電気的に連結される、第１の導電性部分の外側環状領域を含む。
【０４７８】
実施例４は、実施例１から３の１つまたは任意の組み合わせの主題を含むまたは使用することができ、または任意選択で組み合わせることができ、スロットによって離間された第１および第２の個別の領域を含む第１の導電性部分を任意選択に含むまたは使用する。実施例４では、ミッドフィールド送信機は、第１の導電性部分の第１の領域に連結された第１のコンデンサノードと、第１の導電性部分の第２の領域に連結された第２のコンデンサノードとを有する可変コンデンサをさらに含むことができる。
【０４７９】
実施例５は、実施例４の主題を含むまたは使用することができ、あるいは任意選択で組み合わせることができ、指定された目標共振周波数に基づいて可変コンデンサの静電容量を調整するように構成された制御回路を含む。
【０４８０】
実施例６は、実施例５の主題を含むまたは使用することができ、あるいは任意選択で組み合わせることができ、送信機を使用して送信された電力信号の反射部分に関する情報を使用して可変コンデンサの静電容量を調整するように構成される制御回路を含む。
【０４８１】
実施例７は、実施例５の主題を含むまたは使用することができ、あるいは任意選択で組み合わせることができ、送信機から受信機装置で受信された電力信号の部分に関する情報を使用して可変コンデンサの静電容量を調整するように構成される制御回路を含む。
【０４８２】
実施例８は、実施例７の主題を含むまたは使用することができ、あるいは任意選択で組み合わせることができ、受信機装置から後方散乱信号を受信し、受信機装置で受信された電力信号の部分に関する情報を判定するように構成された後方散乱受信機回路を含む。
【０４８３】
実施例９は、実施例７および８の１つまたは組み合わせの主題を含むまたは使用することができ、あるいは任意選択で組み合わせることができ、受信機装置からデータ信号を受信し、受信機装置で受信された電力信号の部分に関する情報を判定するように構成されたデータ受信機回路を任意選択で含む。
【０４８４】
実施例１０は、実施例５〜９の１つまたは任意の組み合わせの主題を含むまたは使用することができ、あるいは任意選択で組み合わせることができ、プロセッサ回路であって、制御回路が、可変コンデンサの複数の異なる静電容量の値のそれぞれでミッドフィールド送信機の励起を制御し、異なる静電容量の値のそれぞれについてそれぞれの電力伝達特性を監視するように構成され、またプロセッサ回路が、電力伝達特性に基づいて、ミッドフィールド送信機が身体組織の近くにあるか、近くにある可能性があるかどうかを判定するように構成される、プロセッサ回路を任意選択で含むまたは使用するために、。
【０４８５】
実施例１１は、実施例５〜９の１つまたは任意の組み合わせの主題を含むまたは使用することができ、あるいは任意選択で組み合わせることができ、プロセッサ回路であって、制御回路が、可変コンデンサの複数の異なる静電容量の値のそれぞれでミッドフィールド送信機の励起を制御し、異なる静電容量の値のそれぞれについてそれぞれのＶＳＷＲ特性を監視するように構成され、またプロセッサ回路が、ＶＳＷＲ特性に基づいて、ミッドフィールド送信機が身体組織の近くにあるか、近くにある可能性があるかどうかを判定するように構成される、プロセッサ回路を任意選択で含むまたは使用する。
【０４８６】
実施例１２は、実施例１〜１１の１つまたは任意の組み合わせの主題を含むまたは使用することができ、あるいは任意選択で組み合わせることができ波状または波打つ側縁プロファイルを有する、ストリップラインの少なくとも１つを任意選択で含むまたは使用する。
【０４８７】
実施例１３は、実施例１〜１２の１つまたは任意の組み合わせの主題を含むまたは使用することができ、あるいは任意選択で組み合わせることができ、双方向カプラであって、第１のカプラポートで駆動信号を受信し、駆動信号の一部を送信ポートおよび終端ポートに提供するように構成された双方向カプラであって、送信ポートは、送信機の第２の層に提供されるストリップラインの少なくとも１つに連結され、終端ポートが負荷回路に連結されている双方向カプラを任意選択で含むまたは使用する。
【０４８８】
実施例１４は、実施例１３の主題を任意選択で含むまたは使用することができ、あるいは任意選択で組み合わせることができ、フィードバック信号処理回路を含み、双方向カプラは、フィードバック信号処理回路に連結された分離ポートを含み、フィードバック信号処理回路は、分離ポートで反射電力信号についての情報を受信するように構成され、フィードバック信号処理回路は、反射電力信号に関する情報を使用して、送信電力信号の効率を判定するように構成される。
【０４８９】
実施例１５は、実施例１３の主題を含むまたは使用することができ、あるいは任意選択で組み合わせることができ、負荷回路を含み、負荷回路は、双方向カプラの終端ポートに調整可能なインピーダンス負荷を提供するように構成された１つまたは複数の可変コンデンサを備える。
【０４９０】
実施例１６は、実施例１〜１５の１つまたは任意の組み合わせの主題を含むまたは使用することができ、あるいは任意選択で組み合わせて、異なる誘電率特性を有する第１および第２の誘電部材を任意選択で含める。
【０４９１】
実施例１７は、実施例１６の主題を含むまたは使用することができ、あるいは任意選択で組み合わせることができ、第２の誘電部材の厚さが第１の誘電部材の厚さよりも大きいことを含む。
【０４９２】
実施例１８は、実施例１〜１７の１つまたは任意の組み合わせの主題を含むまたは使用することができ、あるいは任意選択で組み合わせることができ、第３の導電性部分に電気的に連結された環状外側領域を有する第１の導電性部分を任意選択で含み、第１の導電性部分は第１のスロットにより環状外側領域から間隔を隔てた内側領域をさらに含む。
【０４９３】
実施例１９は、実施例１８の主題を含むまたは使用することができ、あるいは任意選択で組み合わせることができ、第１のスロットから第１の導電性部分の中心軸に向かって延びるスロット延長アームを含む。
【０４９４】
実施例２０は、実施例１９の主題を含むまたは使用することができ、あるいは任意選択で組み合わせることができ、約９０度の間隔で配置され、第１のスロットから第１の導電性部分の中心軸までの少なくとも半分の距離で延びる４つのスロット延長アームを含む。
【０４９５】
実施例２１は、実施例１９または２０の主題を含むまたは使用することができ、あるいは任意選択で組み合わせることができ、第１のスロットの幅と実質的に同じスロットの幅を有するスロット延長アームを含む。
【０４９６】
実施例２２は、実施例１８〜２１の１つまたは任意の組み合わせの主題を含むまたは使用することができ、あるいは任意選択で組み合わせることができ、任意選択で、第１の導電性部分の内側領域に連結されたアノードと、第１の導電性部分の環状領域に連結されたカソードとを有するコンデンサを含むまたは使用する。
【０４９７】
実施例２３は、実施例１〜２２の１つまたは任意の組み合わせの主題を含むまたは使用することができ、あるいは任意選択で組み合わせることができ、任意選択で、接地された第１の領域と、接地された第１の領域から電気的に絶縁された別個の第２の領域とを含むエッチング銅層を含む第１の導電性部分を含むまたは使用する。
【０４９８】
実施例２４は、実施例２３の主題を含むまたは使用することができ、あるいは任意選択に組み合わせることができ、送信機の周辺部から送信機の中央部に向かって延び、１つまたは複数のストリップラインが第１の導電性部分の第２の領域の少なくとも一部の上に配置される１つまたは複数のストリップラインを含む。
【０４９９】
実施例２５は、実施例２３または２４の１つまたは任意の組み合わせの主題を含むまたは使用することができ、あるいは任意選択で組み合わせることができ、任意選択で、第２の領域を四分円に分割するエッチングされた特徴またはビアを含む別個の第２の領域を含む。
【０５００】
実施例２６は、実施例１〜２５の１つまたは任意の組み合わせの主題を含むまたは使用することができ、あるいは任意選択で組み合わせることができ、任意選択で、１つまたは複数のストリップラインのそれぞれに、それぞれの励起信号を提供するように構成された信号発生器回路を含むまたは使用し、信号発生器回路は、励起信号の少なくとも１つの位相または振幅特性を調整し、第１の導電性部分の周りの電流分布を調整するように構成される。
【０５０１】
実施例２７は、実施例２６の主題を含むまたは使用することができ、あるいは任意選択で組み合わせることができ、第３の導電面の第１の側面に配置され、第３の導電面の反対の第２の側面は、第１の導電性部分に面する信号発生器を含む。
【０５０２】
実施例２８は、実施例１〜２７の１つまたは任意の組み合わせの主題を含むまたは使用することができ、あるいは任意選択で組み合わせることができ、任意選択で、第３の導電性部分の表面積が第１の導電性の表面積と同じかそれよりも大きいことを含む。
【０５０３】
実施例２９は、実施例１〜２８の１つまたは任意の組み合わせの主題を含むまたは使用することができ、あるいは任意選択で組み合わせることができ、任意選択で、第１および第３の導電性部分が、実質的に円形で同軸の導電部材を備えることを含む。
【０５０４】
実施例３０は、実施例１〜２９の１つまたは任意の組み合わせの主題を含むまたは使用することができ、あるいは任意選択で組み合わせることができ、任意選択で、第１の導電性部分および第３の導電性部分のうちの少なくとも１つが基準電圧または接地に連結されていることを含む。
【０５０５】
実施例３１は、実施例１〜３０の１つまたは任意の組み合わせの主題を含むまたは使用することができ、あるいは任意選択で組み合わせることができ、任意選択で、第１または第２の誘電部材が、約３〜１３の誘電率Ｄｋを有することを含む。
【０５０６】
実施例３２は、実施例１〜３０の１つまたは任意の組み合わせの主題を含むまたは使用することができ、あるいは任意選択で組み合わせることができ、任意選択で、第１または第２の誘電部材が、約６〜１０の誘電率Ｄｋを有することを含む。
【０５０７】
実施例３３は、実施例１〜３２の１つまたは任意の組み合わせの主題を含むまたは使用することができ、あるいは任意選択で組み合わせることができ、任意選択で、第１の導電性部分と第３の導電性部分との間に延在し、第２の層から絶縁された複数のビアであって、複数のビアの配置が、第１の導電性部分を実質的に別個に励起可能な四分円に分割する複数のビアを含むまたは使用する。
【０５０８】
実施例３４は、実施例３３の主題を含むまたは使用することができ、あるいは任意選択で組み合わせることができ、別個に励起可能な四分円の各々が接地周辺領域と内側導電領域とを含み、第１の導電性部分が１つまたは複数の特徴でエッチングされて、周辺領域の少なくとも一部を内側導電領域から絶縁することを含む。
【０５０９】
実施例３５は、主題（例えば、装置、システム、機器、方法、行為を実行するための手段、または装置によって実行されるときに装置に実行させることができる命令を含む装置読み取り可能媒体、または製造品）を含むまたは使用することができ、例えば、調整可能なミッドフィールド送信機であって、第１の基板、第１の基板の第１の表面に設けられた第１のエミッタ、および第１のエミッタに連結された可変コンデンサであって、第１のエミッタの静電容量特性を調節して、受信機装置からの反射係数またはフィードバック情報の少なくとも１つに基づいてミッドフィールド送信機の共振周波数を調整するように構成される可変コンデンサを含む、調整可能なミッドフィールド送信機を含むまたは使用することができる。
【０５１０】
実施例３６は、実施例３５の主題を含むまたは使用することができ、あるいは任意選択で組み合わせることができ、反射係数に関する情報に基づいて、送信機が身体組織の近くにあるか、近くにある可能性があるかについての表示を提供するように構成された制御回路を含む。
【０５１１】
実施例３７は、実施例３５または３６の１つまたは任意の組み合わせの主題を含むまたは使用することができ、あるいは任意選択で組み合わせることができ、任意選択で、第１の基板に隣接して平行な第２の表面上に提供されるストリップラインを含むまたは使用し、ストリップラインは、第１のエミッタ上に少なくとも部分的に延びる。
【０５１２】
実施例３８は、実施例３７の主題を含むまたは使用することができ、あるいは任意選択で組み合わせることができ、内側ディスク領域および外側環状領域を含む第１のエミッタを含み、ストリップラインは、少なくとも部分的に、第１のエミッタの内側ディスク領域に延びる。
【０５１３】
実施例３９は、実施例３８の主題を含むまたは使用することができ、あるいは任意選択で組み合わせることができ、非導電性スロットによって複数の個別の導電性領域に分割される内側ディスク領域を含む。
【０５１４】
実施例４０は、実施例３９の主題を含むまたは使用することができ、あるいは任意選択で組み合わせることができ、導電性領域のそれぞれが実質的に同じ表面積を有することを含む。
【０５１５】
実施例４１は、実施例３５〜４０の１つまたは任意の組み合わせの主題を含むまたは使用することができ、あるいは任意選択で組み合わせることができ、任意選択で、接地面、および接地面とストリップラインとの間に提供される第２の基板を含むまたは使用する。
【０５１６】
実施例４２は、実施例３５〜４１の１つまたは任意の組み合わせの主題を含むまたは使用することができ、あるいは任意選択で組み合わせることができ、任意選択で、ミッドフィールド送信機が、組織内に適応操縦場を生成するように構成され、適応操縦場が、約３００ＭＨｚ〜３０００ＭＨｚの周波数を有することを含むまたは使用する。
【０５１７】
実施例４３は、実施例３５〜４２の１つまたは任意の組み合わせの主題を含むまたは使用することができ、あるいは任意選択で組み合わせることができ、任意選択で、ストリップラインに励起信号を提供するように構成された励起回路であって、約３００ＭＨｚ〜３０００ＭＨｚの周波数を励起信号を含むまたは使用する。
【０５１８】
実施例４４は、実施例３５〜４３の１つまたは任意の組み合わせの主題を含むまたは使用することができ、あるいは任意選択で組み合わせることができ、任意選択で、可変コンデンサの静電容量の値が、検出された反射係数に基づいて、または植込まれたミッドフィールド受信機装置からのフィードバックに基づいて更新されるように選択または構成されることを含むまたは使用する。
【０５１９】
実施例４５は、主題（例えば、装置、システム、機器、方法、行為を実行するための手段、または装置によって実行されるときに装置に実行させることができる命令を含む装置読み取り可能媒体、または製造品）を含むまたは使用することができ、例えば、ミッドフィールド送信機を調整して、ミッドフィールド送信機と植込まれた受信機との間の電力伝達効率を調節する方法であって、ミッドフィールド送信機は、ストリップラインによって励起可能な導電板を含む方法を含むまたは使用することができる。実施例４５では、この方法は、ストリップラインにパイロット信号を提供すること、パイロット信号はパイロット周波数を有する、植込まれた受信機でミッドフィールド送信機から受信した電力信号を監視すること、および監視された利得／受信電力信号に基づいて、導電板と基準ノード間の電気的連結特性を調節することを含むことができる。
【０５２０】
実施例４６は、実施例４５の主題を含むまたは使用することができ、あるいは任意選択で組み合わせることができ、電気的連結特性を調節することが、導電板および基準ノードに連結された可変コンデンサの静電容量を変更することを含むことを含む。
【０５２１】
実施例４７は、主題（例えば、装置、システム、機器、方法、行為を実行するための手段、または装置によって実行されるときに装置に実行させることができる命令を含む装置読み取り可能媒体、または製造品）を含むまたは使用することができ、例えば、ミッドフィールド送信機を調整して、ミッドフィールド送信機と植込まれた受信機との間の電力伝達効率を調節する方法であって、ミッドフィールド送信機は、ストリップラインによって励起可能な導電板を含む方法を含むまたは使用することができる。実施例４７では、この方法は、ストリップラインにパイロット信号を提供すること、パイロット信号はパイロット周波数を有する、ミッドフィールド送信機と植込まれた受信機間の連結特性を監視すること、および監視された利得／受信電力信号に基づいて、導電板と基準ノード間の電気的連結特性を調節することを含むことができる。
【０５２２】
実施例４８は、実施例４７の主題を含むまたは使用することができ、あるいは任意選択で組み合わせることができ、電気的連結特性を調節することであって、導電板および基準ノードに連結された可変コンデンサの静電容量を変更することを含む調整することを含む。
【０５２３】
実施例４９は、主題（例えば、装置、システム、機器、方法、行為を実行するための手段、または装置によって実行されるときに装置に実行させることができる命令を含む装置読み取り可能媒体、または製造品）を含むまたは使用することができ、例えば、実質的に同軸で互いに平行で、第１の誘電部材によって間隔を置いて配置される、第１および第２の実質的に平面の円形の導電部材であり、第２の導電部分が送信機の電気基準面として機能する導電部材、および導電部材間の中間層に介在する第１の対の励起部材、および第１の導電部材と同一平面上にあるか、同軸方向にオフセットしている励起パッチを含むミッドフィールド送信機を含むまたは使用することができる。
【０５２４】
実施例５０は、実施例４９の主題を含むまたは使用することができ、あるいは任意選択で組み合わせることができ、励起部材が第１および第２の導電部材から、また互いに電気的に絶縁され、第１の対の励起部材は送信機の両側に設けられることを含む。
【０５２５】
実施例５１は、実施例４９または５０の１つまたは任意の組み合わせの主題を含むか使用することができ、あるいは任意選択で組み合わせることができ、任意選択で、励起部材がそれぞれのビアを使用して励起パッチに電気的に連結されていることを含むまたは使用する。
【０５２６】
実施例５２は、実施例４９〜５１の１つまたは任意の組み合わせの主題を含むまたは使用することができ、あるいは任意選択で組み合わせることができ、任意選択で、第１の導電性部材の一部を含む励起パッチを含むまたは使用する。
【０５２７】
実施例５３は、実施例４９〜５２の１つまたは任意の組み合わせの主題を含むまたは使用することができ、あるいは任意選択で組み合わせることができ、任意選択で、励起パッチが、第１および第２の導電部材から電気的に絶縁されている受動部材であることを含むまたは使用する。
【０５２８】
実施例５４は、実施例４９〜５３の１つまたは任意の組み合わせの主題を含むまたは使用することができ、あるいは任意選択で組み合わせることができ、任意選択で、ストリップラインである励起部材を含むまたは使用する。
【０５２９】
実施例５５は、実施例５４の主題を含むまたは使用することができ、あるいは任意選択で組み合わせることができ、ストリップラインを受動励起パッチのそれぞれの部分に連結するそれぞれのビアを含む。
【０５３０】
実施例５６は、主題（例えば、装置、システム、機器、方法、行為を実行するための手段、または装置によって実行されるときに装置に実行させることができる命令を含む装置読み取り可能媒体、または製造品）を含むまたは使用することができ、例えば、ミッドフィールド送信機であって、送信機の第１の層に設けられる第１の導電面であり、内側ディスク領域から離間した外側環状領域を含む第１の導電面、送信機の第２の層に設けられる第２の導電面であり、１つまたは複数のビアを使用して第１の導電面の外側環状領域に電気的に連結される第２の導電面、第１の導電面と第２の導電面との間に介在する第１の誘電部材、および第１の導電面の内側ディスク領域に連結され、第２の導電面および第１の誘電部材を貫通して電気的に絶縁されたビアに連結される複数の信号入力ポートを含むミッドフィールド送信機を含むまたは使用することができる。
【０５３１】
実施例５７は、実施例５６の主題を含むまたは使用することができ、あるいは任意選択で組み合わせることができ、第１の層とは反対側の第２の層の第１の側面に配置される送信機励起回路であり、複数の信号入力ポートを使用して内側ディスク領域に駆動信号を供給するように構成される送信機励起回路を含む。
【０５３２】
実施例５８は、実施例５７の主題を含むまたは使用することができ、あるいは任意選択で組み合わせることができ、送信機励起回路が、はんだバンプを使用して第２の導電面の第１の側面に連結されるように構成されていることを含む。
【０５３３】
実施例５９は、実施例５６〜５８の１つまたは任意の組み合わせの主題を含むまたは使用することができ、あるいは任意選択で組み合わせることができ、任意選択で、第１の導電面の環状領域に連結されたアノードと、第１の導電面のディスク領域に連結されたカソードとを有するコンデンサを含むまたは使用する。
【０５３４】
実施例６０は、実施例５６〜５９の１つまたは任意の組み合わせの主題を含む、または使用することができ、あるいは任意選択で組み合わせることができ、任意選択で、第１の導電面がディスク領域の周囲からディスク領域の中心まで少なくとも部分的に延在する複数の線形スロットを含むことを含むまたは使用する。
【０５３５】
実施例６１は、実施例６０の主題を含むまたは使用することができ、あるいは任意選択で組み合わせることができ、送信機の共振特性を調整するために選択または構成された複数の線形スロットの長さを含む。
【０５３６】
実施例６２は、実施例５６〜６１の１つまたは任意の組み合わせの主題を含むまたは使用することができ、あるいは任意選択で組み合わせることができ、任意選択で、複数の信号入力ポートに、各励起信号を供給するように構成された信号発生器回路を含むまたは使用する。
【０５３７】
実施例６３は、実施例６２の主題を含むまたは使用することができ、あるいは任意選択で組み合わせることができ、信号発生器回路が、第１の導電面上の電流の分布を調節するために励起信号のうちの少なくとも１つの位相または振幅特性を調節するように構成されることを含む。
【０５３８】
実施例６４は、主題（例えば、装置、システム、機器、方法、行為を実行するための手段、または装置によって実行されるときに装置に実行させることができる命令を含む装置読み取り可能媒体、または製造品）を含むまたは使用することができ、例えば、無線送信機装置で使用するための信号プロセッサであって、ＲＦ駆動信号を受信し、条件付きでアンテナまたは別の装置に出力信号を提供するように構成された第１の制御回路、アンテナ出力信号に関する情報および／またはＲＦ駆動信号に関する情報に基づいて制御信号を生成するように構成された第２の制御回路、およびＲＦ駆動信号を第１の制御回路に提供するように構成された利得回路であって、第２の制御回路からの制御信号に基づいてＲＦ駆動信号の振幅を変更するように構成される利得回路を含む信号プロセッサを含むまたは使用することができる。
【０５３９】
実施例６５は、実施例６４の主題を含むまたは使用することができ、あるいは任意選択で組み合わせることができ、第１の制御回路が、アンテナの負荷状態を示す反射電圧信号を受信し、反射電圧信号に基づいてアンテナ出力信号の位相または振幅を変更するように構成されることを含む。
【０５４０】
実施例６６は、実施例６５の主題を含むまたは使用することができ、あるいは任意選択で組み合わせることができ、第１の制御回路は、反射電圧信号が指定された反射信号の大きさまたは閾値を超えると、アンテナ出力信号を減衰させるように構成されることを含む。
【０５４１】
実施例６７は、実施例６４〜６６の１つまたは任意の組み合わせの主題を含むまたは使用することができ、あるいは任意選択で組み合わせることができ、任意選択で、ＲＦ駆動信号を条件付きで増幅し、アンテナから受信した情報がアンテナが身体組織によって負荷をかけられているまたは負荷をかけられる可能性があることを示すときに、アンテナ出力信号を提供するように構成される増幅器回路を含むまたは使用する。
【０５４２】
実施例６８は、実施例６４〜６７の１つまたは任意の組み合わせの主題を含むまたは使用することができ、あるいは任意選択で組み合わせることができ、任意選択で、第１の制御回路が、利得回路に連結され、ＲＦ駆動信号を受信するように構成された入力ポート、アンテナに連結され、アンテナ出力信号を提供するように構成された送信ポート、第２の制御回路に連結された連結ポート、および第２の制御回路に連結された分離ポートを含む双方向カプラ回路を含むことを含むまたは使用する。
【０５４３】
実施例６９は、実施例６８の主題を含むまたは使用することができ、あるいは任意選択で組み合わせることができ、双方向カプラの分離ポートに連結されたＲＦダイオード検出器回路を含む。
【０５４４】
実施例７０は、実施例６８または６９の１つまたは任意の組み合わせの主題を含むまたは使用することができ、あるいは任意選択で組み合わせることができ、任意選択で、双方向カプラの分離ポートに連結された後方散乱受信機回路であって、植込まれた装置から後方散乱データ通信を受信するように構成される後方散乱受信機回路を含むまたは使用する。
【０５４５】
実施例７１は、実施例６４〜７０の１つまたは任意の組み合わせの主題を含むまたは使用することができ、あるいは任意選択で組み合わせることができ、任意選択で、第１の制御回路が、アンテナから受信された反射電力信号に関する情報が、反射電力の指定された閾値の量を超えると、障害信号を生成するように構成されることを含むまたは使用する。
【０５４６】
実施例７２は、実施例７１の主題を含むまたは使用することができ、あるいは任意選択で組み合わせることができ、第１の制御回路が、障害信号が生成されたときに出力信号を提供することを阻害するように構成されることを含む。
【０５４７】
実施例７３は、実施例７２の主題を含むまたは使用することができ、あるいは任意選択で組み合わせることができ、第１の制御回路が、第１の制御回路がリセット信号を受信するまで障害状態で存続するように構成されることを含む。
【０５４８】
実施例７４は、実施例６４〜７３の１つまたは任意の組み合わせの主題を含むまたは使用することができ、あるいは任意選択で組み合わせることができ、任意選択で、第１の制御回路が、出力信号の提供を阻害することによって、検出された障害状態に第１の応答速度で応答するように構成され、第２の制御回路は、制御信号を生成することにより、同じまたは異なる障害状態に対しより低速の第２の応答速度で応答するように構成されることを含むまたは使用する。
【０５４９】
実施例７５は、実施例６４〜７４の１つまたは任意の組み合わせの主題を含むまたは使用することができ、あるいは任意選択で組み合わせることができ、任意選択で、第１の制御回路が、ＲＦ駆動信号の検出された包絡線特性に基づいて出力信号を条件付きで提供するように構成されることを含むまたは使用する。
【０５５０】
実施例７６は、実施例６４〜７５の１つまたは任意の組み合わせの主題を含むまたは使用することができ、あるいは任意選択で組み合わせることができ、任意選択で、第２の制御回路が、ＲＦ駆動信号の検出された包絡線特性に基づいて制御信号を生成するように構成されることを含むまたは使用する。
【０５５１】
実施例７７は、実施例６４〜７６の１つまたは任意の組み合わせの主題を含むまたは使用することができ、あるいは任意選択で組み合わせることができ、任意選択で、利得回路が、ＲＦ入力信号に基づいてＲＦ駆動信号を提供するように構成され、第２の制御回路は、ＲＦ入力信号の振幅特性に基づいて制御信号を生成するように構成されることを含むまたは使用する。
【０５５２】
実施例７８は、実施例６４〜７７の１つまたは任意の組み合わせの主題を含むまたは使用することができ、あるいは任意選択で組み合わせることができ、任意選択で、第２の制御回路が、（１）アンテナ出力信号に関する情報がアンテナの次善の負荷状態を示す場合、または（２）ＲＦ駆動信号に関する情報が、ＲＦ駆動信号の振幅が指定された駆動信号振幅閾値を超えていることを示す場合に、第１の制御信号の値を有する制御信号を生成するように構成され、また利得回路が、制御信号が第１の制御信号の値を有するときに、ＲＦ駆動信号を減衰させることを含むまたは使用する。
【０５５３】
実施例７９は、実施例６４〜７７の１つまたは任意の組み合わせの主題を含むまたは使用することができ、あるいは任意選択で組み合わせることができ、任意選択で、第２の制御回路は、（１）アンテナ出力信号に関する情報がアンテナの既知の良好な負荷状態を示す場合、または（２）ＲＦ駆動信号に関する情報が、ＲＦ駆動信号の振幅が指定された駆動信号振幅閾値を下回ることを示す場合に、第２の制御信号の値を有する制御信号を生成するように構成され、また利得回路が、制御信号が第２の制御信号の値を有するときに、ＲＦ駆動信号を減衰させないことを含むまたは使用する。
【０５５４】
実施例８０は、実施例６４〜７９の１つまたは任意の組み合わせの主題を含むまたは使用することができ、あるいは任意選択で組み合わせることができ、任意選択で、第２の制御回路が、利得回路の制御信号を生成して、初期装置状態または装置リセット状態で第１の制御回路に提供されるＲＦ駆動信号をランプアップするように構成されることを含むまたは使用する。
【０５５５】
実施例８１は、実施例６４〜８０の１つまたは任意の組み合わせの主題を含むまたは使用することができ、あるいは任意選択で組み合わせることができ、任意選択で、第２の制御回路が、利得回路の制御信号を生成して、アンテナ不整合状態下で第１の制御回路に提供されるＲＦ駆動信号を減衰するように構成されることを含む。
【０５５６】
実施例８２は、実施例６４〜８１の１つまたは任意の組み合わせの主題を含むまたは使用することができ、あるいは任意選択で組み合わせることができ、任意選択で、第２の制御回路が、検出された障害状態に続いて、利得回路の制御信号を生成して、ＲＦ駆動信号の大きさを、検出された障害状態に先行するＲＦ駆動信号の大きさに対応する大きさのレベルに戻すように構成されていることを含む。
【０５５７】
実施例８３は、実施例６４〜８２の１つまたは任意の組み合わせの主題を含むまたは使用することができ、あるいは任意選択で組み合わせることができ、任意選択で、第２の制御回路が、フィードバック回路からの情報に基づいて利得回路の制御信号を生成するように構成され、フィードバック回路は、アンテナの不整合状態に関する情報を提供し、フィードバック回路は、指定された公称出力電力に対する装置の実際の出力電力に関する情報を提供することを含むまたは使用する。
【０５５８】
実施例８４は、実施例８３の主題を含むまたは使用することができ、あるいは任意選択で組み合わせることができ、第２の制御回路が、制御信号を生成して、利得回路に、初期装置状態または装置リセット状態の下で第１の制御回路に提供されるＲＦ駆動信号をランプアップさせるように構成されることを含む。
【０５５９】
実施例８５は、実施例８３または８４の１つまたは任意の組み合わせの主題を含むまたは使用することができ、あるいは任意選択で組み合わせることができ、任意選択で、第２の制御回路が、制御信号を生成して、利得回路に、アンテナ不整合状態下で第１の制御回路に提供されるＲＦ駆動信号を急速に減衰させるように構成されることを含むまたは使用する。
【０５６０】
実施例８６は、実施例８５の主題を含むまたは使用することができ、あるいは任意選択で組み合わせることができ、第１の制御回路が、アンテナ不整合ステータスに関する情報を第１の制御回路に提供するように構成され、アンテナ不整合ステータスに関する情報が、アンテナからの反射電力に基づくことを含む。
【０５６１】
実施例８７は、実施例８３〜８６の１つまたは任意の組み合わせの主題を含むまたは使用することができ、あるいは任意選択で組み合わせることができ、任意選択で、アンテナからの反射電力の変化に対してフィードバック回路の感度を調節するように構成されたスケーリング回路を含むまたは使用する。
【０５６２】
実施例８８は、実施例８３〜８７の１つまたは任意の組み合わせの主題を含むまたは使用することができ、あるいは任意選択で組み合わせることができ、任意選択で、フィードバック回路が、指定された最大ＶＳＷＲに基づいて、出力信号の順方向電力の変化を正規化するように構成されることを含むまたは使用する。
【０５６３】
実施例８９は、実施例８３〜８８の１つまたは任意の組み合わせの主題を含むかまたは使用することができ、あるいは任意選択で組み合わせることができ、任意選択で、フィードバック回路は、アンテナが受信機に十分に整合されている場合に、指定された基準電力レベルに対するアンテナへの順方向電力信号間の関係に関する情報を提供するように構成され、フィードバック回路は、アンテナが受信機と十分に整合していない場合に、指定された基準電力レベルに対するアンテナからの逆方向電力信号間の関係に関する情報を提供するように構成されていることを含むまたは使用する。
【０５６４】
実施例９０は、実施例６４〜８９の１つまたは任意の組み合わせの主題を含むまたは使用することができ、あるいは任意選択で組み合わせることができ、任意選択で、第１の制御回路は、約８５０ＭＨｚ〜９５０ＭＨｚの周波数を有する信号を使用してアンテナ出力信号を提供するように構成されることを含むまたは使用する。
【０５６５】
実施例９１は、主題（例えば、装置、システム、機器、方法、行為を実行するための手段、または装置によって実行されるときに装置に実行させることができる命令を含む装置読み取り可能媒体、または製造品）を含むまたは使用することができ、例えば、無線電力送信機であって、アンテナに連結された信号発生器を含む無線電力送信機、およびアンテナの共振周波数に影響を与えるように構成されたチューナー回路を構成するための方法であって、第１の周波数を有する第１の駆動信号でアンテナにエネルギー供給することであって、第１の駆動信号が信号発生器によって提供される、エネルギー供給すること、およびチューナー回路のパラメータの値を掃引して、アンテナをそれぞれの複数の例で複数の異なる共振周波数に調整することを含む方法を含むまたは使用することができる。実施例９１は、複数の異なる共振周波数のそれぞれについて、アンテナが第１の駆動信号によってエネルギー供給されたときにアンテナによって反射されたそれぞれの電力の量を検出すること、アンテナに反射された検出された最小電力量に対応するチューナー回路の特定のパラメータの値を識別すること、およびチューナー回路の特定のパラメータの値を使用して、身体組織内部の無線伝搬波を使用して、電力および／またはデータを植込まれた装置に通信するように無線電力送信機をプログラミングすることを含み得る。
【０５６６】
実施例９２は、実施例９１の主題を含むまたは使用することができ、あるいは任意選択で組み合わせることができ、チューナー回路に関する先験的情報に基づいて、無線電力送信機が、チューナー回路の識別された特定のパラメータの値に基づいて、身体組織インターフェースの指定された距離範囲内に配置される可能性を提供することを含む。
【０５６７】
実施例９３は、実施例９２の主題を含むまたは使用することができ、任意選択で組み合わせることができ、可能性が、無線電力送信機が身体組織インターフェースの指定された距離範囲内にあることを示している場合、無線電力送信機と特定のパラメータの値に調整されたチューナー回路を使用して、電力および／またはデータを植込み型装置と通信することを含む。
【０５６８】
実施例９４は、実施例９１〜９３の１つまたは任意の組み合わせの主題を含むまたは使用することができ、あるいは任意選択で組み合わせることができ、任意選択で、第１の駆動信号でアンテナにエネルギー供給することが、約８５０ＭＨｚ〜９５０ＭＨｚの周波数を有する信号を使用することを含む。
【０５６９】
実施例９５は、実施例９１〜９４の１つまたは任意の組み合わせの主題を含むまたは使用することができ、あるいは任意選択で組み合わせることができ、任意選択で、チューナー回路のパラメータの値を掃引して、コンデンサの静電容量の値を調節することを含むアンテナを複数の異なる共振周波数に調整することを含むまたは使用する。
【０５７０】
実施例９６は、主題（例えば、装置、システム、機器、方法、行為を実行するための手段、または装置によって実行されるときに装置に実行させることができる命令を含む装置読み取り可能媒体、または製造品）を含むまたは使用することができ、例えば、無線送信機を構成するための方法であって、無線送信機が無線送信機のアンテナを複数の異なる共振周波数に調整するように構成された調整回路を含み、調整回路がアンテナを第１の共振周波数に調整するときに、第１の周波数掃引駆動信号で無線送信機のアンテナにエネルギー供給すること、第１の周波数掃引駆動信号の複数の周波数のそれぞれについて、アンテナに反射されたそれぞれの電力の量を検出することを含む方法を含むまたは使用することができる。実施例９６は、アンテナに反射された検出されたそれぞれの電力の量に基づいて、無線送信機が身体組織の近くにある、または近くにある可能性があることかどうかを判定することを含むことができる。
【０５７１】
実施例９７は、実施例９６の主題を含むまたは使用することができ、あるいは任意選択で組み合わせることができ、アンテナに反射された検出されたそれぞれの電力の量に基づいて、無線送信機が身体組織の近くにある、またはその可能性が高いと判定された場合、第２の駆動信号で無線送信機のアンテナに電力供給すること、チューナー回路のパラメータの値を掃引して、アンテナが第２の駆動信号によってエネルギー供給されている間に、アンテナをそれぞれの複数の例で複数の異なる共振周波数に調整することを含む。実施例９７では、複数の異なる共振周波数のそれぞれについて、アンテナに反射されたそれぞれの電力の量を検出すること、およびアンテナに反射された検出された最小電力量に対応するチューナー回路の特定のパラメータの値を識別すること、および識別された特定のパラメータの値に基づいて、無線送信機が身体組織の近くにあるかどうかを確認することを含み得る。
【０５７２】
実施例９８は、実施例９７の主題を含むまたは使用することができ、あるいは任意選択で組み合わせることができ、無線送信機が身体組織の近くにあることが確認されたときに、電力および／またはデータを植込まれた装置に通信することを試みることを含み、通信することを試みることが、特定のパラメータの値を使用してチューナー回路を調整することを含む。
【０５７３】
実施例９９は、実施例９６〜９８の１つまたは任意の組み合わせの主題を含むまたは使用することができ、あるいは任意選択で組み合わせることができ、任意選択で、アンテナにエネルギー供給することが、アンテナの表面の周りに分散された複数のアンテナポートのうちの第１のものにエネルギー供給することを含み、またアンテナに反射されたそれぞれの電力の量を検出することが複数のアンテナポートのうちの第２のものを使用して反射信号を受信することを含むことを含む。
【０５７４】
実施例１００は、実施例９９の主題を含むまたは使用することができ、あるいは任意選択で組み合わせることができ、アンテナが、第１および第２のアンテナポートを通って延びる軸に関して実質的に対称であることを含む。
【０５７５】
実施例１０１は、主題（例えば、装置、システム、機器、方法、行為を実行するための手段、または装置によって実行されるときに装置に実行させることができる命令を含む装置読み取り可能媒体、または製造品）を含むまたは使用することができ、例えば、ミッドフィールド送信機であって、１つまたは複数の励起可能な構造を備えたアンテナを含むミッドフィールド送信機、およびチューナーパラメータに基づいてアンテナの共振周波数特性を変更するように構成された送信機チューナー回路を調整する方法であって、チューナー回路が基準静電容量の値を使用して調整されている場合、第１のテスト信号でアンテナにエネルギー供給すること、第１のテスト信号でアンテナにエネルギー供給するのに応答してアンテナにより反射された電力の大きさを測定すること、およびアンテナに反射させた電力の大きさが指定された最小電力の反射の大きさを超える場合は、より小さな静電容量の値を使用するようにチューナー回路を調整すること、およびアンテナに反射させた電力の大きさが指定された最小電力の反射を超えない場合は、より大きな静電容量の値を使用するようにチューナー回路を調整する、通信することを含む方法を含むまたは使用することができる。
【０５７６】
実施例１０２は、主題（例えば、装置、システム、機器、方法、行為を実行するための手段、または装置によって実行されるときに装置に実行させることができる命令を含む装置読み取り可能媒体、または製造品）を含むまたは使用することができ、例えば、ミッドフィールド送信機であって、１つまたは複数の励起可能な構造を備えたアンテナを含むミッドフィールド送信機、およびチューナーパラメータに基づいてアンテナの共振周波数特性を変更するように構成された送信機チューナー回路を調整する方法であって、チューナー回路が基準静電容量の値を使用して調整されている場合、第１のテスト信号でアンテナにエネルギー供給すること、植込まれた装置で、第１のテスト信号でアンテナにエネルギー供給することに応答してアンテナによって受信される電力の大きさを測定することを含む方法を含むまたは使用することができる。実施例１０２は、植込まれた装置から受信した電力の大きさに関する情報をミッドフィールド送信機に通信することであって、受信した電力の大きさが指定された最小電力の大きさよりも小さい場合は、実施例はより小さな静電容量の値を使用するようにチューナー回路を調整することを含むことができ、受信した電力の大きさが指定された最小電力の大きさよりも大きい場合は、実施例はより大きな静電容量の値を使用するようにチューナー回路を調整することを含むことができる。
【０５７７】
実施例１０３は、主題（例えば、装置、システム、機器、方法、行為を実行するための手段、または装置によって実行されるときに装置に実行させることができる命令を含む装置読み取り可能媒体、または製造品）を含むまたは使用することができ、例えば、少なくとも内側中央領域および外側領域を含むアンテナ表面、アンテナ表面の近くまたは隣接して提供される複数の励起特徴、およびミッドフィールド送信機を含む複数の励起特徴のそれぞれのものに異なる信号を提供するように構成され、信号発生器からの異なる信号に応答して、アンテナ表面は、アンテナ表面の内側中央領域を横切って実質的に第１の方向に第１の表面電流を伝導し、アンテナ表面は、アンテナ表面の外側領域を横切って反対の第２の方向に少なくとも部分的に第２の表面電流を伝導することを含む、または使用することができる。実施例１０３において、信号発生器が複数の励起特徴のそれぞれのものに異なる信号を提供するとき、ミッドフィールド送信機は、アンテナ表面に隣接するエバネセント場に影響を及ぼし、エバネセント場が複数の反対方向の場のローブを含むようにする。
【０５７８】
実施例１０４は、実施例１０３の主題を含むまたは使用することができ、あるいは任意選択で組み合わせることができ、アンテナ表面の内側中央領域および外側領域は、同一平面上にあり、同軸であることを含む。
【０５７９】
実施例１０５は、実施例１０４の主題を含むまたは使用することができ、あるいは任意選択で組み合わせることができ、アンテナ表面の内側中央領域および外側領域は、誘電体またはエアギャップによって分離されていることを含む。
【０５８０】
実施例１０６は、実施例１０３〜１０５の１つまたは任意の組み合わせの主題を含むまたは使用することができ、あるいは任意選択で組み合わせることができ、任意選択で、信号発生器が複数の励起特徴のそれぞれのものに異なる信号を提供するとき、ミッドフィールド送信機は、アンテナ表面に隣接するエバネセント場に影響を及ぼし、エバネセント場が複数の反対方向の場のローブを含むようにすることを含む。
【０５８１】
実施例１０７は、実施例１０３〜１０６の１つまたは任意の組み合わせの主題を含むまたは使用することができ、あるいは任意選択で組み合わせることができ、任意選択で、ミッドフィールド送信機が身体組織に対して配置され、信号発生器が複数の励起特徴のそれぞれのものに異なる信号を提供するとき、ミッドフィールド送信機は、アンテナ表面に隣接するエバネセント場に影響を及ぼし、伝搬する場が身体組織に誘導されることを含む。
【０５８２】
実施例１０８は、主題（例えば、装置、システム、機器、方法、行為を実行するための手段、または装置によって実行されるときに装置に実行させることができる命令を含む装置読み取り可能媒体、または製造品）を含むまたは使用することができ、例えば、リモートミッドフィールド送信機から発信された伝搬無線電力信号を受信するように構成された第１のアンテナ、第１のアンテナに連結され、それぞれの第１および第２の電圧レベルを有する少なくとも第１および第２の収集された電力信号を提供するように構成された整流回路、および整流回路に連結され、第１および第２の収集された電力信号のうちの選択されたものを電気刺激出力回路にルーティングするように構成されたマルチプレクサ回路を含むミッドフィールド受信機装置を含むまたは使用することができる。
【０５８３】
実施例１０９は、実施例１０８の主題を含むまたは使用することができ、あるいは任意選択で組み合わせることができ、第１および第２の収集された電力信号のいずれか一方を受信し、変換されたＤＣ信号を提供するように構成されたＤＣ−ＤＣコンバータ回路を含むまたは使用する。
【０５８４】
実施例１１０は、実施例１０９の主題を含むまたは使用することができ、あるいは任意選択で組み合わせることができ、ＤＣ−ＤＣコンバータ回路は、変換されたＤＣ信号を電気刺激出力回路に提供する、電気刺激出力回路を含む。
【０５８５】
実施例１１１は、実施例１０８〜１１０の１つまたは任意の組み合わせの主題を含むまたは使用することができ、あるいは任意選択で組み合わせることができ、任意選択で、第１および第２の収集された電力信号のうちの少なくとも１つを受信し、受信された伝搬無線電力信号に関する情報をリモートミッドフィールド送信機に提供するように構成されたフィードバック回路を含むまたは使用する。
【０５８６】
実施例１１２は、実施例１０８〜１１１の１つまたは任意の組み合わせの主題を含むまたは使用することができ、あるいは任意選択で組み合わせることができ、任意選択で、整流回路は、約１ボルトから１．４ボルトの電圧レベルで第１の収集された電力信号を提供するよう構成され、整流回路は、約１．６ボルト〜３．０ボルトの電圧レベルで第２の収集された電力信号を提供するよう構成されることを含む。
【０５８７】
実施例１１３は、実施例１１２の主題を含むまたは使用することができ、あるいは任意選択で組み合わせることができ、整流回路は、３．０ボルトを超える電圧レベルで第３の収集電力信号を提供するよう構成され、マルチプレクサ回路は、第１、第２、および第３の電力信号のうちの選択されたものを出力回路にルーティングするように構成されることを含む。
【０５８８】
実施例１１４は、実施例１０８〜１１３の１つまたは任意の組み合わせの主題を含むまたは使用することができ、あるいは任意選択で組み合わせることができ、任意選択で、整流回路が、第１のアンテナおよび第１の共通ノードに連結される第１の入力であって、第１の共通ノードは、（ａ）第１のダイオードのカソード、（ｂ）第２のダイオードのアノード、および（ｃ）第３のダイオードのアノードに連結され、第２のダイオードのカソードが、第１の電圧レベルで第１の収集された電力信号を提供する第１の整流器出力に連結されている第１の入力を含み、整流回路がさらに、第１のアンテナおよび第２の共通ノードに連結される第２の入力であって、第２の共通ノードは、（ａ）第３のダイオードのカソード、および（ｂ）第４のダイオードのアノードに連結され、第４のダイオードのカソードは、第２の電圧レベルで第２の収集された電力信号を提供する第２の整流器出力に連結される第２の入力を含むことを含むまたは使用する。
【０５８９】
実施例１１５は、実施例１１４の主題を含むまたは使用することができ、あるいは任意選択で組み合わせることができ、第２の電圧レベルは、第１の電圧レベルよりも大きいことを含む。
【０５９０】
実施例１１６は、実施例１１５の主題を含むまたは使用することができ、あるいは任意選択で組み合わせることができ、第１および第２の入力は、それぞれのコンデンサを使用して第１のアンテナに容量連結されることを含む。
【０５９１】
実施例１１７は、実施例１０８〜１１６の１つまたは任意の組み合わせの主題を含むまたは使用することができ、あるいは任意選択で組み合わせることができ、任意選択で、後方散乱変調深度調整回路を含むまたは使用する。
【０５９２】
実施例１１８は、実施例１１７の主題を含むまたは使用することができ、あるいは任意選択で組み合わせることができ、後方散乱変調深度調整回路は、基準ノードと整流回路からの複数のタップのうちの１つとの間のシャント経路に設けられたスイッチを含むことを含む。
【０５９３】
実施例１１９は、実施例１０８〜１１６の１つまたは任意の組み合わせの主題を含むまたは使用することができ、あるいは任意選択で組み合わせることができ、任意選択で、第１のアンテナに連結され、第１のアンテナの調整特性を変調するように構成された調節可能なコンデンサを含むまたは使用する。
【０５９４】
実施例１２０は、実施例１１９の主題を含むまたは使用することができ、あるいは任意選択で組み合わせることができ、後方散乱変調深度調整回路および制御回路を含み、制御回路は、調節可能なコンデンサの静電容量の値および基準ノードと整流器回路からの複数のタップの１つとの間のシャント経路とを実質的に同時に調節するように構成される。
【０５９５】
実施例１２１は、実施例１０８〜１２０の１つまたは任意の組み合わせの主題を含むまたは使用することができ、あるいは任意選択で組み合わせることができ、任意選択で、第１のアンテナがその周りに巻かれる誘電体アンテナコアと、アンテナおよび誘電体アンテナコアとを実質的に取り囲むアンテナハウジングと、整流回路およびマルチプレクサ回路を実質的に取り囲む回路ハウジングとを含み、アンテナハウジングと回路ハウジングは電気的および／または機械的に一緒に連結され得ることを含むまたは使用する。
【０５９６】
実施例１２２は、主題（例えば、装置、システム、機器、方法、行為を実行するための手段、または装置によって実行されるときに装置に実行させることができる命令を含む装置読み取り可能媒体、または製造品）を含むまたは使用することができ、例えば、多段整流回路であって、第１の収集されたエネルギー信号を受信するように構成され、第１の共通ノードに連結される第１の入力であって、第１の共通ノードが、（ａ）第１のダイオードのカソード、（ｂ）第２のダイオードのアノード、および（ｃ）第３のダイオードのアノードに連結され、第２のダイオードのカソードが、第１の電圧レベルで第１の収集された電力信号を提供する第１の整流器出力に連結されている第１の入力を含み、第１の収集されたエネルギー信号を受信するように構成され、第２の共通ノードに連結される第２の入力であって、第２の共通ノードが（ａ）第３のダイオードのカソード、および（ｂ）第４のダイオードのアノードに連結され、第４のダイオードのカソードは、第２の電圧レベルで第２の収集された電力信号を提供する第２の整流器出力に連結されている第２の入力を含む多段整流回路を含むまたは使用することができる。実施例１２２では、第２の電圧レベルは、第１の電圧レベルよりも大きくすることができる。
【０５９７】
実施例１２３は、主題（例えば、装置、システム、機器、方法、行為を実行するための手段、または装置によって実行されるときに装置に実行させることができる命令を含む装置読み取り可能媒体、または製造品）を含むまたは使用することができ、例えば、植込み型ミッドフィールド装置用の電気刺激回路であって、ミッドフィールド送信機から無線電力信号を受信するように構成された第１のアンテナ、第１のアンテナに連結され、それぞれの第１および第２の電圧レベルを有する少なくとも第１および第２の収集された電力信号を提供するように構成された整流回路、および整流回路に連結され、第１および第２の収集された電力信号のうちの選択されたものをマルチプレクサ出力ノードにルーティングするように構成されたマルチプレクサ回路を含む電力収集回路を含む、電気刺激回路を含むまたは使用することができる。実施例１２３では、電気刺激回路は、マルチプレクサ出力ノードからの信号を少なくとも２つの電気刺激電極にルーティングして、ミッドフィールド送信機から受信した無線電力信号の一部を使用して電気刺激療法を提供するように構成された少なくとも２つの電気刺激電極およびスイッチング回路をさらに含むことができる。
【０５９８】
実施例１２４は、実施例１２３の主題を含むまたは使用することができ、あるいは任意選択で組み合わせることができ、第１のアンテナは、患者の体の外部のミッドフィールド送信機から発信された伝搬無線電力信号を受信するように構成されることを含むまたは使用する。
【０５９９】
実施例１２５は、主題（例えば、装置、システム、機器、方法、行為を実行するための手段、または装置によって実行されるときに装置に実行させることができる命令を含む装置読み取り可能媒体、または製造品）を含むまたは使用することができ、例えば、ヒトまたは機械的操作者などの操作者によって行うことができる、無線植込み型装置を身体組織に植込むための方法であって、少なくとも（１）ガイドワイヤを含む孔針で組織を突き刺すこと、（２）ガイドワイヤを少なくとも部分的に組織内に残して、孔針を取り除くこと、（３）ガイドワイヤの露出部分上に拡張器およびカテーテルを配置して、ガイドワイヤを拡張器内に少なくとも部分的に配置すること、（４）拡張器とカテーテルをガイドワイヤに沿って組織に押し込むこと、（５）ガイドワイヤと拡張器を組織から取り除くこと、（６）植込み型装置をカテーテルの管腔に挿入すること、（７）プッシュロッドを使用して、植込み型装置をカテーテルを通して組織に押し込むこと、および（８）カテーテルを取り外し、植込み型装置を組織に残すことを含む方法を含むまたは使用することができる。
【０６００】
実施例１２６は、実施例１２５の主題を含むまたは使用することができ、あるいは任意選択で組み合わせることができ、拡張器が第２の拡張器であり、方法がガイドワイヤ上に第１の拡張器を配置すること、第１の拡張器をガイドワイヤに沿って組織に押し込むこと、および組織から第１の拡張器を取り除くことをさらに含むことができることを含む。
【０６０１】
実施例１２７は、実施例１２５または１２６の１つまたは任意の組み合わせの主題を含むまたは使用することができ、あるいは任意選択で組み合わせることができ、任意選択で、植込み型装置を組織に押し込む前に、植込み型装置の遠位端に取り付けられた縫合糸を、プッシュロッドの管腔内に少なくとも部分的に配置することを含む。
【０６０２】
実施例１２８は、実施例１２７の主題を含むまたは使用することができ、あるいは任意選択で組み合わせることができ、押し込むステップが、プッシュロッドを使用することを含み、カテーテルを通して植込み型装置を組織に押し込むことは、プッシュロッドを押して、縫合糸の少なくとも一部を組織から残すことを含む。
【０６０３】
実施例１２９は、実施例１２７または１２８の１つまたは任意の組み合わせの主題を含むまたは使用することができ、あるいは任意選択に組み合わせることができ、任意選択で、植込み型装置を組織に押し込む前に、縫合糸の周りにあるシースをプッシュロッドの管腔に配置することを含む。
【０６０４】
実施例１３０は、実施例１２９の主題を含むまたは使用することができ、あるいは任意選択で組み合わせることができ、縫合糸を引っ張ることによって組織から植込み型装置を抜去することを含む。
【０６０５】
実施例１３１は、実施例１２５〜１３０の１つまたは任意の組み合わせの主題を含むまたは使用することができ、あるいは任意選択で組み合わせることができ、任意選択で、拡張器が放射線不透過性マーカーを含み、拡張器を組織に押し込むステップは、蛍光透視法または他の無線イメージングを使用して判定された放射線不透過性マーカーの位置に関する情報を使用して、標的組織部位に拡張器を配置することを含む。
【０６０６】
実施例１３２は、実施例１２５〜１３１の１つまたは任意の組み合わせの主題を含むまたは使用することができ、あるいは任意選択で組み合わせることができ、任意選択で、カテーテルが放射線不透過性マーカーを含み、カテーテルを組織に押し込むことは、蛍光透視法または他の無線イメージングを使用して判定された放射線不透過性マーカーの位置に関する情報を使用して、標的組織部位にカテーテルを配置することを含む。
【０６０７】
実施例１３３は、主題（例えば、装置、システム、機器、方法、行為を実行するための手段、または装置によって実行されるときに装置に実行させることができる命令を含む装置読み取り可能媒体、または製造品）を含むまたは使用することができ、例えば、植込み型装置であって、その上に露出された複数の電極を含む細長い本体部分、電極に電気信号を提供するために電気的に連結された回路を含む回路ハウジング、回路ハウジングと細長い本体部分との間に設けられる、例えばフルストコニカル本体プロファイルを有することができるコネクタであって、その遠位端で本体部分に、およびその近位端で回路ハウジングに取り付けられたコネクタ、その中にアンテナを含み、回路ハウジングの近位端で回路ハウジングに接続されたアンテナハウジング、およびアンテナハウジングの近位端でアンテナハウジングに接続されたプッシュロッドインターフェースを含む植込み型装置を含むまたは使用することができる。
【０６０８】
実施例１３４は、実施例１３３の主題を含むまたは使用することができ、あるいは任意選択で組み合わせることができ、プッシュロッドインターフェースが、アンテナハウジングとは反対側を向いた短いまたは小さいベース部分とアンテナハウジングに向いた長いまたは大きいベース部分とを備えた実質的に台形形状を有することを含む。
【０６０９】
実施例１３５は、実施例１３３または１３４の１つまたは任意の組み合わせの主題を含むまたは使用することができ、あるいは任意選択で組み合わせることができ、任意選択で、アンテナハウジングの近位端に連結されたタインの第１のセットを含む第１のタインカラーを含むまたは使用する。
【０６１０】
実施例１３６は、実施例１３５の主題を含むまたは使用することができ、あるいは任意選択で組み合わせることができ、コネクタによって本体部分に連結されたタインの第２のセットを含む第２のタインカラーを含む。
【０６１１】
実施例１３７は、実施例１３６の主題を含むまたは使用することができ、あるいは任意選択で組み合わせることができ、タインの第２のセットが、第２のタインカラーから本体部分の遠位端に向かって延びることを含む。
【０６１２】
実施例１３８は、実施例１３７の主題を含むまたは使用することができ、あるいは任意選択で組み合わせることができ、タインの第１のセットが、第１のタインカラーからプッシュロッドインターフェースの近位端に向かって延びることを含む。
【０６１３】
実施例１３９は、実施例１３６〜１３８の１つまたは任意の組み合わせの主題を含むまたは使用することができ、あるいは任意選択で組み合わせることができ、任意選択で、第２のタインカラーは、本体部分の近位端から回路ハウジングに向かって延びるタインの第３のセットを含むことを含むまたは使用する。
【０６１４】
実施例１４０は、実施例１３３〜１３９の１つまたは任意の組み合わせの主題を含むまたは使用することができ、あるいは任意選択で組み合わせることができ、任意選択で、回路ハウジングが、遠位ハウジングプレートから本体部分に向かって延びる第１の翼付きフランジを含むことを含むまたは使用する。
【０６１５】
実施例１４１は、実施例１４０の主題を含むまたは使用することができ、あるいは任意選択で組み合わせることができ、コネクタの近位端が、第１の翼付きフランジと係合するように構成されることを含む。
【０６１６】
実施例１４２は、実施例１４０または１４１の１つまたは任意の組み合わせの主題を含むまたは使用することができ、あるいは任意選択で組み合わせることができ、任意選択で、回路ハウジングが、近位ハウジングプレートからアンテナハウジングに向かって延びる第２の翼付きフランジを含むことを含むまたは使用する。
【０６１７】
実施例１４３は、実施例１４２の主題を含むまたは使用することができ、あるいは任意選択で組み合わせることができ、アンテナハウジングは、コアハウジング内に誘電体コアを含み、誘電体コアは、誘電体材料を含み、アンテナは、誘電体コアの周りに巻かれていることを含む。
【０６１８】
実施例１４４は、実施例１４３の主題を含むまたは使用することができ、あるいは任意選択で組み合わせることができ、アンテナハウジングが、それを通る１つまたは複数の穴を含むことを含む。
【０６１９】
実施例１４５は、実施例１４４の主題を含むまたは使用することができ、あるいは任意選択で組み合わせることができ、導電性フィードスルー上およびその周囲に配置された第２の誘電体材料およびコアハウジング内のアンテナを含むまたは使用する。
【０６２０】
実施例１４６は、実施例１４３〜１４５の１つまたは任意の組み合わせの主題を含むまたは使用することができ、あるいは任意選択で組み合わせることができ、任意選択で、実質的にアンテナおよびフィードスルーの周囲に設けられた導電性スリーブを含むまたは使用する。
【０６２１】
実施例１４７は、実施例１４３〜１４６の１つまたは任意の組み合わせの主題を含むまたは使用することができ、あるいは任意選択で組み合わせることができ、任意選択で、誘電体ハウジングは、その遠位部分を通る穴を含み、さらにその反対側にディボットを含み、アンテナのフィードスルーおよび端部は、誘電体コアのディボットに配置されることを含むまたは使用する。
【０６２２】
実施例１４８は、実施例１３３〜１４７の１つまたは任意の組み合わせの主題を含むまたは使用することができ、あるいは任意選択で組み合わせることができ、任意選択で、プッシュロッドインターフェースがその近位端に開口部を含み、植込み型装置が、縫合糸の遠位端に配置された保持装置を備えた縫合糸をさらに含み、縫合糸が開口部を通って延び、保持装置は、開口部の対応する寸法よりも大きい寸法を含むことを含むまたは使用する。
【０６２３】
実施例１４９は、実施例１４８の主題を含むまたは使用することができ、あるいは任意選択で組み合わせることができ、縫合糸の上に配置された可撓性シースを含む。
【０６２４】
実施例１５０は、実施例１３３〜１４９の１つまたは任意の組み合わせの主題を含むまたは使用することができ、あるいは任意選択で組み合わせることができ、任意選択で、回路ハウジング内の誘電体ライナーであって、回路ハウジングの容器と回路ハウジング内の回路との間に設けられる誘電体ライナーを含むまたは使用する。
【０６２５】
実施例１５１は、実施例１３３〜１５０の１つまたは任意の組み合わせの主題を含むまたは使用することができ、あるいは任意選択で組み合わせることができ、任意選択で、回路ハウジング内に乾燥剤を含むまたは使用する。
【０６２６】
実施例１５２は、実施例１３３〜１５１の１つまたは任意の組み合わせの主題を含むまたは使用することができ、あるいは任意選択で組み合わせることができ、任意選択で、回路ハウジングが、容器とそのフィードスルー板との間にインジウムまたはインジウム合金を含むことを含むまたは使用する。
【０６２７】
実施例１５３は、主題（例えば、装置、システム、機器、方法、行為を実行するための手段、または装置によって実行されるときに装置に実行させることができる命令を含む装置読み取り可能媒体、または製造品）を含むまたは使用することができ、例えば、中空針の一部を、針を冷却装置上またはその近くに配置することにより、誘電体材料の自由流動温度未満に冷却すること、誘電体材料を針に流し込み、中空針の冷却部分に流すこと、植込み型装置のコアハウジングの穴に中空針を配置すること、中空針を誘電体材料の自由流動温度またはそれ以上の温度に温めること、および中空針を穴に保持して、誘電体材料が針を自由に流れるようにすることを含む方法を含むまたは使用することができる。
【０６２８】
実施例１５４は、実施例１５３の主題を含むまたは使用することができ、あるいは任意選択で組み合わせることができ、中空針を温めることは、針を冷却装置から遠ざけることと、周囲空気が針を温めることを可能にすることとを含む。
【０６２９】
実施例１５５は、実施例１５４の主題を含むまたは使用することができ、あるいは任意選択で組み合わせることができ、誘電体材料がエポキシを含むことを含む。
【０６３０】
実施例１５６は、実施例１５３および１５４の１つまたは任意の組み合わせの主題を含むまたは使用することができ、あるいは任意選択で組み合わせることができ、任意選択で、冷却装置がペルチェ冷却装置を含むことを含むまたは使用する。
【０６３１】
実施例１５７は、実施例１５３〜１５６の１つまたは任意の組み合わせの主題を含むまたは使用することができ、あるいは任意選択で組み合わせることができ、任意選択で、自由流動温度が摂氏約−４０度から摂氏約０度の間である材料を含むまたは使用する。
【０６３２】
実施例１５８は、主題（例えば、装置、システム、機器、方法、行為を実行するための手段、または装置によって実行されるときに装置に実行させることができる命令を含む装置読み取り可能媒体、または製造品）を含むまたは使用することができ、例えば、フィードスルー板と容器との間の接合部の近くの回路ハウジングの容器上にインジウムはんだを配置すること、およびインジウムはんだをリフローして、フィードスルー板を容器に結合することを含む方法を含むまたは使用することができる。
【０６３３】
実施例１５９は、実施例１５８の主題を含むまたは使用することができ、あるいは任意選択で組み合わせることができ、インジウムはんだをリフローすることにより、フィードスルー板と容器との間に密閉が形成されることを含む。
【０６３４】
実施例１６０は、主題（例えば、装置、システム、機器、方法、行為を実行するための手段、または装置によって実行されるときに装置に実行させることができる命令を含む装置読み取り可能媒体、または製造品）を含むまたは使用することができ、例えば、アンテナアセンブリが取り付けられる導電性接触パッドの観点から、植込み型装置の回路基板のインピーダンスを判定すること、インピーダンスがインピーダンス値の目標範囲内にないことを判定することに応答して、回路基板の他の回路から導電性材料を除去すること、インピーダンスがインピーダンス値の目標範囲内にあると判定することに応答して、アンテナアセンブリを接触パッドに電気的に接続して回路基板アセンブリを作成し、回路基板を気密エンクロージャに密封することを含む方法を含むまたは使用することができる。実施例１６０は、外部電力ユニットからの送信が材料を通って移動してアンテナアセンブリのアンテナに入射するように、材料の近くまたは少なくとも部分的に材料内に回路基板アセンブリを配置することであって、材料は、植込み型装置が植込まれる組織の誘電率を含む、配置すること、外部電力ユニットからの送信を受信すること、および受信した送信の電力を示す応答を生成することをさらに含むことができる。
【０６３５】
実施例１６１は、実施例１６０の主題を含むまたは使用することができ、あるいは任意選択で組み合わせることができ、回路基板アセンブリを材料の近くまたは少なくとも部分的に材料内に配置する前に、回路基板が回路ハウジング内に含まれるように回路基板を回路ハウジングに組み立てることを含む。
【０６３６】
実施例１６２は、実施例１６１の主題を含むまたは使用することができ、あるいは任意選択で組み合わせることができ、アンテナを接触パッドに電気的に接続する前に回路ハウジングを密閉することを含み、アンテナを接触パッドに電気的に接続することは、アンテナを、接触パッドに電気的に接続された回路ハウジングのフィードスルーに電気的に接続することを含むことができる。
【０６３７】
実施例１６３は、実施例１６１または１６２の１つまたは任意の組み合わせの主題を含むまたは使用することができ、あるいは任意選択で組み合わせることができ、任意選択で、アンテナが回路ハウジングの近位端に電気的に接続されることを含むまたは使用する。実施例１６３は、回路基板の他の回路が細長い植込み型アセンブリの１つまたは複数の電極に電気的に接続されるように、回路ハウジングの遠位端を細長い植込み型アセンブリに取り付けることを含むことができる。
【０６３８】
実施例１６４は、実施例１６０〜１６３の１つまたは任意の組み合わせの主題を含むまたは使用することができ、あるいは任意選択で組み合わせることができ、任意選択で、回路基板の他の回路から１つまたは複数の導電性タブを電気的に絶縁することは、導電性材料を除去し、１つまたは複数の導電性タブが、接触パッドに電気的に接続されたトレースに電気的に接続されていないようになることを含む。
【０６３９】
実施例１６５は、実施例１６０〜１６４の１つまたは任意の組み合わせの主題を含むまたは使用することができ、あるいは任意選択で組み合わせることができ、任意選択で、接触パッドが回路基板の近位部分に配置され、回路基板が回路基板の遠位部分に配置された第２の接触パッドをさらに含むことを含む。
【０６４０】
実施例１６６は、実施例１６５の主題を含むまたは使用することができ、あるいは任意選択で組み合わせることができ、回路基板は、第１の可撓性部分、第２の可撓性部分、および第１の可撓性部分と第２の可撓性部分との間に位置する本体部分をさらに含み、第１の接触パッドは、第１の可撓性部分を介して回路部分に連結され、第２の接触パッドは、第２の可撓性部分を介して回路部分に連結されていることを含む。
【０６４１】
実施例１６７は、実施例１６６の主題を含むまたは使用することができ、あるいは任意選択で組み合わせることができ、第１の可撓性部分が、第２の可撓性部分の長さよりも短い長さを含むことを含む。
【０６４２】
実施例１６８は、実施例１６６および１６７の１つまたは任意の組み合わせの主題を含むまたは使用することができ、あるいは任意選択で組み合わせることができ、任意選択で、第１の可撓性部分が、回路基板の長手方向軸に概ね垂直であるカットをその中に含むことを含む。
【０６４３】
実施例１６９は、実施例１６６〜１６８の１つまたは任意の組み合わせの主題を含むまたは使用することができ、あるいは任意選択で組み合わせることができ、任意選択で、回路基板の隣接する遠位電気接続部分上に回路基板と一体のカバーを折り畳むことを含む。
【０６４４】
実施例１７０は、実施例１６０〜１６９の１つまたは任意の組み合わせの主題を含むまたは使用することができ、あるいは任意選択で組み合わせることができ、任意選択で、材料の空洞において回路基板アセンブリを配置することを含め、材料の近くまたは少なくとも部分的に材料内に回路基板アセンブリを配置することを含む。
【０６４５】
実施例１７１は、実施例１６０〜１７０の１つまたは任意の組み合わせの主題を含むまたは使用することができ、あるいは任意選択で組み合わせることができ、任意選択で、材料が約５から約７０の間の誘電率を含むことを含むまたは使用する。
【０６４６】
実施例１７２は、実施例１６０〜１７１の１つまたは任意の組み合わせの主題を含むまたは使用することができ、あるいは任意選択で組み合わせることができ、任意選択で、受信された送信の電力を示す応答を生成することは、光送信、音、振動、または電磁波を生成することを含むことを含む。
【０６４７】
実施例１７３は、実施例１６０〜１７２の１つまたは任意の組み合わせの主題を含むまたは使用することができ、あるいは任意選択で組み合わせることができ、任意選択で、生成された応答に基づいて、回路基板のインピーダンスが目標値の指定された範囲内にないことを判定し、回路基板の他の回路にその構成要素のインピーダンスをデジタル調整させる通信を生成することを含む。
【０６４８】
実施例１７４は、実施例１６０〜１７３の１つまたは任意の組み合わせの主題を含むまたは使用することができ、あるいは任意選択で組み合わせることができ、任意選択で、アンテナを接触パッドに電気的に接続する前にアンテナアセンブリのインピーダンスを判定すること、および回路基板の両方のインピーダンスがインピーダンス値の標的範囲内にあり、アンテナのインピーダンスは、インピーダンス値の異なる標的範囲にあると判定することに応答してアンテナを接触パッドに電気的に接続することを含む。
【０６４９】
実施例１７５は、主題（例えば、装置、システム、機器、方法、行為を実行するための手段、または装置によって実行されるときに装置に実行させることができる命令を含む装置読み取り可能媒体、または製造品）を含むまたは使用することができ、例えば、植込み型装置のインピーダンスを調整するための方法であって、植込み型装置の回路基板から導電性材料を除去して、回路基板のインピーダンスを調整すること、回路基板のインピーダンスが指定された周波数範囲内にあることを確認した後、また導電性材料を除去した後、植込み型装置の回路ハウジング内の回路基板を密閉すること、および回路基板を回路ハウジングに密閉した後、アンテナを回路ハウジングのフィードスルーに取り付けることを含む方法を含むまたは使用することができる。
【０６５０】
実施例１７６は、実施例１７５の主題を含むまたは使用することができ、あるいは任意選択で組み合わせることができ、アンテナを取り付けた後、場連結共振テストを使用して、植込み型装置の動作周波数が指定された周波数範囲内にあることを確認することを含む。
【０６５１】
これらの実施例各々は、単独で使用しても、または様々な組み合わせや順列で組み合わせてもよい。
【０６５２】
本明細書では様々な一般的および特定の実施形態を説明しているが、本開示のより広い精神および範囲から逸脱することなくこれらの実施形態に様々な修正および変更を加えることができることは明らかである。したがって、明細書および図面は限定的な意味ではなく例示的な意味で考慮するべきである。本願の一部を形成する添付の図面は、限定ではなく例示として、主題を実施することができる特定の実施形態を示す。例示された実施形態は、当業者が本明細書に開示された教示を実施することを可能にするのに十分詳細に記載されている。本開示の範囲から逸脱することなく、構造的および論理的な置換および変更を行うことができるように、他の実施形態をそれから使用または導出することができる。したがって、この詳細な説明は限定的な意味で解釈されるべきではなく、様々な実施形態の範囲は、添付の特許請求の範囲とそのような特許請求の範囲が権利を与える等価物の全範囲によってのみ定義される。本明細書では特定の実施形態または例を図示および説明しているが、同じ目的を達成するために計算された任意の構成を図示の特定の実施形態の代わりに使用できることを理解されたい。本開示は、様々な実施形態のありとあらゆる適応または変形を網羅することを意図している。上記の実施形態と、本明細書に具体的に記載されていない他の実施形態との組み合わせは、上記の説明を検討すれば当業者に明らかである。
【０６５３】
本文書では、特許文書で一般的であるように、用語「ａ」または「ａｎ」は、他のいずれかの「少なくとも１つ」または「１つまたは複数」の事例または使用法とは無関係に１つまたは複数を含むように使用される。本文書では、「または」という用語は、排他的ではないどちらかを示すために使用され、そのため「ＡまたはＢ」は、特に明記しない限り、「ＡであるがＢではない」、「ＢであるがＡではない」および「ＡおよびＢ」を含む。本文書では、「含む」および「その中で」という用語は、プレイン・イングッシュでのそれぞれの用語「含む」および「その中で」の等価物として使用される。また、以下の特許請求の範囲において、「ｉｎｃｌｕｄｉｎｇ」および「ｃｏｍｐｒｉｓｉｎｇ」という用語はオープンエンドであり、すなわち、特許請求の範囲でそのような用語の後に列挙されるものに加えて要素を含むシステム、装置、物品、組成物、配合物、またはプロセスは、依然としてそのクレームの範囲内にあるとみなされる。さらに、後続の特許請求の範囲において、「第１」、「第２」、および「第３」などの用語は単にラベルとして使用されており、それらの対象に数値的な要件を課すことを意図してはいない。
【０６５４】
また、本明細書に開示されている範囲は、ありとあらゆる重複、部分的な範囲、およびそれらの組み合わせも包含する。「最大」、「少なくとも」、「より大きい」、「より小さい」、「間」などのような文言は、列挙された数字を含む。「約」または「概ね」などの用語が先行する数字は、列挙された数字を含む。例えば、「約１０ｋＨｚ」は「１０ｋＨｚ」を含む。「実質的に」または「略」などの用語の前にある用語または句は、列挙された用語または句を含む。例えば、「実質的に平行」は「平行」を含み、「略円筒形」は円筒形を含む。
【０６５５】
上記の説明は例示的であり、限定的ではない。例えば、上述の例（またはその１つまたは複数の態様）を互いに組み合わせて使用することができる。上記の説明を検討すると、例えば当業者が、他の実施形態を使用することができる。要約書は、読者が技術的開示の性質を迅速に確認することを可能にするために提供される。それは、特許請求の範囲またはクレームの意味を解釈または限定するために使用されることはないとの理解のもとに提出されている。また、上記の発明を実施するための形態では、開示を簡素化するために様々な特徴を一緒にグループ化することができる。これは、特許請求されていない開示された特徴がいずれかのクレームに本質的であると意図していると解釈されるべきではない。むしろ、発明の主題は、特定の開示された実施形態のすべての特徴より少ない特徴にあり得る。したがって、後続の特許請求の範囲は、例または実施形態として発明を実施するための形態にそれによって組み込まれ、各特許請求の範囲は別個の実施形態としてそれ自体自立しており、そのような実施形態は様々な組み合わせまたは順列で互いに組み合わせることができると考えられる。本発明の範囲および実施形態は、添付の特許請求の範囲、ならびにそのような特許請求の範囲が権利を有する等価物の全範囲を参照して判断されるべきである。
【図１】
2021521761.tif 000003
【図２Ａ】
2021521761.tif 000004
【図２Ｂ】
2021521761.tif 000005
【図３】
2021521761.tif 000006
【図４】
2021521761.tif 000007
【図５】
2021521761.tif 000008
【図６】
2021521761.tif 000009
【図７】
2021521761.tif 000010
【図８】
2021521761.tif 000011
【図９】
2021521761.tif 000012
【図１０】
2021521761.tif 000013
【図１１】
2021521761.tif 000014
【図１２】
2021521761.tif 000015
【図１３】
2021521761.tif 000016
【図１４Ａ】
2021521761.tif 000017
【図１４Ｂ】
2021521761.tif 000018
【図１５Ａ】
2021521761.tif 000019
【図１５Ｂ】
2021521761.tif 000020
【図１５Ｃ】
2021521761.tif 000021
【図１６】
2021521761.tif 000022
【図１７】
2021521761.tif 000023
【図１８】
2021521761.tif 000024
【図１９Ａ】
2021521761.tif 000025
【図１９Ｂ】
2021521761.tif 000026
【図２０】
2021521761.tif 000027
【図２１】
2021521761.tif 000028
【図２２】
2021521761.tif 000029
【図２３】
2021521761.tif 000030
【図２４】
2021521761.tif 000031
【図２５】
2021521761.tif 000032
【図２６Ａ】
2021521761.tif 000033
【図２６Ｂ】
2021521761.tif 000034
【図２７】
2021521761.tif 000035
【図２８】
2021521761.tif 000036
【図２９】
2021521761.tif 000037
【図３０】
2021521761.tif 000038
【図３１】
2021521761.tif 000039
【図３２】
2021521761.tif 000040
【図３３】
2021521761.tif 000041
【図３４】
2021521761.tif 000042
【図３５】
2021521761.tif 000043
【図３６】
2021521761.tif 000044
【図３７】
2021521761.tif 000045
【図３８】
2021521761.tif 000046
【図３９】
2021521761.tif 000047
【図４０】
2021521761.tif 000048
【図４１】
2021521761.tif 000049
【図４２】
2021521761.tif 000050
【図４３】
2021521761.tif 000051
【図４４】
2021521761.tif 000052
【図４５】
2021521761.tif 000053
【図４６】
2021521761.tif 000054
【図４７】
2021521761.tif 000055
【図４８】
2021521761.tif 000056
【図４９】
2021521761.tif 000057
【図５０】
2021521761.tif 000058
【図５１】
2021521761.tif 000059
【図５２】
2021521761.tif 000060
【図５３】
2021521761.tif 000061
【図５４】
2021521761.tif 000062
【図５５】
2021521761.tif 000063
【図５６】
2021521761.tif 000064
【図５７】
2021521761.tif 000065
【図５８】
2021521761.tif 000066
【図５９】
2021521761.tif 000067
【図６０】
2021521761.tif 000068
【図６１】
2021521761.tif 000069
【図６２】
2021521761.tif 000070
【図６３】
2021521761.tif 000071
【図６４】
2021521761.tif 000072
【図６５Ａ】
2021521761.tif 000073
【図６５Ｂ】
2021521761.tif 000074
【図６６】
2021521761.tif 000075
【図６７】
2021521761.tif 000076
【図６８】
2021521761.tif 000077
【図６９】
2021521761.tif 000078
【図７０】
2021521761.tif 000079
【図７１】
2021521761.tif 000080
【図７２】
2021521761.tif 000081
【図７３】
2021521761.tif 000082
【図７４】
2021521761.tif 000083
【図７５】
2021521761.tif 000084
【図７６】
2021521761.tif 000085
【図７７】
2021521761.tif 000086
【図７８】
2021521761.tif 000087
【図７９】
2021521761.tif 000088
【図８０】
2021521761.tif 000089
【図８１】
2021521761.tif 000090
【図８２】
2021521761.tif 000091
【図８３】
2021521761.tif 000092
【図８４】
2021521761.tif 000093
【図８５】
2021521761.tif 000094
【図８６】
2021521761.tif 000095
【図８７】
2021521761.tif 000096
【図８８】
2021521761.tif 000097
【図８９】
2021521761.tif 000098
【図９０】
2021521761.tif 000099
【図９１】
2021521761.tif 000100
【図９２】
2021521761.tif 000101
【図９３】
2021521761.tif 000102
【図９４】
2021521761.tif 000103
【図９５】
2021521761.tif 000104
【図９６】
2021521761.tif 000105
【図９７】
2021521761.tif 000106
【図９８】
2021521761.tif 000107
【図９９】
2021521761.tif 000108
【図１００】
2021521761.tif 000109
【図１０１Ａ】
2021521761.tif 000110
【図１０１Ｂ】
2021521761.tif 000111
【図１０２】
2021521761.tif 000112
【図１０３】
2021521761.tif 000113
【図１０４】
2021521761.tif 000114
【図１０５】
2021521761.tif 000115
【図１０６】
2021521761.tif 000116
【図１０７】
2021521761.tif 000117
【図１０８】
2021521761.tif 000118
【図１０９】
2021521761.tif 000119
【図１１０】
2021521761.tif 000120
【図１１１】
2021521761.tif 000121
【図１１２】
2021521761.tif 000122
【図１１３】
2021521761.tif 000123
【図１１４】
2021521761.tif 000124
【図１１５】
2021521761.tif 000125
【図１１６】
2021521761.tif 000126
【図１１７】
2021521761.tif 000127
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
調整可能なミッドフィールド送信機であって、
第１の基板と、
前記第１の基板の第１の表面に設けられた第１のエミッタと、および
前記第１のエミッタに連結された可変コンデンサであって、前記第１のエミッタの静電容量特性を調整して、受信機装置からの反射係数またはフィードバック情報の少なくとも１つに基づいて前記ミッドフィールド送信機の共振周波数を調整するように構成される可変コンデンサと
を備える、
調整可能なミッドフィールド送信機。
【請求項２】
前記反射係数に関する情報に基づいて、前記ミッドフィールド送信機が身体組織の近くにあるか、近くにある可能性があるかについての表示を提供するように構成された制御回路をさらに備える、
請求項１に記載の調整可能なミッドフィールド送信機。
【請求項３】
前記第１の基板に隣接し、かつ平行な第２の表面上に提供されるストリップラインをさらに備え、前記ストリップラインは、前記第１のエミッタ上に少なくとも部分的に延びる、請求項１に記載の調整可能なミッドフィールド送信機。
【請求項４】
前記第１のエミッタが内側ディスク領域および外側環状領域を含み、前記ストリップラインが前記第１のエミッタの前記内側ディスク領域上に少なくとも部分的に延びる、
請求項３に記載の調整可能なミッドフィールド送信機。
【請求項５】
前記内側ディスク領域は、非導電性スロットによって複数の別個の導電性領域に分割され、前記導電性領域のそれぞれが実質的に同じ表面積を有する、
請求項４に記載の調整可能なミッドフィールド送信機。
【請求項６】
接地面と、および
前記接地面と前記ストリップラインとの間に提供される第２の基板と
をさらに備える、
請求項１に記載の調整可能なミッドフィールド送信機。
【請求項７】
前記ミッドフィールド送信機は、組織内に適応操縦場を生成するように構成され、前記適応操縦場は、約３００ＭＨｚ〜３０００ＭＨｚの周波数を有する、
請求項１から６のいずれかに記載の調整可能なミッドフィールド送信機。
【請求項８】
前記ストリップラインに励起信号を提供するように構成された励起回路をさらに備え、前記励起信号は、約３００ＭＨｚ〜３０００ＭＨｚの間の周波数を有する、
請求項１から６のいずれかに記載の調整可能なミッドフィールド送信機。
【請求項９】
前記可変コンデンサの静電容量の値が、検出された反射係数に基づいて、または植込まれたミッドフィールド受信機装置からのフィードバックに基づいて更新されるように構成される、
請求項１から６のいずれかに記載の調整可能なミッドフィールド送信機。
【請求項１０】
アンテナに連結された信号発生器を含む無線電力送信機、および前記アンテナの共振周波数に影響を与えるように構成されたチューナー回路を構成するための方法であって、
前記信号発生器によって提供される第１の駆動信号であって、第１の周波数を有する第１の駆動信号で前記アンテナにエネルギー供給することと、
前記チューナー回路のパラメータの値を掃引して、前記アンテナをそれぞれの複数の例で複数の異なる共振周波数に調整することと、
前記複数の異なる共振周波数のそれぞれについて、前記アンテナが前記第１の駆動信号によってエネルギー供給されたときに前記アンテナによって反射されたそれぞれの電力の量を検出することと、
前記アンテナに反射された検出された最小電力量に対応する前記チューナー回路の特定のパラメータの値を識別することと、および
前記チューナー回路の前記特定のパラメータの値を使用して、身体組織内部の無線伝搬波を使用して、電力および／またはデータを植込まれた装置に通信するように前記無線電力送信機をプログラミングすることと
を含む、方法。
【請求項１１】
前記チューナー回路に関する先験的情報に基づいて、前記チューナー回路の前記識別された特定のパラメータの値に基づいて、身体組織インターフェースの指定された距離範囲内に前記無線電力送信機が配置されている可能性を提供すること
をさらに含む、
請求項１０に記載の方法。
【請求項１２】
前記可能性が、前記無線電力送信機が前記身体組織インターフェースの前記指定された距離範囲内にあることを示している場合、前記無線電力送信機と前記特定のパラメータの値に調整された前記チューナー回路を使用して、電力および／またはデータを植込み型装置と送受信することをさらに含む、
請求項１１に記載の方法。
【請求項１３】
前記第１の駆動信号で前記アンテナに前記エネルギー供給することは、約８５０ＭＨｚ〜９５０ＭＨｚの周波数を有する信号を使用することを含む、
請求項１０に記載の方法。
【請求項１４】
前記アンテナを複数の異なる共振周波数に調整するために前記チューナー回路の前記パラメータの値を掃引することは、コンデンサの静電容量の値を調整することを含む、
請求項１０から１３のいずれかに記載の方法。
【請求項１５】
無線送信機であって、前記無線送信機のアンテナを複数の異なる共振周波数に調整するように構成された調整回路を含む無線送信機、を構成するための方法であって、
前記調整回路が前記アンテナを第１の共振周波数に調整するときに、第１の周波数掃引駆動信号で前記無線送信機の前記アンテナにエネルギー供給することと、
前記第１の周波数掃引駆動信号の複数の周波数のそれぞれについて、前記アンテナに反射されたそれぞれの電力の量を検出することと、および
前記アンテナに反射された前記検出されたそれぞれの電力の量に基づいて、前記無線送信機が身体組織の近くにある、または近くにある可能性があることかどうかを判定することと
を含む、方法。
【請求項１６】
前記アンテナに反射された前記検出されたそれぞれの電力の量に基づいて、前記無線送信機が身体組織の近くにある、またはその可能性が高いと判定された場合、
第２の駆動信号で前記無線送信機の前記アンテナにエネルギー供給することと、
前記チューナー回路のパラメータの値を掃引して、前記アンテナが前記第２の駆動信号によってエネルギー供給されている間に、前記アンテナをそれぞれの複数の例で複数の異なる共振周波数に調整することと、
前記複数の異なる共振周波数のそれぞれについて、前記アンテナに反射されたそれぞれの電力の量を検出することと、
前記アンテナに反射された検出された最小電力量に対応する前記チューナー回路の特定のパラメータの値を識別することと、および
前記識別された特定のパラメータの値に基づいて、前記無線送信機が身体組織の近くにあるかどうかを確認することと
をさらに含む、
請求項１５に記載の方法。
【請求項１７】
前記無線送信機が身体組織の近くにあることが確認されたときに、電力および／またはデータを植込まれた装置に伝送することを試みることをさらに含み、前記伝送することを試みることは、前記特定のパラメータの値を使用して前記チューナー回路を調整することを含む、
請求項１６に記載の方法。
【請求項１８】
前記アンテナに前記エネルギー供給することは、前記アンテナの表面の周りに分散された複数のアンテナポートのうちの第１のものにエネルギー供給することを含み、
前記アンテナに反射された前記それぞれの電力の量を前記検出することは、前記複数のアンテナポートのうちの第２のものを使用して反射信号を受信することを含む、
請求項１５に記載の方法。
【請求項１９】
前記アンテナが、前記第１のアンテナポートおよび前記第２のアンテナポートを通って延びる軸に関して実質的に対称である、
請求項１８に記載の方法。
【国際調査報告】
2021521761.tif 000128
2021521761.tif 000129
2021521761.tif 000130
2021521761.tif 000131